(57)【要約】  本願は、制御情報伝送方法、端末デバイス、及びネットワークデバイスを提供する。  制御情報伝送方法は、端末デバイスが、ダウンリンクデータの受信状況及びスケジューリング要求伝送状況に基づいて伝送リソースを決定する段階であって、伝送リソースが、Ｎ個の第１リソースのうち１つ又はＭ個の第２リソースのうち１つであり、Ｎ個の第１リソースはダウンリンクデータのＮ個の受信状況に対応し、Ｍ個の第２リソースはスケジューリング要求を伝送するために用いられ、Ｎが１より大きな正の整数であり、Ｍが正の整数である、決定する段階と、端末デバイスが、伝送リソースでアップリンク制御情報を送信する段階とを備える。方法によると、ＰＵＣＣＨシンボルの数が１、２又は３個のシンボルに減少した後に、ＳＲをいかに伝送するか、並びに、ＳＲ及びＨＡＲＱ−ＡＣＫ情報をいかに同時に伝送するかについての問題が効率的に解決され得る。
2020519084.tif 000002
【特許請求の範囲】
【請求項１】
制御情報伝送方法であって、
端末デバイスが、ダウンリンクデータの受信状況及びスケジューリング要求伝送状況に基づいて伝送リソースを決定する段階であって、前記伝送リソースが、Ｎ個の第１リソースのうち１つ又はＭ個の第２リソースのうち１つであり、前記Ｎ個の第１リソースは前記ダウンリンクデータのＮ個の受信状況に対応し、前記Ｍ個の第２リソースはスケジューリング要求を伝送するために用いられ、Ｎが１より大きな正の整数であり、Ｍが正の整数である、決定する段階と、
前記端末デバイスが、前記伝送リソースでアップリンク制御情報を送信する段階と
を備える、
方法。
【請求項２】
Ｎが２又は４であり、前記ダウンリンクデータの前記２つの受信状況が肯定応答ＡＣＫ及び否定応答ＮＡＣＫを含むか、又は前記ダウンリンクデータの前記４つの受信状況が（ＡＣＫ、ＡＣＫ）、（ＮＡＣＫ、ＮＡＣＫ）、（ＡＣＫ、ＮＡＣＫ）及び（ＮＡＣＫ、ＡＣＫ）を含み、
端末デバイスがダウンリンクデータの受信状況及びスケジューリング要求伝送状況に基づいて伝送リソースを決定する前記段階は、
前記スケジューリング要求伝送状況が正のスケジューリング要求伝送である場合、前記端末デバイスが、前記伝送リソースが前記Ｍ個の第２リソースのうち１つであることを決定する段階であって、前記アップリンク制御情報はデータの前記Ｎ個の受信状況のうち１つ及び前記正のスケジューリング要求伝送を示す、決定する段階を有する、
請求項１に記載の方法。
【請求項３】
Ｍが１であり、端末デバイスがダウンリンクデータの受信状況及びスケジューリング要求伝送状況に基づいて伝送リソースを決定する前記段階は、
前記ダウンリンクデータの前記受信状況が前記ダウンリンクデータの前記２つの受信状況のうち１つであるか、又は前記ダウンリンクデータの受信状況が前記ダウンリンクデータの前記４つの受信状況のうち１つであり、前記スケジューリング要求伝送状況が前記正のスケジューリング要求伝送である場合、前記端末デバイスが、前記伝送リソースが前記１つの第２リソースであることを決定する段階であって、前記アップリンク制御情報は、前記正のスケジューリング要求伝送、及び前記ＮＡＣＫ又は前記（ＮＡＣＫ、ＮＡＣＫ）を示す、決定する段階を有する、
請求項２に記載の方法。
【請求項４】
Ｍが１である方法であり、端末デバイスがダウンリンクデータの受信状況及びスケジューリング要求伝送状況に基づいて伝送リソースを決定する前記段階は、
前記ダウンリンクデータの前記受信状況が前記ダウンリンクデータの前記２つの受信状況のうち１つであるか、又は前記ダウンリンクデータの受信状況が前記ダウンリンクデータの前記４つの受信状況のうち１つであり、かつ、前記スケジューリング要求伝送状況が前記正のスケジューリング要求伝送である場合、前記端末デバイスが、前記伝送リソースが前記１つの第２リソースであることを決定する段階を有し、
前記アップリンク制御情報は、前記正のスケジューリング要求伝送、及び前記ダウンリンクデータの受信状況を示し、前記端末デバイスが、前記伝送リソースでアップリンク制御情報を送信する前記段階は、
前記端末デバイスが、前記１つの第２リソースで、１ビット又は２ビットの情報を搬送するために用いられるＰＵＣＣＨと、前記ＰＵＣＣＨを復調するために用いられる復調基準信号とを送信する段階であって、前記１ビット又は２ビットの情報は、前記ダウンリンクデータの受信状況を示す、送信する段階を有する、
請求項２に記載の方法。
【請求項５】
Ｎが２であり、Ｍが２であり、前記２つの第２リソースは第１の第２リソース及び第２の第２リソースを含み、
端末デバイスがダウンリンクデータの受信状況及びスケジューリング要求伝送状況に基づいて伝送リソースを決定する前記段階は、
前記ダウンリンクデータの前記受信状況が前記ＡＣＫであり、前記スケジューリング要求伝送状況が前記正のスケジューリング要求伝送である場合、前記端末デバイスが、前記伝送リソースが前記第１の第２リソースであることを決定する段階であって、前記アップリンク制御情報は前記正のスケジューリング要求伝送及び前記ＡＣＫを示す、決定する段階、又は
前記ダウンリンクデータの前記受信状況が前記ＮＡＣＫであり、前記スケジューリング要求伝送状況が前記正のスケジューリング要求伝送である場合、前記端末デバイスが、前記伝送リソースが前記第２の第２リソースであることを決定する段階であって、前記アップリンク制御情報は前記正のスケジューリング要求伝送及び前記ＮＡＣＫを示す、決定する段階
を有する、
請求項２に記載の方法。
【請求項６】
Ｎが２であり、
端末デバイスがダウンリンクデータの受信状況及びスケジューリング要求伝送状況に基づいて伝送リソースを決定する前記段階の前に、前記方法はさらに、
前記端末デバイスが前記ダウンリンクデータを受信する段階であって、前記ダウンリンクデータは２つのトランスポートブロックＴＢを含む、受信する段階と、
前記端末デバイスが、前記ダウンリンクデータの前記受信状況が前記２つのＴＢにそれぞれ対応する受信状況の空間バンドリング結果であることを決定する段階と
を備える、
請求項３から５の何れか一項に記載の方法。
【請求項７】
端末デバイスがダウンリンクデータの受信状況及びスケジューリング要求伝送状況に基づいて伝送リソースを決定する前記段階はさらに、
前記ダウンリンクデータの受信状況が前記ダウンリンクデータの前記２つの受信状況のうち１つであるか、又は前記ダウンリンクデータの受信状況が前記ダウンリンクデータの前記４つの受信状況のうち１つであり、前記スケジューリング要求伝送状況が負のスケジューリング要求伝送である場合、前記端末デバイスが、前記伝送リソースが前記Ｎ個の第１リソースのうち１つであることを決定する段階
を備える、
請求項３から６の何れか一項に記載の方法。
【請求項８】
前記第１リソースは巡回シフト、直交シーケンス及びリソースブロックの少なくとも１つによって識別され、及び／又は
前記第２リソースは巡回シフト、直交シーケンス及びリソースブロックの少なくとも１つによって識別される、請求項１から７の何れか一項に記載の方法。
【請求項９】
制御情報伝送方法であって、
ネットワークデバイスが伝送リソースでアップリンク制御情報を受信する段階であって、前記伝送リソースがＮ個の第１リソースのうち１つであるか、又はＭ個の第２リソースのうち１つであり、前記Ｎ個の第１リソースはダウンリンクデータのＮ個の受信状況に対応し、前記Ｍ個の第２リソースはスケジューリング要求を伝送するために用いられ、Ｎが１より大きな正の整数であり、Ｍが正の整数である、受信する段階と、
前記ネットワークデバイスが、前記伝送リソース及び前記アップリンク制御情報に基づいてダウンリンクデータの受信状況及びスケジューリング要求伝送状況を決定する段階と
を備える、
方法。
【請求項１０】
Ｎが２又は４であり、前記ダウンリンクデータの前記２つの受信状況が肯定応答ＡＣＫ及び否定応答ＮＡＣＫを含むか、又は前記ダウンリンクデータの前記４つの受信状況が（ＡＣＫ、ＡＣＫ）、（ＮＡＣＫ、ＮＡＣＫ）、（ＡＣＫ、ＮＡＣＫ）及び（ＮＡＣＫ、ＡＣＫ）を含み、ネットワークデバイスが伝送リソースでアップリンク制御情報を受信する前記段階は、
前記ネットワークデバイスが、前記伝送リソースが前記Ｍ個の第２リソースのうち１つであることを決定する段階と、
前記ネットワークデバイスが、前記Ｍ個の第２リソースのうち前記１つで前記アップリンク制御情報を受信する段階と
を有し、
前記ネットワークデバイスが前記伝送リソース及び前記アップリンク制御情報に基づいてダウンリンクデータの受信状況及びスケジューリング要求伝送状況を決定する前記段階は、
前記ネットワークデバイスが、前記Ｍ個の第２リソースのうち前記１つ及び前記アップリンク制御情報に基づいて、ダウンリンクデータの前記受信状況が前記Ｎ個のデータ受信状況のうち１つであり、前記スケジューリング要求伝送状況が正のスケジューリング要求伝送であることを決定する段階を有する、
請求項９に記載の方法。
【請求項１１】
Ｍが１であり、前記伝送リソースが前記１つの第２リソースであり、前記ネットワークデバイスが前記伝送リソース及び前記アップリンク制御情報に基づいてダウンリンクデータの受信状況及びスケジューリング要求伝送状況を決定する前記段階は、
前記ネットワークデバイスが、前記１つの第２リソースに基づいて、前記ダウンリンクデータの前記受信状況が前記ＮＡＣＫ又は前記（ＮＡＣＫ、ＮＡＣＫ）であり、前記スケジューリング要求伝送状況が前記正のスケジューリング要求伝送であることを決定する段階と
を含む、
請求項１０に記載の方法。
【請求項１２】
Ｍが１であり、前記伝送リソースが前記１つの第２リソースである方法であり、前記ネットワークデバイスが前記Ｍ個の第２リソースのうち前記１つで前記アップリンク制御情報を受信する前記段階は、
前記ネットワークデバイスが、前記１つの第２リソースで、１ビット又は２ビットの情報を搬送するために用いられるＰＵＣＣＨと、前記ＰＵＣＣＨを復調するために用いられる復調基準信号とを受信する段階であって、前記１ビット又は２ビットの情報は前記ダウンリンクデータの受信状況を示す、受信する段階を含み、
前記ネットワークデバイスが前記伝送リソース及び前記アップリンク制御情報に基づいてダウンリンクデータの受信状況及びスケジューリング要求伝送状況を決定する前記段階は、
前記ネットワークデバイスが、前記１つの第２リソースに基づいて、前記スケジューリング要求伝送状況が前記正のスケジューリング要求伝送であることを決定する段階と、
前記１ビット又は２ビットの情報に基づいて、前記ダウンリンクデータの受信状況が前記ダウンリンクデータの前記２つの受信状況のうち１であるか、又は前記ダウンリンクデータの前記４つの受信状況のうち１つであることを決定する段階と
を含む、
請求項１０に記載の方法。
【請求項１３】
Ｎが２であり、Ｍが２であり、前記２つの第２リソースは第１の第２リソース及び第２の第２リソースを含み、前記伝送リソースが前記第１の第２リソース及び前記第２の第２リソースであり、
前記ネットワークデバイスが前記伝送リソース及び前記アップリンク制御情報に基づいてダウンリンクデータの受信状況及びスケジューリング要求伝送状況を決定する前記段階は、
前記ネットワークデバイスが、前記第１の第２リソースに基づいて、前記ダウンリンクデータの前記受信状況が前記ＡＣＫであり、前記スケジューリング要求伝送状況が前記正のスケジューリング要求伝送であることを決定する段階、又は
前記ネットワークデバイスが、前記第２の第２リソースに基づいて、前記ダウンリンクデータの前記受信状況が前記ＮＡＣＫであり、前記スケジューリング要求伝送状況が前記正のスケジューリング要求伝送であることを決定する段階
を有する、
請求項１０に記載の方法。
【請求項１４】
Ｎが２であり、前記方法はさらに、
前記ネットワークデバイスが、前記ダウンリンクデータを送信する段階であって、前記ダウンリンクデータは２つのトランスポートブロックＴＢを有する、送信する段階を含み、
前記ダウンリンクデータの前記受信状況が、前記２つのＴＢにそれぞれ対応する受信状況の空間バンドリング結果である、
請求項１１から１３の何れか一項に記載の方法。
【請求項１５】
Ｎが２又は４であり、ネットワークデバイスが伝送リソースでアップリンク制御情報を受信する前記段階は、
前記ネットワークデバイスが、前記伝送リソースが前記Ｎ個の第１リソースのうち１つであることを決定する段階と、
前記ネットワークデバイスが、前記Ｎ個の第１リソースのうち前記１つで前記アップリンク制御情報を受信する段階と
を含み、
前記ネットワークデバイスが前記伝送リソース及び前記アップリンク制御情報に基づいてダウンリンクデータの受信状況及びスケジューリング要求伝送状況を決定する前記段階は、
前記ネットワークデバイスが、前記Ｎ個の第１リソースのうち前記１つに基づいて、前記ダウンリンクデータの受信状況が前記ダウンリンクデータの前記２つ又は４つの受信状況のうち１つであり、前記スケジューリング要求伝送状況が負のスケジューリング要求伝送であることを決定する段階
を含む、
請求項１１から１４の何れか一項に記載の方法。
【請求項１６】
前記第１リソースは巡回シフト、直交シーケンス及びリソースブロックの少なくとも１つによって識別され、及び／又は
前記第２リソースは巡回シフト、直交シーケンス及びリソースブロックの少なくとも１つによって識別される、
請求項９から１５の何れか一項に記載の方法。
【請求項１７】
ダウンリンクデータの受信状況及びスケジューリング要求伝送状況に基づいて伝送リソースを決定するように構成されている処理モジュールであって、前記伝送リソースが、Ｎ個の第１リソースのうち１つ又はＭ個の第２リソースのうち１つであり、前記Ｎ個の第１リソースは前記ダウンリンクデータのＮ個の受信状況に対応し、前記Ｍ個の第２リソースはスケジューリング要求を伝送するために用いられ、Ｎが１より大きな正の整数であり、Ｍが正の整数である、処理モジュールと、
前記伝送リソースでアップリンク制御情報を送信するように構成されている送受信モジュールと
を備える、
端末デバイス。
【請求項１８】
Ｎが２又は４であり、前記ダウンリンクデータの前記２つの受信状況が肯定応答ＡＣＫ及び否定応答ＮＡＣＫを含むか、又は前記ダウンリンクデータの前記４つの受信状況が（ＡＣＫ、ＡＣＫ）、（ＮＡＣＫ、ＮＡＣＫ）、（ＡＣＫ、ＮＡＣＫ）及び（ＮＡＣＫ、ＡＣＫ）を含み、
前記処理モジュールは、
前記スケジューリング要求伝送状況が正のスケジューリング要求伝送である場合、前記伝送リソースが前記Ｍ個の第２リソースのうち１つであることを決定するように具体的に構成されており、前記アップリンク制御情報はデータの前記Ｎ個の受信状況のうち１つ及び前記正のスケジューリング要求伝送を示す、
請求項１７に記載の端末デバイス。
【請求項１９】
Ｍが１であり、前記処理モジュールは、
前記ダウンリンクデータの受信状況が前記ダウンリンクデータの前記２つの受信状況のうち１つであるか、又は前記ダウンリンクデータの受信状況が前記ダウンリンクデータの前記４つの受信状況のうち１つであり、前記スケジューリング要求伝送状況が前記正のスケジューリング要求伝送である場合、前記伝送リソースが前記１つの第２リソースであることを決定するように具体的に構成されており、
前記アップリンク制御情報は、前記正のスケジューリング要求伝送、及び前記ＮＡＣＫ又は前記（ＮＡＣＫ、ＮＡＣＫ）を示す、
請求項１８に記載の端末デバイス。
【請求項２０】
Ｍが１であり、前記処理モジュールは、
前記ダウンリンクデータの受信状況が前記ダウンリンクデータの前記２つの受信状況のうち１つであるか、又は前記ダウンリンクデータの受信状況が前記ダウンリンクデータの前記４つの受信状況のうち１つであり、前記スケジューリング要求伝送状況が前記正のスケジューリング要求伝送である場合、前記伝送リソースが前記１つの第２リソースであることを決定するように具体的に構成されており、
前記アップリンク制御情報は前記正のスケジューリング要求伝送及び前記ダウンリンクデータの受信状況を示し、前記送受信モジュールは、  前記１つの第２リソースで、１ビット又は２ビットの情報を搬送するために用いられるＰＵＣＣＨと、前記ＰＵＣＣＨを復調するために用いられる復調基準信号とを送信するように具体的に構成されており、前記１ビット又は２ビットの情報は前記ダウンリンクデータの受信状況を示す、
請求項１８に記載の端末デバイス。
【請求項２１】
Ｎが２であり、Ｍが２であり、前記２つの第２リソースは第１の第２リソース及び第２の第２リソースを含み、前記処理モジュールは、
前記ダウンリンクデータの前記受信状況が前記ＡＣＫであり、前記スケジューリング要求伝送状況が前記正のスケジューリング要求伝送である場合、前記伝送リソースが前記第１の第２リソースであることを決定するように具体的に構成されており、前記アップリンク制御情報は前記正のスケジューリング要求伝送及び前記ＡＣＫを示すか、又は
前記ダウンリンクデータの前記受信状況が前記ＮＡＣＫであり、前記スケジューリング要求伝送状況が前記正のスケジューリング要求伝送である場合、前記伝送リソースが前記第２の第２リソースであることを決定するように具体的に構成されており、前記アップリンク制御情報は前記正のスケジューリング要求伝送及び前記ＮＡＣＫを示す、
請求項１８に記載の端末デバイス。
【請求項２２】
Ｎが２であり、前記送受信モジュールは前記ダウンリンクデータを受信するようにさらに構成されており、前記ダウンリンクデータは２つのトランスポートブロックＴＢを含み、
前記処理モジュールは、前記ダウンリンクデータの前記受信状況が前記２つのＴＢにそれぞれ対応する受信状況の空間バンドリング結果であることを決定するようにさらに構成されている、
請求項１９から２１のいずれか一項に記載の端末デバイス。
【請求項２３】
前記処理モジュールは、
前記ダウンリンクデータの受信状況が前記ダウンリンクデータの前記２つの受信状況のうち１つであるか、又は前記ダウンリンクデータの受信状況が前記ダウンリンクデータの前記４つの受信状況のうち１つであり、前記スケジューリング要求伝送状況が負のスケジューリング要求伝送である場合、前記伝送リソースが前記Ｎ個の第１リソースのうち１つであることを決定するように具体的に構成されている、請求項１９から２２のいずれか一項に記載の端末デバイス。
【請求項２４】
伝送リソースでアップリンク制御情報を受信するように構成されている送受信モジュールであって、前記伝送リソースがＮ個の第１リソースのうち１つであるか、又はＭ個の第２リソースのうち１つであり、前記Ｎ個の第１リソースは前記ダウンリンクデータのＮ個の受信状況に対応し、前記Ｍ個の第２リソースはスケジューリング要求を伝送するために用いられ、Ｎが１より大きな正の整数であり、Ｍが正の整数である、送受信モジュールと、
前記伝送リソース及び前記アップリンク制御情報に基づいてダウンリンクデータの受信状況及びスケジューリング要求伝送状況を決定するように構成されている処理モジュールと  を備える、
ネットワークデバイス。
【請求項２５】
Ｎが２又は４であり、前記ダウンリンクデータの前記２つの受信状況が肯定応答ＡＣＫ及び否定応答ＮＡＣＫを含むか、又は前記ダウンリンクデータの前記４つの受信状況が（ＡＣＫ、ＡＣＫ）、（ＮＡＣＫ、ＮＡＣＫ）、（ＡＣＫ、ＮＡＣＫ）及び（ＮＡＣＫ、ＡＣＫ）を含み、前記処理モジュールは、前記伝送リソースが前記Ｍ個の第２リソースのうち１つであることを決定するように具体的に構成されており、
前記送受信モジュールは、前記Ｍ個の第２リソースのうち前記１つで前記アップリンク制御情報を受信するように具体的に構成されており、
前記処理モジュールは、前記Ｍ個の第２リソースのうち前記１つ及び前記アップリンク制御情報に基づいて、前記ダウンリンクデータの受信状況が前記Ｎ個のデータ受信状況のうち１つであり、前記スケジューリング要求伝送状況が正のスケジューリング要求伝送であることを決定するように具体的に構成されている、
請求項２４に記載のネットワークデバイス。
【請求項２６】
Ｍが１である、であり、前記伝送リソースが前記１つの第２リソースであり、
前記処理モジュールは、前記１つの第２リソースに基づいて、前記ダウンリンクデータの前記受信状況が前記ＮＡＣＫ又は前記（ＮＡＣＫ、ＮＡＣＫ）であり、前記スケジューリング要求伝送状況が前記正のスケジューリング要求伝送であることを決定するように具体的に構成されている、請求項２５に記載のネットワークデバイス。
【請求項２７】
Ｍが１であり、前記伝送リソースが前記１つの第２リソースであり、
前記送受信モジュールは、前記１つの第２リソースで、１ビット又は２ビットの情報を搬送するために用いられるＰＵＣＣＨと、前記ＰＵＣＣＨを復調するために用いられる復調基準信号とを受信するように具体的に構成されており、前記１ビット又は２ビットの情報は前記ダウンリンクデータの受信状況を示し、
前記処理モジュールは、前記１つの第２リソースに基づいて、前記スケジューリング要求伝送状況が前記正のスケジューリング要求伝送であることを決定し、前記１ビット又は２ビットの情報に基づいて、前記ダウンリンクデータの受信状況が前記ダウンリンクデータの前記２つの受信状況のうち１つであるか、又は前記ダウンリンクデータの前記４つの受信状況のうち１つであることを決定するように具体的に構成されている、請求項２５に記載のネットワークデバイス。
【請求項２８】
Ｎが２であり、Ｍが２であり、前記２つの第２リソースは第１の第２リソース及び第２の第２リソースを含み、前記伝送リソースが前記第１の第２リソース及び前記第２の第２リソースであり、
前記処理モジュールは、
前記第１の第２リソースに基づいて、前記ダウンリンクデータの前記受信状況が前記ＡＣＫであり、前記スケジューリング要求伝送状況が前記正のスケジューリング要求伝送であることを決定するか、又は
前記第２の第２リソースに基づいて、前記ダウンリンクデータの前記受信状況が前記ＮＡＣＫであり、前記スケジューリング要求伝送状況が前記正のスケジューリング要求伝送であることを決定する
ように具体的に構成されている、請求項２５に記載のネットワークデバイス。
【請求項２９】
Ｎが２であり、前記送受信モジュールは、前記ダウンリンクデータを送信することであって、前記ダウンリンクデータは２つのトランスポートブロックＴＢを有する、送信することを行うように具体的に構成されており、
前記ダウンリンクデータの前記受信状況が、前記２つのＴＢにそれぞれ対応する受信状況の空間バンドリング結果である、請求項２６から２８の何れか一項に記載のネットワークデバイス。
【請求項３０】
Ｎが２又は４であり、前記処理モジュールは、前記伝送リソースが前記Ｎ個の第１リソースのうち１つであることを決定するようにさらに構成されており、
前記送受信モジュールは、前記Ｎ個の第１リソースのうち前記１つで前記アップリンク制御情報を受信するようにさらに構成されており、
前記処理モジュールは、前記Ｎ個の第１リソースのうち前記１つに基づいて、前記ダウンリンクデータの受信状況が前記ダウンリンクデータの前記２つ又は４つの受信状況のうち１つであり、前記スケジューリング要求伝送状況が負のスケジューリング要求伝送であることを決定するようにさらに構成されている、
請求項２６から２９の何れか一項に記載のネットワークデバイス。
【発明の詳細な説明】
【技術分野】
【０００１】
本願の実施形態は、通信分野、より具体的には、制御情報伝送方法、端末デバイス及びネットワークデバイスに関する。
【背景技術】
【０００２】
無線通信システムにおいて、レイテンシ（ｌａｔｅｎｃｙ）は、ユーザエクスペリエンスに影響を与える重要な要因の１つである。Ｉｎｔｅｒｎｅｔ  ｏｆ  Ｖｅｈｉｃｌｅｓに関するサービスそのような連続的に出現する新たなサービスは、レイテンシに対してもますます高い要件を課す。したがって、既存のロングタームエボリューション（ｌｏｎｇ  ｔｅｒｍ  ｅｖｏｌｕｔｉｏｎ、ＬＴＥ）システムにおいて、１つのサブフレームの伝送時間間隔（ｔｒａｎｓｍｉｓｓｉｏｎ  ｔｉｍｅ  ｉｎｔｅｒｖａｌ、ＴＴＩ）に基づく伝送メカニズムは、低レイテンシサービスの要件を満たすことができない。レイテンシを減少させるために、物理ダウンリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）、物理アップリンク共有チャネル（ｐｈｙｓｉｃａｌ  ｕｐｌｉｎｋ  ｓｈａｒｅｄ  ｃｈａｎｎｅｌ、ＰＵＳＣＨ）及び物理的チャネル（ｐｈｙｓｉｃａｌ  ｕｐｌｉｎｋ  ｃｏｎｔｒｏｌ  ｃｈａｎｎｅｌ、ＰＵＣＣＨ）のＴＴＩ長は、サブフレームレベルからタイムスロットレベル又はさらにシンボルレベルまで減少させる必要がある。
【０００３】
ＰＵＣＣＨは、アップリンク制御情報（ｕｐｌｉｎｋ  ｃｏｎｔｒｏｌ  ｉｎｆｏｒｍａｔｉｏｎ、ＵＣＩ）を搬送するために用いられる。ＵＣＩは、チャネル状態情報（ｃｈａｎｎｅｌ  ｓｔａｔｅ  ｉｎｆｏｒｍａｔｉｏｎ、ＣＳＩ）、ハイブリッド自動再送要求肯定応答（ｈｙｂｒｉｄ  ａｕｔｏｍａｔｉｃ  ｒｅｐｅａｔ  ｒｅｑｕｅｓｔ‐ａｃｋｎｏｗｌｅｄｇｅｍｅｎｔ、ＨＡＲＱ−ＡＣＫ）情報及びスケジューリング要求（ｓｃｈｅｄｕｌｉｎｇ  ｒｅｑｕｅｓｔ、ＳＲ）の少なくとも１つを含む。ＰＵＣＣＨフォーマット（ｆｏｒｍａｔ）はＰＵＣＣＨフォーマット１、１ａ、１ｂ、３、４及び５の複数のタイプを含む。ＰＵＣＣＨフォーマット１ａは、１ビットのＨＡＲＱ−ＡＣＫ情報を伝送するために用いられ、変調のために二位相偏移変調（Ｂｉｎａｒｙ  Ｐｈａｓｅ  Ｓｈｉｆｔ  Ｋｅｙｉｎｇ、ＢＰＳＫ）を用いて、単一のセル及び単一のコードワード（ｃｏｄｅｗｏｒｄ）シナリオに対応する。ＰＵＣＣＨフォーマット１ｂは、２ビットのＨＡＲＱ−ＡＣＫ情報を伝送するために用いられ、変調のために四位相偏移変調（Ｑｕａｄｒａｔｕｒｅ  Ｐｈａｓｅ  Ｓｈｉｆｔ  Ｋｅｙｉｎｇ、ＱＰＳＫ）を用いて、単一のセル及び２つのコードワードのシナリオに対応する。ＰＵＣＣＨフォーマット１は、ＳＲを伝送するために用いられる。端末デバイスは、アップリンクリソースを要求する場合はＳＲのみを送信する必要があり、電力を節約し干渉を減少させるように別の場合にはＳＲを送信しない。したがって、ＳＲ伝送はＨＡＲＱ−ＡＣＫ情報伝送と異なる。明示ビットはＳＲの送信に用いられない。その代わりに、ＳＲがあるかどうかは、対応するＰＵＣＣＨにエネルギーがあるかどうかによって示される。ＳＲ及び１ビット又は２ビットのＨＡＲＱ−ＡＣＫ情報が同時に伝送される必要がある場合、端末デバイスは、ＳＲのために構成されているＰＵＣＣＨリソースでＰＵＣＣＨフォーマット１ａ又はＰＵＣＣＨフォーマット１ｂを送信する。このように、ＳＲのために構成されているＰＵＣＣＨリソースで、ネットワークデバイスは、エネルギー検出を通じて、端末デバイスがアップリンクリソーススケジューリング要求を開始するかどうかを決定し得る。加えて、ネットワークデバイスは、ＰＵＣＣＨフォーマット１ａ又はＰＵＣＣＨフォーマット１ｂを復調することによって、１ビット又は２ビットのＨＡＲＱ−ＡＣＫ情報を取得し得る。
【０００４】
ＰＵＣＣＨシンボルの数が１、２又は３個のシンボルに減少させる場合、ＨＡＲＱ−ＡＣＫ情報の受信の性能を高めるために、異なる巡回シフトは異なるＨＡＲＱ−ＡＣＫ情報に対応するという、シーケンスベースのＰＵＣＣＨ伝送メカニズムが導入される。単一のセル及び単一のコードワードのシナリオにおいて、コードワードの２つの状態、すなわちＡＣＫ及びＮＡＣＫを表すために２つの巡回シフトが必要とされる。単一のセル及び２つのコードワードのシナリオにおいて、２つのコードワードの４つの状態、すなわち（ＡＣＫ、ＡＣＫ）、（ＮＡＣＫ、ＮＡＣＫ）、（ＡＣＫ、ＮＡＣＫ）及び（ＮＡＣＫ、ＡＣＫ）を表すために４つの巡回シフトが必要とされる。
【０００５】
ＰＵＣＣＨシンボルの数が１、２又は３個のシンボルに減少した後、ＳＲをいかに伝送するか、並びに、ＳＲ及びＨＡＲＱ−ＡＣＫ情報をいかに同時に伝送するかはさらに研究される必要がある。
【発明の概要】
【０００６】
本願の実施形態は、制御情報伝送方法、端末デバイス及びネットワークデバイスを提供し、ＰＵＣＣＨシンボルの数が１、２又は３個のシンボルに減少した後に、ＳＲをいかに伝送するか、並びに、ＳＲ及びＨＡＲＱ−ＡＣＫ情報をいかに同時に伝送するかについての問題を効率的に解決する。
【０００７】
第１態様によると、制御情報伝送方法が提供される。方法は、端末デバイスが、ダウンリンクデータの受信状況及びスケジューリング要求伝送状況に基づいて伝送リソースを決定する段階であって、伝送リソースが、Ｎ個の第１リソースのうち１つ又はＭ個の第２リソースのうち１つであり、Ｎ個の第１リソースはダウンリンクデータのＮ個の受信状況に対応し、Ｍ個の第２リソースはスケジューリング要求を伝送するために用いられ、Ｎが１より大きな正の整数であり、Ｍが正の整数である、決定する段階と、端末デバイスが、伝送リソースでアップリンク制御情報を送信する段階とを含む。
【０００８】
第１態様に関連して、第１態様の第１の可能な実装においては、Ｎが２又は４であり、ダウンリンクデータの２つの受信状況が肯定応答ＡＣＫ及び否定応答ＮＡＣＫを含むか、又はダウンリンクデータの４つの受信状況が（ＡＣＫ、ＡＣＫ）、（ＮＡＣＫ、ＮＡＣＫ）、（ＡＣＫ、ＮＡＣＫ）及び（ＮＡＣＫ、ＡＣＫ）を含み、端末デバイスがダウンリンクデータの受信状況及びスケジューリング要求伝送状況に基づいて伝送リソースを決定する段階は、スケジューリング要求伝送状況が正のスケジューリング要求伝送である場合、端末デバイスは、伝送リソースがＭ個の第２リソースのうち１つであることを決定する段階であって、アップリンク制御情報はＮ個のデータ受信状況のうち１つ及び正のスケジューリング要求伝送を示す、決定する段階を有する。
【０００９】
第１態様の第１の可能な実装に関連して、第１態様の第２の可能な実装において、Ｍが１であり、端末デバイスがダウンリンクデータの受信状況及びスケジューリング要求伝送状況に基づいて伝送リソースを決定する段階は、ダウンリンクデータの受信状況がダウンリンクデータの２つの受信状況のうち１つであるか、又はダウンリンクデータの受信状況がダウンリンクデータの４つの受信状況のうち１つであり、かつ、スケジューリング要求伝送状況が正のスケジューリング要求伝送である場合、端末デバイスは、伝送リソースが１つの第２リソースであることを決定する段階であって、アップリンク制御情報はＮＡＣＫ及び正のＳＲ伝送を示すか、又はアップリンク制御情報は（ＮＡＣＫ、ＮＡＣＫ）及び正のＳＲ伝送を示すか、又はアップリンク制御情報はＮＡＣＫ／ＤＴＸ及び正のＳＲ伝送を示すか、又はアップリンク制御情報は（ＮＡＣＫ、ＮＡＣＫ）／（ＤＴＸ、ＤＴＸ）及び正のＳＲ伝送を示す、決定する段階を有する。
【００１０】
第１態様の第１の可能な実装に関連して、第１態様の第３の可能な実装において、Ｍが１であり、端末デバイスが、ダウンリンクデータの受信状況及びスケジューリング要求伝送状況に基づいて伝送リソースを決定する段階は、ダウンリンクデータの受信状況がダウンリンクデータの２つの受信状況のうち１つであるか、又はダウンリンクデータの受信状況がダウンリンクデータの４つの受信状況のうち１つであり、かつ、スケジューリング要求伝送状況が正のスケジューリング要求伝送である場合、端末デバイスは、伝送リソースが１つの第２リソースであることを決定する段階であって、アップリンク制御情報は正のスケジューリング要求伝送及びダウンリンクデータの受信状況を示す、決定する段階を含み、端末デバイスが伝送リソースでアップリンク制御情報を伝送する段階は、端末デバイスが、１つの第２リソースで、１ビット又は２ビットの情報を搬送するために用いられるＰＵＣＣＨ、及びＰＵＣＣＨを復調するために用いられる復調基準信号を送信する段階であって、１ビット又は２ビットの情報はダウンリンクデータの受信状況を示す、送信する段階を有する。
【００１１】
第１態様の第１の可能な実装に関連して、第１態様の第４の可能な実装において、Ｎが２であり、Ｍが２であり、２つの第２リソースは第１の第２リソース及び第２の第２リソースを含み、端末デバイスがダウンリンクデータの受信状況及びスケジューリング要求伝送状況に基づいて伝送リソースを決定する段階は、ダウンリンクデータの受信状況がＡＣＫであり、スケジューリング要求伝送状況が正のスケジューリング要求伝送である場合、端末デバイスは、伝送リソースが第１の第２リソースであることを決定する段階であって、アップリンク制御情報は正のスケジューリング要求伝送及びＡＣＫを示す、決定する段階を有するか、又はダウンリンクデータの受信状況がＮＡＣＫであり、スケジューリング要求伝送状況が正のスケジューリング要求伝送である場合、端末デバイスは、伝送リソースが第２の第２リソースであることを決定する段階であって、アップリンク制御情報は正のスケジューリング要求伝送及びＮＡＣＫを示す、決定する段階を有する。
【００１２】
第１態様の第２から第４の可能な実装のいずれか１つに関連して、第１態様の第５の可能な実装において、Ｎが２であり、端末デバイスがダウンリンクデータの受信状況及びスケジューリング要求伝送状況に基づいて伝送リソースを決定する段階の前に、方法はさらに、端末デバイスがダウンリンクデータを受信する段階であって、ダウンリンクデータは２つのトランスポートブロックＴＢを含む、受信する段階と、端末デバイスが、ダウンリンクデータの受信状況は２つのＴＢにそれぞれ対応する受信状況の空間バンドリング結果であることを決定する段階とを含む。
【００１３】
第１態様の第２から第５の可能な実装のいずれか１つに関連して、第１態様の第６の可能な実装において、端末デバイスがダウンリンクデータの受信状況及びスケジューリング要求伝送状況に基づいて伝送リソースを決定する段階はさらに、ダウンリンクデータの受信状況がダウンリンクデータの２つの受信状況のうち１つであるか、又はダウンリンクデータの受信状況がダウンリンクデータの４つの受信状況のうち１つであり、スケジューリング要求伝送状況が負のスケジューリング要求伝送である場合、端末デバイスは、伝送リソースがＮ個の第１リソースのうち１つであることを決定する段階を有する。
【００１４】
いくつかの可能な実装において、Ｎが２であり、Ｍが１であり、ダウンリンクデータの２つの受信状況は肯定応答ＡＣＫ及び否定応答ＮＡＣＫを含み、端末デバイスがダウンリンクデータの受信状況及びスケジューリング要求伝送状況に基づいて伝送リソースを決定する段階は、ダウンリンクデータの受信状況がＡＣＫであり、スケジューリング要求伝送状況が正のスケジューリング要求伝送である場合、端末デバイスは、伝送リソースが１つの第２リソースであることを決定する段階であって、アップリンク制御情報はＡＣＫ及び正のスケジューリング要求伝送を示す、決定する段階を有するか、又はダウンリンクデータの受信状況がＮＡＣＫであり、スケジューリング要求伝送状況が正のスケジューリング要求伝送である場合、端末デバイスは、伝送リソースがＮＡＣＫに対応する第１リソースであることを決定する段階であって、アップリンク制御情報はＮＡＣＫ及び負のスケジューリング要求伝送を示す、決定する段階を有する。
【００１５】
いくつかの可能な実装において、Ｎが２であり、Ｍが１であり、ダウンリンクデータの２つの受信状況は肯定応答ＡＣＫ及び否定応答ＮＡＣＫを含み、端末デバイスがダウンリンクデータの受信状況及びスケジューリング要求伝送状況に基づいて伝送リソースを決定する段階は、ダウンリンクデータの受信状況がＡＣＫであり、スケジューリング要求伝送状況が正のスケジューリング要求伝送である場合、端末デバイスは、伝送リソースがＡＣＫに対応する第１リソースであることを決定する段階であって、アップリンク制御情報はＡＣＫ及び負のスケジューリング要求伝送を示す、決定する段階を有するか、又はダウンリンクデータの受信状況がＮＡＣＫであり、スケジューリング要求伝送状況が正のスケジューリング要求伝送である場合、端末デバイスは、伝送リソースが１つの第２リソースであることを決定する段階であって、アップリンク制御情報はＮＡＣＫ及び正のスケジューリング要求伝送を示す、決定する段階を有する。
【００１６】
いくつかの可能な実装において、Ｎが２であり、Ｍが２であり、ダウンリンクデータの２つの受信状況は肯定応答ＡＣＫ及び否定応答ＮＡＣＫを含み、２つの第２リソースは、第１のスケジューリング要求に対応する第２リソース及び第２のスケジューリング要求に対応するスケジューリングリソースを含み、端末デバイスがダウンリンクデータの受信状況及びスケジューリング要求伝送状況に基づいて伝送リソースを決定する段階は、ダウンリンクデータの受信状況がＡＣＫ又はＮＡＣＫであり、スケジューリング要求伝送状況が第１の正のスケジューリング要求伝送である場合、端末デバイスは、伝送リソースが第１のスケジューリング要求に対応する第２リソースであることを決定する段階であって、アップリンク制御情報はＮＡＣＫ／ＤＴＸ及び第１の正のスケジューリング要求伝送を示す、決定する段階を有するか、又はダウンリンクデータの受信状況がＡＣＫ又はＮＡＣＫであり、スケジューリング要求伝送状況が第２の正のスケジューリング要求伝送である場合、端末デバイスは、伝送リソースが第２のスケジューリング要求の伝送に対応する第２リソースであることを決定する段階であって、アップリンク制御情報はＮＡＣＫ／ＤＴＸ及び第２の正のスケジューリング要求伝送を示す、決定する段階を有する。
【００１７】
いくつかの可能な実装において、Ｎが２であり、Ｍが２であり、ダウンリンクデータの２つの受信状況は肯定応答ＡＣＫ及び否定応答ＮＡＣＫを含み、スケジューリング要求は第１のスケジューリング要求及び第２のスケジューリング要求を含み、２つの第２リソースは第１のスケジューリング要求に対応する第２リソース及び第２のスケジューリング要求に対応するスケジューリングリソースを含み、端末デバイスがダウンリンクデータの受信状況及びスケジューリング要求伝送状況に基づいて伝送リソースを決定する段階は、ダウンリンクデータの受信状況がＡＣＫであり、スケジューリング要求伝送状況が第１の正のスケジューリング要求伝送であるか、又は第２の正のスケジューリング要求伝送である場合、端末デバイスは、伝送リソースが第１のスケジューリング要求の伝送に対応する第２リソースであるか、又は第２のスケジューリング要求の伝送に対応する第２リソースであることを決定する段階であって、アップリンク制御情報はＡＣＫ及び第１の正のスケジューリング要求伝送又は第２の正のスケジューリング要求伝送を示す、決定する段階を有するか、又はダウンリンクデータの受信状況がＮＡＣＫであり、スケジューリング要求伝送状況が第１の正のスケジューリング要求伝送又は第２の正のスケジューリング要求伝送である場合、端末デバイスは、伝送リソースがＮＡＣＫに対応する第１リソースであることを決定する段階であって、アップリンク制御情報はＮＡＣＫ及び負のスケジューリング要求伝送を示す、決定する段階を有する。
【００１８】
いくつかの可能な実装において、Ｎが２であり、Ｍが２であり、ダウンリンクデータの２つの受信状況は肯定応答ＡＣＫ及び否定応答ＮＡＣＫを含み、スケジューリング要求は第１のスケジューリング要求及び第２のスケジューリング要求を含み、２つの第２リソースは第１のスケジューリング要求に対応する第２リソース及び第２のスケジューリング要求に対応するスケジューリングリソースを含み、端末デバイスがダウンリンクデータの受信状況及びスケジューリング要求伝送状況に基づいて伝送リソースを決定する段階は、ダウンリンクデータの受信状況がＡＣＫであり、スケジューリング要求伝送状況が第１の正のスケジューリング要求伝送又は第２の正のスケジューリング要求伝送である場合、端末デバイスが、伝送リソースがＡＣＫに対応する第１リソースであることを決定する段階であって、アップリンク制御情報はＡＣＫ及び負のスケジューリング要求伝送を示す、決定する段階を有するか、又はダウンリンクデータの受信状況がＮＡＣＫであり、スケジューリング要求伝送状況が第１の正のスケジューリング要求伝送又は第２の正のスケジューリング要求伝送である場合、端末デバイスが、伝送リソースが第１のスケジューリング要求の伝送に対応する第２リソースであるか、又は第２のスケジューリング要求の伝送に対応する第２リソースであることを決定する段階であって、アップリンク制御情報はＮＡＣＫ及び第１の正のスケジューリング要求伝送又は第２の正のスケジューリング要求伝送を示す、決定する段階を有する。
【００１９】
いくつかの可能な実装において、Ｎが２又は４であり、Ｍが１であり、ダウンリンクデータの２つの受信状況は肯定応答ＡＣＫ及び否定応答ＮＡＣＫを含むか、又はダウンリンクデータの４つの受信状況は（ＡＣＫ、ＡＣＫ）、（ＮＡＣＫ、ＮＡＣＫ）、（ＡＣＫ、ＮＡＣＫ）及び（ＮＡＣＫ、ＡＣＫ）を含み、端末デバイスが、ダウンリンクデータの受信状況及びスケジューリング要求伝送状況に基づいて伝送リソースを決定する段階は、ダウンリンクデータの受信状況がダウンリンクデータの２つの受信状況のうち１つであるか、又はダウンリンクデータの受信状況がダウンリンクデータの４つの受信状況のうち１つであり、スケジューリング要求伝送状況が正のスケジューリング要求伝送である場合、端末デバイスが、伝送リソースが１つの第２リソースであることを決定する段階であって、アップリンク制御情報は正のスケジューリング要求伝送及びダウンリンクデータの受信状況を示す、決定する段階を含み、端末デバイスが伝送リソースでアップリンク制御情報を送信する段階は、端末デバイスが、１つの第２リソースで、ｎビットの情報を搬送するために用いられるＰＵＣＣＨ、及びＰＵＣＣＨを復調するために用いられる復調基準信号を送信する段階であって、ｎビットの情報は正のスケジューリング要求伝送及びダウンリンクデータの受信状況を示す、送信する段階を有する。
【００２０】
第１態様のいずれか１つ又は第１態様の第１から第６の可能な実装に関連して、第１態様の第７の可能な実装において、第１リソースは巡回シフト、直交シーケンス及びリソースブロックの少なくとも１つによって識別され、及び／又は第２リソースは巡回シフト、直交シーケンス及びリソースブロックの少なくとも１つによって識別される。
【００２１】
第１態様のいずれか１つ又は第１態様の第１から第７の可能な実装に関連して、第１態様の第８の可能な実装において、方法はさらに、端末デバイスが第１リソース指示情報を受信する段階であって、第１リソース指示情報はＮ個の第１リソースを示す、受信する段階を有するか、及び／又は端末デバイスが第２リソース指示情報を受信する段階であって、第２リソース指示情報はＭ個の第２リソースを示す、受信する段階を有する。
【００２２】
本願のこの実施形態における制御情報伝送方法により、ＰＵＣＣＨシンボルの数が１、２又は３個のシンボルに減少した後に、ＳＲをいかに伝送するか、並びに、ＳＲ及びＨＡＲＱ−ＡＣＫ情報をいかに同時に伝送するかについての問題が効率的に解決される。
【００２３】
第２態様によると、制御情報伝送方法が提供される。方法は、ネットワークデバイスが伝送リソースでアップリンク制御情報を受信する段階であって、伝送リソースがＮ個の第１リソースのうち１つであるか、又はＭ個の第２リソースのうち１つであり、Ｎ個の第１リソースはダウンリンクデータのＮ個の受信状況に対応し、Ｍ個の第２リソースはスケジューリング要求を伝送するために用いられ、Ｎが１より大きな正の整数であり、Ｍが正の整数である、受信する段階と、ネットワークデバイスが、伝送リソース及びアップリンク制御情報に基づいてダウンリンクデータの受信状況及びスケジューリング要求伝送状況を決定する段階とを含む。
【００２４】
第２態様に関連して、第２態様の第１の可能な実装において、Ｎが２又は４であり、Ｎが２又は４であり、ダウンリンクデータの２つの受信状況は肯定応答ＡＣＫ及び否定応答ＮＡＣＫを含むか、又はダウンリンクデータの４つの受信状況は（ＡＣＫ、ＡＣＫ）、（ＮＡＣＫ、ＮＡＣＫ）、（ＡＣＫ、ＮＡＣＫ）及び（ＮＡＣＫ、ＡＣＫ）を含み、ネットワークデバイスが伝送リソースでアップリンク制御情報を受信する段階は、ネットワークデバイスが、伝送リソースがＭ個の第２リソースのうち１つであることを決定する段階と、ネットワークデバイスが、Ｍ個の第２リソースのうち１つでアップリンク制御情報を受信する段階とを含み、ネットワークデバイスが伝送リソース及びアップリンク制御情報に基づいてダウンリンクデータの受信状況及びスケジューリング要求伝送状況を決定する段階は、ネットワークデバイスが、Ｍ個の第２リソースのうち１つ及びアップリンク制御情報に基づいて、ダウンリンクデータの受信状況はＮ個のデータ受信状況のうち１つであり、スケジューリング要求伝送状況は正のスケジューリング要求伝送であることを決定する段階を有する。
【００２５】
第２態様の第１の可能な実装に関連して、第２態様の第２の可能な実装において、Ｍが１であり、伝送リソースが１つの第２リソースであり、ネットワークデバイスが伝送リソース及びアップリンク制御情報に基づいてダウンリンクデータの受信状況及びスケジューリング要求伝送状況を決定する段階は、ネットワークデバイスが、１つの第２リソースに基づいて、ダウンリンクデータの受信状況はＮＡＣＫ又は（ＮＡＣＫ、ＮＡＣＫ）であり、スケジューリング要求伝送状況は正のＳＲ伝送であることを決定する段階を有するか、又はネットワークデバイスが、１つの第２リソースに基づいて、ダウンリンクデータの受信状況はＮＡＣＫ／ＤＴＸ又は（ＮＡＣＫ、ＮＡＣＫ）／（ＤＴＸ、ＤＴＸ）であり、スケジューリング要求伝送状況は正のＳＲ伝送であることを決定する段階を有する。
【００２６】
第２態様の第１の可能な実装に関連して、第２態様の第３の可能な実装において、Ｍが１であり、伝送リソースが１つの第２リソースであり、ネットワークデバイスがＭ個の第２リソースのうち１つでアップリンク制御情報を受信する段階は、ネットワークデバイスが、１つの第２リソースで、１ビット又は２ビットの情報を搬送するために用いられるＰＵＣＣＨ及び当該ＰＵＣＣＨを復調するために用いられる復調基準信号を受信する段階であって、１ビット又は２ビットの情報はダウンリンクデータの受信状況を示す、受信する段階を含み、ネットワークデバイスが伝送リソース及びアップリンク制御情報に基づいてダウンリンクデータの受信状況及びスケジューリング要求伝送状況を決定する段階は、ネットワークデバイスが、１つの第２リソースに基づいて、スケジューリング要求伝送状況が正のスケジューリング要求伝送であることを決定する段階と、１ビット又は２ビットの情報に基づいて、ダウンリンクデータの受信状況がダウンリンクデータの２つの受信状況のうち１つであるか、又はダウンリンクデータの４つの受信状況のうち１つであることを決定する段階とを含む。
【００２７】
第２態様の第１の可能な実装に関連して、第２態様の第４の可能な実装において、Ｎが２であり、Ｍが２であり、２つの第２リソースは第１の第２リソース及び第２の第２リソースを含み、伝送リソースが第１の第２リソース及び第２の第２リソースであり、ネットワークデバイスが伝送リソース及びアップリンク制御情報に基づいてダウンリンクデータの受信状況及びスケジューリング要求伝送状況を決定する段階は、ネットワークデバイスが、第１の第２リソースに基づいて、ダウンリンクデータの受信状況はＡＣＫであり、スケジューリング要求伝送状況は正のスケジューリング要求伝送であることを決定する段階を有するか、又はネットワークデバイスが、第２の第２リソースに基づいて、ダウンリンクデータの受信状況はＮＡＣＫであり、スケジューリング要求伝送状況は正のスケジューリング要求伝送であることを決定する段階を有する。
【００２８】
第２態様の第２から第４の可能な実装のいずれか１つに関連して、第１態様の第５の可能な実装において、Ｎが２であり、方法はさらに、ネットワークデバイスがダウンリンクデータを送信する段階であって、ダウンリンクデータは２つのトランスポートブロックＴＢを含み、ダウンリンクデータの受信状況は当該２つのＴＢにそれぞれ対応する受信状況の空間バンドリング結果である、送信する段階を有する。
【００２９】
第２態様の第２から第５の可能な実装のいずれか１つに関連して、第１態様の第６の可能な実装において、Ｎが２又は４であり、ネットワークデバイスが伝送リソースでアップリンク制御情報を受信する段階は、ネットワークデバイスが、伝送リソースがＮ個の第１リソースのうち１つであることを決定する段階と、ネットワークデバイスが、Ｎ個の第１リソースのうち１つでアップリンク制御情報を受信する段階とを含み、ネットワークデバイスが伝送リソース及びアップリンク制御情報に基づいてダウンリンクデータの受信状況及びスケジューリング要求伝送状況を決定する段階は、ネットワークデバイスが、Ｎ個の第１リソースのうち１つに基づいて、ダウンリンクデータの受信状況はダウンリンクデータの２つ又は４つの受信状況のうち１つであり、スケジューリング要求伝送状況は負のスケジューリング要求伝送であることを決定する段階を有する。
【００３０】
いくつかの可能な実装において、Ｎが２であり、Ｍが１であり、ダウンリンクデータの２つの受信状況は肯定応答ＡＣＫ及び否定応答ＮＡＣＫを含み、伝送元は１つの第２リソースであり、ネットワークデバイスが伝送リソースでアップリンク制御情報を受信する段階は、ネットワークデバイスが、伝送リソースが１つの第２リソースであることを決定する段階と、ネットワークデバイスが、１つの第２リソースでアップリンク制御情報を受信する段階とを含み、ネットワークデバイスが伝送リソース及びアップリンク制御情報に基づいてダウンリンクデータの受信状況及びスケジューリング要求伝送状況を決定する段階は、ネットワークデバイスが、１つの第２リソースに基づいて、ダウンリンクデータの受信状況はＡＣＫであり、スケジューリング要求伝送状況は正のスケジューリング要求伝送であることを決定する段階を有するか、又はネットワークデバイスが伝送リソースでアップリンク制御情報を受信する段階は、ネットワークデバイスが、伝送リソースがＮＡＣＫに対応する第１リソースであることを決定する段階と、ネットワークデバイスが、ＮＡＣＫに対応する第１リソースでアップリンク制御情報を受信する段階とを含み、ネットワークデバイスが伝送リソース及びアップリンク制御情報に基づいてダウンリンクデータの受信状況及びスケジューリング要求伝送状況を決定する段階は、ネットワークデバイスが、ＮＡＣＫに対応する第１リソースに基づいて、ダウンリンクデータの受信状況はＮＡＣＫであり、スケジューリング要求伝送状況は負のスケジューリング要求伝送であることを決定する段階を有する。
【００３１】
いくつかの可能な実装において、Ｎが２であり、Ｍが１であり、ダウンリンクデータの２つの受信状況は肯定応答ＡＣＫ及び否定応答ＮＡＣＫを含み、ネットワークデバイスが伝送リソースでアップリンク制御情報を受信する段階は、ネットワークデバイスが、伝送リソースがＡＣＫに対応する第１リソースであることを決定する段階と、ネットワークデバイスが、ＡＣＫに対応する第１リソースでアップリンク制御情報を受信する段階とを含み、ネットワークデバイスが伝送リソース及びアップリンク制御情報に基づいてダウンリンクデータの受信状況及びスケジューリング要求伝送状況を決定する段階は、ネットワークデバイスが、ＡＣＫに対応する第１リソースに基づいて、ダウンリンクデータの受信状況はＡＣＫであり、スケジューリング要求伝送状況は負のスケジューリング要求伝送であることを決定する段階を有するか、又はネットワークデバイスが伝送リソースでアップリンク制御情報を受信する段階は、ネットワークデバイスが、伝送リソースが１つの第２リソースであることを決定する段階と、ネットワークデバイスが、１つの第２リソースに対するアップリンク制御情報を受信する段階とを含み、ネットワークデバイスが伝送リソース及びアップリンク制御情報に基づいてダウンリンクデータの受信状況及びスケジューリング要求伝送状況を決定する段階は、ネットワークデバイスが、１つの第２リソースに基づいて、ダウンリンクデータの受信状況はＮＡＣＫであり、スケジューリング要求伝送状況は正のスケジューリング要求伝送であることを決定する段階を有する。
【００３２】
いくつかの可能な実装において、Ｎが２であり、Ｍが２であり、ダウンリンクデータの２つの受信状況は肯定応答ＡＣＫ及び否定応答ＮＡＣＫを含み、スケジューリング要求は第１のスケジューリング要求及び第２のスケジューリング要求を含み、２つの第２リソースは第１のスケジューリング要求に対応する第２リソース及び第２のスケジューリング要求に対応するスケジューリングリソースを含み、ネットワークデバイスが伝送リソースでアップリンク制御情報を受信する段階は、ネットワークデバイスが、伝送リソースが第１のスケジューリング要求の伝送に対応する第２リソースであることを決定する段階と、ネットワークデバイスが、第１のスケジューリング要求の伝送に対応する第２リソースでアップリンク制御情報を受信する段階とを含み、ネットワークデバイスが伝送リソース及びアップリンク制御情報に基づいてダウンリンクデータの受信状況及びスケジューリング要求伝送状況を決定する段階は、ネットワークデバイスが、第１のスケジューリング要求の伝送に対応する第２リソースに基づいて、ダウンリンクデータの受信状況はＮＡＣＫ／ＤＴＸであり、スケジューリング要求伝送状況は第１の正のスケジューリング要求伝送であることを決定する段階を有するか、又はネットワークデバイスが伝送リソースでアップリンク制御情報を受信する段階は、ネットワークデバイスが、伝送リソースが第２のスケジューリング要求の伝送に対応する第２リソースであることを決定する段階と、ネットワークデバイスが、第２のスケジューリング要求の伝送に対応する第２リソースに対するアップリンク制御情報を受信する段階とを含み、ネットワークデバイスが伝送リソース及びアップリンク制御情報に基づいてダウンリンクデータの受信状況及びスケジューリング要求伝送状況を決定する段階は、ネットワークデバイスが、第２のスケジューリング要求の伝送に対応する第２リソースに基づいて、ダウンリンクデータの受信状況はＮＡＣＫ／ＤＴＸであり、スケジューリング要求伝送状況は第２の正のスケジューリング要求伝送であることを決定する段階を有する。
【００３３】
いくつかの可能な実装において、Ｎが２であり、Ｍが２であり、ダウンリンクデータの２つの受信状況は肯定応答ＡＣＫ及び否定応答ＮＡＣＫを含み、スケジューリング要求は第１のスケジューリング要求及び第２のスケジューリング要求を含み、２つの第２リソースは第１のスケジューリング要求に対応する第２リソース及び第２のスケジューリング要求に対応するスケジューリングリソースを含み、ネットワークデバイスが伝送リソースでアップリンク制御情報を受信する段階は、ネットワークデバイスが、伝送リソースが第１のスケジューリング要求の伝送に対応する第２リソースであるか、又は第２のスケジューリング要求の伝送に対応する第２リソースであることを決定する段階と、ネットワークデバイスが、第１のスケジューリング要求の伝送に対応する第２リソース又は第２のスケジューリング要求の伝送に対応する第２リソースでアップリンク制御情報を受信する段階とを含み、ネットワークデバイスが、伝送リソース及びアップリンク制御情報に基づいてダウンリンクデータの受信状況及びスケジューリング要求伝送状況を決定する段階は、ネットワークデバイスが、第１のスケジューリング要求の伝送に対応する第２リソース又は第２のスケジューリング要求の伝送に対応する第２リソースに基づいて、ダウンリンクデータの受信状況はＡＣＫであり、スケジューリング要求伝送状況は第１の正のスケジューリング要求伝送又は第２の正のスケジューリング要求伝送であることを決定する段階を有するか、又はネットワークデバイスが伝送リソースでアップリンク制御情報を受信する段階は、ネットワークデバイスが、伝送リソースがＮＡＣＫに対応する第１リソースであることを決定する段階と、ネットワークデバイスが、ＮＡＣＫに対応する第１リソースに対するアップリンク制御情報を受信する段階とを含み、ネットワークデバイスが伝送リソース及びアップリンク制御情報に基づいてダウンリンクデータの受信状況及びスケジューリング要求伝送状況を決定する段階は、ネットワークデバイスが、ＮＡＣＫに対応する第１リソースに基づいて、ダウンリンクデータの受信状況はＮＡＣＫであり、スケジューリング要求伝送状況は負のスケジューリング要求伝送であることを決定する段階を有する。
【００３４】
いくつかの可能な実装において、Ｎが２であり、Ｍが２であり、ダウンリンクデータの２つの受信状況は肯定応答ＡＣＫ及び否定応答ＮＡＣＫを含み、スケジューリング要求は第１のスケジューリング要求及び第２のスケジューリング要求を含み、２つの第２リソースは第１のスケジューリング要求に対応する第２リソース及び第２のスケジューリング要求に対応するスケジューリングリソースを含み、ネットワークデバイスが伝送リソースでアップリンク制御情報を受信する段階は、ネットワークデバイスが、伝送リソースがＡＣＫに対応する第１リソースであることを決定する段階と、ネットワークデバイスが、ＡＣＫに対応する第１リソースでアップリンク制御情報を受信する段階とを含み、ネットワークデバイスが伝送リソース及びアップリンク制御情報に基づいてダウンリンクデータの受信状況及びスケジューリング要求伝送状況を決定する段階は、ネットワークデバイスが、ＡＣＫに対応する第１リソースに基づいて、ダウンリンクデータの受信状況はＡＣＫであり、スケジューリング要求伝送状況は負のスケジューリング要求伝送であることを決定する段階を有するか、又はネットワークデバイスが伝送リソースでアップリンク制御情報を受信する段階は、ネットワークデバイスが、伝送リソースが第１のスケジューリング要求の伝送に対応する第２リソースであるか、又は第２のスケジューリング要求の伝送に対応する第２リソースであることを決定する段階と、ネットワークデバイスが、第１のスケジューリング要求の伝送に対応する第２リソース又は第２のスケジューリング要求の伝送に対応する第２リソースに対するアップリンク制御情報を受信する段階とを含み、ネットワークデバイスが伝送リソース及びアップリンク制御情報に基づいてダウンリンクデータの受信状況及びスケジューリング要求伝送状況を決定する段階は、ネットワークデバイスが、第１のスケジューリング要求の伝送に対応する第２リソース又は第２のスケジューリング要求の伝送に対応する第２リソースに基づいて、ダウンリンクデータの受信状況はＮＡＣＫであり、スケジューリング要求伝送状況は第１の正のスケジューリング要求伝送又は第２の正のスケジューリング要求伝送であることを決定する段階を有する。
【００３５】
いくつかの可能な実装において、Ｎが２又は４であり、Ｍが１であり、ダウンリンクデータの２つの受信状況は肯定応答ＡＣＫ及び否定応答ＮＡＣＫを含むか、又はダウンリンクデータの４つの受信状況は（ＡＣＫ、ＡＣＫ）、（ＮＡＣＫ、ＮＡＣＫ）、（ＡＣＫ、ＮＡＣＫ）及び（ＮＡＣＫ、ＡＣＫ）を含み、伝送リソースが１つの第２リソースであり、ネットワークデバイスが１つの第２リソースでアップリンク制御情報を受信する段階は、ネットワークデバイスが、１つの第２リソースで、ｎビットの情報を搬送するために用いられるＰＵＣＣＨ及び当該ＰＵＣＣＨを復調するために用いられる復調基準信号を受信する段階であって、ｎビットの情報はダウンリンクデータの受信状況を示す、受信する段階を含み、ネットワークデバイスが伝送リソース及びアップリンク制御情報に基づいてダウンリンクデータの受信状況及びスケジューリング要求伝送状況を決定する段階は、ネットワークデバイスが、１つの第２リソースに基づいて、スケジューリング要求伝送状況が正のスケジューリング要求伝送であることを決定する段階と、ｎビットの情報に基づいて、ダウンリンクデータの受信状況がダウンリンクデータの２つの受信状況のうち１つであるか、又はダウンリンクデータの４つの受信状況のうち１つであることを決定する段階とを含む。
【００３６】
第２態様の第１から第６の可能な実装のいずれか１つに関連して、第１態様の第７の可能な実装において、第１リソースは巡回シフト、直交シーケンス及びリソースブロックの少なくとも１つによって識別され、及び／又は第２リソースは巡回シフト、直交シーケンス及びリソースブロックの少なくとも１つによって識別される。
【００３７】
本願のこの実施形態における制御情報伝送方法により、ＰＵＣＣＨシンボルの数が１、２又は３個のシンボルに減少した後に、ＳＲをいかに伝送するか、並びに、ＳＲ及びＨＡＲＱ−ＡＣＫ情報をいかに同時に伝送するかについての問題が効率的に解決される。
【００３８】
第３態様によると、端末デバイスが提供される。端末デバイスは、ダウンリンクデータの受信状況及びスケジューリング要求伝送状況に基づいて伝送リソースを決定するように構成されている処理モジュールであって、伝送リソースが、Ｎ個の第１リソースのうち１つ又はＭ個の第２リソースのうち１つであり、Ｎ個の第１リソースはダウンリンクデータのＮ個の受信状況に対応し、Ｍ個の第２リソースはスケジューリング要求を伝送するために用いられ、Ｎが１より大きな正の整数であり、Ｍが正の整数である、処理モジュールと、伝送リソースでアップリンク制御情報を送信するように構成されている送受信モジュールとを含む。
【００３９】
第３態様に関連して、第３態様の第１の可能な実装において、Ｎが２又は４であり、ダウンリンクデータの２つの受信状況は肯定応答ＡＣＫ及び否定応答ＮＡＣＫを含むか、又はダウンリンクデータの４つの受信状況は（ＡＣＫ、ＡＣＫ）、（ＮＡＣＫ、ＮＡＣＫ）、（ＡＣＫ、ＮＡＣＫ）及び（ＮＡＣＫ、ＡＣＫ）を含み、処理モジュールは、スケジューリング要求伝送状況が正のスケジューリング要求伝送である場合、伝送リソースがＭ個の第２リソースのうち１つであることを決定するように具体的に構成されており、アップリンク制御情報はＮ個のデータ受信状況のうち１つ及び正のスケジューリング要求伝送を示す。
【００４０】
第３態様の第１の可能な実装に関連して、第３態様の第２の可能な実装において、Ｍが１であり、処理モジュールは、ダウンリンクデータの受信状況がダウンリンクデータの２つの受信状況のうち１つであるか、又はダウンリンクデータの受信状況がダウンリンクデータの４つの受信状況のうち１つであり、スケジューリング要求伝送状況が正のスケジューリング要求伝送である場合、伝送リソースが１つの第２リソースであることを決定するように具体的に構成されており、アップリンク制御情報はＮＡＣＫ及び正のＳＲ伝送を示すか、又はアップリンク制御情報は（ＮＡＣＫ、ＮＡＣＫ）及び正のＳＲ伝送を示すか、又はアップリンク制御情報はＮＡＣＫ／ＤＴＸ及び正のＳＲ伝送を示すか、又はアップリンク制御情報は（ＮＡＣＫ、ＮＡＣＫ）／（ＤＴＸ、ＤＴＸ）及び正のＳＲ伝送を示す。
【００４１】
第３態様の第１の可能な実装に関連して、第３態様の第３の可能な実装において、処理モジュールは、ダウンリンクデータの受信状況がダウンリンクデータの２つの受信状況のうち１つであるか、又はダウンリンクデータの受信状況がダウンリンクデータの４つの受信状況のうち１つであり、かつ、スケジューリング要求伝送状況が正のスケジューリング要求伝送である場合、伝送リソースが１つの第２リソースであることを決定するように具体的に構成されており、アップリンク制御情報は正のスケジューリング要求伝送及びダウンリンクデータの受信状況を示し、送受信モジュールは、１つの第２リソースで、１ビット又は２ビットの情報を搬送するために用いられるＰＵＣＣＨ、及びＰＵＣＣＨを復調するために用いられる復調基準信号を送信するように具体的に構成されており、１ビット又は２ビットの情報はダウンリンクデータの受信状況を示す。
【００４２】
第３態様の第１の可能な実装に関連して、第３態様の第４の可能な実装において、Ｎが２であり、Ｍが２であり、２つの第２リソースは第１の第２リソース及び第２の第２リソースを含み、処理モジュールは、ダウンリンクデータの受信状況がＡＣＫであり、スケジューリング要求伝送状況が正のスケジューリング要求伝送である場合、伝送リソースが第１の第２リソースであることを決定するように具体的に構成されており、アップリンク制御情報は正のスケジューリング要求伝送及びＡＣＫを示すか、又はダウンリンクデータの受信状況がＮＡＣＫであり、スケジューリング要求伝送状況が正のスケジューリング要求伝送である場合、伝送リソースが第２の第２リソースであることを決定するように具体的に構成されており、アップリンク制御情報は正のスケジューリング要求伝送及びＮＡＣＫを示す。
【００４３】
第３態様の第２から第４の可能な実装に関連して、第３態様の第５の可能な実装において、Ｎが２であり、送受信モジュールはダウンリンクデータを受信するようにさらに構成されており、ダウンリンクデータは２つのトランスポートブロックＴＢを含み、処理モジュールは、ダウンリンクデータの受信状況が２つのＴＢにそれぞれ対応する受信状況の空間バンドリング結果であることを決定するようにさらに構成されている。
【００４４】
第３態様の第２から第５の可能な実装に関連して、第３態様の第６の可能な実装において、処理モジュールは、ダウンリンクデータの受信状況がダウンリンクデータの２つの受信状況のうち１つであるか、又はダウンリンクデータの受信状況がダウンリンクデータの４つの受信状況のうち１つであり、スケジューリング要求伝送状況が負のスケジューリング要求伝送である場合、伝送リソースがＮ個の第１リソースのうち１つであることを決定するように具体的に構成されている。
【００４５】
いくつかの可能な実装において、第１リソースは巡回シフト、直交シーケンス及びリソースブロックの少なくとも１つによって識別され、及び／又は第２リソースは巡回シフト、直交シーケンス及びリソースブロックの少なくとも１つによって識別される。
【００４６】
いくつかの可能な実装において、方法はさらに、端末デバイスが第１リソース指示情報を受信する段階であって、第１リソース指示情報はＮ個の第１リソースを示す、受信する段階及び／又は端末デバイスが第２リソース指示情報を受信する段階であって、第２リソース指示情報はＭ個の第２リソースを示す、受信する段階を有する。
【００４７】
本願のこの実施形態における端末デバイスにより、ＰＵＣＣＨシンボルの数が１、２又は３個のシンボルに減少した後に、ＳＲをいかに伝送するか、並びに、ＳＲ及びＨＡＲＱ−ＡＣＫ情報をいかに同時に伝送するかについての問題が効率的に解決される。
【００４８】
第４態様によると、ネットワークデバイスが提供される。ネットワークデバイスは、伝送リソースでアップリンク制御情報を受信するように構成されている送受信モジュールであって、伝送リソースがＮ個の第１リソースのうち１つであるか、又はＭ個の第２リソースのうち１つであり、Ｎ個の第１リソースはダウンリンクデータのＮ個の受信状況に対応し、Ｍ個の第２リソースはスケジューリング要求を伝送するために用いられ、Ｎが１より大きな正の整数であり、Ｍが正の整数である、送受信モジュールと、伝送リソース及びアップリンク制御情報に基づいてダウンリンクデータの受信状況及びスケジューリング要求伝送状況を決定するように構成されている処理モジュールとを含む。
【００４９】
第４態様に関連して、第４態様の第１の可能な実装において、Ｎが２又は４であり、ダウンリンクデータの２つの受信状況は肯定応答ＡＣＫ及び否定応答ＮＡＣＫを含むか、又はダウンリンクデータの４つの受信状況は（ＡＣＫ、ＡＣＫ）、（ＮＡＣＫ、ＮＡＣＫ）、（ＡＣＫ、ＮＡＣＫ）及び（ＮＡＣＫ、ＡＣＫ）を含み、処理モジュールは、伝送リソースがＭ個の第２リソースのうち１つであることを決定するように具体的に構成されており、送受信モジュールは、Ｍ個の第２リソースのうち１つに対するアップリンク制御情報を受信するように具体的に構成されており、処理モジュールは、Ｍ個の第２リソースのうち１つ及びアップリンク制御情報に基づいて、ダウンリンクデータの受信状況がＮ個のデータ受信状況のうち１つであり、スケジューリング要求伝送状況が正のスケジューリング要求伝送であることを決定するように具体的に構成されている。
【００５０】
第４態様の第１の可能な実装に関連して、第４態様の第２の可能な実装において、Ｍが１であり、伝送リソースが１つの第２リソースであり、処理モジュールは、１つの第２リソースに基づいて、ダウンリンクデータの受信状況はＮＡＣＫ又は（ＮＡＣＫ、ＮＡＣＫ）であり、スケジューリング要求伝送状況は正のＳＲ伝送であることを決定ように具体的に構成されているか、又はネットワークデバイスによって、１つの第２リソースに基づいて、ダウンリンクデータの受信状況はＮＡＣＫ／ＤＴＸ又は（ＮＡＣＫ、ＮＡＣＫ）／（ＤＴＸ、ＤＴＸ）であり、スケジューリング要求伝送状況は正のＳＲ伝送であることを決定するように具体的に構成されている。
【００５１】
第４態様の第１の可能な実装に関連して、第４態様の第３の可能な実装において、Ｍが１であり、伝送リソースが１つの第２リソースであり、送受信モジュールは、１つの第２リソースで、１ビット又は２ビットの情報を搬送するために用いられるＰＵＣＣＨ、及びＰＵＣＣＨを復調するために用いられる復調基準信号を受信するように具体的に構成されており、１ビット又は２ビットの情報はダウンリンクデータの受信状況を示し、処理モジュールは、１つの第２リソースに基づいて、スケジューリング要求伝送状況が正のスケジューリング要求伝送であることを決定し、１ビット又は２ビットの情報に基づいて、ダウンリンクデータの受信状況がダウンリンクデータの２つの受信状況のうち１つであるか、又はダウンリンクデータの４つの受信状況のうち１つであることを決定するように具体的に構成されている。
【００５２】
第４態様の第１の可能な実装に関連して、第４態様の第４の可能な実装において、Ｎが２であり、Ｍが２であり、２つの第２リソースは第１の第２リソース及び第２の第２リソースを含み、伝送リソースが第１の第２リソース及び第２の第２リソースであり、処理モジュールは、第１の第２リソースに基づいて、ダウンリンクデータの受信状況がＡＣＫであり、スケジューリング要求伝送状況が正のスケジューリング要求伝送であることを決定するか、又は第２の第２リソースに基づいて、ダウンリンクデータの受信状況がＮＡＣＫであり、スケジューリング要求伝送状況が正のスケジューリング要求伝送であることを決定するように具体的に構成されている。
【００５３】
第４態様の第２から第４の可能な実装のいずれか１つに関連して、第４態様の第５の可能な実装において、Ｎが２であり、送受信モジュールは、ダウンリンクデータを送信するように具体的に構成されており、ダウンリンクデータは２つのトランスポートブロックＴＢを含み、ダウンリンクデータの受信状況は当該２つのＴＢにそれぞれ対応する受信状況の空間バンドリング結果である。
【００５４】
第４態様の第２から第５の可能な実装のいずれか１つに関連して、第４態様の第６の可能な実装において、Ｎが２又は４であり、処理モジュールはさらに、伝送リソースがＮ個の第１リソースのうち１つであることを決定するように構成されており、送受信モジュールはさらに、Ｎ個の第１リソースのうち１つに対するアップリンク制御情報を受信するように構成されており、処理モジュールはさらに、Ｎ個の第１リソースのうち１つに基づいて、ダウンリンクデータの受信状況がダウンリンクデータの２つ又は４つの受信状況のうち１つであり、スケジューリング要求伝送状況が負のスケジューリング要求伝送であることを決定するように構成されている。
【００５５】
いくつかの可能な実装において、第１リソースは巡回シフト、直交シーケンス及びリソースブロックの少なくとも１つによって識別され、及び／又は第２リソースは巡回シフト、直交シーケンス及びリソースブロックの少なくとも１つによって識別される。
【００５６】
本願のこの実施形態におけるネットワークデバイスにより、ＰＵＣＣＨシンボルの数が１、２又は３個のシンボルに減少した後に、ＳＲをいかに伝送するか、並びに、ＳＲ及びＨＡＲＱ−ＡＣＫ情報をいかに同時に伝送するかについての問題が効率的に解決される。
【００５７】
第５態様によると、端末デバイスが提供される。端末デバイスは、プロセッサ、メモリ、受信機及び伝送機を含む。メモリは、命令を記憶するように構成される。プロセッサは、メモリに記憶される命令を実行し、受信機を制御して信号を受信し、伝送機を制御して信号を送信するように構成される。
【００５８】
プロセッサは、メモリに記憶される命令を実行し、第１態様のうち何れか１つ又は第１態様の可能な実装に係る方法における演算を実行するように構成される。
【００５９】
第６態様によると、ネットワークデバイスが提供される。ネットワークデバイスは、プロセッサ、メモリ、受信機及び伝送機を含む。メモリは、命令を記憶するように構成される。プロセッサは、メモリに記憶される命令を実行し、受信機を制御して信号を受信し、伝送機を制御して信号を送信するように構成される。
【００６０】
プロセッサは、メモリに記憶される命令を実行し、第２態様のうち１つ又は第２態様の可能な実装に係る方法における演算を実行するように構成される。
【００６１】
第７態様によると、通信システムが提供される。通信システムは、上述の態様に係る端末デバイス及びネットワークデバイスを含む。
【００６２】
第８態様によると、コンピュータ可読記憶媒体が提供される。コンピュータ可読記憶媒体は、命令を記憶する。命令がコンピュータで実行される場合、コンピュータは、上述の態様に係る方法を実行することが可能になる。
【００６３】
第９態様によると、コンピュータプログラム製品が提供される。コンピュータプログラム製品がコンピュータで実行される場合、コンピュータは、上述の態様に係る方法を実行することが可能になる。
【図面の簡単な説明】
【００６４】
【図１】本願の実施形態に係る技術的解決手段の適用シナリオの概略図である。
【００６５】
【図２】本願の実施形態に係る制御情報伝送方法の概略フローチャートである。
【００６６】
【図３】本願の実施形態に係る端末デバイスの概略ブロック図である。
【００６７】
【図４】本願の実施形態に係るネットワークデバイスの概略ブロック図である。
【００６８】
【図５】本願の実施形態に係る端末デバイス別の概略的ブロック図である。
【００６９】
【図６】本願の実施形態に係るネットワークデバイスの別の概略的ブロック図である。
【００７０】
【図７】本願の実施形態に係る端末デバイスのさらに別の概略的ブロック図である。
【００７１】
【図８】本願の実施形態に係るネットワークデバイスのさらに別の概略的ブロック図である。
【００７２】
【図９】本願の実施形態に係る端末デバイスのさらに別の概略的ブロック図である。
【００７３】
【図１０】本願の実施形態に係るネットワークデバイスのさらに別の概略的ブロック図である。
【発明を実施するための形態】
【００７４】
以下、添付の図面を参照して本願の実施形態における技術的解決手段を説明する。
【００７５】
図１は、本願の実施形態に係る技術的解決手段の適用シナリオの概略図である。図１に示されるように、本願のこの実施形態は、端末デバイスとネットワークデバイスとの間でデータ伝送が実行されるシナリオに適用可能である。シナリオは、４．５Ｇ及び５Ｇ通信のような無線通信システムであってよい。しかしながら、本願はこれに限定されるものではない。
【００７６】
本願の実施形態における技術的解決手段は、様々な通信システム、例えば、移動通信のためのグローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎｓ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、ワイドバンド符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、ロングタームエボリューション（Ｌｏｎｇ  Ｔｅｒｍ  Ｅｖｏｌｕｔｉｏｎ、ＬＴＥ）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）、将来の第５世代（５ｔｈ−Ｇｅｎｅｒａｔｉｏｎ、５Ｇ）通信システム、及びＣＲＡＮのような通信システムに適用されてよいことを理解されたい。
【００７７】
本願の実施形態におけるネットワークデバイスは、端末デバイスと通信するように構成されるデバイスであってよいことをさらに理解されたい。例えば、ネットワークデバイスは、ＧＳＭシステム又はＣＤＭＡシステムにおけるベーストランシーバ基地局（Ｂａｓｅ  Ｔｒａｎｓｃｅｉｖｅｒ  Ｓｔａｔｉｏｎ、ＢＴＳ）と基地局コントローラ（Ｂａｓｅ  Ｓｔａｔｉｏｎ  Ｃｏｎｔｒｏｌｌｅｒ、ＢＳＣ）との組み合わせであってもよく、又はＷＣＤＭＡシステムにおけるノードＢ（ＮｏｄｅＢ、ＮＢ）と無線ネットワークコントローラ（Ｒａｄｉｏ  Ｎｅｔｗｏｒｋ  Ｃｏｎｔｒｏｌｌｅｒ、ＲＮＣ）との組み合わせであってもよく、又はＬＴＥシステムにおける進化型ノードＢ（Ｅｖｏｌｕｔｉｏｎａｌ  Ｎｏｄｅ  Ｂ、ｅＮＢ又はｅＮｏｄｅＢ）であってもよい。代替的に、ネットワークデバイスは、中継局、アクセスポイント、車載デバイス、ウェアラブルデバイス、次世代基地局のような将来の５Ｇネットワークにおけるアクセスネットワークデバイス、又は将来の進化型公衆陸上移動体ネットワーク（Ｐｕｂｌｉｃ  Ｌａｎｄ  Ｍｏｂｉｌｅ  Ｎｅｔｗｏｒｋ、ＰＬＭＮ）におけるアクセスネットワークデバイスであってよい。
【００７８】
本願は、端末デバイスに関連する実施形態を説明する。端末デバイスは、ユーザ機器（Ｕｓｅｒ  Ｅｑｕｉｐｍｅｎｔ、ＵＥ）、アクセスターミナル、加入者ユニット、加入者局、移動局、モバイルコンソール、リモート局、遠隔端末、モバイルデバイス、ユーザ端末、端末、無線通信デバイス、ユーザエージェント、又はユーザ装置などと称されてもよい。アクセスターミナルは、携帯電話、コードレス電話、セッション確立プロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）局、パーソナルデジタルアシスタント（Ｐｅｒｓｏｎａｌ  Ｄｉｇｉｔａｌ  Ａｓｓｉｓｔａｎｔ、ＰＤＡ）、無線通信機能を有するハンドヘルドデバイス、コンピューティングデバイス、又は無線モデムに接続される別の処理デバイス、車載デバイス、ウェアラブルデバイス、将来の５Ｇネットワークにおける端末デバイス、又はＰＬＭＮにおける端末デバイスなどであってよい。
【００７９】
本願の実施形態の説明を容易にするために、いくつかの概念がまず定義される。ＬＴＥシステムは説明のための例として用いられるが、本願の実施形態がＬＴＥシステムのみに適用可能であることは意味しない。実際に、本願の実施形態において提供される解決手段は、スケジューリングを介してデータ伝送が実行されるいかなる無線通信システムにも適用されてよい。
【００８０】
１．伝送時間（Ｔｒａｎｓｍｉｓｓｉｏｎ  Ｄｕｒａｔｉｏｎ）
【００８１】
本願の実施形態において、時間領域リソースは、伝送時間によって識別されてよい。伝送時間は、Ｎが正の整数であるＮ個のシンボル（ｓｙｍｂｏｌ）を含む。伝送時間の時間長は、本願において限定されない。すなわち、Ｎの値は限定されない。例えば、伝送時間は１つのサブフレーム（ｓｕｂｆｒａｍｅ）、１つのタイムスロット（ｓｌｏｔ）、１つのミニタイムスロット（ｍｉｎｉ−ｓｌｏｔ）、短い伝送時間（ＳＴＤ、ｓｈｏｒｔ  Ｔｒａｎｓｍｉｓｓｉｏｎ  Ｄｕｒａｔｉｏｎ）、又は短い伝送時間間隔（ｓＴＴＩ、ｓｈｏｒｔ  Ｔｒａｎｓｍｉｓｓｉｏｎ  Ｔｉｍｅ  Ｉｎｔｅｒｖａｌ）であってよい。
【００８２】
既存のＬＴＥシステムにおいて、標準巡回プレフィクス（Ｎｏｒｍａｌ  ｃｙｃｌｉｃ  ｐｒｅｆｉｘ、ｎｏｒｍａｌ  ＣＰ）の場合、１つのサブフレームは１４個のシンボル（ｓｙｍｂｏｌ）を含み、拡張ＣＰ（Ｅｘｔｅｎｄｅｄ  ｃｙｃｌｉｃ  ｐｒｅｆｉｘ、ｅｘｔｅｎｄｅｄ  ＣＰ）の場合、１つのサブフレームは１２個のシンボル（ｓｙｍｂｏｌ）を含む。将来の進化型システムにおいて、１つのサブフレームは１４個のシンボル又は別の数のシンボルを含んでよい。
【００８３】
既存のＬＴＥシステムにおいて、１個のスロットは７個又は６個のシンボルを含む。将来の進化型システムにおいて、１個のスロットは７個、６個又は１４個のシンボル、又は別の数のシンボルを含んでよい。
【００８４】
ＳＴＤ又はｓＴＴＩは、２個、３個又は７個のシンボルを含んでよい。
【００８５】
１つのシンボルの時間長は、本願において限定されない。例えば、異なるサブキャリア間隔の場合、１つのシンボルの長さは異なってよい。一般性を失うことなく、シンボルはアップリンクシンボル及びダウンリンクシンボルを含む。アップリンクシンボルは、シングルキャリア周波数分割多元接続（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ、ＳＣ−ＦＤＭＡ）シンボル又は直交周波数分割多重（ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ）シンボルと称される。ダウンリンクシンボルは、ＯＦＤＭシンボルと称される。新たなアップリンク多元接続方式又はダウンリンク多元接続方式が後続の技術に導入される場合、用語「シンボル」が依然として用いられてよいことに注意されたい。アップリンク多元接続方式及びダウンリンク多元接続方式は、本願において限定されない。
【００８６】
２．ＨＡＲＱ−ＡＣＫ情報
【００８７】
ＨＡＲＱ−ＡＣＫ情報は、ダウンリンクデータの受信状況を示し、ＨＡＲＱ−ＡＣＫフィードバック情報と称されてもよい。ダウンリンクデータの受信状況は、肯定応答（Ａｃｋｎｏｗｌｅｄｇｅｍｅｎｔ、ＡＣＫ）及び否定応答（Ｎｅｇａｔｉｖｅ  Ａｃｋｎｏｗｌｅｄｇｅｍｅｎｔ、ＮＡＣＫ）を含む。ＡＣＫは、ダウンリンクデータ受信の成功を示し、ＮＡＣＫはダウンリンクデータ受信の失敗を示す。任意選択的に、ダウンリンクデータの受信状況はさらに、不連続伝送（Ｄｉｓｃｏｎｔｉｎｕｏｕｓ  Ｔｒａｎｓｍｉｓｓｉｏｎ、ＤＴＸ）を含む。ＤＴＸは、ダウンリンクデータが受信されていないことを示す。
【００８８】
３．ＳＲ伝送状況
【００８９】
ＳＲ伝送状況は、正のＳＲ伝送（ｐｏｓｉｔｉｖｅ  ＳＲ  ｔｒａｎｓｍｉｓｓｉｏｎ）及び負のＳＲ伝送（ｎｅｇａｔｉｖｅ  ＳＲ  ｔｒａｎｓｍｉｓｓｉｏｎ）を含む。正のＳＲ伝送は、端末デバイスがアップリンクリソース要求を送信する必要があることを意味する。負のＳＲ伝送は、端末デバイスがアップリンクリソース要求を送信する必要がないことを意味する。
【００９０】
後続のさらなる進化を考慮すると、正のＳＲ伝送はより多くの状況を含んでよい。例えば、正のＳＲ伝送は、少なくとも２つのトランスポートブロックサイズ（ＴＢＳ，  ｔｒａｎｓｐｏｒｔ  ｂｌｏｃｋ  ｓｉｚｅ）のスケジューリング要求、及び／又は少なくとも２つの異なるサービス（例えば、Ｅｎｈａｎｃｅｄ  Ｍｏｂｉｌｅ  ＢｒｏａｄｂａｎｄｅＭＢＢ及びｕｌｔｒａ‐ｒｅｌｉａｂｌｅ  ａｎｄ  ｌｏｗ  ｌａｔｅｎｃｙ  ｃｏｍｍｕｎｉｃａｔｉｏｎｓＵＲＬＬＣ）のスケジューリング要求を含む。この場合、ＳＲ伝送状況は少なくとも２つのタイプの正のＳＲ伝送及び１つのタイプの負のＳＲ伝送を含む。例えば、正のＳＲ伝送は第１の正のＳＲ伝送及び第２の正のＳＲ伝送を含む。第１の正のＳＲ伝送は第１のＴＢＳの正のＳＲ伝送であり、第２の正のＳＲ伝送は第２のＴＢＳの正のＳＲ伝送である。代替的に、第１の正のＳＲ伝送はＵＲＬＬＣの正のＳＲ伝送であり、第２の正のＳＲ伝送はｅＭＢＢの正のＳＲ伝送である。例えば、正のＳＲ伝送は第１の正のＳＲ伝送、第２の正のＳＲ伝送、第３の正のＳＲ伝送及び第４の正のＳＲ伝送を含む。第１の正のＳＲ伝送は第１のＴＢＳ及びＵＲＬＬＣの正のＳＲ伝送であり、第２の正のＳＲ伝送は第２のＴＢＳ及びＵＲＬＬＣの正のＳＲ伝送であり、第３の正のＳＲ伝送は第１のＴＢＳ及びｅＭＢＢの正のＳＲ伝送であり、第４の正のＳＲ伝送は第２のＴＢＳ及びｅＭＢＢの正のＳＲ伝送である。
【００９１】
４．ＰＵＣＣＨフォーマット
【００９２】
本願の実施形態は、ＰＵＣＣＨフォーマットＸ、ＰＵＣＣＨフォーマットＹａ、ＰＵＣＣＨフォーマットＹｂ、ＰＵＣＣＨフォーマットＭ、ＰＵＣＣＨフォーマットＮ、ＰＵＣＣＨフォーマットО及びＰＵＣＣＨフォーマットＮの７個のＰＵＣＣＨフォーマットを含む。Ｘ、Ｙａ、Ｙｂ、Ｍ、Ｎ、О及びＰは説明を容易にするために用いられ、後で任意の参照符号に置換されてよいことを理解されたい。
【００９３】
ＰＵＣＣＨフォーマットＸにおいて、様々なＰＵＣＣＨリソースがダウンリンクデータの様々な受信状況を示すために用いられる。ＰＵＣＣＨリソースは巡回シフト（ＣＳ，  ｃｙｃｌｉｃ  ｓｈｉｆｔ）によって識別される。この場合、ＰＵＣＣＨフォーマットＸにおいて、ダウンリンクデータの様々な受信状況を示すために様々な巡回シフトが用いられる。代替的に、ＰＵＣＣＨリソースはＣＳ及びＲＢの少なくとも１つによって識別される。この場合、ＰＵＣＣＨフォーマットＸにおいて、様々な巡回シフト及び／又は様々なＲＢが、ダウンリンクデータの様々な受信状況を示すために用いられる。代替的に、ＰＵＣＣＨリソースはＣＳ、直交シーケンス（ｏｒｔｈｏｇｏｎａｌ  ｓｅｑｕｅｎｃｅ）及びＲＢの少なくとも１つによって識別される。この場合、ＰＵＣＣＨフォーマットＸにおいて、様々な巡回シフト、様々な直交シーケンス、及び／又は様々なＲＢが、ダウンリンクデータの様々な受信状況を示すために用いられる。リソースを効率的に使用するために、複数の端末デバイスが、同じ１又は複数のリソースブロック（ｒｅｓｏｕｒｃｅ  ｂｌｏｃｋ、略してＲＢ）でそれぞれのＰＵＣＣＨを送信してよいことに注意されたい。言い換えれば、同じ１又は複数のＲＢに複数のＰＵＣＣＨリソースがあってよい。同じ１又は複数のリソースブロック上の複数のＰＵＣＣＨは、直交符号分割多重（ｏｒｔｈｏｇｏｎａｌ  ｃｏｄｅ  ｄｉｖｉｓｉｏｎ  ｍｕｌｔｉｐｌｅｘｉｎｇ、略してＯＣＤＭ）を介して実装されてよい。巡回シフト（ｃｙｃｌｉｃ  ｓｈｉｆｔ）が周波数領域で用いられるか、または直交シーケンス（ｏｒｔｈｏｇｏｎａｌ  ｓｅｑｕｅｎｃｅ）が時間領域で用いられるか、又は巡回シフトが周波数領域で用いられ、直交シーケンスが時間領域で用いられる。ここで、巡回シフトは位相回転（ｐｈａｓｅ  ｒｏｔａｔｉｏｎ）とも称される。当然、様々なＰＵＣＣＨが１又は複数の異なるＲＢで伝送される。すなわち、１又は複数の異なるＲＢは異なるＰＵＣＣＨリソースを表す。ＰＵＣＣＨフォーマットＹａは、１つの明示ビットを伝送するために用いられ、復調基準信号（ＤＭＲＳ、Ｄｅｍｏｄｕｌａｔｉｏｎ  Ｒｅｆｅｒｅｎｃｅ  Ｓｉｇｎａｌ）に基づくＰＵＣＣＨフォーマットである。１つの明示ビットはダウンリンクデータの受信状況を示す。例えば、２進数（ｂｉｎａｒｙ）「１」はＡＣＫを示し、２進数「０」はＮＡＣＫを示す。例えば、１つの明示ビットは１つの複素数値シンボル（ｃｏｍｐｌｅｘ−ｖａｌｕｅｄ  ｓｙｍｂｏｌ）に変調され、１つの複素数値シンボルは、１又は複数の巡回シフトされるシーケンス（ｃｙｃｌｉｃａｌｌｙ  ｓｈｉｆｔｅｄ  ｓｅｑｕｅｎｃｅ）によってさらに乗算され、可能な時間領域拡散スペクトル演算（直交シーケンスを有するブロックワイズ拡散）などを受ける。１つの明示ビットを搬送するＰＵＣＣＨを送信する場合、端末デバイスも、ＤＭＲＳを送信する必要がある。ＤＭＲＳがＰＵＣＣＨを復調するために用いられるので、ネットワークデバイスは、端末デバイスによって伝送されるＤＭＲＳに基づいてＰＵＣＣＨを復調してよい。
【００９４】
ＰＵＣＣＨフォーマットＹｂは、２つの明示ビットを伝送するために用いられ、ＤＭＲＳに基づくＰＵＣＣＨフォーマットである。２つの明示ビットはダウンリンクデータの受信状況を示す。例えば、２進数（ｂｉｎａｒｙ）「１１」は（ＡＣＫ、ＡＣＫ）を示し、２進数「００」は（ＮＡＣＫ、ＮＡＣＫ）を示し、２進数（ｂｉｎａｒｙ）「１０」は（ＡＣＫ、ＮＡＣＫ）を示し、２進数（ｂｉｎａｒｙ）「０１」は（ＮＡＣＫ、ＡＣＫ）を示す。ビットの数が異なることを除いて、他については、ＰＵＣＣＨフォーマットＹａの説明を参照されたい。
【００９５】
ＰＵＣＣＨフォーマットＭが、ＰＵＣＣＨ伝送の有無に基づくＳＲ伝送状況を示す。例えば、ＳＲに割り当てられるＰＵＣＣＨリソースでＰＵＣＣＨ伝送が行われる場合、正のＳＲ伝送を示す。そうでない場合、ＳＲに割り当てられるＰＵＣＣＨリソースでＰＵＣＣＨ伝送が行われない場合、負のＳＲ伝送を示す。
【００９６】
ＰＵＣＣＨフォーマットＮが、ｋ個の明示ビットを伝送するために用いられ、復調基準信号（ＤＭＲＳ、Ｄｅｍｏｄｕｌａｔｉｏｎ  Ｒｅｆｅｒｅｎｃｅ  Ｓｉｇｎａｌ）に基づくＰＵＣＣＨフォーマットであり、ここで、ｋは正の整数である。ｋ個の明示ビットは、少なくとも２つのＳＲ伝送状況を示すか、又はｋ個の明示ビットは少なくとも２つのタイプの正のＳＲ伝送を示す。例えば、ｋ＝１であり、１つの明示ビットは２つのタイプの正のＳＲ伝送（第１の正のＳＲ伝送及び第２の正のＳＲ伝送）を示す。２進数（ｂｉｎａｒｙ）「１」は第１の正のＳＲ伝送を示し、２進数（ｂｉｎａｒｙ）「０」は第２の正のＳＲ伝送を示す。代替的に、２進数「０」は第１の正のＳＲ伝送を示し、２進数「１」は第２の正のＳＲ伝送を示す。例えば、ｋ＝２であり、２つの明示ビットは４つのタイプの正のＳＲ伝送を示す。指示情報が異なることを除いて、他については、ＰＵＣＣＨフォーマットＹａの説明を参照されたい。ＰＵＣＣＨフォーマットОにおいて、様々なＰＵＣＣＨリソースは様々な正のＳＲ伝送状況又はＳＲ伝送状況を示すために用いられる。ＰＵＣＣＨリソースについては、ＰＵＣＣＨフォーマットＸの説明を参照されたい。
【００９７】
ＰＵＣＣＨフォーマットＰは、ｎ個の明示ビットを伝送するために用いられ、ＤＭＲＳに基づくＰＵＣＣＨフォーマットである。ｎ個の明示ビットは、ダウンリンクデータの受信状況及び少なくとも２つのＳＲ伝送状況を示す。ビットの数が異なることを除いて、他については、ＰＵＣＣＨフォーマットＹａの説明を参照されたい。
【００９８】
ＰＵＣＣＨフォーマットＹａ、Ｙｂ、Ｎ又はＰにおいては、ＤＭＲＳ及びＰＵＣＣＨは同じシンボル又は異なるシンボルに位置してよいことに注意されたい。このことは、本願において限定されない。
【００９９】
図２は、本願の実施形態に係る伝送リソース構成方法１００の概略フローチャートである。図２に示されるように、ネットワークデバイスは図１におけるネットワークデバイスに対応し、端末デバイスは図１における端末デバイスに対応してよい。方法１００は、以下の段階を有する。
【０１００】
Ｓ１１０．端末デバイスが、ダウンリンクデータの受信状況及びスケジューリング要求伝送状況に基づいて伝送リソースを決定し、伝送リソースが、Ｎ個の第１リソースのうち１つ又はＭ個の第２リソースのうち１つであり、Ｎ個の第１リソースはダウンリンクデータのＮ個の受信状況に対応し、Ｍ個の第２リソースはスケジューリング要求を伝送するために用いられ、Ｎが１より大きな正の整数であり、Ｍが正の整数である。
【０１０１】
Ｓ１２０．端末デバイスが、伝送リソースでアップリンク制御情報を送信する。
【０１０２】
Ｓ１３０．ネットワークデバイスが、伝送リソースでアップリンク制御情報を受信する。
【０１０３】
Ｓ１４０．ネットワークデバイスが、伝送リソース及びアップリンク制御情報に基づいて、ダウンリンクデータの受信状況及びスケジューリング要求伝送状況を決定する。
【０１０４】
具体的に、端末デバイスは、ダウンリンクデータの受信状況及びスケジューリング要求伝送状況に基づいて伝送リソースを決定し、伝送リソースがＮ個の第１リソース及びＭ個の第２リソースのうち１つであり、Ｎ個の第１リソースはダウンリンクデータのＮ個の受信状況に対応し、Ｍ個の第２リソースはスケジューリング要求を伝送するために用いられ、Ｎが１より大きな正の整数であり、Ｍが正の整数であり、端末デバイスは、伝送リソースでネットワークデバイスにＵＣＩを送信し、ネットワークデバイスは、伝送リソース及びＵＣＩに基づいて、ダウンリンクデータの受信状況及びスケジューリング要求伝送の状況を決定する。
【０１０５】
Ｓ１１０におけるダウンリンクデータの受信状況及びＳ１４０におけるダウンリンクデータの受信状況は同じであってもよく、又は異なってもよいことを理解されたい。本願は、このことに限定されるものではない。例えば、以下の解決手段１において、端末デバイスによって決定されるダウンリンクデータの受信状況がＡＣＫであるが、レポートはＮＡＣＫに基づいて実行される。この場合、ネットワークデバイスによって決定されるダウンリンクデータの受信状況はＮＡＣＫである。
【０１０６】
任意選択的に、端末デバイスがダウンリンクデータの受信状況及びスケジューリング要求伝送状況に基づいて伝送リソースを決定する前に、方法１００は以下の段階をさらに含む。
【０１０７】
Ｓ１０１．端末デバイスがダウンリンクデータを受信する。
【０１０８】
ダウンリンクデータを受信した後、端末デバイスはダウンリンクデータの受信状況を決定する必要がある。例えば、ダウンリンクデータはＰＤＳＣＨで搬送されるデータである。ダウンリンクデータは、ネットワークデバイスによって伝送されてよい。
【０１０９】
任意選択的に、ダウンリンクデータが１つのトランスポートブロック（Ｔｒａｎｓｐｏｒｔ  Ｂｌｏｃｋ、ＴＢ）又は１つのＣＷのみを含む場合、ダウンリンクデータの受信状況は１つのＴＢの受信状況であり、ＡＣＫ及びＮＡＣＫを含むか、又はＡＣＫ、ＮＡＣＫ及びＤＴＸを含む。
【０１１０】
任意選択的に、ダウンリンクデータが２つのＴＢを含む場合、ダウンリンクデータの受信状況は２つのＴＢにそれぞれ対応する受信状況の空間バンドリング（ｓｐａｔｉａｌ  ｂｕｎｄｌｉｎｇ）結果であり、ＡＣＫ及びＮＡＣＫを含むか、又はＡＣＫ、ＮＡＣＫ及びＤＴＸを含む。空間バンドリングは、１つのダウンリンクデータの複数の（例えば、２つの）ＴＢ／コードワードの受信状況に対してＡＮＤ論理演算を実行することである。２つのＴＢの受信状況の両方がＡＣＫである場合、空間バンドリング結果はＡＣＫであるか、又はＴＢの少なくとも１つの受信状況がＮＡＣＫである場合、空間バンドリング結果はＮＡＣＫである。任意選択的に、２つのＴＢの受信状況の両方がＤＴＸである場合、空間バンドリング結果はＤＴＸである。
【０１１１】
任意選択的に、ダウンリンクデータが２つのＴＢを含む場合、ダウンリンクデータの受信状況は２つのＴＢにそれぞれ対応する受信状況を含み、（ＡＣＫ、ＡＣＫ）、（ＮＡＣＫ、ＮＡＣＫ）、（ＡＣＫ、ＮＡＣＫ）及び（ＮＡＣＫ、ＡＣＫ）を含む。任意選択的に、ダウンリンクデータの受信状況は（ＤＴＸ、ＤＴＸ）をさらに含む。ダウンリンクデータの受信状況は（Ｘ，Ｙ）の形で表され、Ｘは第１のＴＢの受信状況を示し、Ｙは第２のＴＢの受信状況を示すことに注意されたい。
【０１１２】
Ｎ個の第１リソースは、ＨＡＲＱ−ＡＣＫ情報を伝送するために用いられるＮ個のＰＵＣＣＨリソースであってよく、Ｍ個の第２リソースは、ＳＲ情報を伝送するために用いられるＭ個のＰＵＣＣＨリソースであってよいことを理解されたい。任意選択的に、Ｎが２又は４であり、Ｍが１又は２である。
【０１１３】
Ｎ個の第１リソースは、ダウンリンクデータのＮ個の受信状況に対応する。ダウンリンクデータのＮ個の受信状況は、１つのダウンリンクデータのダウンリンクデータのＮ個の受信状況であり、１つのダウンリンクデータは１つのサブフレーム及び１つのサービングセルにある。
【０１１４】
任意選択的に、Ｎが２であり、２つの第１リソースは、ＡＣＫに割り当てられるＰＵＣＣＨリソース及びＮＡＣＫに割り当てられるＰＵＣＣＨリソースを含む。Ｎが２であることは、ダウンリンクデータの受信状況が１つのＴＢの受信状況である場合、及びダウンリンクデータの受信状況が２つのＴＢにそれぞれ対応する受信状況の空間バンドリング結果である場合に適用可能である。
【０１１５】
任意選択的に、Ｎが４であり、４つの第１リソースは、ダウンリンクデータの４つの受信状況に対応し、（ＡＣＫ、ＡＣＫ）に割り当てられるＰＵＣＣＨリソース、（ＮＡＣＫ、ＮＡＣＫ）に割り当てられるＰＵＣＣＨリソース、（ＡＣＫ、ＮＡＣＫ）に割り当てられるＰＵＣＣＨリソース、及び（ＮＡＣＫ、ＡＣＫ）に割り当てられるＰＵＣＣＨリソースを含む。Ｎが４であることは、ダウンリンクデータの受信状況が、２つのＴＢにそれぞれ対応する受信状況を含む場合に適用可能である。
【０１１６】
任意選択的に、Ｓ１１０の前に、方法１００は、端末デバイスが第１リソース指示情報を受信する段階をさらに含む。
【０１１７】
具体的に、第１リソース指示情報はＮ個の第１リソースを示す。第１リソースはＣＳによって識別される。代替的に、第１リソースはＣＳ及びＲＢの少なくとも１つによって識別される。代替的に、第１リソースはＣＳ、直交シーケンス及びＲＢの少なくとも１つによって識別される。
【０１１８】
例えば、Ｎが２であり、２つの第１リソースは異なるＣＳを有するが同じＲＢを有する。
【０１１９】
別の例の場合、Ｎが２であり、２つの第１リソースは同じＣＳを有するが異なるＲＢを有する。
【０１２０】
さらに別の例の場合、Ｎが２であり、２つの第１リソースは異なるＣＳ及び異なるＲＢを有する。
【０１２１】
ネットワークデバイスは、現在のチャネル条件及び負荷状況に基づいてＮ個の第１リソースを構成してよい。チャネルのマルチパスレイテンシが大きい場合、１つのＲＢに比較的少ない数のＣＳが構成される必要がある。したがって、ネットワークデバイスは少なくとも２つのＲＢにＮ個の第１リソースを構成してよい。
【０１２２】
任意選択的に、Ｓ１１０の前に、方法１００は、端末デバイスが第２リソース指示情報を受信する段階をさらに含む。
【０１２３】
具体的に、第２リソース指示情報はＭ個の第２リソースを示す。
【０１２４】
例えば、Ｍが１であり、１つの第２リソースはＳＲに割り当てられるＰＵＣＣＨリソースである。この場合、ネットワークデバイスは１つの第２リソースのみを構成する。言い換えれば、端末デバイスは１つの第２リソースのみでＳＲを送信する。
【０１２５】
別の例の場合、Ｍが２であり、ネットワークデバイスは２つの第２リソースを構成する。任意選択的に、端末デバイスは１つの第２リソースでＳＲを送信してもよく、又は他の第２リソースでＳＲを送信してもよい。
【０１２６】
本願のこの実施形態において、ダウンリンクデータの受信状況及びＳＲ伝送状況を決定した後、端末デバイスは、ダウンリンクデータの受信状況及びＳＲ伝送状況に基づいて伝送リソースを決定する。
【０１２７】
本願のこの実施形態において、ＳＲ伝送状況が負のＳＲ伝送であり、ダウンリンクデータの受信状況がダウンリンクデータのＮ個の受信状況のうち１つである場合、Ｓ１１０は具体的に、伝送リソースがＮ個の第１リソースのうち１つであることを端末デバイスが決定することである。Ｓ１２０は具体的に、端末デバイスが、ＰＵＣＣＨフォーマットＸに基づいて伝送リソースでアップリンク制御情報を送信することである。この場合、アップリンク制御情報はダウンリンクデータの受信状況及び負のＳＲ伝送を示す。
【０１２８】
ＰＵＣＣＨフォーマットＹａ及びＰＵＣＣＨフォーマットＹｂと比べて、同じシンボルの数のシナリオにおいて、ＰＵＣＣＨフォーマットＸはより良い性能を有する。したがって、ＰＵＣＣＨシンボルの数が１、２又は３個のシンボルに減少した後、ＨＡＲＱ−ＡＣＫ情報を受信する性能を高めるために、シーケンスベースのＰＵＣＣＨフォーマットＸが導入される。
【０１２９】
可能な実装において、ＳＲ伝送状況が負のＳＲ伝送であり、Ｎが２である場合、Ｓ１１０において、伝送リソースが以下の方式で決定されてよい。
【０１３０】
方式１：ダウンリンクデータの受信状況がＡＣＫであり、ＳＲ伝送状況が負のＳＲ伝送である場合、端末デバイスは、伝送リソースがＡＣＫに割り当てられるＰＵＣＣＨリソースであることを決定する。この場合、アップリンク制御情報はＡＣＫ及び負のＳＲ伝送を示す。
【０１３１】
方式２：ダウンリンクデータの受信状況がＮＡＣＫであり、ＳＲ伝送状況が負のＳＲ伝送である場合、端末デバイスは、伝送リソースがＮＡＣＫに割り当てられるＰＵＣＣＨリソースであることを決定する。この場合、アップリンク制御情報はＮＡＣＫ及び負のＳＲ伝送を示す。
【０１３２】
別の可能な実装において、ＳＲ伝送状況が負のＳＲ伝送であり、Ｎが４である場合、Ｓ１１０において、伝送リソースが以下の方式で決定されてよい。
【０１３３】
方式１：ダウンリンクデータの受信状況が（ＡＣＫ、ＡＣＫ）であり、ＳＲ伝送状況が負のＳＲ伝送である場合、端末デバイスは、伝送リソースが（ＡＣＫ、ＡＣＫ）に割り当てられるＰＵＣＣＨリソースであることを決定する。この場合、アップリンク制御情報は（ＡＣＫ、ＡＣＫ）及び負のＳＲ伝送を示す。
【０１３４】
方式２：ダウンリンクデータの受信状況が（ＮＡＣＫ、ＮＡＣＫ）であり、ＳＲ伝送状況が負のＳＲ伝送である場合、端末デバイスは、伝送リソースが（ＮＡＣＫ、ＮＡＣＫ）に割り当てられるＰＵＣＣＨリソースであることを決定する。この場合、アップリンク制御情報は（ＮＡＣＫ、ＮＡＣＫ）及び負のＳＲ伝送を示す。
【０１３５】
方式３：ダウンリンクデータの受信状況が（ＡＣＫ、ＮＡＣＫ）であり、ＳＲ伝送状況が負のＳＲ伝送である場合、端末デバイスは、伝送リソースが（ＡＣＫ、ＮＡＣＫ）に割り当てられるＰＵＣＣＨリソースであることを決定する。この場合、アップリンク制御情報は（ＡＣＫ、ＮＡＣＫ）及び負のＳＲ伝送を示す。
【０１３６】
方式４：ダウンリンクデータの受信状況が（ＮＡＣＫ、ＡＣＫ）であり、ＳＲ伝送状況が負のＳＲ伝送である場合、端末デバイスは、伝送リソースが（ＮＡＣＫ、ＡＣＫ）に割り当てられるＰＵＣＣＨリソースであることを決定する。この場合、アップリンク制御情報は（ＮＡＣＫ、ＡＣＫ）及び負のＳＲ伝送を示す。
【０１３７】
本願のこの実施形態において、Ｎが２又は４であり、Ｍが２であり、ＳＲ伝送状況は正のＳＲ伝送であり、ダウンリンクデータの受信状況はＤＴＸである場合、端末デバイスは、シグナリング又はあらかじめ定義されたルールに基づいて、伝送リソースがＳＲに割り当てられる第１又は第２ＰＵＣＣＨリソースであることを決定する。任意選択的に、シグナリングは上位層シグナリングである。１つの正のＳＲ伝送状況のみが存在するので、ＳＲに割り当てられる２つのＰＵＣＣＨリソースが構成される場合、どちらが用いられているかを決定する必要がある。
【０１３８】
任意選択的に、Ｎが２又は４である。ダウンリンクデータの２つの受信状況は肯定応答ＡＣＫ及び否定応答ＮＡＣＫを含むか、又はダウンリンクデータの４つの受信状況は（ＡＣＫ、ＡＣＫ）、（ＮＡＣＫ、ＮＡＣＫ）、（ＡＣＫ、ＮＡＣＫ）及び（ＮＡＣＫ、ＡＣＫ）を含む。端末デバイスがダウンリンクデータの受信状況及びスケジューリング要求伝送状況に基づいて伝送リソースを決定する段階は、スケジューリング要求伝送状況が正のスケジューリング要求伝送である場合、端末デバイスは、伝送リソースがＭ個の第２リソースのうち１つであることを決定する段階を有する。
【０１３９】
アップリンク制御情報は、Ｎ個のデータ受信状況のうち１つ、及び正のスケジューリング要求伝送を示す。ネットワークデバイスが伝送リソースでアップリンク制御情報を受信する段階は、ネットワークデバイスが、伝送リソースがＭ個の第２リソースのうち１つであることを決定する段階と、ネットワークデバイスが、Ｍ個の第２リソースのうち１つでアップリンク制御情報を受信する段階とを含む。
【０１４０】
ネットワークデバイスが伝送リソース及びアップリンク制御情報に基づいてダウンリンクデータの受信状況及びスケジューリング要求伝送状況を決定する段階は、ネットワークデバイスが、Ｍ個の第２リソースのうち１つ及びアップリンク制御情報に基づいて、ダウンリンクデータの受信状況がＮ個のデータ受信状況のうち１つであり、スケジューリング要求伝送状況が正のスケジューリング要求伝送であることを決定する段階を有する。
【０１４１】
本願のこの実施形態において、ＳＲ伝送状況が正のＳＲ伝送である場合、Ｓ１１０において、伝送リソースが以下の解決手段（アップリンク制御情報はＳ１２０におけるアップリンク制御情報である）を用いて決定されてよい。
【０１４２】
任意選択的に（解決手段１と示される）、Ｍが１であり、端末デバイスがダウンリンクデータの受信状況及びＳＲ伝送状況に基づいて伝送リソースを決定し、当該伝送リソースでアップリンク制御情報を送信する段階は、ダウンリンクデータの受信状況がダウンリンクデータの２つの受信状況うち１つであるか、又はダウンリンクデータの受信状況がダウンリンクデータの４つの受信状況のうち１つであり、ＳＲ伝送状況が正のＳＲ伝送である場合、端末デバイスが、伝送リソースがＳＲに割り当てられるＰＵＣＣＨリソースであることを決定する段階を有する。この場合、アップリンク制御情報はＮＡＣＫ及び正のＳＲ伝送を示すか、又はアップリンク制御情報は（ＮＡＣＫ、ＮＡＣＫ）及び正のＳＲ伝送を示すか、又はアップリンク制御情報はＮＡＣＫ／ＤＴＸ及び正のＳＲ伝送を示すか、又はアップリンク制御情報は（ＮＡＣＫ、ＮＡＣＫ）／（ＤＴＸ、ＤＴＸ）及び正のＳＲ伝送を示す。
【０１４３】
ネットワークデバイスは、１つの第２リソースに基づいて、ダウンリンクデータの受信状況がＮＡＣＫ又は（ＮＡＣＫ、ＮＡＣＫ）であり、スケジューリング要求伝送状況が正のＳＲ伝送であることを決定する。代替的に、ネットワークデバイスは、１つの第２リソースに基づいて、ダウンリンクデータの受信状況がＮＡＣＫ／ＤＴＸ又は（ＮＡＣＫ、ＮＡＣＫ）／（ＤＴＸ、ＤＴＸ）であり、スケジューリング要求伝送状況が正のＳＲ伝送であることを決定する。
【０１４４】
この方式で、１つのみのＰＵＣＣＨリソースがＳＲに割り当てられるので、ＳＲとの衝突が生じるとき、ダウンリンクデータの状況を示すためにＳＲリソースが用いられる必要がある場青、ＡＣＫ及びＮＡＣＫのうち１つのみが選択され得る。ＮＡＣＫがＡＣＫより重要であることを考慮すると、ＡＣＫの優先度はより低い。具体的に、ＡＣＫが正のＳＲ伝送と衝突する場合、ＡＣＫは破棄され示されず、ネットワークデバイスはＡＣＫをＮＡＣＫとして扱う。しかしながら、ＮＡＣＫが正のＳＲ伝送と衝突する場合、ＮＡＣＫ及び正のＳＲ伝送の両方が示される。この解決手段において、ＳＲ伝送が確保され、アップリンクリソース要求レイテンシの増加が回避される。唯一の短所は、ＡＣＫの伝送が遅延し、ダウンリンクデータのレイテンシが影響され得ることである。
【０１４５】
Ｓ１２０は具体的に、端末デバイスが、ＰＵＣＣＨフォーマットＭに基づいて伝送リソースでアップリンク制御情報を送信する段階であることを理解されたい。
【０１４６】
任意選択的に（解決手段２と示される）、Ｎが２であり、Ｍが１であり、端末デバイスがダウンリンクデータの受信状況及びＳＲ伝送状況に基づいて伝送リソースを決定し、伝送リソースでアップリンク制御情報を送信することは、以下の方式を含む。ダウンリンクデータの受信状況がＡＣＫ又はＮＡＣＫであり、ＳＲ伝送状況が正のＳＲ伝送である場合、端末デバイスは、伝送リソースがＳＲに割り当てられるＰＵＣＣＨリソースであることを決定する。
【０１４７】
アップリンク制御情報は、正のスケジューリング要求伝送及びダウンリンクデータの受信状況を示す。端末デバイスが伝送リソースでアップリンク制御情報を送信する段階は、端末デバイスが、１つの第２リソースで、１ビットの情報を搬送するために用いられるＰＵＣＣＨと、当該ＰＵＣＣＨを復調するために用いられる復調基準信号を送信する段階を含み、１ビットの情報はダウンリンクデータの受信状況を示す。
【０１４８】
ネットワークデバイスは、１つの第２リソースで、１ビットの情報を搬送するために用いられるＰＵＣＣＨと、ＰＵＣＣＨを復調するために用いられる復調基準信号とを受信し、１ビットの情報はダウンリンクデータの受信状況を示す。
【０１４９】
ネットワークデバイスは、１つの第２リソースに基づいて、スケジューリング要求伝送状況が正のＳＲ伝送であることを決定し、１ビットの情報に基づいて、ダウンリンクデータの受信状況がダウンリンクデータの２つの受信状況のうち１つであることを決定する。例えば、１ビットの情報が２進数（ｂｉｎａｒｙ）「１」である場合、ネットワークデバイスは、ダウンリンクデータの受信状況がＡＣＫであることを決定し、そうでない場合、１ビットの情報が２進数（ｂｉｎａｒｙ）「０」である場合、ネットワークデバイスは、ダウンリンクデータの受信状況がＮＡＣＫであることを決定する。
【０１５０】
Ｓ１２０は具体的に、端末デバイスが、ＰＵＣＣＨフォーマットＹａに基づいて伝送リソースでアップリンク制御情報を送信する段階であることを理解されたい。
【０１５１】
ＰＵＣＣＨフォーマットＹａの性能は、ＰＵＣＣＨフォーマットＸの性能より劣る。しかしながら、この解決手段において、ＳＲ、ＡＣＫ及びＮＡＣＫが同じ優先度を有するようにするために、ＨＡＲＱ−ＡＣＫ情報がＳＲと衝突する場合、ＨＡＲＱ−ＡＣＫ情報及びＳＲはＰＵＣＣＨフォーマットＹａを用いて伝送される。具体的には、衝突が生じる場合、どの状況も破棄されない。
【０１５２】
任意選択的に（解決手段３と示される）、Ｎが４であり、Ｍが１であり、端末デバイスがダウンリンクデータの受信状況及びＳＲ伝送状況に基づいて伝送リソースを決定し、当該伝送リソースでアップリンク制御情報を送信することは、以下の方式を含む。
【０１５３】
ダウンリンクデータの受信状況が（ＡＣＫ、ＡＣＫ）、（ＮＡＣＫ、ＮＡＣＫ）、（ＡＣＫ、ＮＡＣＫ）又は（ＮＡＣＫ、ＡＣＫ）であり、ＳＲ伝送状況が正のＳＲ伝送である場合、端末デバイスが、伝送リソースがＳＲに割り当てられるＰＵＣＣＨリソースであることを決定する。
【０１５４】
アップリンク制御情報は、正のスケジューリング要求伝送及びダウンリンクデータの受信状況を示す。端末デバイスが伝送リソースでアップリンク制御情報を送信する段階は、端末デバイスが、１つの第２リソースで、２ビットの情報を搬送するために用いられるＰＵＣＣＨと、当該ＰＵＣＣＨを復調するために用いられる復調基準信号とを送信する段階を含み、２ビットの情報はダウンリンクデータの受信状況を示す。
【０１５５】
ネットワークデバイスは、１つの第２リソースで、２ビットの情報を搬送するために用いられるＰＵＣＣＨと、当該ＰＵＣＣＨを復調するために用いられる復調基準信号とを受信し、２ビットの情報はダウンリンクデータの受信状況を示す。
【０１５６】
ネットワークデバイスは、１つの第２リソースに基づいて、スケジューリング要求伝送状況が正のＳＲ伝送であることを決定し、２ビットの情報に基づいて、ダウンリンクデータの受信状況がダウンリンクデータの４つの受信状況のうち１つであることを決定する。
【０１５７】
Ｓ１２０は具体的に、端末デバイスが、ＰＵＣＣＨフォーマットＹｂに基づいて伝送リソースでアップリンク制御情報を送信することである段階を理解されたい。
【０１５８】
ＰＵＣＣＨフォーマットＹｂの性能は、ＰＵＣＣＨフォーマットＸの性能より劣る。しかしながら、この解決手段において、ＳＲ及びＨＡＲＱ−ＡＣＫ情報が同じ優先度を有するようにするために、ＨＡＲＱ−ＡＣＫ情報がＳＲと衝突する場合、ＨＡＲＱ−ＡＣＫ情報及びＳＲはＰＵＣＣＨフォーマットＹｂを用いて伝送される。具体的には、衝突が生じる場合、どの状況も破棄されない。
【０１５９】
任意選択的に（解決手段４と示される）、Ｎが２であり、Ｍが２であり、端末デバイスがダウンリンクデータの受信状況及びスケジューリング要求伝送状況に基づいて伝送リソースを決定し、当該伝送リソースでアップリンク制御情報を送信することは、以下の方式のうち少なくとも１つを含む。
【０１６０】
方式１：ダウンリンクデータの受信状況がＡＣＫであり、ＳＲ伝送状況が正のＳＲ伝送である場合、端末デバイスは、伝送リソースがＳＲに割り当てられる第１ＰＵＣＣＨリソースであることを決定する。この場合、アップリンク制御情報はＡＣＫ及び正のＳＲ伝送を示す。同様に、ネットワークデバイスが伝送リソース及びアップリンク制御情報に基づいてダウンリンクデータの受信状況及びスケジューリング要求伝送状況を決定する段階は、ネットワークデバイスが、第１の第２リソースに基づいて、ダウンリンクデータの受信状況がＡＣＫであり、スケジューリング要求伝送状況が正のＳＲ伝送であることを決定する段階を有する。
【０１６１】
方式２：ダウンリンクデータの受信状況がＮＡＣＫであり、ＳＲ伝送状況が正のＳＲ伝送である場合、端末デバイスは、伝送リソースがＳＲに割り当てられる第２ＰＵＣＣＨリソースであることを決定する。この場合、アップリンク制御情報はＮＡＣＫ及び正のＳＲ伝送を示す。
【０１６２】
同様に、ネットワークデバイスは、第２の第２リソースに基づいて、ダウンリンクデータの受信状況がＮＡＣＫであり、スケジューリング要求伝送状況が正のＳＲ伝送であることを決定する。
【０１６３】
２つの第２リソースは、第１の第２リソース及び第２の第２リソースを含む。第１の第２リソースと第２の第２リソースとの間に段階が存在せず、第１の第２リソース及び第２の第２リソースは２つの第２リソースのうち１つを識別するために用いられるものに過ぎないことを理解されたい。
【０１６４】
１つの正のＳＲ伝送状況のみが存在し、段階１２０は具体的に、端末デバイスが、ＰＵＣＣＨフォーマットＭに基づいて伝送リソースでアップリンク制御情報を送信する段階であることを理解されたい。
【０１６５】
この解決手段において、ＨＡＲＱ−ＡＣＫ情報及びＳＲは同じ優先度を有する。したがって、ＨＡＲＱ−ＡＣＫ情報がＳＲと衝突する場合、ＨＡＲＱ−ＡＣＫ情報及びＳＲの両方が示され得る。唯一の短所は、１つの正のＳＲ伝送状況のみが存在するが、２つのＳＲリソースが確保される必要があり、ＰＵＣＣＨオーバーヘッドが比較的大きいことである。
【０１６６】
任意選択的に（解決手段５と示される）、Ｎが２であり、Ｍが１であり、端末デバイスがダウンリンクデータの受信状況及びスケジューリング要求伝送状況に基づいて伝送リソースを決定し、当該伝送リソースでアップリンク制御情報を送信することは、以下の方式のうち少なくとも１つを含む。
【０１６７】
方式１：ダウンリンクデータの受信状況がＡＣＫであり、ＳＲ伝送状況が正のＳＲ伝送である場合、端末デバイスは、伝送リソースがＳＲに割り当てられるＰＵＣＣＨリソースであることを決定する。この場合、アップリンク制御情報はＡＣＫ及び正のＳＲ伝送を示す。
【０１６８】
同様に、ネットワークデバイスが伝送リソースでアップリンク制御情報を受信する段階は、ネットワークデバイスが、伝送リソースがＳＲに割り当てられるＰＵＣＣＨリソースであることを決定する段階と、ネットワークデバイスが、ＳＲに割り当てられるＰＵＣＣＨリソースでアップリンク制御情報を受信する段階とを含む。
【０１６９】
ネットワークデバイスが伝送リソース及びアップリンク制御情報に基づいてダウンリンクデータの受信状況及びスケジューリング要求伝送状況を決定する段階は、ネットワークデバイスが、ＳＲに割り当てられるＰＵＣＣＨリソースに基づいて、ダウンリンクデータの受信状況がＡＣＫであり、スケジューリング要求伝送状況が正のＳＲ伝送であることを決定する段階を有する。
【０１７０】
方式２：ダウンリンクデータの受信状況がＮＡＣＫであり、ＳＲ伝送状況が正のＳＲ伝送である場合、端末デバイスは、伝送リソースがＮＡＣＫに割り当てられるＰＵＣＣＨリソースであることを決定する。この場合、アップリンク制御情報はＮＡＣＫ及び負のＳＲ伝送を示す。
【０１７１】
同様に、ネットワークデバイスが伝送リソースでアップリンク制御情報を受信する段階は、ネットワークデバイスが、伝送リソースがＮＡＣＫに割り当てられるＰＵＣＣＨリソースであることを決定する段階と、ネットワークデバイスが、ＮＡＣＫに対応する第１リソースでアップリンク制御情報を受信する段階とを含む。
【０１７２】
ネットワークデバイスが伝送リソース及びアップリンク制御情報に基づいてダウンリンクデータの受信状況及びスケジューリング要求伝送状況を決定する段階は、ネットワークデバイスが、ＮＡＣＫに対応する第１リソースに基づいて、ダウンリンクデータの受信状況がＮＡＣＫ及び負のＳＲ伝送であることを決定する段階を有する。
【０１７３】
Ｓ１２０は具体的に、端末デバイスが、ＰＵＣＣＨフォーマットＭに基づいて伝送リソースでアップリンク制御情報を送信する段階であることを理解されたい。
【０１７４】
この解決手段において、ＳＲの優先度はＮＡＣＫの優先度より低い。しかしながら、ＮＡＣＫの発生確率が比較的低いことを考慮すると、ＳＲレイテンシへの影響は比較的少ない。しかしながら、この解決手段において、ダウンリンクデータの受信状況がＤＴＸであり、ＳＲ伝送状況が正のＳＲ伝送である場合、端末デバイスは、ＳＲに割り当てられるリソースでアップリンク制御情報の伝送も行う。したがって、ネットワークデバイスがダウンリンクデータを送信するが端末デバイスがダウンリンクデータの受信状況をＤＴＸとみなし、ネットワークデバイスがＳＲに割り当てられるリソースで伝送されたアップリンク制御情報を受信し、ダウンリンクデータの受信状況をＡＣＫとみなす場合、問題が生じる。したがって、信頼性が比較的低い。
【０１７５】
任意選択的に（解決手段６と示される）、Ｎが２であり、Ｍが１であり、端末デバイスがダウンリンクデータの受信状況及びＳＲ伝送状況に基づいて伝送リソースを決定し、伝送リソースでアップリンク制御情報を送信することは、以下の方式のうち少なくとも１つを含む。
【０１７６】
方式１：ダウンリンクデータの受信状況がＡＣＫであり、ＳＲ伝送状況が正のＳＲ伝送である場合、端末デバイスは、伝送リソースがＡＣＫに割り当てられるＰＵＣＣＨリソースであることを決定する。この場合、アップリンク制御情報はＡＣＫ及び負のＳＲ伝送を示す。
【０１７７】
同様に、ネットワークデバイスが伝送リソースでアップリンク制御情報を受信する段階は、ネットワークデバイスが、伝送リソースがＡＣＫに割り当てられるＰＵＣＣＨリソースであることを決定する段階と、ネットワークデバイスが、ＡＣＫに割り当てられるＰＵＣＣＨリソースでアップリンク制御情報を受信する段階とを含む。
【０１７８】
ネットワークデバイスは、ＡＣＫに割り当てられるＰＵＣＣＨリソースに基づいて、ダウンリンクデータの受信状況がＡＣＫであり、スケジューリング要求伝送状況が負のＳＲ伝送であることを決定する。
【０１７９】
方式２：ダウンリンクデータの受信状況がＮＡＣＫであり、ＳＲ伝送状況が正のＳＲ伝送である場合、端末デバイスは、伝送リソースがＳＲに割り当てられるＰＵＣＣＨリソースであることを決定する。この場合、アップリンク制御情報はＮＡＣＫ及び正のＳＲ伝送を示す。
【０１８０】
同様に、ネットワークデバイスが伝送リソースでアップリンク制御情報を受信する段階は、ネットワークデバイスが、伝送リソースがＳＲに割り当てられるＰＵＣＣＨリソースであることを決定する段階と、ネットワークデバイスが、ＳＲに割り当てられるＰＵＣＣＨリソースでアップリンク制御情報を受信する段階とを含む。
【０１８１】
ネットワークデバイスは、ＳＲに割り当てられるＰＵＣＣＨリソースに基づいて、ダウンリンクデータの受信状況がＮＡＣＫであり、スケジューリング要求伝送状況が正のＳＲ伝送であることを決定する。
【０１８２】
Ｓ１２０は具体的に、端末デバイスが、ＰＵＣＣＨフォーマットＭに基づいて伝送リソースでアップリンク制御情報を送信する段階であることを理解されたい。
【０１８３】
この解決手段において、上述の解決手段におけるＤＴＸとＡＣＫとの間の誤認識が回避され、受信性能が安定する。しかしながら、ＳＲの優先度はＡＣＫの優先度より低い。ＡＣＫの発生確率が比較的高いことを考慮すると、ＳＲレイテンシへの影響は比較的大きくなり得る。
【０１８４】
任意選択的に（解決手段７と示される）、Ｎが２であり、Ｍが２であり、端末デバイスがダウンリンクデータの受信状況及びＳＲ伝送状況に基づいて伝送リソースを決定し、伝送リソースでアップリンク制御情報を送信することは、以下の方式のうち少なくとも１つを含む。
【０１８５】
方式１：ダウンリンクデータの受信状況がＮＡＣＫ又はＡＣＫであり、ＳＲ伝送状況が第１の正のＳＲ伝送である場合、端末デバイスは、伝送リソースが第１の正のＳＲ伝送に割り当てられるＰＵＣＣＨリソースであることを決定する。この場合、アップリンク制御情報はＮＡＣＫ及び第１の正のＳＲ伝送を示すか、又はアップリンク制御情報はＮＡＣＫ／ＤＴＸ及び第１の正のＳＲ伝送を示す。
【０１８６】
同様に、ネットワークデバイスが伝送リソースでアップリンク制御情報を受信する段階は、ネットワークデバイスが、伝送リソースが第１の正のＳＲ伝送に割り当てられるＰＵＣＣＨリソースであることを決定する段階と、ネットワークデバイスが、第１の正のＳＲ伝送に割り当てられるＰＵＣＣＨリソースでアップリンク制御情報を受信する段階とを含む。
【０１８７】
ネットワークデバイスは、第１の正のＳＲ伝送に割り当てられるＰＵＣＣＨリソースに基づいて、ダウンリンクデータの受信状況がＮＡＣＫ／ＤＴＸ及び第１の正のＳＲ伝送であることを決定する。
【０１８８】
方式２：ダウンリンクデータの受信状況がＮＡＣＫ又はＡＣＫであり、ＳＲ伝送状況が第２の正のＳＲ伝送である場合、端末デバイスは、伝送リソースが第２の正のＳＲ伝送に割り当てられるＰＵＣＣＨリソースであることを決定する。この場合、アップリンク制御情報はＮＡＣＫ及び第２の正のＳＲ伝送を示すか、又はアップリンク制御情報はＮＡＣＫ／ＤＴＸ及び第２の正のＳＲ伝送のＰＵＣＣＨリソースを示す。
【０１８９】
同様に、ネットワークデバイスが伝送リソースでアップリンク制御情報を受信する段階は、ネットワークデバイスが、伝送リソースが第２の正のＳＲ伝送のＰＵＣＣＨリソースであることを決定する段階と、ネットワークデバイスが、第２の正のＳＲ伝送のＰＵＣＣＨリソースでアップリンク制御情報を受信する段階とを含む。
【０１９０】
ネットワークデバイスは、第２の正のＳＲ伝送のＰＵＣＣＨリソースに基づいて、ダウンリンクデータの受信状況がＮＡＣＫ／ＤＴＸであり、第２の正のＳＲ伝送のＰＵＣＣＨリソースであることを決定する。
【０１９１】
２つの正のＳＲ伝送状況がある場合、段階１２０は具体的に、端末デバイスが、ＰＵＣＣＨフォーマットОに基づいて伝送リソースでアップリンク制御情報を送信する段階であることを理解されたい。
【０１９２】
この解決手段において、ダウンリンクデータの状況を示すためにＳＲリソースが用いられる必要がある場合、ＡＣＫ及びＮＡＣＫのうち１つのみが選択され得る。ＮＡＣＫがＡＣＫより重要であることを考慮すると、ＡＣＫの優先度はより低い。この解決手段において、ＳＲ伝送が確保され、アップリンクリソース要求レイテンシの増加が回避される。唯一の短所は、ＡＣＫの伝送が遅延し、ダウンリンクデータのレイテンシが影響され得ることである。
【０１９３】
任意選択的に（解決手段８と示される）、Ｎが２であり、Ｍが２であり、端末デバイスがダウンリンクデータの受信状況及びスケジューリング要求伝送状況に基づいて伝送リソースを決定し、当該伝送リソースでアップリンク制御情報を送信することは、以下の方式のうち少なくとも１つを含む。
【０１９４】
方式１：ダウンリンクデータの受信状況がＡＣＫであり、ＳＲ伝送状況が第１又は第２の正のＳＲ伝送である場合、端末デバイスは、伝送リソースが第１又は第２の正のＳＲ伝送に割り当てられるＰＵＣＣＨリソースであることを決定する。この場合、アップリンク制御情報はＡＣＫ及び第１又は第２の正のＳＲ伝送を示す。
【０１９５】
同様に、ネットワークデバイスが伝送リソースでアップリンク制御情報を受信する段階は、ネットワークデバイスが、伝送リソースが第１又は第２の正のＳＲ伝送に割り当てられるＰＵＣＣＨリソースであることを決定する段階と、ネットワークデバイスが、第１又は第２の正のＳＲ伝送に割り当てられるＰＵＣＣＨリソースでアップリンク制御情報を受信する段階とを含む。
【０１９６】
ネットワークデバイスは、第１又は第２の正のＳＲ伝送に割り当てられるＰＵＣＣＨリソースに基づいて、ダウンリンクデータの受信状況がＡＣＫであり、スケジューリング要求伝送状況が第１又は第２の正のＳＲ伝送であることを決定する。
【０１９７】
方式２：ダウンリンクデータの受信状況がＮＡＣＫであり、ＳＲ伝送状況が第１又は第２の正のＳＲ伝送である場合、端末デバイスは、伝送リソースがＮＡＣＫに割り当てられるＰＵＣＣＨリソースであることを決定する。この場合、アップリンク制御情報はＮＡＣＫ及び負のＳＲ伝送を示す。
【０１９８】
同様に、ネットワークデバイスが伝送リソースでアップリンク制御情報を受信する段階は、ネットワークデバイスが、伝送リソースがＮＡＣＫに割り当てられるＰＵＣＣＨリソースであることを決定する段階と、ネットワークデバイスが、ＮＡＣＫに割り当てられるＰＵＣＣＨリソースでアップリンク制御情報を受信する段階とを含む。
【０１９９】
ネットワークデバイスは、ＮＡＣＫに割り当てられるＰＵＣＣＨリソースに基づいて、ダウンリンクデータの受信状況がＮＡＣＫ及び負のＳＲ伝送であることを決定する。
【０２００】
２つの正のＳＲ伝送状況がある場合、段階１２０は具体的に、端末デバイスが、ＰＵＣＣＨフォーマットОに基づいて伝送リソースでアップリンク制御情報を送信する段階であることを理解されたい。
【０２０１】
この解決手段において、ＳＲの優先度はＮＡＣＫの優先度より低い。しかしながら、ＮＡＣＫの発生確率が比較的低いことを考慮すると、ＳＲレイテンシへの影響は比較的少ない。
【０２０２】
任意選択的に（解決手段９と示される）、Ｎが２であり、Ｍが２であり、端末デバイスがダウンリンクデータの受信状況及びスケジューリング要求伝送状況に基づいて伝送リソースを決定し、伝送リソースでアップリンク制御情報を送信することは、以下の決定方式の少なくとも１つを含む。
【０２０３】
方式１：ダウンリンクデータの受信状況がＡＣＫであり、ＳＲ伝送状況が第１又は第２の正のＳＲ伝送である場合、端末デバイスは、伝送リソースがＡＣＫに割り当てられるＰＵＣＣＨリソースであることを決定する。この場合、アップリンク制御情報はＡＣＫ及び負のＳＲ伝送を示す。
【０２０４】
同様に、ネットワークデバイスが伝送リソースでアップリンク制御情報を受信する段階は、ネットワークデバイスが、伝送リソースがＡＣＫに割り当てられるＰＵＣＣＨリソースであることを決定する段階と、ネットワークデバイスが、ＡＣＫに割り当てられるＰＵＣＣＨリソースでアップリンク制御情報を受信する段階とを含む。
【０２０５】
ネットワークデバイスは、ＡＣＫに割り当てられるＰＵＣＣＨリソースに基づいて、ダウンリンクデータの受信状況がＡＣＫであり、スケジューリング要求伝送状況が負のＳＲ伝送であることを決定する。
【０２０６】
方式２：ダウンリンクデータの受信状況がＮＡＣＫであり、ＳＲ伝送状況が第１又は第２の正のＳＲ伝送である場合、端末デバイスは、伝送リソースが第１又は第２の正のＳＲ伝送に割り当てられるＰＵＣＣＨリソースであることを決定する。この場合、アップリンク制御情報はＮＡＣＫ及び第１又は第２の正のＳＲ伝送を示す。
【０２０７】
同様に、ネットワークデバイスが伝送リソースでアップリンク制御情報を受信する段階は、ネットワークデバイスが、伝送リソースが第１又は第２の正のＳＲ伝送に割り当てられるＰＵＣＣＨリソースであることを決定する段階と、ネットワークデバイスが、第１又は第２の正のＳＲ伝送に割り当てられるＰＵＣＣＨリソースでアップリンク制御情報を受信する段階とを含む。
【０２０８】
ネットワークデバイスは、第１又は第２の正のＳＲ伝送に割り当てられるＰＵＣＣＨリソースに基づいて、ダウンリンクデータの受信状況がＮＡＣＫ及び第１又は第２の正のＳＲ伝送であることを決定する。
【０２０９】
２つの正のＳＲ伝送状況がある場合、段階１２０は具体的に、端末デバイスが、ＰＵＣＣＨフォーマットОに基づいて伝送リソースでアップリンク制御情報を送信する段階であることを理解されたい。
【０２１０】
この解決手段において、ＤＴＸとＡＣＫとの間の誤認識が回避され、受信性能が安定する。しかしながら、ＳＲの優先度はＡＣＫの優先度より低い。ＡＣＫの発生確率が比較的高いことを考慮すると、ＳＲレイテンシへの影響は比較的大きくなり得る。
【０２１１】
任意選択的に（解決手段１０と示される）、Ｎが２又は４であり、Ｍが１であり、端末デバイスがダウンリンクデータの受信状況及びスケジューリング要求伝送状況に基づいて伝送リソースを決定し、当該伝送リソースでアップリンク制御情報を送信することは、以下の決定方式の少なくとも１つを含む。
【０２１２】
ダウンリンクデータの受信状況が２つ又は４つの状況のうちいずれか１つであり、ＳＲ伝送状況が少なくとも２つのタイプの正のＳＲ伝送のうち１つである場合、端末デバイスは、伝送リソースがＳＲに割り当てられるＰＵＣＣＨリソースであることを決定し、端末デバイスは、１つの第２リソースで、ｎビットの情報を搬送するために用いられるＰＵＣＣＨと、当該ＰＵＣＣＨを復調するために用いられる復調基準信号とを送信し、ｎビットの情報はダウンリンクデータの受信状況及びＳＲ伝送状況を示し、ネットワークデバイスは、ＳＲに割り当てられるＰＵＣＣＨリソースで、ｎビットの情報を搬送するために用いられるＰＵＣＣＨと、当該ＰＵＣＣＨを復調するために用いられる復調基準信号とを受信し、ｎビットの情報はダウンリンクデータの受信状況及びＳＲ伝送状況を示し、ネットワークデバイスは、ＳＲに割り当てられるＰＵＣＣＨリソース、及びｎビットの情報に基づいて、ダウンリンクデータの受信状況がダウンリンクデータの２つの受信状況のうち１つであるか、又はダウンリンクデータの４つの受信状況のうち１つであり、ＳＲ伝送状況が少なくとも２つのタイプの正のＳＲ伝送のうち１つであることを決定する。
【０２１３】
少なくとも２つの正のＳＲ伝送状況がある場合、段階１２０は具体的に、端末デバイスが、ＰＵＣＣＨフォーマットＰに基づいて伝送リソースでアップリンク制御情報を送信する段階であることを理解されたい。
【０２１４】
この解決手段において、ＳＲ及びＨＡＲＱ−ＡＣＫ情報は同様に重要であり、すなわち、同じ優先度を有する。
【０２１５】
任意選択的に、端末デバイスがダウンリンクデータの受信状況及びスケジューリング要求伝送状況に基づいて伝送リソースを決定する前に、方法１００は以下の段階をさらに含む。
【０２１６】
Ｓ１０２．端末デバイスはシグナリングを受信し、シグナリングは、上述の制御情報伝送ソリューションのうち１つを用いて伝送リソースを決定し、伝送リソースでアップリンク制御情報を送信するように、端末デバイスに命令する。
【０２１７】
同様に、端末デバイスがシグナリングを受信する前に、方法はさらに、ネットワークデバイスがシグナリングを送信する段階であって、シグナリングは、上述の制御情報伝送ソリューションのうち１つを用いて伝送リソースを決定し、伝送リソースでアップリンク制御情報を送信するように端末デバイスに命令する、送信する段階を有する。
【０２１８】
任意選択的に、シグナリングは上位層シグナリングである。上位層シグナリング（Ｈｉｇｈｅｒ  Ｌａｙｅｒ  Ｓｉｇｎａｌｉｎｇ）は物理層シグナリングに関連し、上位層（ｌａｙｅｒ）から来るシグナリングであり、より低い伝送周波数を有し、無線リソース制御（ＲＲＣ、Ｒａｄｉｏ  Ｒｅｓｏｕｒｃｅ  Ｃｏｎｔｒｏｌ）シグナリング及びメディアアクセス制御（ＭＡＣ、Ｍｅｄｉａ  Ａｃｃｅｓｓ  Ｃｏｎｔｒｏｌ）シグナリングを含む。
【０２１９】
本願のこの実施形態における制御情報伝送方法により、ＰＵＣＣＨシンボルの数が１、２又は３個のシンボルに減少した後に、ＳＲをいかに伝送するか、並びに、ＳＲ及びＨＡＲＱ−ＡＣＫ情報をいかに同時に伝送するかについての問題が効率的に解決される。
【０２２０】
本願の実施形態はさらに、制御情報伝送方法を提供する。方法は、端末デバイスが、伝送リソースがＳＲに割り当てられるＰＵＣＣＨリソースであることを決定する段階と、端末デバイスが、伝送リソースでアップリンク制御情報を送信する段階であって、アップリンク制御情報は１ビット又は２ビットのＨＡＲＱ−ＡＣＫ情報及び少なくとも２ビットのＳＲ伝送状況指示情報を含む、送信する段階と、ネットワークデバイスが、ＳＲに割り当てられるＰＵＣＣＨリソースでアップリンク制御情報を受信する段階と、ネットワークデバイスが、伝送リソース及びアップリンク制御情報に基づいてダウンリンクデータの受信状況及びスケジューリング要求伝送状況を決定する段階とを含む。
【０２２１】
具体的に、ダウンリンクデータが端末デバイスによって受信される場合、端末デバイスは、ダウンリンクデータの受信状況がＤＴＸでないことを決定する。端末デバイスは、ＳＲ伝送状況が正のＳＲ伝送であることを決定する。この場合、端末デバイスは伝送リソースがＳＲに割り当てられるＰＵＣＣＨリソースであることを決定する。アップリンク制御情報は、１ビット又は２ビットのＨＡＲＱ−ＡＣＫ情報及び少なくとも２ビットのＳＲ伝送状況指示情報を含む。具体的に、端末デバイスはＰＵＣＣＨフォーマットＰに基づいてアップリンク制御情報を送信する。
【０２２２】
端末デバイスが、ＳＲ伝送状況が負のＳＲ伝送であることを決定するならば、この場合、端末デバイスは、伝送リソースがＨＡＲＱ−ＡＣＫ情報に割り当てられるＰＵＣＣＨリソースであることを決定する。端末デバイスはＰＵＣＣＨフォーマットＹａ又はＹｂに基づいてアップリンク制御情報を送信する。
【０２２３】
この方法は、伝送リソース構成方法１００と無関係であることに注意されたい。
【０２２４】
本願のこの実施形態における制御情報伝送方法により、ＰＵＣＣＨシンボルの数が１、２又は３個のシンボルに減少した後に、ＳＲをいかに伝送するか、並びに、ＳＲ及びＨＡＲＱ−ＡＣＫ情報をいかに同時に伝送するかについての問題が効率的に解決される。
【０２２５】
上述の内容は、図２を参照して本願の実施形態に係る制御情報伝送方法１００を詳細に説明する。以下は、図３から図６を参照して本願の実施形態に係る端末デバイス及びネットワークデバイスを詳細に説明する。端末デバイス及びネットワークデバイスは、上述の実施形態における方法を実行し得ることに注意されたい。したがって、具体的な詳細については、上述の実施形態における説明を参照されたい。簡潔にするため、詳細についてはここで改めて説明しない。
【０２２６】
図３は、本願の実施形態に係る端末デバイス２００の概略ブロック図である。図３に示されるように、端末デバイス２００は、ダウンリンクデータの受信状況及びスケジューリング要求伝送状況に基づいて伝送リソースを決定するように構成されている処理モジュール２１０であって、伝送リソースが、Ｎ個の第１リソースのうち１つ又はＭ個の第２リソースのうち１つであり、Ｎ個の第１リソースはダウンリンクデータのＮ個の受信状況に対応し、Ｍ個の第２リソースはスケジューリング要求を伝送するために用いられ、Ｎが１より大きな正の整数であり、Ｍが正の整数である、処理モジュール２１０と、伝送リソースでアップリンク制御情報を送信するように構成されている送受信モジュール２２０とを含む。任意選択的に、送受信モジュール２２０は、ダウンリンクデータを受信するようにさらに構成される。
【０２２７】
送受信モジュール２２０がダウンリンクデータを受信した後、処理モジュール２１０はダウンリンクデータの受信状況を決定する必要がある。例えば、ダウンリンクデータはＰＤＳＣＨで搬送されるデータである。ダウンリンクデータは、ネットワークデバイスによって伝送されてよい。
【０２２８】
ダウンリンクデータ、ダウンリンクデータの受信状況、Ｎ個の第１リソース及びＭ個の第２リソースなどの説明については、伝送リソース構成方法１００における説明を特に参照し得ることに注意されたい。簡潔にするために、詳細についてはここで改めて説明しない。
【０２２９】
任意選択的に、送受信モジュール２２０は、第１リソース指示情報を受信するようにさらに構成されており、第１リソース指示情報はＮ個の第１リソースを示す。任意選択的に、送受信モジュール２２０は、第２リソース指示情報を受信するようにさらに構成されており、第２リソース指示情報はＭ個の第２リソースを示す。
【０２３０】
第１リソース指示情報及び第２リソース指示情報の説明については、伝送リソース構成方法１００における説明が特に参照し得ることに注意されたい。簡潔にするために、詳細についてはここで改めて説明しない。
【０２３１】
本願のこの実施形態において、ダウンリンクデータの受信状況及びＳＲ伝送状況を決定した後、端末デバイスは、ダウンリンクデータの受信状況及びＳＲ伝送状況に基づいて伝送リソースを決定する。
【０２３２】
任意選択的に、Ｎが２又は４であり、処理モジュール２１０は、スケジューリング要求伝送状況が正のスケジューリング要求伝送である場合、伝送リソースがＭ個の第２リソースのうち１つであることを決定するように具体的に構成されており、アップリンク制御情報はＮ個のデータ受信状況のうち１つ及び正のスケジューリング要求伝送を示す。
【０２３３】
任意選択的に、Ｍが１であり、処理モジュール２１０は、ダウンリンクデータの受信状況がダウンリンクデータの２つの受信状況のうち１つであるか、又はダウンリンクデータの受信状況がダウンリンクデータの４つの受信状況のうち１つであり、スケジューリング要求伝送状況が正のスケジューリング要求伝送である場合、伝送リソースが１つの第２リソースであることを決定するように具体的に構成されており、アップリンク制御情報はＮＡＣＫ及び正のＳＲ伝送を示すか、又はアップリンク制御情報は（ＮＡＣＫ、ＮＡＣＫ）及び正のＳＲ伝送を示すか、又はアップリンク制御情報はＮＡＣＫ／ＤＴＸ及び正のＳＲ伝送を示すか、又はアップリンク制御情報は（ＮＡＣＫ、ＮＡＣＫ）／（ＤＴＸ、ＤＴＸ）及び正のＳＲ伝送を示す。
【０２３４】
本願のこの実施形態における端末デバイスによれば、１つのみのＰＵＣＣＨリソースがＳＲに割り当てられるので、ＳＲ衝突が生じるとき、ダウンリンクデータの状況を示すためにＳＲリソースが用いられる必要がある場合、ＡＣＫ及びＮＡＣＫのうち１つのみが選択され得る。ＮＡＣＫがＡＣＫより重要であることを考慮すると、ＡＣＫの優先度はより低い。具体的に、ＡＣＫが正のＳＲ伝送と衝突する場合、ＡＣＫは破棄され示されず、ネットワークデバイスはＡＣＫをＮＡＣＫとして扱う。しかしながら、ＮＡＣＫが正のＳＲ伝送と衝突する場合、ＮＡＣＫ及び正のＳＲ伝送の両方が示される。当該端末デバイスによれば、ＳＲ伝送が確保され、アップリンクリソース要求レイテンシの増加が回避される。唯一の短所は、ＡＣＫの伝送が遅延し、ダウンリンクデータのレイテンシが影響され得ることである。
【０２３５】
任意選択的に、Ｍが１であり、処理モジュール２１０は、ダウンリンクデータの受信状況がダウンリンクデータの２つの受信状況のうち１つであるか、又はダウンリンクデータの受信状況がダウンリンクデータの４つの受信状況のうち１つであり、かつ、スケジューリング要求伝送状況が正のスケジューリング要求伝送である場合、伝送リソースが１つの第２リソースであることを決定するように具体的に構成されており、アップリンク制御情報は正のスケジューリング要求伝送及びダウンリンクデータの受信状況を示し、送受信モジュールは、１つの第２リソースで、１ビット又は２ビットの情報を搬送するために用いられるＰＵＣＣＨと、当該ＰＵＣＣＨを復調するために用いられる復調基準信号とを送信するように具体的に構成されており、１ビット又は２ビットの情報はダウンリンクデータの受信状況を示す。
【０２３６】
送受信モジュール２２０が、ＰＵＣＣＨフォーマットＹａ又はＹｂに基づいて伝送リソースでアップリンク制御情報を送信することを理解されたい。
【０２３７】
本願のこの実施形態における端末デバイスによれば、ＰＵＣＣＨフォーマットＹａ又はＹｂの性能はＰＵＣＣＨフォーマットＸの性能より劣る。しかしながら、端末デバイスによれば、ＳＲ、ＡＣＫ及びＮＡＣＫが同じ優先度を有するようにするために、ＨＡＲＱ−ＡＣＫ情報がＳＲと衝突する場合、ＨＡＲＱ−ＡＣＫ情報及びＳＲはＰＵＣＣＨフォーマットＹａを用いて伝送される。具体的には、衝突が生じる場合、どの状況も破棄されない。
【０２３８】
任意選択的に、Ｎが２であり、Ｍが２であり、２つの第２リソースは第１の第２リソース及び第２の第２リソースを含み、処理モジュール２１０は、ダウンリンクデータの受信状況がＡＣＫであり、スケジューリング要求伝送状況が正のスケジューリング要求伝送である場合、伝送リソースが第１の第２リソースであることを決定するように具体的に構成されており、アップリンク制御情報は正のスケジューリング要求伝送及びＡＣＫを示すか、又はダウンリンクデータの受信状況がＮＡＣＫであり、スケジューリング要求伝送状況が正のスケジューリング要求伝送である場合、伝送リソースが第２の第２リソースであることを決定するように具体的に構成されており、アップリンク制御情報は正のスケジューリング要求伝送及びＮＡＣＫを示す。
【０２３９】
２つの第２リソースは、第１の第２リソース及び第２の第２リソースを含む。第１の第２リソースと第２の第２リソースとの間に段階が存在せず、第１の第２リソース及び第２の第２リソースは２つの第２リソースのうち１つを識別するために用いられるものに過ぎないことを理解されたい。
【０２４０】
１つの正のＳＲ伝送状況のみが存在し、送受信モジュール２２０がＰＵＣＣＨフォーマットＭに基づいて伝送リソースでアップリンク制御情報を送信することを理解されたい。
【０２４１】
端末デバイスによれば、本願のこの実施形態において、ＨＡＲＱ−ＡＣＫ情報及びＳＲは同じ優先度を有する。したがって、ＨＡＲＱ−ＡＣＫ情報がＳＲと衝突する場合、ＨＡＲＱ−ＡＣＫ情報及びＳＲの両方が示され得る。唯一の短所は、１つの正のＳＲ伝送状況のみが存在するが、２つのＳＲリソースが確保される必要があり、ＰＵＣＣＨオーバーヘッドが比較的大きいことである。
【０２４２】
任意選択的に、Ｎが２であり、送受信モジュール２２０はダウンリンクデータを受信するようにさらに構成されており、ダウンリンクデータは２つのトランスポートブロックＴＢを含み、処理モジュール２１０は、ダウンリンクデータの受信状況が２つのＴＢにそれぞれ対応する受信状況の空間バンドリング結果であることを決定するようにさらに構成されている。
【０２４３】
任意選択的に、処理モジュール２１０は、ダウンリンクデータの受信状況がダウンリンクデータの２つの受信状況のうち１つであるか、又はダウンリンクデータの受信状況がダウンリンクデータの４つの受信状況のうち１つであり、スケジューリング要求伝送状況が負のスケジューリング要求伝送である場合、伝送リソースがＮ個の第１リソースのうち１つであることを決定するように具体的に構成されている。
【０２４４】
任意選択的に、Ｎが２であり、Ｍが１であり、ダウンリンクデータの２つの受信状況が肯定応答ＡＣＫ及び否定応答ＮＡＣＫを含み、処理モジュール２１０は、ダウンリンクデータの受信状況がＡＣＫであり、スケジューリング要求伝送状況が正のスケジューリング要求伝送である場合、伝送リソースが１つの第２リソースであることを決定するように具体的に構成されており、アップリンク制御情報はＡＣＫ及び正のスケジューリング要求伝送を示すか、又はダウンリンクデータの受信状況がＮＡＣＫであり、スケジューリング要求伝送状況が正のスケジューリング要求伝送である場合、伝送リソースがＮＡＣＫに対応する第１リソースであることを決定するように具体的に構成されており、アップリンク制御情報はＮＡＣＫ及び負のスケジューリング要求伝送を示す。
【０２４５】
本願のこの実施形態における端末デバイスによれば、ＳＲの優先度はＮＡＣＫの優先度より低い。しかしながら、ＮＡＣＫの発生確率が比較的低いことを考慮すると、ＳＲレイテンシへの影響は比較的少ない。ダウンリンクデータの受信状況がＤＴＸであり、ＳＲ伝送状況が正のＳＲ伝送である場合、端末デバイスは、ＳＲに割り当てられるリソースでアップリンク制御情報の伝送も行う。したがって、ネットワークデバイスはダウンリンクデータを送信するが端末デバイスはダウンリンクデータの受信状況をＤＴＸとみなし、ネットワークデバイスはＳＲに割り当てられるリソースで伝送されるアップリンク制御情報を受信してダウンリンクデータの受信状況をＡＣＫとみなす場合、問題が生じる。したがって、信頼性が比較的低い。
【０２４６】
任意選択的に、Ｎが２であり、Ｍが１であり、ダウンリンクデータの２つの受信状況が肯定応答ＡＣＫ及び否定応答ＮＡＣＫを含み、処理モジュール２１０は、ダウンリンクデータの受信状況がＡＣＫであり、スケジューリング要求伝送状況が正のスケジューリング要求伝送である場合、伝送リソースがＡＣＫに対応する第１リソースであることを決定するように具体的に構成されており、アップリンク制御情報はＡＣＫ及び負のスケジューリング要求伝送を示すか、又はダウンリンクデータの受信状況がＮＡＣＫであり、スケジューリング要求伝送状況が正のスケジューリング要求伝送である場合、端末デバイスが、伝送リソースが１つの第２リソースであることを決定するように具体的に構成されており、アップリンク制御情報はＮＡＣＫ及び正のスケジューリング要求伝送を示す。
【０２４７】
本願のこの実施形態における端末デバイスによれば、上述の端末デバイスに係るＤＴＸとＡＣＫとの間の誤認識は回避され、受信性能が安定する。しかしながら、ＳＲの優先度はＡＣＫの優先度より低い。ＡＣＫの発生確率が比較的高いことを考慮すると、ＳＲレイテンシへの影響は比較的大きくなり得る。
【０２４８】
任意選択的に、Ｎが２であり、Ｍが２であり、ダウンリンクデータの２つの受信状況が肯定応答ＡＣＫ及び否定応答ＮＡＣＫを含み、スケジューリング要求は第１のスケジューリング要求及び第２のスケジューリング要求を含み、２つの第２リソースは第１のスケジューリング要求に対応する第２リソース及び第２のスケジューリング要求に対応するスケジューリングリソースを含み、処理モジュール２１０は、ダウンリンクデータの受信状況がＡＣＫ又はＮＡＣＫであり、スケジューリング要求伝送状況が第１の正のスケジューリング要求伝送である場合、伝送リソースが第１のスケジューリング要求の伝送に対応する第２リソースであることを決定するように具体的に構成されており、アップリンク制御情報はＮＡＣＫ／ＤＴＸ及び第１の正のスケジューリング要求伝送を示するか、又はダウンリンクデータの受信状況がＡＣＫ又はＮＡＣＫであり、スケジューリング要求伝送状況が第２の正のスケジューリング要求伝送である場合、伝送リソースが第２のスケジューリング要求の伝送に対応する第２リソースであることを決定するように具体的に構成されており、アップリンク制御情報はＮＡＣＫ／ＤＴＸ及び第２の正のスケジューリング要求伝送を示す。
【０２４９】
本願のこの実施形態における端末デバイスによれば、ダウンリンクデータの状況を示すためにＳＲリソースが用いられる必要がある場合、ＡＣＫ及びＮＡＣＫのうち１つのみが選択され得る。ＮＡＣＫがＡＣＫより重要であることを考慮すると、ＡＣＫの優先度はより低い。端末デバイスによれば、ＳＲ伝送が確保され、アップリンクリソース要求レイテンシの増加が回避される。唯一の短所は、ＡＣＫの伝送が遅延し、ダウンリンクデータのレイテンシが影響され得ることである。
【０２５０】
任意選択的に、Ｎが２であり、Ｍが２であり、ダウンリンクデータの２つの受信状況が肯定応答ＡＣＫ及び否定応答ＮＡＣＫを含み、スケジューリング要求は第１のスケジューリング要求及び第２のスケジューリング要求を含み、２つの第２リソースは第１のスケジューリング要求に対応する第２リソース及び第２のスケジューリング要求に対応するスケジューリングリソースを含み、処理モジュール２１０は、ダウンリンクデータの受信状況がＡＣＫであり、スケジューリング要求伝送状況が第１の正のスケジューリング要求伝送であるか、又は第２の正のスケジューリング要求伝送である場合、端末デバイスが、伝送リソースが第１のスケジューリング要求の伝送に対応する第２リソースであるか、又は第２のスケジューリング要求の伝送に対応する第２リソースであることを決定するように具体的に構成されており、アップリンク制御情報はＡＣＫ及び第１の正のスケジューリング要求伝送又は第２の正のスケジューリング要求伝送を示すか、又はダウンリンクデータの受信状況がＮＡＣＫであり、スケジューリング要求伝送状況が第１の正のスケジューリング要求伝送又は第２の正のスケジューリング要求伝送である場合、端末デバイスが、伝送リソースがＮＡＣＫに対応する第１リソースであることを決定するように具体的に構成されており、アップリンク制御情報はＮＡＣＫ及び負のスケジューリング要求伝送を示す。
【０２５１】
本願のこの実施形態における端末デバイスによれば、ＳＲの優先度はＮＡＣＫの優先度より低い。しかしながら、ＮＡＣＫの発生確率が比較的低いことを考慮すると、ＳＲレイテンシへの影響は比較的少ない。
【０２５２】
任意選択的に、Ｎが２であり、Ｍが２であり、ダウンリンクデータの２つの受信状況が肯定応答ＡＣＫ及び否定応答ＮＡＣＫを含み、スケジューリング要求は第１のスケジューリング要求及び第２のスケジューリング要求を含み、２つの第２リソースは第１のスケジューリング要求に対応する第２リソース及び第２のスケジューリング要求に対応するスケジューリングリソースを含み、処理モジュール２１０は、ダウンリンクデータの受信状況がＡＣＫであり、スケジューリング要求伝送状況が第１の正のスケジューリング要求伝送又は第２の正のスケジューリング要求伝送である場合、伝送リソースがＡＣＫに対応する第１リソースであることを決定するように具体的に構成されており、アップリンク制御情報はＡＣＫ及び負のスケジューリング要求伝送を示すか、又はダウンリンクデータの受信状況がＮＡＣＫであり、スケジューリング要求伝送状況が第１の正のスケジューリング要求伝送又は第２の正のスケジューリング要求伝送である場合、伝送リソースが第１のスケジューリング要求の伝送に対応する第２リソースであるか、又は第２のスケジューリング要求の伝送に対応する第２リソースであることを決定するように具体的に構成されており、アップリンク制御情報はＮＡＣＫ及び第１の正のスケジューリング要求伝送又は第２の正のスケジューリング要求伝送を示す。
【０２５３】
本願のこの実施形態における端末デバイスによれば、ＤＴＸとＡＣＫとの間の誤認識は回避され、受信性能が安定する。しかしながら、ＳＲの優先度はＡＣＫの優先度より低い。ＡＣＫの発生確率が比較的高いことを考慮すると、ＳＲレイテンシへの影響は比較的大きくなり得る。
【０２５４】
任意選択的に、Ｎが２又は４であり、Ｍが１であり、ダウンリンクデータの２つの受信状況が肯定応答ＡＣＫ及び否定応答ＮＡＣＫを含むか、又はダウンリンクデータの４つの受信状況が（ＡＣＫ、ＡＣＫ）、（ＮＡＣＫ、ＮＡＣＫ）、（ＡＣＫ、ＮＡＣＫ）及び（ＮＡＣＫ、ＡＣＫ）を含み、処理モジュール２１０は、ダウンリンクデータの受信状況がダウンリンクデータの２つの受信状況のうち１つであるか、又はダウンリンクデータの受信状況がダウンリンクデータの４つの受信状況のうち１つであり、スケジューリング要求伝送状況が少なくとも２つのタイプの正のＳＲ伝送のうち１つである場合、伝送リソースが１つの第２リソースであることを決定するように具体的に構成されており、アップリンク制御情報は正のスケジューリング要求伝送及びダウンリンクデータの受信状況を示し、送受信モジュール２２０は、１つの第２リソースで、ｎビットの情報を搬送するために用いられるＰＵＣＣＨ、及びＰＵＣＣＨを復調するために用いられる復調基準信号を送信するように具体的に構成されており、ｎビットの情報はダウンリンクデータの受信状況及びＳＲ伝送状況を示す。
【０２５５】
少なくとも２つの正のＳＲ伝送状況が行われ、送受信モジュール２２０がＰＵＣＣＨフォーマットＰに基づいて伝送リソースでアップリンク制御情報を送信することを理解されたい。
【０２５６】
端末デバイスによれば、本願のこの実施形態において、ＳＲ及びＨＡＲＱ−ＡＣＫ情報は同様に重要であり、すなわち、同じ優先度を有する。
【０２５７】
任意選択的に、第１リソースは巡回シフト、直交シーケンス及びリソースブロックの少なくとも１つによって識別され、及び／又は第２リソースは巡回シフト、直交シーケンス及びリソースブロックの少なくとも１つによって識別される。
【０２５８】
任意選択的に、送受信モジュール２２０はシグナリングを受信するようにさらに構成されており、シグナリングは、上述の制御情報伝送ソリューションのうち１つを用いて伝送リソースを決定し、伝送リソースでアップリンク制御情報を送信するように命令する。
【０２５９】
任意選択的に、シグナリングは上位層シグナリングである。
【０２６０】
本願のこの実施形態における制御情報伝送のための端末デバイスによれば、ＰＵＣＣＨシンボルの数が１、２又は３個のシンボルに減少した後に、ＳＲをいかに伝送するか、並びに、ＳＲ及びＨＡＲＱ−ＡＣＫ情報をいかに同時に伝送するかについての問題が効率的に解決される。
【０２６１】
図４は、本願の実施形態に係るネットワークデバイス３００の概略ブロック図である。図４に示されるように、ネットワークデバイス３００は、伝送リソースでアップリンク制御情報を受信するように構成されている送受信モジュール３１０であって、伝送リソースがＮ個の第１リソースのうち１つであるか、又はＭ個の第２リソースのうち１つであり、Ｎ個の第１リソースはダウンリンクデータのＮ個の受信状況に対応し、Ｍ個の第２リソースはスケジューリング要求を伝送するために用いられ、Ｎが１より大きな正の整数であり、Ｍが正の整数である、送受信モジュールと、伝送リソース及びアップリンク制御情報に基づいてダウンリンクデータの受信状況及びスケジューリング要求伝送状況を決定するように構成されている処理モジュール３２０とを含む。
【０２６２】
任意選択的に、送受信モジュール３１０は、ダウンリンクデータを送信するようにさらに構成される。
【０２６３】
任意選択的に、Ｎが２又は４であり、ダウンリンクデータの２つの受信状況が肯定応答ＡＣＫ及び否定応答ＮＡＣＫを含むか、又はダウンリンクデータの４つの受信状況が（ＡＣＫ、ＡＣＫ）、（ＮＡＣＫ、ＮＡＣＫ）、（ＡＣＫ、ＮＡＣＫ）及び（ＮＡＣＫ、ＡＣＫ）を含み、処理モジュール３２０は、伝送リソースがＭ個の第２リソースのうち１つであることを決定するように具体的に構成されており、送受信モジュール３１０は、Ｍ個の第２リソースのうち１つに対するアップリンク制御情報を受信するように具体的に構成されており、処理モジュール３２０は、Ｍ個の第２リソースのうち１つ及びアップリンク制御情報に基づいて、ダウンリンクデータの受信状況がＮ個のデータ受信状況のうち１つであり、スケジューリング要求伝送状況が正のスケジューリング要求伝送であることを決定するように具体的に構成されている。
【０２６４】
任意選択的に、Ｍが１であり、伝送リソースが１つの第２リソースであり、処理モジュール３２０は、１つの第２リソースに基づいて、ダウンリンクデータの受信状況がＮＡＣＫ又は（ＮＡＣＫ、ＮＡＣＫ）であり、スケジューリング要求伝送状況が正のＳＲ伝送であることを決定ように具体的に構成されているか、又は１つの第２リソースに基づいて、ダウンリンクデータの受信状況がＮＡＣＫ／ＤＴＸ又は（ＮＡＣＫ、ＮＡＣＫ）／（ＤＴＸ、ＤＴＸ）であり、スケジューリング要求伝送状況が正のＳＲ伝送であることを決定するように具体的に構成されている。
【０２６５】
本願のこの実施形態におけるネットワークデバイスによれば、１つのみのＰＵＣＣＨリソースがＳＲに割り当てられるので、ＳＲ衝突が生じる場合、ダウンリンクデータの状況を示すためにＳＲリソースが用いられる必要があるとき、ＡＣＫ及びＮＡＣＫのうち１つのみが選択され得る。ＮＡＣＫがＡＣＫより重要であることを考慮すると、ＡＣＫの優先度はより低い。具体的に、ＡＣＫが正のＳＲ伝送と衝突する場合、ＡＣＫは破棄され示されず、ネットワークデバイスはＡＣＫをＮＡＣＫとして扱う。しかしながら、ＮＡＣＫが正のＳＲ伝送と衝突する場合、ＮＡＣＫ及び正のＳＲ伝送の両方が示される。ネットワークデバイスによれば、ＳＲ伝送が確保され、アップリンクリソース要求レイテンシの増加が回避される。唯一の短所は、ＡＣＫの伝送が遅延し、ダウンリンクデータのレイテンシが影響され得ることである。
【０２６６】
任意選択的に、Ｍが１であり、伝送リソースが１つの第２リソースであり、送受信モジュール３１０は、１つの第２リソースで、１ビット又は２ビットの情報を搬送するために用いられるＰＵＣＣＨ、及びＰＵＣＣＨを復調するために用いられる復調基準信号を受信するように具体的に構成されており、１ビット又は２ビットの情報はダウンリンクデータの受信状況を示し、処理モジュール３２０は、１つの第２リソースに基づいて、スケジューリング要求伝送状況が正のスケジューリング要求伝送であることを決定し、１ビット又は２ビットの情報に基づいて、ダウンリンクデータの受信状況がダウンリンクデータの２つの受信状況のうち１つであるか、又はダウンリンクデータの４つの受信状況のうち１つであることを決定するように具体的に構成されている。
【０２６７】
本願のこの実施形態におけるネットワークデバイスによれば、ＰＵＣＣＨフォーマットＹａ又はＹｂの性能はＰＵＣＣＨフォーマットＸの性能より劣る。しかしながら、ネットワークデバイスによれば、ＳＲ、ＡＣＫ及びＮＡＣＫが同じ優先度を有するようにするために、ＨＡＲＱ−ＡＣＫ情報がＳＲと衝突する場合、ＨＡＲＱ−ＡＣＫ情報及びＳＲはＰＵＣＣＨフォーマットＹａを用いて伝送される。具体的には、衝突が生じる場合、どの状況も破棄されない。
【０２６８】
任意選択的に、Ｎが２であり、Ｍが２であり、２つの第２リソースは第１の第２リソース及び第２の第２リソースを含み、伝送リソースが第１の第２リソース及び第２の第２リソースであり、処理モジュール３２０は、第１の第２リソースに基づいて、ダウンリンクデータの受信状況がＡＣＫであり、スケジューリング要求伝送状況が正のスケジューリング要求伝送であることを決定するか、又は第２の第２リソースに基づいて、ダウンリンクデータの受信状況がＮＡＣＫであり、スケジューリング要求伝送状況が正のスケジューリング要求伝送であることを決定するように具体的に構成されている。
【０２６９】
ネットワークデバイスによれば、本願のこの実施形態において、ＨＡＲＱ−ＡＣＫ情報及びＳＲは同じ優先度を有する。したがって、ＨＡＲＱ−ＡＣＫ情報がＳＲと衝突する場合、ＨＡＲＱ−ＡＣＫ情報及びＳＲの両方が示され得る。唯一の短所は、１つの正のＳＲ伝送状況のみが存在するが、２つのＳＲリソースが確保される必要があり、ＰＵＣＣＨオーバーヘッドが比較的大きいことである。
【０２７０】
任意選択的に、Ｎが２であり、送受信モジュール３１０はダウンリンクデータを送信するように具体的に構成されており、ダウンリンクデータは２つのトランスポートブロックＴＢを含み、ダウンリンクデータの受信状況が２つのＴＢにそれぞれ対応する受信状況の空間バンドリング結果である。
【０２７１】
任意選択的に、Ｎが２又は４であり、処理モジュール３２０は、伝送リソースがＮ個の第１リソースのうち１つであることを決定するように具体的に構成されており、送受信モジュール３１０は、Ｎ個の第１リソースのうち１つでアップリンク制御情報を受信するように具体的に構成されており、処理モジュール３２０は、Ｎ個の第１リソースのうち１つに基づいて、ダウンリンクデータの受信状況がダウンリンクデータの２つ又は４つの受信状況のうち１つであり、スケジューリング要求伝送状況が負のスケジューリング要求伝送であることを決定するように具体的に構成されている。
【０２７２】
任意選択的に、Ｎが２であり、Ｍが１であり、ダウンリンクデータの２つの受信状況が肯定応答ＡＣＫ及び否定応答ＮＡＣＫを含み、伝送リソースが１つの第２リソースであり、処理モジュール３２０は、伝送リソースが１つの第２リソースであることを決定するように具体的に構成されており、送受信モジュール３１０は、１つの第２リソースでアップリンク制御情報を受信するように具体的に構成されており、ここで、処理モジュール３２０は、１つの第２リソースに基づいて、ダウンリンクデータの受信状況がＡＣＫであり、スケジューリング要求伝送状況が正のスケジューリング要求伝送であることを決定するように具体的に構成されているか、又は処理モジュール３２０は、伝送リソースがＮＡＣＫに対応する第１リソースであることを決定するように具体的に構成されており、送受信モジュール３１０は、ＮＡＣＫに対応する第１リソースでアップリンク制御情報を受信するように具体的に構成されており、ここで、処理モジュール３２０は、ＮＡＣＫに対応する第１リソースに基づいて、ダウンリンクデータの受信状況がＮＡＣＫであり、スケジューリング要求伝送状況が負のスケジューリング要求伝送であることを決定するように具体的に構成されている。
【０２７３】
本願のこの実施形態におけるネットワークデバイスによれば、ＳＲの優先度はＮＡＣＫの優先度より低い。しかしながら、ＮＡＣＫの発生確率が比較的低いことを考慮すると、ＳＲレイテンシへの影響は比較的少ない。ダウンリンクデータの受信状況がＤＴＸであり、ＳＲ伝送状況が正のＳＲ伝送である場合、端末デバイスは、ＳＲに割り当てられるリソースでアップリンク制御情報の伝送も行う。したがって、ネットワークデバイスはダウンリンクデータを送信するが端末デバイスはダウンリンクデータの受信状況をＤＴＸとみなし、ネットワークデバイスはＳＲに割り当てられるリソースで伝送されるアップリンク制御情報を受信してダウンリンクデータの受信状況をＡＣＫとみなす場合、問題が生じる。したがって、信頼性が比較的低い。
【０２７４】
任意選択的に、Ｎが２であり、Ｍが１であり、ダウンリンクデータの２つの受信状況が肯定応答ＡＣＫ及び否定応答ＮＡＣＫを含み、処理モジュール３２０は、ネットワークデバイスが、伝送リソースがＡＣＫに対応する第１リソースであることを決定するように具体的に構成されており、送受信モジュール３１０は、ＡＣＫに対応する第１リソースでアップリンク制御情報を受信するように具体的に構成されており、ここで、処理モジュール３２０は、ＡＣＫに対応する第１リソースに基づいて、ダウンリンクデータの受信状況がＡＣＫであり、スケジューリング要求伝送状況が負のスケジューリング要求伝送であることを決定するように具体的に構成されているか、又は処理モジュール３２０は、伝送リソースが１つの第２リソースであることを決定するように具体的に構成されており、送受信モジュール３１０は、１つの第２リソースでアップリンク制御情報を受信するように具体的に構成されており、ここで、処理モジュール３２０は、１つの第２リソースに基づいて、ダウンリンクデータの受信状況がＮＡＣＫであり、スケジューリング要求伝送状況が正のスケジューリング要求伝送であることを決定するように具体的に構成されている。
【０２７５】
本願のこの実施形態におけるネットワークデバイスによれば、ＤＴＸとＡＣＫとの間の誤認識は回避され、受信性能が安定する。しかしながら、ＳＲの優先度はＡＣＫの優先度より低い。ＡＣＫの発生確率が比較的高いことを考慮すると、ＳＲレイテンシへの影響は比較的大きくなり得る。
【０２７６】
任意選択的に、Ｎが２であり、Ｍが２であり、ダウンリンクデータの２つの受信状況が肯定応答ＡＣＫ及び否定応答ＮＡＣＫを含み、スケジューリング要求は第１のスケジューリング要求及び第２のスケジューリング要求を含み、２つの第２リソースは、第１のスケジューリング要求に対応する第２リソース及び第２のスケジューリング要求に対応するスケジューリングリソースを含み、処理モジュール３２０は、伝送リソースが第１のスケジューリング要求の伝送に対応する第２リソースであることを決定するように具体的に構成されており、送受信モジュール３１０は、第１のスケジューリング要求の伝送に対応する第２リソースでアップリンク制御情報を受信するように具体的に構成されており、ここで、処理モジュール３２０は、第１のスケジューリング要求の伝送に対応する第２リソースに基づいて、ダウンリンクデータの受信状況がＮＡＣＫであり、スケジューリング要求伝送状況が第１の正のスケジューリング要求伝送であることを決定するように具体的に構成されているか、又は処理モジュール３２０は、伝送リソースが第２のスケジューリング要求の伝送に対応する第２リソースであることを決定するように具体的に構成されており、送受信モジュール３１０は、第２のスケジューリング要求の伝送に対応する第２リソースでアップリンク制御情報を受信するように具体的に構成されており、ここで、処理モジュール３２０は、第２のスケジューリング要求の伝送に対応する第２リソースに基づいて、ダウンリンクデータの受信状況がＮＡＣＫであり、スケジューリング要求伝送状況が第２の正のスケジューリング要求伝送であることを決定するように具体的に構成されている。
【０２７７】
本願のこの実施形態におけるネットワークデバイスによれば、ダウンリンクデータの状況を示すためにＳＲリソースが用いられる必要がある場合、ＡＣＫ及びＮＡＣＫのうち１つのみが選択され得る。ＮＡＣＫがＡＣＫより重要であることを考慮すると、ＡＣＫの優先度はより低い。ネットワークデバイスによれば、ＳＲ伝送が確保され、アップリンクリソース要求レイテンシの増加が回避される。唯一の短所は、ＡＣＫの伝送が遅延し、ダウンリンクデータのレイテンシが影響され得ることである。
【０２７８】
任意選択的に、Ｎが２であり、Ｍが２であり、ダウンリンクデータの２つの受信状況が肯定応答ＡＣＫ及び否定応答ＮＡＣＫを含み、スケジューリング要求は第１のスケジューリング要求及び第２のスケジューリング要求を含み、２つの第２リソースは、第１のスケジューリング要求に対応する第２リソース及び第２のスケジューリング要求に対応するスケジューリングリソースを含み、処理モジュール３２０は、伝送リソースが第１のスケジューリング要求の伝送に対応する第２リソース又は第２のスケジューリング要求の伝送に対応する第２リソースであることを決定するように具体的に構成されており、送受信モジュール３１０は、第１のスケジューリング要求の伝送に対応する第２リソース又は第２のスケジューリング要求の伝送に対応する第２リソースでアップリンク制御情報を受信するように具体的に構成されており、ここで、処理モジュール３２０は、第１のスケジューリング要求の伝送に対応する第２リソース又は第２のスケジューリング要求の伝送に対応する第２リソースに基づいて、ダウンリンクデータの受信状況がＡＣＫであり、スケジューリング要求伝送状況が第１の正のスケジューリング要求伝送又は第２の正のスケジューリング要求伝送であることを決定するように具体的に構成されているか、又は処理モジュール３２０は、伝送リソースがＮＡＣＫに対応する第１リソースであることを決定するように具体的に構成されており、送受信モジュール３１０は、ＮＡＣＫに対応する第１リソースでアップリンク制御情報を受信するように具体的に構成されており、ここで、処理モジュール３２０は、ＮＡＣＫに対応する第１リソースに基づいて、ダウンリンクデータの受信状況がＮＡＣＫであり、スケジューリング要求伝送状況が負のスケジューリング要求伝送であることを決定するように具体的に構成されている。
【０２７９】
本願のこの実施形態におけるネットワークデバイスによれば、ＳＲの優先度はＮＡＣＫの優先度より低い。しかしながら、ＮＡＣＫの発生確率が比較的低いことを考慮すると、ＳＲレイテンシへの影響は比較的少ない。
【０２８０】
任意選択的に、Ｎが２であり、Ｍが２であり、ダウンリンクデータの２つの受信状況が肯定応答ＡＣＫ及び否定応答ＮＡＣＫを含み、スケジューリング要求は第１のスケジューリング要求及び第２のスケジューリング要求を含み、２つの第２リソースは、第１のスケジューリング要求に対応する第２リソース及び第２のスケジューリング要求に対応するスケジューリングリソースを含み、処理モジュール３２０は、伝送リソースがＡＣＫに対応する第１リソースであることを決定するように具体的に構成されており、送受信モジュール３１０は、ＡＣＫに対応する第１リソースでアップリンク制御情報を受信するように具体的に構成されており、ここで、処理モジュール３２０は、ＡＣＫに対応する第１リソースに基づいて、ダウンリンクデータの受信状況がＡＣＫであり、スケジューリング要求伝送状況が負のスケジューリング要求伝送であることを決定するように具体的に構成されているか、又は処理モジュール３２０は、伝送リソースが第１のスケジューリング要求の伝送に対応する第２リソース又は第２のスケジューリング要求の伝送に対応する第２リソースであることを決定するように具体的に構成されており、送受信モジュール３１０は、第１のスケジューリング要求の伝送に対応する第２リソース又は第２のスケジューリング要求の伝送に対応する第２リソースでアップリンク制御情報を受信するように具体的に構成されており、ここで、処理モジュール３２０はさらに、第１のスケジューリング要求の伝送に対応する第２リソース又は第２のスケジューリング要求の伝送に対応する第２リソースに基づいて、ダウンリンクデータの受信状況がＮＡＣＫであり、スケジューリング要求伝送状況が第１の正のスケジューリング要求伝送又は第２の正のスケジューリング要求伝送であることを決定するように構成されている。
【０２８１】
本願のこの実施形態におけるネットワークデバイスによれば、ＤＴＸとＡＣＫとの間の誤認識は回避され、受信性能が安定する。しかしながら、ＳＲの優先度はＡＣＫの優先度より低い。ＡＣＫの発生確率が比較的高いことを考慮すると、ＳＲレイテンシへの影響は比較的大きくなり得る。
【０２８２】
任意選択的に、Ｎが２又は４であり、Ｍが１であり、ダウンリンクデータの２つの受信状況が肯定応答ＡＣＫ及び否定応答ＮＡＣＫを含むか、又はダウンリンクデータの４つの受信状況が（ＡＣＫ、ＡＣＫ）、（ＮＡＣＫ、ＮＡＣＫ）、（ＡＣＫ、ＮＡＣＫ）及び（ＮＡＣＫ、ＡＣＫ）を含み、伝送リソースが１つの第２リソースであり、送受信モジュール３１０は、１つの第２リソースで、ｎビットの情報を搬送するために用いられるＰＵＣＣＨ、及びＰＵＣＣＨを復調するために用いられる復調基準信号を受信するように具体的に構成されており、ここで、ｎビットの情報はダウンリンクデータの受信状況及びＳＲ伝送状況を示し、処理モジュール３２０は、ＳＲに割り当てられるＰＵＣＣＨリソース、及びｎビットの情報に基づいて、ダウンリンクデータの受信状況がダウンリンクデータの２つの受信状況のうち１つであるか、又はダウンリンクデータの４つの受信状況のうち１つであり、ＳＲ伝送状況が正のＳＲ伝送の少なくとも２つのタイプのうち１つであることを決定するように具体的に構成されている。
【０２８３】
ネットワークデバイスによれば、本願のこの実施形態において、ＳＲ及びＨＡＲＱ−ＡＣＫ情報は同様に重要であり、すなわち、同じ優先度を有する。
【０２８４】
任意選択的に、第１リソースは巡回シフト、直交シーケンス及びリソースブロックの少なくとも１つによって識別され、及び／又は第２リソースは巡回シフト、直交シーケンス及びリソースブロックの少なくとも１つによって識別される。
【０２８５】
任意選択的に、送受信モジュール３１０はシグナリングを送信するようにさらに構成されており、シグナリングは、上述の制御情報伝送ソリューションのうち１つを用いて伝送リソースを決定し、伝送リソースでアップリンク制御情報を送信するように、端末デバイスに命令する。
【０２８６】
任意選択的に、シグナリングは上位層シグナリングである。上位層シグナリング（Ｈｉｇｈｅｒ  Ｌａｙｅｒ  Ｓｉｇｎａｌｉｎｇ）は物理層シグナリングに関連し、上位層（ｌａｙｅｒ）から来るシグナリングであり、より低い伝送周波数を有し、無線リソース制御（ＲＲＣ、Ｒａｄｉｏ  Ｒｅｓｏｕｒｃｅ  Ｃｏｎｔｒｏｌ）シグナリング及びメディアアクセス制御（ＭＡＣ、Ｍｅｄｉａ  Ａｃｃｅｓｓ  Ｃｏｎｔｒｏｌ）シグナリングを含む。
【０２８７】
本願のこの実施形態における制御情報伝送のためのネットワークデバイスによれば、ＰＵＣＣＨシンボルの数が１、２又は３個のシンボルに減少した後に、ＳＲをいかに伝送するか、並びに、ＳＲ及びＨＡＲＱ−ＡＣＫ情報をいかに同時に伝送するかについての問題が効率的に解決される。
【０２８８】
図５は、本願の実施形態に係る端末デバイス４００の概略フローチャートである。図５に示されるように、端末デバイス４００は、伝送リソースがＳＲに割り当てられるＰＵＣＣＨリソースであることを決定するように構成されている処理モジュール４１０、及び伝送リソースでアップリンク制御情報を送信するように構成されている送受信モジュール４２０であって、アップリンク制御情報は１ビット又は２ビットのＨＡＲＱ−ＡＣＫ情報、及び少なくとも２ビットのＳＲ伝送状況指示情報を含む、送受信モジュール４２０を含む。
【０２８９】
具体的に、ダウンリンクデータが送受信モジュール４２０によって受信される場合、処理モジュール４１０は、ダウンリンクデータの受信状況がＤＴＸでないことを決定する。処理モジュール４１０は、ＳＲ伝送状況が正のＳＲ伝送であることを決定する。この場合、処理モジュール４１０は伝送リソースがＳＲに割り当てられるＰＵＣＣＨリソースであることを決定する。アップリンク制御情報は、１ビット又は２ビットのＨＡＲＱ−ＡＣＫ情報及び少なくとも２ビットのＳＲ伝送状況指示情報を含む。具体的に、送受信モジュール４２０はＰＵＣＣＨフォーマットＰに基づいてアップリンク制御情報を送信する。
【０２９０】
本願のこの実施形態における端末デバイスにより、ＰＵＣＣＨシンボルの数が１、２又は３個のシンボルに減少した後に、ＳＲをいかに伝送するか、並びに、ＳＲ及びＨＡＲＱ−ＡＣＫ情報をいかに同時に伝送するかについての問題が効率的に解決される。
【０２９１】
図６は、本願の実施形態に係るネットワークデバイス５００の概略ブロック図である。図６に示されるように、ネットワークデバイス５００は、ＳＲに割り当てられるＰＵＣＣＨリソースでアップリンク制御情報を受信するように構成されている送受信モジュール５１０、及び伝送リソース及びアップリンク制御情報に基づいてダウンリンクデータの受信状況及びスケジューリング要求伝送状況を決定するように構成されている処理モジュール５２０を含む。
【０２９２】
具体的には、処理モジュール５２０は、伝送リソースがＳＲに割り当てられるＰＵＣＣＨリソースであることを決定するように具体的に構成されており、送受信モジュール５１０は、ＳＲに割り当てられるＰＵＣＣＨリソースで、少なくとも２ビットのＳＲ伝送状況指示情報、及び１ビット又は２ビットの情報を含むＨＡＲＱ−ＡＣＫ情報を受信するように具体的に構成されており、処理モジュール５２０は、ＳＲに割り当てられるＰＵＣＣＨリソース、１ビット又は２ビットの情報を含むＨＡＲＱ−ＡＣＫ情報及び少なくとも２ビットのＳＲ伝送状況指示情報に基づいて、ダウンリンクデータの受信状況が、ダウンリンクデータの２つの受信状況のうち１つであるか、又はダウンリンクデータの４つの受信状況のうち１つであり、ＳＲ伝送状況が正のＳＲ伝送の少なくとも２つのタイプのうち１つであることを決定する。
【０２９３】
本願のこの実施形態における制御情報伝送のためのネットワークデバイスによれば、ＰＵＣＣＨシンボルの数が１、２又は３個のシンボルに減少した後に、ＳＲをいかに伝送するか、並びに、ＳＲ及びＨＡＲＱ−ＡＣＫ情報をいかに同時に伝送するかについての問題が効率的に解決される。
【０２９４】
図７は、本願の実施形態に係る端末デバイス６００の模式的構造図である。図７に示されるように、端末デバイス６００は、プロセッサ６０１、メモリ６０２、受信機６０３及び伝送機６０４を含む。これらのコンポーネントは通信接続されている。メモリ６０２は、命令を記憶するように構成される。プロセッサ６０１は、メモリ６０２に記憶される命令を実行し、受信機６０３を制御して情報を受信し、伝送機６０４を制御して情報を送信するように構成される。
【０２９５】
プロセッサ６０１は、メモリ６０２に記憶される命令を実行するように構成されている。プロセッサ６０１は、端末デバイス２００における処理モジュール２１０に対応する演算及び／又は機能を実行するように構成され得る。受信機６０３及び伝送機６０４は、端末デバイス２００において送受信モジュール２２０に対応する演算及び／又は機能を実行するように構成され得る。簡潔にするため、詳細についてはここで改めて説明しない。
【０２９６】
図８は、本願の実施形態に係るネットワークデバイス７００の模式的構造図である。図８に示されるように、ネットワークデバイス７００は、プロセッサ７０１、メモリ７０２、受信機７０３及び伝送機７０４を含む。これらのコンポーネントは通信接続されている。メモリ７０２は、命令を記憶するように構成される。プロセッサ７０１は、メモリ７０２に記憶される命令を実行し、受信機７０３を制御して情報を受信し、伝送機７０４を制御して情報を送信するように構成される。
【０２９７】
プロセッサ７０１は、メモリ７０２に記憶される命令を実行するように構成されている。プロセッサ７０１は、ネットワークデバイス３００における処理モジュール３２０に対応する演算及び／又は機能を実行するように構成され得る。受信機７０３及び伝送機７０４は、ネットワークデバイス３００において送受信モジュール３１０に対応する演算及び／又は機能を実行するように構成され得る。簡潔にするため、詳細についてはここで改めて説明しない。
【０２９８】
図９は、本願の実施形態に係る端末デバイス８００の模式的構造図である。図９に示されるように、端末デバイス８００は、プロセッサ８０１、メモリ８０２、受信機８０３及び伝送機８０４を含む。これらのコンポーネントは通信接続されている。メモリ８０２は、命令を記憶するように構成される。プロセッサ８０１は、メモリ８０２に記憶される命令を実行し、受信機８０３を制御して情報を受信し、伝送機８０４を制御して情報を送信するように構成される。
【０２９９】
プロセッサ８０１は、メモリ８０２に記憶される命令を実行するように構成されている。プロセッサ８０１は、端末デバイス４００における処理モジュール４１０に対応する演算及び／又は機能を実行するように構成され得る。受信機８０３及び伝送機８０４は、端末デバイス４００において送受信モジュール４２０に対応する演算及び／又は機能を実行するように構成され得る。簡潔にするため、詳細についてはここで改めて説明しない。
【０３００】
図１０は、本願の実施形態に係るネットワークデバイス９００の模式的構造図である。図１０に示されるように、ネットワークデバイス９００は、プロセッサ９０１、メモリ９０２、受信機９０３及び伝送機９０４を含む。これらのコンポーネントは通信接続されている。メモリ９０２は、命令を記憶するように構成される。プロセッサ９０１は、メモリ９０２に記憶される命令を実行し、受信機９０３を制御して情報を受信し、伝送機９０４を制御して情報を送信するように構成される。
【０３０１】
プロセッサ９０１は、メモリ９０２に記憶される命令を実行するように構成されている。プロセッサ９０１は、ネットワークデバイス５００における処理モジュール５２０に対応する演算及び／又は機能を実行するように構成され得る。受信機９０３及び伝送機９０４は、ネットワークデバイス５００において送受信モジュール５１０に対応する演算及び／又は機能を実行するように構成され得る。簡潔にするため、詳細についてはここで改めて説明しない。
【０３０２】
本願の実施形態は、通信システムをさらに提供する。通信システムは、上述の態様に係る端末デバイス及びネットワークデバイスを含む。
【０３０３】
本願の実施形態は、コンピュータプログラム製品をさらに提供する。コンピュータプログラム製品がコンピュータで実行される場合、コンピュータは、上述の制御情報伝送方法を実行することが可能になる。
【０３０４】
コンピュータプログラム製品はソフトウェアであってもよく、又は別のタイプのコンピュータプログラム製品であってもよいことを理解されたい。本願はこれに限定されるものではない。
【０３０５】
本願の実施形態において、本願の実施形態の上述の方法の実施形態は、プロセッサに適用されてもよく、又はプロセッサによって実装されてもよいことに注意されたい。プロセッサは、集積回路チップであってよく、信号処理機能を有する。実装プロセスにおいて、上述の方法の実施形態における段階は、プロセッサにおけるハードウェア集積論理回路を用いて、又はソフトウェアの形の命令を用いて実装され得る。プロセッサは、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）又は別のプログラマブル論理デバイス、個別ゲートもしくはトランジスタ論理デバイス、又は個別ハードウェアコンポーネントであってよい。プロセッサは、本願の実施形態において開示されている方法、段階及び論理ブロック図を実装又は実行してよい。汎用プロセッサは、マイクロプロセッサであってもよく、又はプロセッサは任意の従来のプロセッサなどであってよい。本願の実施形態と関連して開示される方法の段階は、ハードウェアデコードプロセッサを用いてすぐに実行及び完了されてもよく、又はデコードプロセッサにおけるハードウェア及びソフトウェアモジュールの組み合わせを用いて実行及び完了されてもよい。ソフトウェアモジュールが、ランダムアクセスメモリ、フラッシュメモリ、リードオンリメモリ、プログラマブルリードオンリメモリ、電気的消去可能プログラマブルメモリ、又はレジスタなど、当技術分野の成熟した記憶媒体に位置してよい。記憶媒体はメモリに位置し、プロセッサはメモリにおける情報を読み取り、プロセッサのハードウェアと組み合わせて上述の方法における段階を実行する。
【０３０６】
本願の実施形態におけるメモリは、揮発性メモリ又は不揮発性メモリであり得る、又は、揮発性メモリ及び不揮発性メモリを含み得ることを理解され得る。不揮発性メモリは、リードオンリメモリ（Ｒｅａｄ−Ｏｎｌｙ  Ｍｅｍｏｒｙ、ＲＯＭ）、プログラマブルリードオンリメモリ（Ｐｒｏｇｒａｍｍａｂｌｅ  ＲＯＭ、ＰＲＯＭ）、消去可能プログラマブルリードオンリメモリ（Ｅｒａｓａｂｌｅ  ＰＲＯＭ、ＥＰＲＯＭ）、電気的消去可能プログラマブルリードオンリメモリ（Ｅｌｅｃｔｒｉｃａｌｌｙ  ＥＰＲＯＭ、ＥＥＰＲＯＭ）、又はフラッシュメモリであってよい。揮発性メモリは、ランダムアクセスメモリ（Ｒａｎｄｏｍ  Ａｃｃｅｓｓ  Ｍｅｍｏｒｙ、ＲＡＭ）であってよく、外部キャッシュとして用いられる。限定的説明ではない例を用いて、例えば、スタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、シンクロナスダイナミックランダムアクセスメモリ（Ｓｙｎｃｈｒｏｎｏｕｓ  ＤＲＡＭ、ＳＤＲＡＭ）、ダブルデータレートシンクロナスダイナミックランダムアクセスメモリ（Ｄｏｕｂｌｅ  Ｄａｔａ  Ｒａｔｅ  ＳＤＲＡＭ、ＤＤＲ  ＳＤＲＡＭ）、拡張シンクロナスダイナミックランダムアクセスメモリ（Ｅｎｈａｎｃｅｄ  ＳＤＲＡＭ、ＥＳＤＲＡＭ）、シンクロナスリンクダイナミックランダムアクセスメモリ（Ｓｙｎｃｈｌｉｎｋ  ＤＲＡＭ、ＳＬＤＲＡＭ）、及びダイレクトランバスダイナミックランダムアクセスメモリ（Ｄｉｒｅｃｔ  Ｒａｍｂｕｓ  ＲＡＭ、ＤＲ  ＲＡＭ）などの多くの形態のＲＡＭが用いられ得る。本明細書において説明されるシステム及び方法のメモリには、限定されないが、これらのメモリ及び別の適当なタイプの任意のメモリが含まれることに留意されたい。
【０３０７】
明細書の全体において記載されている「実施形態」は、本願の少なくとも１つの実施形態に含まれる実施形態に関する特定の機能、構造、又は特性を意味することを理解されたい。したがって、明細書の至る所に現れる「実施形態において」又は「実施形態おける」は、必ずしも同じ実施形態を指すものではない。加えて、これらの特定の機能、構造、又は特性は、任意の適宜な方式で１又は複数の実施形態に組み合わされてよい。上述のプロセスのシーケンス番号は、様々な本願の実施形態における実行順序を意味するものでないことが理解されたい。プロセスの実行順序は、プロセスの機能及び内部論理に基づいて決定されるべきであり、本願の実施形態の実装プロセスに対するいかなる限定とも解釈されるべきではない。
【０３０８】
加えて、「システム」及び「ネットワーク」という用語は、本明細書では互換的に使用されてよい。本明細書における「及び／又は」という用語は、関連する対象を説明するための関連関係のみを説明し、３つの関係が存在し得ることを表す。例えば、Ａ及び／又はＢは、Ａのみが存在すること、Ａ及びＢの両方が存在すること、ならびに、Ｂのみが存在すること、の３つの場合を表し得る。加えて、本明細書における記号「／」は通常、関連する物体間の「又は」関係を示す。
【０３０９】
本願の実施形態において、「Ａに対応するＢ」とは、ＢがＡと関連付けられており、ＢがＡに基づいて決定されてよいことを示していることを理解されたい。しかしながら、Ａに基づいてＢを決定することは、ＢがＡのみに基づいて決定されることを意味するものではなく、ＢはＡ及び／又は他の情報に基づいて代替的に決定されてよいことをさらに理解されたい。
【０３１０】
上述の実施形態の全部又は一部は、ソフトウェア、ハードウェア、ファームウェア、又はこれらの任意の組み合わせを用いて実装されてよい。実施形態を実装するのにソフトウェアが用いられる場合、これらの実施形態の全部又は一部が、コンピュータプログラム製品の形態で実装されてよい。コンピュータプログラム製品は、１又は複数のコンピュータ命令を含んでよい。コンピュータプログラム命令がロードされ、コンピュータで実行される場合、本願の実施形態に係る手順又は機能の全部又は一部が生成される。コンピュータは、汎用コンピュータ、専用コンピュータ、コンピュータネットワーク、又は別のプログラマブル装置であってよい。コンピュータ命令は、コンピュータ可読記憶媒体に記憶され得る、又は、コンピュータ可読記憶媒体から別のコンピュータ可読記憶媒体へ伝送され得る。例えば、コンピュータ命令は、ウェブサイト、コンピュータ、サーバ又はデータセンタから、別のウェブサイト、コンピュータ、サーバ又はデータセンタへ、有線（例えば、同軸ケーブル、光ファイバ、又は、デジタル加入者線（ＤＳＬ））又は無線（例えば、赤外線、無線、又は、マイクロ波）方式で伝送され得る。コンピュータ可読記憶媒体は、コンピュータによってアクセス可能な任意の使用可能な媒体であってもよく、又は、１又は複数の使用可能な媒体を含むサーバ又はデータセンタのようなデータ記憶デバイスであってもよい。使用可能な媒体は、磁気媒体（例えば、フロッピーディスク、ハードディスク、又は磁気ディスク）、光媒体（例えば、ＤＶＤ）、又は半導体媒体（例えば、ソリッドステートディスクＳｏｌｉｄ  Ｓｔａｔｅ  Ｄｉｓｋ（ＳＳＤ）などであってよい。
【０３１１】
当業者であれば、本明細書において開示された実施形態で説明された例と組み合わせて、各ユニット及び各アルゴリズムステップが、電子ハードウェア又はコンピュータソフトウェアと電子ハードウェアとの組み合わせによって実装され得ることを認識するであろう。機能がハードウェアによって行われるか、ソフトウェアによって行われるかは、技術的解決手段の特定の適用例及び設計制約条件で決まる。当業者であれば、それぞれの特定の適用例に対して説明された機能を実装すべく異なる方法を使用してよいが、その実装が本願の範囲を超えるものとみなされるべきではない。
【０３１２】
簡便かつ簡潔な説明のために、上述のシステム、機器、及びユニットの詳細な動作プロセスについては、上述した方法の実施形態における対応するプロセスが参照されてよく、詳細はここで改めて説明しないことを当業者は明確に理解するであろう。
【０３１３】
本願において提供したいくつかの実施形態では、開示されているシステム、装置及び方法が他の方式で実装され得ることを理解されたい。例えば、説明されている装置の実施形態は一例に過ぎない。例えば、ユニットの分割は論理機能の分割に過ぎず、実際の実装においては他の分割であってよい。例えば、複数のユニット又はコンポーネントが別のシステムに組み合わされ又は統合されてもよく、あるいはいくつかの特徴が無視されてもよい、又は実行されなくてもよい。加えて、示されたか、又は論じられた相互結合もしくは直接結合又は通信接続は、いくつかのインタフェースを用いて実装されてよい。装置間又はユニット間の間接的結合又は通信接続は、電気的形態、機械的形態、又は他の形態で実装されてよい。
【０３１４】
別の部分として説明されているユニットは物理的に離れていてもよく、又は離れていなくてもよく、ユニットとして示される部分は、物理的ユニットであってもよく、又は物理的ユニットでなくてもよく、１か所に位置してもよく、又は複数のネットワークユニットに割り当てられてもよい。ユニットの一部又は全部は、実施形態の解決手段の目的を達成するための実際の要件に応じて選択され得る。
【０３１５】
加えて、本願の実施形態における機能ユニットが１つの処理ユニットに統合されてもよいし、当該ユニットの各々が物理的に単独で存在してもよいし、２つ又はそれより多くのユニットが１つのユニットに統合されてもよい。
【０３１６】
機能がソフトウェア機能ユニットの形態で実装され、個別の製品として販売されるか又は用いられる場合、これらの機能はコンピュータ可読記憶媒体に記憶されてよい。そのような理解に基づいて、基本的に本願の技術的解決手段又は従来技術に対して貢献する部分又は技術的解決手段のいくつかが、ソフトウェア製品の形式で実装されてよい。コンピュータソフトウェアの製品は、記憶媒体に記憶され、本願の実施形態において説明される方法の段階の全部又は一部かを実行するようコンピュータデバイス（パーソナルコンピュータ、サーバ、又はネットワークデバイスなどであり得る）に命令するためのいくつかの命令を含む。上述の記憶媒体は、ＵＳＢフラッシュドライブ、リムーバブルハードディスク、リードオンリメモリ、ランダムアクセスメモリ、磁気ディスク、又は光ディスクのようなプログラムコードを記憶し得る任意の媒体を含む。
【０３１７】
上述の説明は、本願の特定の実装に過ぎず、本願の保護範囲を限定することを意図するものではない。本願の保護範囲には、本願において開示した技術的範囲内で当業者により容易に考案される任意の変形又は置換が含まれるものとする。したがって、本願の保護範囲は、特許請求の範囲の保護範囲に従うものとする。
【図１】
2020519084.tif 000003
【図２】
2020519084.tif 000004
【図３】
2020519084.tif 000005
【図４】
2020519084.tif 000006
【図５】
2020519084.tif 000007
【図６】
2020519084.tif 000008
【図７】
2020519084.tif 000009
【図８】
2020519084.tif 000010
【図９】
2020519084.tif 000011
【図１０】
2020519084.tif 000012
【手続補正書】
【提出日】令和1年11月28日(2019.11.28)
【手続補正１】
【補正対象書類名】特許請求の範囲
【補正対象項目名】全文
【補正方法】変更
【補正の内容】
【特許請求の範囲】
【請求項１】
制御情報伝送方法であって、
端末デバイスが、ダウンリンクデータの受信状況及びスケジューリング要求伝送状況に基づいて伝送リソースを決定する段階であって、前記伝送リソースが、Ｎ個の第１リソースのうち１つ又はＭ個の第２リソースのうち１つであり、前記Ｎ個の第１リソースは前記ダウンリンクデータのＮ個の受信状況に対応し、前記Ｍ個の第２リソースはスケジューリング要求を伝送するために用いられ、Ｎが１より大きな正の整数であり、Ｍが正の整数である、決定する段階と、
前記端末デバイスが、前記伝送リソースでアップリンク制御情報を送信する段階と
を備える、
方法。
【請求項２】
Ｎが２又は４であり、前記ダウンリンクデータの２つの受信状況が肯定応答（ＡＣＫ）及び否定応答（ＮＡＣＫ）を含むか、又は前記ダウンリンクデータの４つの受信状況が（ＡＣＫ、ＡＣＫ）、（ＮＡＣＫ、ＮＡＣＫ）、（ＡＣＫ、ＮＡＣＫ）及び（ＮＡＣＫ、ＡＣＫ）を含み、
端末デバイスがダウンリンクデータの受信状況及びスケジューリング要求伝送状況に基づいて伝送リソースを決定する前記段階は、
前記スケジューリング要求伝送状況が正のスケジューリング要求伝送である場合、前記端末デバイスが、前記伝送リソースが前記Ｍ個の第２リソースのうち１つであることを決定する段階であって、前記アップリンク制御情報は前記ダウンリンクデータの前記Ｎ個の受信状況のうち１つ及び前記正のスケジューリング要求伝送を示す、決定する段階を有し、Ｍ＞１である、
請求項１に記載の方法。
【請求項３】
Ｍが２である、請求項２に記載の方法。
【請求項４】
Ｎが２であり、Ｍが２であり、２つの第２リソースは第１の第２リソース及び第２の第２リソースを含み、
端末デバイスがダウンリンクデータの受信状況及びスケジューリング要求伝送状況に基づいて伝送リソースを決定する前記段階は、
前記ダウンリンクデータの前記受信状況がＡＣＫであり、前記スケジューリング要求伝送状況が前記正のスケジューリング要求伝送である場合、前記端末デバイスが、前記伝送リソースが前記第１の第２リソースであることを決定する段階であって、前記アップリンク制御情報は前記正のスケジューリング要求伝送及び前記ＡＣＫを示す、決定する段階、又は
前記ダウンリンクデータの前記受信状況がＮＡＣＫであり、前記スケジューリング要求伝送状況が前記正のスケジューリング要求伝送である場合、前記端末デバイスが、前記伝送リソースが前記第２の第２リソースであることを決定する段階であって、前記アップリンク制御情報は前記正のスケジューリング要求伝送及び前記ＮＡＣＫを示す、決定する段階
を有する、
請求項１から３の何れか一項に記載の方法。
【請求項５】
Ｎが２であり、Ｍが２であり、２つの第１リソースは第１の第１リソース及び第２の第１リソースを含み、端末デバイスがダウンリンクデータの受信状況及びスケジューリング要求伝送状況に基づいて伝送リソースを決定する前記段階は、
前記ダウンリンクデータの前記受信状況がＡＣＫであり、前記スケジューリング要求伝送状況が負のスケジューリング要求伝送である場合、前記端末デバイスが、前記伝送リソースが前記第１の第１リソースであることを決定する段階であって、前記アップリンク制御情報は前記負のスケジューリング要求伝送及び前記ＡＣＫを示す、決定する段階、又は
前記ダウンリンクデータの前記受信状況がＮＡＣＫであり、前記スケジューリング要求伝送状況が前記負のスケジューリング要求伝送である場合、前記端末デバイスが、前記伝送リソースが前記第２の第１リソースであることを決定する段階であって、前記アップリンク制御情報は前記正のスケジューリング要求伝送及び前記ＮＡＣＫを示す、決定する段階
を有する、
請求項１から４の何れか一項に記載の方法。
【請求項６】
Ｎが２であり、Ｍが２であり、２つの第２リソースは第１の第２リソース及び第２の第２リソースを含み、端末デバイスがダウンリンクデータの受信状況及びスケジューリング要求伝送状況に基づいて伝送リソースを決定する前記段階は、
前記ダウンリンクデータの前記受信状況が不連続伝送（ＤＴＸ）であり、前記スケジューリング要求伝送状況が前記正のスケジューリング要求伝送である場合、前記端末デバイスが、前記伝送リソースが前記第２の第２リソースであることを決定する段階であって、前記アップリンク制御情報は前記正のスケジューリング要求伝送を示す、決定する段階、又は
前記ダウンリンクデータの前記受信状況がＮＡＣＫであり、前記スケジューリング要求伝送状況が前記正のスケジューリング要求伝送である場合、前記端末デバイスが、前記伝送リソースが前記第２の第２リソースであることを決定する段階であって、前記アップリンク制御情報は前記正のスケジューリング要求伝送及び前記ＮＡＣＫを示す、決定する段階
を有する、
請求項１から３の何れか一項に記載の方法。
【請求項７】
前記第１リソースは巡回シフト、直交シーケンス及びリソースブロックの少なくとも１つによって識別され、及び／又は
前記第２リソースは巡回シフト、直交シーケンス及びリソースブロックの少なくとも１つによって識別される、請求項１から６の何れか一項に記載の方法。
【請求項８】
制御情報伝送方法であって、
ネットワークデバイスが伝送リソースでアップリンク制御情報を受信する段階であって、前記伝送リソースがＮ個の第１リソースのうち１つであるか、又はＭ個の第２リソースのうち１つであり、前記Ｎ個の第１リソースはダウンリンクデータのＮ個の受信状況に対応し、前記Ｍ個の第２リソースはスケジューリング要求を伝送するために用いられ、Ｎが１より大きな正の整数であり、Ｍが正の整数である、受信する段階と、
前記ネットワークデバイスが、前記伝送リソース及び前記アップリンク制御情報に基づいて前記ダウンリンクデータの受信状況及びスケジューリング要求伝送状況を決定する段階と
を備える、
方法。
【請求項９】
Ｎが２又は４であり、前記ダウンリンクデータの２つの受信状況が肯定応答（ＡＣＫ）及び否定応答（ＮＡＣＫ）を含むか、又は前記ダウンリンクデータの４つの受信状況が（ＡＣＫ、ＡＣＫ）、（ＮＡＣＫ、ＮＡＣＫ）、（ＡＣＫ、ＮＡＣＫ）及び（ＮＡＣＫ、ＡＣＫ）を含み、ネットワークデバイスが伝送リソースでアップリンク制御情報を受信する前記段階は、
前記ネットワークデバイスが、前記伝送リソースが前記Ｍ個の第２リソースのうち１つであることを決定する段階であって、Ｍ＞１である、決定する段階と、
前記ネットワークデバイスが、前記Ｍ個の第２リソースのうち前記１つで前記アップリンク制御情報を受信する段階と
を有し、
前記ネットワークデバイスが前記伝送リソース及び前記アップリンク制御情報に基づいてダウンリンクデータの受信状況及びスケジューリング要求伝送状況を決定する前記段階は、
前記ネットワークデバイスが、前記Ｍ個の第２リソースのうち前記１つ及び前記アップリンク制御情報に基づいて、前記ダウンリンクデータの前記受信状況が前記Ｎ個のデータ受信状況のうち１つであり、前記スケジューリング要求伝送状況が正のスケジューリング要求伝送であることを決定する段階を有する、
請求項８に記載の方法。
【請求項１０】
Ｍが２である、請求項９に記載の方法。
【請求項１１】
Ｎが２であり、Ｍが２であり、２つの第２リソースは第１の第２リソース及び第２の第２リソースを含み、前記伝送リソースが前記第１の第２リソース及び前記第２の第２リソースであり、
前記ネットワークデバイスが前記伝送リソース及び前記アップリンク制御情報に基づいてダウンリンクデータの受信状況及びスケジューリング要求伝送状況を決定する前記段階は、
前記ネットワークデバイスが、前記第１の第２リソースに基づいて、前記ダウンリンクデータの前記受信状況がＡＣＫであり、前記スケジューリング要求伝送状況が前記正のスケジューリング要求伝送であることを決定する段階、又は
前記ネットワークデバイスが、前記第２の第２リソースに基づいて、前記ダウンリンクデータの前記受信状況がＮＡＣＫであり、前記スケジューリング要求伝送状況が前記正のスケジューリング要求伝送であることを決定する段階
を有する、
請求項８から１０の何れか一項に記載の方法。
【請求項１２】
Ｎが２であり、Ｍが２であり、２つの第１リソースは第１の第１リソース及び第２の第１リソースを含み、
前記ネットワークデバイスが前記伝送リソース及び前記アップリンク制御情報に基づいてダウンリンクデータの受信状況及びスケジューリング要求伝送状況を決定する前記段階は、
前記ネットワークデバイスが、前記第１の第１リソースに基づいて、前記ダウンリンクデータの前記受信状況がＡＣＫであり、前記スケジューリング要求伝送状況が負のスケジューリング要求伝送であることを決定する段階、又は
前記ネットワークデバイスが、前記第２の第１リソースに基づいて、前記ダウンリンクデータの前記受信状況がＮＡＣＫであり、前記スケジューリング要求伝送状況が前記負のスケジューリング要求伝送であることを決定する段階
を有する、請求項８から１１の何れか一項に記載の方法。
【請求項１３】
Ｎが２であり、Ｍが２であり、２つの第２リソースは第１の第２リソース及び第２の第２リソースを含み、
端末デバイスが、ダウンリンクデータの受信状況及びスケジューリング要求伝送状況に基づいて、伝送リソースを決定する前記段階は、
前記ネットワークデバイスが、前記第１の第２リソースに基づいて、前記ダウンリンクデータの前記受信状況が不連続伝送（ＤＴＸ）であり、前記スケジューリング要求伝送状況が前記正のスケジューリング要求伝送であることを決定する段階、又は
前記ネットワークデバイスが、前記第２の第２リソースに基づいて、前記ダウンリンクデータの前記受信状況がＮＡＣＫであり、前記スケジューリング要求伝送状況が前記正のスケジューリング要求伝送であることを決定する段階
を含む、
請求項８から１０の何れか一項に記載の方法。
【請求項１４】
前記第１リソースは巡回シフト、直交シーケンス及びリソースブロックの少なくとも１つによって識別され、及び／又は
前記第２リソースは巡回シフト、直交シーケンス及びリソースブロックの少なくとも１つによって識別される、
請求項８から１３の何れか一項に記載の方法。
【請求項１５】
ダウンリンクデータの受信状況及びスケジューリング要求伝送状況に基づいて伝送リソースを決定するように構成されている処理モジュールであって、前記伝送リソースが、Ｎ個の第１リソースのうち１つ又はＭ個の第２リソースのうち１つであり、前記Ｎ個の第１リソースは前記ダウンリンクデータのＮ個の受信状況に対応し、前記Ｍ個の第２リソースはスケジューリング要求を伝送するために用いられ、Ｎが１より大きな正の整数であり、Ｍが正の整数である、処理モジュールと、
前記伝送リソースでアップリンク制御情報を送信するように構成されている送受信モジュールと
を備える、
端末デバイス。
【請求項１６】
Ｎが２又は４であり、前記ダウンリンクデータの２つの受信状況が肯定応答（ＡＣＫ）及び否定応答（ＮＡＣＫ）を含むか、又は前記ダウンリンクデータの４つの受信状況が（ＡＣＫ、ＡＣＫ）、（ＮＡＣＫ、ＮＡＣＫ）、（ＡＣＫ、ＮＡＣＫ）及び（ＮＡＣＫ、ＡＣＫ）を含み、
前記処理モジュールは、
前記スケジューリング要求伝送状況が正のスケジューリング要求伝送である場合、前記伝送リソースが前記Ｍ個の第２リソースのうち１つであることを決定するように構成されており、前記アップリンク制御情報は前記ダウンリンクデータの前記Ｎ個の受信状況のうち１つ及び前記正のスケジューリング要求伝送を示し、Ｍ＞１である、
請求項１５に記載の端末デバイス。
【請求項１７】
Ｍが２である、請求項１６に記載の端末デバイス。
【請求項１８】
Ｎが２であり、Ｍが２であり、２つの第２リソースは第１の第２リソース及び第２の第２リソースを含み、前記処理モジュールは、
前記ダウンリンクデータの前記受信状況がＡＣＫであり、前記スケジューリング要求伝送状況が前記正のスケジューリング要求伝送である場合、前記伝送リソースが前記第１の第２リソースであることを決定するように構成されており、前記アップリンク制御情報は前記正のスケジューリング要求伝送及び前記ＡＣＫを示すか、又は
前記ダウンリンクデータの前記受信状況がＮＡＣＫであり、前記スケジューリング要求伝送状況が前記正のスケジューリング要求伝送である場合、前記伝送リソースが前記第２の第２リソースであることを決定するように具体的に構成されており、前記アップリンク制御情報は前記正のスケジューリング要求伝送及び前記ＮＡＣＫを示す、
請求項１５から１７の何れか一項に記載の端末デバイス。
【請求項１９】
Ｎが２であり、Ｍが２であり、２つの第１リソースは第１の第１リソース及び第２の第１リソースを含み、前記処理モジュールは、
前記ダウンリンクデータの前記受信状況がＡＣＫであり、前記スケジューリング要求伝送状況が負のスケジューリング要求伝送である場合、前記伝送リソースが前記第１の第１リソースであることを決定するように構成されており、前記アップリンク制御情報は前記負のスケジューリング要求伝送及び前記ＡＣＫを示すか、又は
前記ダウンリンクデータの前記受信状況がＮＡＣＫであり、前記スケジューリング要求伝送状況が前記負のスケジューリング要求伝送である場合、前記伝送リソースが前記第２の第１リソースであることを決定するように構成されており、前記アップリンク制御情報は前記正のスケジューリング要求伝送及び前記ＮＡＣＫを示す、
請求項１５から１８の何れか一項に記載の端末デバイス。
【請求項２０】
Ｎが２であり、Ｍが２であり、２つの第２リソースは第１の第２リソース及び第２の第２リソースを含み、前記処理モジュールは、
前記ダウンリンクデータの前記受信状況が不連続伝送（ＤＴＸ）であり、前記スケジューリング要求伝送状況が前記正のスケジューリング要求伝送である場合、前記伝送リソースが前記第２の第２リソースであることを決定するように構成されており、前記アップリンク制御情報は前記正のスケジューリング要求伝送を示すか、又は
前記ダウンリンクデータの前記受信状況がＮＡＣＫであり、前記スケジューリング要求伝送状況が前記正のスケジューリング要求伝送である場合、前記伝送リソースが前記第２の第２リソースであることを決定するように構成されており、前記アップリンク制御情報は前記正のスケジューリング要求伝送及び前記ＮＡＣＫを示す、
請求項１５から１７の何れか一項に記載の端末デバイス。
【請求項２１】
前記第１リソースは巡回シフト、直交シーケンス及びリソースブロックの少なくとも１つによって識別され、及び／又は
前記第２リソースは巡回シフト、直交シーケンス及びリソースブロックの少なくとも１つによって識別される、請求項１５から２０の何れか一項に記載の端末デバイス。
【請求項２２】
伝送リソースでアップリンク制御情報を受信するように構成されている送受信モジュールであって、前記伝送リソースがＮ個の第１リソースのうち１つであるか、又はＭ個の第２リソースのうち１つであり、前記Ｎ個の第１リソースはダウンリンクデータのＮ個の受信状況に対応し、前記Ｍ個の第２リソースはスケジューリング要求を伝送するために用いられ、Ｎが１より大きな正の整数であり、Ｍが正の整数である、送受信モジュールと、
前記伝送リソース及び前記アップリンク制御情報に基づいて前記ダウンリンクデータの受信状況及びスケジューリング要求伝送状況を決定するように構成されている処理モジュールと
を備える、
ネットワークデバイス。
【請求項２３】
Ｎが２又は４であり、前記ダウンリンクデータの２つの受信状況が肯定応答（ＡＣＫ）及び否定応答（ＮＡＣＫ）を含むか、又は前記ダウンリンクデータの４つの受信状況が（ＡＣＫ、ＡＣＫ）、（ＮＡＣＫ、ＮＡＣＫ）、（ＡＣＫ、ＮＡＣＫ）及び（ＮＡＣＫ、ＡＣＫ）を含み、前記処理モジュールは、前記伝送リソースが前記Ｍ個の第２リソースのうち１つであることを決定するように構成されており、
前記送受信モジュールは、前記Ｍ個の第２リソースのうち前記１つで前記アップリンク制御情報を受信するように構成されており、Ｍ＞１であり、
前記処理モジュールは、前記Ｍ個の第２リソースのうち前記１つ及び前記アップリンク制御情報に基づいて、前記ダウンリンクデータの受信状況が前記Ｎ個のデータ受信状況のうち１つであり、前記スケジューリング要求伝送状況が正のスケジューリング要求伝送であることを決定するように構成されている、
請求項２２に記載のネットワークデバイス。
【請求項２４】
Ｍが２である、請求項２３に記載のネットワークデバイス。
【請求項２５】
Ｎが２であり、Ｍが２であり、２つの第２リソースは第１の第２リソース及び第２の第２リソースを含み、前記伝送リソースが前記第１の第２リソース及び前記第２の第２リソースであり、
前記処理モジュールは、
前記第１の第２リソースに基づいて、前記ダウンリンクデータの前記受信状況がＡＣＫであり、前記スケジューリング要求伝送状況が前記正のスケジューリング要求伝送であることを決定するか、又は
前記第２の第２リソースに基づいて、前記ダウンリンクデータの前記受信状況がＮＡＣＫであり、前記スケジューリング要求伝送状況が前記正のスケジューリング要求伝送であることを決定する
ように構成されている、請求項２２から２４の何れか一項に記載のネットワークデバイス。
【請求項２６】
Ｎが２であり、Ｍが２であり、２つの第１リソースは第１の第１リソース及び第２の第１リソースを含み、前記処理モジュールは、
前記第１の第１リソースに基づいて、前記ダウンリンクデータの前記受信状況がＡＣＫであり、前記スケジューリング要求伝送状況が負のスケジューリング要求伝送であることを決定するか、又は
前記第２の第１リソースに基づいて、前記ダウンリンクデータの前記受信状況がＮＡＣＫであり、前記スケジューリング要求伝送状況が前記負のスケジューリング要求伝送であることを決定する
ように構成されている、請求項２２から２５の何れか一項に記載のネットワークデバイス。
【請求項２７】
Ｎが２であり、Ｍが２であり、２つの第２リソースは第１の第２リソース及び第２の第２リソースを含み、前記処理モジュールは、
前記第１の第２リソースに基づいて、前記ダウンリンクデータの前記受信状況が不連続伝送（ＤＴＸ）であり、前記スケジューリング要求伝送状況が前記正のスケジューリング要求伝送であることを決定するか、又は
前記第２の第２リソースに基づいて、前記ダウンリンクデータの前記受信状況が前記ダウンリンクデータの前記受信状況がＮＡＣＫであり、前記スケジューリング要求伝送状況が前記正のスケジューリング要求伝送であることを決定する
ように構成されている、請求項２２から２４の何れか一項に記載のネットワークデバイス。
【請求項２８】
前記第１リソースは巡回シフト、直交シーケンス及びリソースブロックの少なくとも１つによって識別され、及び／又は
前記第２リソースは巡回シフト、直交シーケンス及びリソースブロックの少なくとも１つによって識別される、請求項２２から２７の何れか一項に記載のネットワークデバイス。
【請求項２９】
コンピュータで実行される場合、請求項１から７の何れか一項に記載の方法を前記コンピュータに実行させる命令を備えるコンピュータプログラム。
【請求項３０】
コンピュータで実行される場合、請求項８から１４の何れか一項に記載の方法を前記コンピュータに実行させる命令を備えるコンピュータプログラム。
【手続補正２】
【補正対象書類名】明細書
【補正対象項目名】全文
【補正方法】変更
【補正の内容】
【発明の詳細な説明】
【技術分野】
【０００１】
本願の実施形態は、通信分野、より具体的には、制御情報伝送方法、端末デバイス及びネットワークデバイスに関する。
【背景技術】
【０００２】
無線通信システムにおいて、レイテンシ（ｌａｔｅｎｃｙ）は、ユーザエクスペリエンスに影響を与える重要な要因の１つである。Ｉｎｔｅｒｎｅｔ  ｏｆ  Ｖｅｈｉｃｌｅｓに関するサービスそのような連続的に出現する新たなサービスは、レイテンシに対してもますます高い要件を課す。したがって、既存のロングタームエボリューション（ｌｏｎｇ  ｔｅｒｍ  ｅｖｏｌｕｔｉｏｎ、ＬＴＥ）システムにおいて、１つのサブフレームの伝送時間間隔（ｔｒａｎｓｍｉｓｓｉｏｎ  ｔｉｍｅ  ｉｎｔｅｒｖａｌ、ＴＴＩ）に基づく伝送メカニズムは、低レイテンシサービスの要件を満たすことができない。レイテンシを減少させるために、物理ダウンリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）、物理アップリンク共有チャネル（ｐｈｙｓｉｃａｌ  ｕｐｌｉｎｋ  ｓｈａｒｅｄ  ｃｈａｎｎｅｌ、ＰＵＳＣＨ）及び物理的アップリンク制御チャネル（ｐｈｙｓｉｃａｌ  ｕｐｌｉｎｋ  ｃｏｎｔｒｏｌ  ｃｈａｎｎｅｌ、ＰＵＣＣＨ）のＴＴＩ長は、サブフレームレベルからタイムスロットレベル又はさらにシンボルレベルまで減少させる必要がある。
【０００３】
ＰＵＣＣＨは、アップリンク制御情報（ｕｐｌｉｎｋ  ｃｏｎｔｒｏｌ  ｉｎｆｏｒｍａｔｉｏｎ、ＵＣＩ）を搬送するために用いられる。ＵＣＩは、チャネル状態情報（ｃｈａｎｎｅｌ  ｓｔａｔｅ  ｉｎｆｏｒｍａｔｉｏｎ、ＣＳＩ）、ハイブリッド自動再送要求肯定応答（ｈｙｂｒｉｄ  ａｕｔｏｍａｔｉｃ  ｒｅｐｅａｔ  ｒｅｑｕｅｓｔ‐ａｃｋｎｏｗｌｅｄｇｅｍｅｎｔ、ＨＡＲＱ−ＡＣＫ）情報及びスケジューリング要求（ｓｃｈｅｄｕｌｉｎｇ  ｒｅｑｕｅｓｔ、ＳＲ）の少なくとも１つを含む。ＰＵＣＣＨフォーマット（ｆｏｒｍａｔ）はＰＵＣＣＨフォーマット１、１ａ、１ｂ、３、４及び５の複数のタイプを含む。ＰＵＣＣＨフォーマット１ａは、１ビットのＨＡＲＱ−ＡＣＫ情報を伝送するために用いられ、変調のために二位相偏移変調（Ｂｉｎａｒｙ  Ｐｈａｓｅ  Ｓｈｉｆｔ  Ｋｅｙｉｎｇ、ＢＰＳＫ）を用いて、単一のセル及び単一のコードワード（ｃｏｄｅｗｏｒｄ）シナリオに対応する。ＰＵＣＣＨフォーマット１ｂは、２ビットのＨＡＲＱ−ＡＣＫ情報を伝送するために用いられ、変調のために四位相偏移変調（Ｑｕａｄｒａｔｕｒｅ  Ｐｈａｓｅ  Ｓｈｉｆｔ  Ｋｅｙｉｎｇ、ＱＰＳＫ）を用いて、単一のセル及び２つのコードワードのシナリオに対応する。ＰＵＣＣＨフォーマット１は、ＳＲを伝送するために用いられる。端末デバイスは、アップリンクリソースを要求する場合はＳＲのみを送信する必要があり、電力を節約し干渉を減少させるように別の場合にはＳＲを送信しない。したがって、ＳＲ伝送はＨＡＲＱ−ＡＣＫ情報伝送と異なる。明示ビットはＳＲの送信に用いられない。その代わりに、ＳＲがあるかどうかは、対応するＰＵＣＣＨにエネルギーがあるかどうかによって示される。ＳＲ及び１ビット又は２ビットのＨＡＲＱ−ＡＣＫ情報が同時に伝送される必要がある場合、端末デバイスは、ＳＲのために構成されているＰＵＣＣＨリソースでＰＵＣＣＨフォーマット１ａ又はＰＵＣＣＨフォーマット１ｂを送信する。このように、ＳＲのために構成されているＰＵＣＣＨリソースで、ネットワークデバイスは、エネルギー検出を通じて、端末デバイスがアップリンクリソーススケジューリング要求を開始するかどうかを決定し得る。加えて、ネットワークデバイスは、ＰＵＣＣＨフォーマット１ａ又はＰＵＣＣＨフォーマット１ｂを復調することによって、１ビット又は２ビットのＨＡＲＱ−ＡＣＫ情報を取得し得る。
【０００４】
ＰＵＣＣＨシンボルの数が１、２又は３個のシンボルに減少させる場合、ＨＡＲＱ−ＡＣＫ情報の受信の性能を高めるために、異なる巡回シフトは異なるＨＡＲＱ−ＡＣＫ情報に対応するという、シーケンスベースのＰＵＣＣＨ伝送メカニズムが導入される。単一のセル及び単一のコードワードのシナリオにおいて、コードワードの２つの状態、すなわちＡＣＫ及びＮＡＣＫを表すために２つの巡回シフトが必要とされる。単一のセル及び２つのコードワードのシナリオにおいて、２つのコードワードの４つの状態、すなわち（ＡＣＫ、ＡＣＫ）、（ＮＡＣＫ、ＮＡＣＫ）、（ＡＣＫ、ＮＡＣＫ）及び（ＮＡＣＫ、ＡＣＫ）を表すために４つの巡回シフトが必要とされる。
【０００５】
ＰＵＣＣＨシンボルの数が１、２又は３個のシンボルに減少した後、ＳＲをいかに伝送するか、並びに、ＳＲ及びＨＡＲＱ−ＡＣＫ情報をいかに同時に伝送するかはさらに研究される必要がある。
【発明の概要】
【０００６】
本願の実施形態は、制御情報伝送方法、端末デバイス及びネットワークデバイスを提供し、ＰＵＣＣＨシンボルの数が１、２又は３個のシンボルに減少した後に、ＳＲをいかに伝送するか、並びに、ＳＲ及びＨＡＲＱ−ＡＣＫ情報をいかに同時に伝送するかについての問題を効率的に解決する。
【０００７】
第１態様によると、制御情報伝送方法が提供される。方法は、端末デバイスが、ダウンリンクデータの受信状況及びスケジューリング要求伝送状況に基づいて伝送リソースを決定する段階であって、伝送リソースが、Ｎ個の第１リソースのうち１つ又はＭ個の第２リソースのうち１つであり、Ｎ個の第１リソースはダウンリンクデータのＮ個の受信状況に対応し、Ｍ個の第２リソースはスケジューリング要求を伝送するために用いられ、Ｎが１より大きな正の整数であり、Ｍが正の整数である、決定する段階と、端末デバイスが、伝送リソースでアップリンク制御情報を送信する段階とを含む。
【０００８】
第１態様に関連して、第１態様の第１の可能な実装においては、Ｎが２又は４であり、ダウンリンクデータの２つの受信状況が肯定応答ＡＣＫ及び否定応答ＮＡＣＫを含むか、又はダウンリンクデータの４つの受信状況が（ＡＣＫ、ＡＣＫ）、（ＮＡＣＫ、ＮＡＣＫ）、（ＡＣＫ、ＮＡＣＫ）及び（ＮＡＣＫ、ＡＣＫ）を含み、端末デバイスがダウンリンクデータの受信状況及びスケジューリング要求伝送状況に基づいて伝送リソースを決定する段階は、スケジューリング要求伝送状況が正のスケジューリング要求伝送である場合、端末デバイスは、伝送リソースがＭ個の第２リソースのうち１つであることを決定する段階であって、アップリンク制御情報はＮ個のデータ受信状況のうち１つ及び正のスケジューリング要求伝送を示す、決定する段階を有する。
【０００９】
第１態様の第１の可能な実装に関連して、第１態様の第２の可能な実装において、Ｍが１であり、端末デバイスがダウンリンクデータの受信状況及びスケジューリング要求伝送状況に基づいて伝送リソースを決定する段階は、ダウンリンクデータの受信状況がダウンリンクデータの２つの受信状況のうち１つであるか、又はダウンリンクデータの受信状況がダウンリンクデータの４つの受信状況のうち１つであり、かつ、スケジューリング要求伝送状況が正のスケジューリング要求伝送である場合、端末デバイスは、伝送リソースが１つの第２リソースであることを決定する段階であって、アップリンク制御情報はＮＡＣＫ及び正のＳＲ伝送を示すか、又はアップリンク制御情報は（ＮＡＣＫ、ＮＡＣＫ）及び正のＳＲ伝送を示すか、又はアップリンク制御情報はＮＡＣＫ／ＤＴＸ及び正のＳＲ伝送を示すか、又はアップリンク制御情報は（ＮＡＣＫ、ＮＡＣＫ）／（ＤＴＸ、ＤＴＸ）及び正のＳＲ伝送を示す、決定する段階を有する。
【００１０】
第１態様の第１の可能な実装に関連して、第１態様の第３の可能な実装において、Ｍが１であり、端末デバイスが、ダウンリンクデータの受信状況及びスケジューリング要求伝送状況に基づいて伝送リソースを決定する段階は、ダウンリンクデータの受信状況がダウンリンクデータの２つの受信状況のうち１つであるか、又はダウンリンクデータの受信状況がダウンリンクデータの４つの受信状況のうち１つであり、かつ、スケジューリング要求伝送状況が正のスケジューリング要求伝送である場合、端末デバイスは、伝送リソースが１つの第２リソースであることを決定する段階であって、アップリンク制御情報は正のスケジューリング要求伝送及びダウンリンクデータの受信状況を示す、決定する段階を含み、端末デバイスが伝送リソースでアップリンク制御情報を伝送する段階は、端末デバイスが、１つの第２リソースで、１ビット又は２ビットの情報を搬送するために用いられるＰＵＣＣＨ、及びＰＵＣＣＨを復調するために用いられる復調基準信号を送信する段階であって、１ビット又は２ビットの情報はダウンリンクデータの受信状況を示す、送信する段階を有する。
【００１１】
第１態様の第１の可能な実装に関連して、第１態様の第４の可能な実装において、Ｎが２であり、Ｍが２であり、２つの第２リソースは第１の第２リソース及び第２の第２リソースを含み、端末デバイスがダウンリンクデータの受信状況及びスケジューリング要求伝送状況に基づいて伝送リソースを決定する段階は、ダウンリンクデータの受信状況がＡＣＫであり、スケジューリング要求伝送状況が正のスケジューリング要求伝送である場合、端末デバイスは、伝送リソースが第１の第２リソースであることを決定する段階であって、アップリンク制御情報は正のスケジューリング要求伝送及びＡＣＫを示す、決定する段階を有するか、又はダウンリンクデータの受信状況がＮＡＣＫであり、スケジューリング要求伝送状況が正のスケジューリング要求伝送である場合、端末デバイスは、伝送リソースが第２の第２リソースであることを決定する段階であって、アップリンク制御情報は正のスケジューリング要求伝送及びＮＡＣＫを示す、決定する段階を有する。
【００１２】
第１態様の第２から第４の可能な実装のいずれか１つに関連して、第１態様の第５の可能な実装において、Ｎが２であり、端末デバイスがダウンリンクデータの受信状況及びスケジューリング要求伝送状況に基づいて伝送リソースを決定する段階の前に、方法はさらに、端末デバイスがダウンリンクデータを受信する段階であって、ダウンリンクデータは２つのトランスポートブロックＴＢを含む、受信する段階と、端末デバイスが、ダウンリンクデータの受信状況は２つのＴＢにそれぞれ対応する受信状況の空間バンドリング結果であることを決定する段階とを含む。
【００１３】
第１態様の第２から第５の可能な実装のいずれか１つに関連して、第１態様の第６の可能な実装において、端末デバイスがダウンリンクデータの受信状況及びスケジューリング要求伝送状況に基づいて伝送リソースを決定する段階はさらに、ダウンリンクデータの受信状況がダウンリンクデータの２つの受信状況のうち１つであるか、又はダウンリンクデータの受信状況がダウンリンクデータの４つの受信状況のうち１つであり、スケジューリング要求伝送状況が負のスケジューリング要求伝送である場合、端末デバイスは、伝送リソースがＮ個の第１リソースのうち１つであることを決定する段階を有する。
【００１４】
いくつかの可能な実装において、Ｎが２であり、Ｍが１であり、ダウンリンクデータの２つの受信状況は肯定応答ＡＣＫ及び否定応答ＮＡＣＫを含み、端末デバイスがダウンリンクデータの受信状況及びスケジューリング要求伝送状況に基づいて伝送リソースを決定する段階は、ダウンリンクデータの受信状況がＡＣＫであり、スケジューリング要求伝送状況が正のスケジューリング要求伝送である場合、端末デバイスは、伝送リソースが１つの第２リソースであることを決定する段階であって、アップリンク制御情報はＡＣＫ及び正のスケジューリング要求伝送を示す、決定する段階を有するか、又はダウンリンクデータの受信状況がＮＡＣＫであり、スケジューリング要求伝送状況が正のスケジューリング要求伝送である場合、端末デバイスは、伝送リソースがＮＡＣＫに対応する第１リソースであることを決定する段階であって、アップリンク制御情報はＮＡＣＫ及び負のスケジューリング要求伝送を示す、決定する段階を有する。
【００１５】
いくつかの可能な実装において、Ｎが２であり、Ｍが１であり、ダウンリンクデータの２つの受信状況は肯定応答ＡＣＫ及び否定応答ＮＡＣＫを含み、端末デバイスがダウンリンクデータの受信状況及びスケジューリング要求伝送状況に基づいて伝送リソースを決定する段階は、ダウンリンクデータの受信状況がＡＣＫであり、スケジューリング要求伝送状況が正のスケジューリング要求伝送である場合、端末デバイスは、伝送リソースがＡＣＫに対応する第１リソースであることを決定する段階であって、アップリンク制御情報はＡＣＫ及び負のスケジューリング要求伝送を示す、決定する段階を有するか、又はダウンリンクデータの受信状況がＮＡＣＫであり、スケジューリング要求伝送状況が正のスケジューリング要求伝送である場合、端末デバイスは、伝送リソースが１つの第２リソースであることを決定する段階であって、アップリンク制御情報はＮＡＣＫ及び正のスケジューリング要求伝送を示す、決定する段階を有する。
【００１６】
いくつかの可能な実装において、Ｎが２であり、Ｍが２であり、ダウンリンクデータの２つの受信状況は肯定応答ＡＣＫ及び否定応答ＮＡＣＫを含み、２つの第２リソースは、第１のスケジューリング要求に対応する第２リソース及び第２のスケジューリング要求に対応するスケジューリングリソースを含み、端末デバイスがダウンリンクデータの受信状況及びスケジューリング要求伝送状況に基づいて伝送リソースを決定する段階は、ダウンリンクデータの受信状況がＡＣＫ又はＮＡＣＫであり、スケジューリング要求伝送状況が第１の正のスケジューリング要求伝送である場合、端末デバイスは、伝送リソースが第１のスケジューリング要求に対応する第２リソースであることを決定する段階であって、アップリンク制御情報はＮＡＣＫ／ＤＴＸ及び第１の正のスケジューリング要求伝送を示す、決定する段階を有するか、又はダウンリンクデータの受信状況がＡＣＫ又はＮＡＣＫであり、スケジューリング要求伝送状況が第２の正のスケジューリング要求伝送である場合、端末デバイスは、伝送リソースが第２のスケジューリング要求の伝送に対応する第２リソースであることを決定する段階であって、アップリンク制御情報はＮＡＣＫ／ＤＴＸ及び第２の正のスケジューリング要求伝送を示す、決定する段階を有する。
【００１７】
いくつかの可能な実装において、Ｎが２であり、Ｍが２であり、ダウンリンクデータの２つの受信状況は肯定応答ＡＣＫ及び否定応答ＮＡＣＫを含み、スケジューリング要求は第１のスケジューリング要求及び第２のスケジューリング要求を含み、２つの第２リソースは第１のスケジューリング要求に対応する第２リソース及び第２のスケジューリング要求に対応するスケジューリングリソースを含み、端末デバイスがダウンリンクデータの受信状況及びスケジューリング要求伝送状況に基づいて伝送リソースを決定する段階は、ダウンリンクデータの受信状況がＡＣＫであり、スケジューリング要求伝送状況が第１の正のスケジューリング要求伝送であるか、又は第２の正のスケジューリング要求伝送である場合、端末デバイスは、伝送リソースが第１のスケジューリング要求の伝送に対応する第２リソースであるか、又は第２のスケジューリング要求の伝送に対応する第２リソースであることを決定する段階であって、アップリンク制御情報はＡＣＫ及び第１の正のスケジューリング要求伝送又は第２の正のスケジューリング要求伝送を示す、決定する段階を有するか、又はダウンリンクデータの受信状況がＮＡＣＫであり、スケジューリング要求伝送状況が第１の正のスケジューリング要求伝送又は第２の正のスケジューリング要求伝送である場合、端末デバイスは、伝送リソースがＮＡＣＫに対応する第１リソースであることを決定する段階であって、アップリンク制御情報はＮＡＣＫ及び負のスケジューリング要求伝送を示す、決定する段階を有する。
【００１８】
いくつかの可能な実装において、Ｎが２であり、Ｍが２であり、ダウンリンクデータの２つの受信状況は肯定応答ＡＣＫ及び否定応答ＮＡＣＫを含み、スケジューリング要求は第１のスケジューリング要求及び第２のスケジューリング要求を含み、２つの第２リソースは第１のスケジューリング要求に対応する第２リソース及び第２のスケジューリング要求に対応するスケジューリングリソースを含み、端末デバイスがダウンリンクデータの受信状況及びスケジューリング要求伝送状況に基づいて伝送リソースを決定する段階は、ダウンリンクデータの受信状況がＡＣＫであり、スケジューリング要求伝送状況が第１の正のスケジューリング要求伝送又は第２の正のスケジューリング要求伝送である場合、端末デバイスが、伝送リソースがＡＣＫに対応する第１リソースであることを決定する段階であって、アップリンク制御情報はＡＣＫ及び負のスケジューリング要求伝送を示す、決定する段階を有するか、又はダウンリンクデータの受信状況がＮＡＣＫであり、スケジューリング要求伝送状況が第１の正のスケジューリング要求伝送又は第２の正のスケジューリング要求伝送である場合、端末デバイスが、伝送リソースが第１のスケジューリング要求の伝送に対応する第２リソースであるか、又は第２のスケジューリング要求の伝送に対応する第２リソースであることを決定する段階であって、アップリンク制御情報はＮＡＣＫ及び第１の正のスケジューリング要求伝送又は第２の正のスケジューリング要求伝送を示す、決定する段階を有する。
【００１９】
いくつかの可能な実装において、Ｎが２又は４であり、Ｍが１であり、ダウンリンクデータの２つの受信状況は肯定応答ＡＣＫ及び否定応答ＮＡＣＫを含むか、又はダウンリンクデータの４つの受信状況は（ＡＣＫ、ＡＣＫ）、（ＮＡＣＫ、ＮＡＣＫ）、（ＡＣＫ、ＮＡＣＫ）及び（ＮＡＣＫ、ＡＣＫ）を含み、端末デバイスが、ダウンリンクデータの受信状況及びスケジューリング要求伝送状況に基づいて伝送リソースを決定する段階は、ダウンリンクデータの受信状況がダウンリンクデータの２つの受信状況のうち１つであるか、又はダウンリンクデータの受信状況がダウンリンクデータの４つの受信状況のうち１つであり、スケジューリング要求伝送状況が正のスケジューリング要求伝送である場合、端末デバイスが、伝送リソースが１つの第２リソースであることを決定する段階であって、アップリンク制御情報は正のスケジューリング要求伝送及びダウンリンクデータの受信状況を示す、決定する段階を含み、端末デバイスが伝送リソースでアップリンク制御情報を送信する段階は、端末デバイスが、１つの第２リソースで、ｎビットの情報を搬送するために用いられるＰＵＣＣＨ、及びＰＵＣＣＨを復調するために用いられる復調基準信号を送信する段階であって、ｎビットの情報は正のスケジューリング要求伝送及びダウンリンクデータの受信状況を示す、送信する段階を有する。
【００２０】
第１態様のいずれか１つ又は第１態様の第１から第６の可能な実装に関連して、第１態様の第７の可能な実装において、第１リソースは巡回シフト、直交シーケンス及びリソースブロックの少なくとも１つによって識別され、及び／又は第２リソースは巡回シフト、直交シーケンス及びリソースブロックの少なくとも１つによって識別される。
【００２１】
第１態様のいずれか１つ又は第１態様の第１から第７の可能な実装に関連して、第１態様の第８の可能な実装において、方法はさらに、端末デバイスが第１リソース指示情報を受信する段階であって、第１リソース指示情報はＮ個の第１リソースを示す、受信する段階を有するか、及び／又は端末デバイスが第２リソース指示情報を受信する段階であって、第２リソース指示情報はＭ個の第２リソースを示す、受信する段階を有する。
【００２２】
本願のこの実施形態における制御情報伝送方法により、ＰＵＣＣＨシンボルの数が１、２又は３個のシンボルに減少した後に、ＳＲをいかに伝送するか、並びに、ＳＲ及びＨＡＲＱ−ＡＣＫ情報をいかに同時に伝送するかについての問題が効率的に解決される。
【００２３】
第２態様によると、制御情報伝送方法が提供される。方法は、ネットワークデバイスが伝送リソースでアップリンク制御情報を受信する段階であって、伝送リソースがＮ個の第１リソースのうち１つであるか、又はＭ個の第２リソースのうち１つであり、Ｎ個の第１リソースはダウンリンクデータのＮ個の受信状況に対応し、Ｍ個の第２リソースはスケジューリング要求を伝送するために用いられ、Ｎが１より大きな正の整数であり、Ｍが正の整数である、受信する段階と、ネットワークデバイスが、伝送リソース及びアップリンク制御情報に基づいてダウンリンクデータの受信状況及びスケジューリング要求伝送状況を決定する段階とを含む。
【００２４】
第２態様に関連して、第２態様の第１の可能な実装において、Ｎが２又は４であり、Ｎが２又は４であり、ダウンリンクデータの２つの受信状況は肯定応答ＡＣＫ及び否定応答ＮＡＣＫを含むか、又はダウンリンクデータの４つの受信状況は（ＡＣＫ、ＡＣＫ）、（ＮＡＣＫ、ＮＡＣＫ）、（ＡＣＫ、ＮＡＣＫ）及び（ＮＡＣＫ、ＡＣＫ）を含み、ネットワークデバイスが伝送リソースでアップリンク制御情報を受信する段階は、ネットワークデバイスが、伝送リソースがＭ個の第２リソースのうち１つであることを決定する段階と、ネットワークデバイスが、Ｍ個の第２リソースのうち１つでアップリンク制御情報を受信する段階とを含み、ネットワークデバイスが伝送リソース及びアップリンク制御情報に基づいてダウンリンクデータの受信状況及びスケジューリング要求伝送状況を決定する段階は、ネットワークデバイスが、Ｍ個の第２リソースのうち１つ及びアップリンク制御情報に基づいて、ダウンリンクデータの受信状況はＮ個のデータ受信状況のうち１つであり、スケジューリング要求伝送状況は正のスケジューリング要求伝送であることを決定する段階を有する。
【００２５】
第２態様の第１の可能な実装に関連して、第２態様の第２の可能な実装において、Ｍが１であり、伝送リソースが１つの第２リソースであり、ネットワークデバイスが伝送リソース及びアップリンク制御情報に基づいてダウンリンクデータの受信状況及びスケジューリング要求伝送状況を決定する段階は、ネットワークデバイスが、１つの第２リソースに基づいて、ダウンリンクデータの受信状況はＮＡＣＫ又は（ＮＡＣＫ、ＮＡＣＫ）であり、スケジューリング要求伝送状況は正のＳＲ伝送であることを決定する段階を有するか、又はネットワークデバイスが、１つの第２リソースに基づいて、ダウンリンクデータの受信状況はＮＡＣＫ／ＤＴＸ又は（ＮＡＣＫ、ＮＡＣＫ）／（ＤＴＸ、ＤＴＸ）であり、スケジューリング要求伝送状況は正のＳＲ伝送であることを決定する段階を有する。
【００２６】
第２態様の第１の可能な実装に関連して、第２態様の第３の可能な実装において、Ｍが１であり、伝送リソースが１つの第２リソースであり、ネットワークデバイスがＭ個の第２リソースのうち１つでアップリンク制御情報を受信する段階は、ネットワークデバイスが、１つの第２リソースで、１ビット又は２ビットの情報を搬送するために用いられるＰＵＣＣＨ及び当該ＰＵＣＣＨを復調するために用いられる復調基準信号を受信する段階であって、１ビット又は２ビットの情報はダウンリンクデータの受信状況を示す、受信する段階を含み、ネットワークデバイスが伝送リソース及びアップリンク制御情報に基づいてダウンリンクデータの受信状況及びスケジューリング要求伝送状況を決定する段階は、ネットワークデバイスが、１つの第２リソースに基づいて、スケジューリング要求伝送状況が正のスケジューリング要求伝送であることを決定する段階と、１ビット又は２ビットの情報に基づいて、ダウンリンクデータの受信状況がダウンリンクデータの２つの受信状況のうち１つであるか、又はダウンリンクデータの４つの受信状況のうち１つであることを決定する段階とを含む。
【００２７】
第２態様の第１の可能な実装に関連して、第２態様の第４の可能な実装において、Ｎが２であり、Ｍが２であり、２つの第２リソースは第１の第２リソース及び第２の第２リソースを含み、伝送リソースが第１の第２リソース及び第２の第２リソースであり、ネットワークデバイスが伝送リソース及びアップリンク制御情報に基づいてダウンリンクデータの受信状況及びスケジューリング要求伝送状況を決定する段階は、ネットワークデバイスが、第１の第２リソースに基づいて、ダウンリンクデータの受信状況はＡＣＫであり、スケジューリング要求伝送状況は正のスケジューリング要求伝送であることを決定する段階を有するか、又はネットワークデバイスが、第２の第２リソースに基づいて、ダウンリンクデータの受信状況はＮＡＣＫであり、スケジューリング要求伝送状況は正のスケジューリング要求伝送であることを決定する段階を有する。
【００２８】
第２態様の第２から第４の可能な実装のいずれか１つに関連して、第２態様の第５の可能な実装において、Ｎが２であり、方法はさらに、ネットワークデバイスがダウンリンクデータを送信する段階であって、ダウンリンクデータは２つのトランスポートブロックＴＢを含み、ダウンリンクデータの受信状況は当該２つのＴＢにそれぞれ対応する受信状況の空間バンドリング結果である、送信する段階を有する。
【００２９】
第２態様の第２から第５の可能な実装のいずれか１つに関連して、第２態様の第６の可能な実装において、Ｎが２又は４であり、ネットワークデバイスが伝送リソースでアップリンク制御情報を受信する段階は、ネットワークデバイスが、伝送リソースがＮ個の第１リソースのうち１つであることを決定する段階と、ネットワークデバイスが、Ｎ個の第１リソースのうち１つでアップリンク制御情報を受信する段階とを含み、ネットワークデバイスが伝送リソース及びアップリンク制御情報に基づいてダウンリンクデータの受信状況及びスケジューリング要求伝送状況を決定する段階は、ネットワークデバイスが、Ｎ個の第１リソースのうち１つに基づいて、ダウンリンクデータの受信状況はダウンリンクデータの２つ又は４つの受信状況のうち１つであり、スケジューリング要求伝送状況は負のスケジューリング要求伝送であることを決定する段階を有する。
【００３０】
いくつかの可能な実装において、Ｎが２であり、Ｍが１であり、ダウンリンクデータの２つの受信状況は肯定応答ＡＣＫ及び否定応答ＮＡＣＫを含み、伝送元は１つの第２リソースであり、ネットワークデバイスが伝送リソースでアップリンク制御情報を受信する段階は、ネットワークデバイスが、伝送リソースが１つの第２リソースであることを決定する段階と、ネットワークデバイスが、１つの第２リソースでアップリンク制御情報を受信する段階とを含み、ネットワークデバイスが伝送リソース及びアップリンク制御情報に基づいてダウンリンクデータの受信状況及びスケジューリング要求伝送状況を決定する段階は、ネットワークデバイスが、１つの第２リソースに基づいて、ダウンリンクデータの受信状況はＡＣＫであり、スケジューリング要求伝送状況は正のスケジューリング要求伝送であることを決定する段階を有するか、又はネットワークデバイスが伝送リソースでアップリンク制御情報を受信する段階は、ネットワークデバイスが、伝送リソースがＮＡＣＫに対応する第１リソースであることを決定する段階と、ネットワークデバイスが、ＮＡＣＫに対応する第１リソースでアップリンク制御情報を受信する段階とを含み、ネットワークデバイスが伝送リソース及びアップリンク制御情報に基づいてダウンリンクデータの受信状況及びスケジューリング要求伝送状況を決定する段階は、ネットワークデバイスが、ＮＡＣＫに対応する第１リソースに基づいて、ダウンリンクデータの受信状況はＮＡＣＫであり、スケジューリング要求伝送状況は負のスケジューリング要求伝送であることを決定する段階を有する。
【００３１】
いくつかの可能な実装において、Ｎが２であり、Ｍが１であり、ダウンリンクデータの２つの受信状況は肯定応答ＡＣＫ及び否定応答ＮＡＣＫを含み、ネットワークデバイスが伝送リソースでアップリンク制御情報を受信する段階は、ネットワークデバイスが、伝送リソースがＡＣＫに対応する第１リソースであることを決定する段階と、ネットワークデバイスが、ＡＣＫに対応する第１リソースでアップリンク制御情報を受信する段階とを含み、ネットワークデバイスが伝送リソース及びアップリンク制御情報に基づいてダウンリンクデータの受信状況及びスケジューリング要求伝送状況を決定する段階は、ネットワークデバイスが、ＡＣＫに対応する第１リソースに基づいて、ダウンリンクデータの受信状況はＡＣＫであり、スケジューリング要求伝送状況は負のスケジューリング要求伝送であることを決定する段階を有するか、又はネットワークデバイスが伝送リソースでアップリンク制御情報を受信する段階は、ネットワークデバイスが、伝送リソースが１つの第２リソースであることを決定する段階と、ネットワークデバイスが、１つの第２リソースに対するアップリンク制御情報を受信する段階とを含み、ネットワークデバイスが伝送リソース及びアップリンク制御情報に基づいてダウンリンクデータの受信状況及びスケジューリング要求伝送状況を決定する段階は、ネットワークデバイスが、１つの第２リソースに基づいて、ダウンリンクデータの受信状況はＮＡＣＫであり、スケジューリング要求伝送状況は正のスケジューリング要求伝送であることを決定する段階を有する。
【００３２】
いくつかの可能な実装において、Ｎが２であり、Ｍが２であり、ダウンリンクデータの２つの受信状況は肯定応答ＡＣＫ及び否定応答ＮＡＣＫを含み、スケジューリング要求は第１のスケジューリング要求及び第２のスケジューリング要求を含み、２つの第２リソースは第１のスケジューリング要求に対応する第２リソース及び第２のスケジューリング要求に対応するスケジューリングリソースを含み、ネットワークデバイスが伝送リソースでアップリンク制御情報を受信する段階は、ネットワークデバイスが、伝送リソースが第１のスケジューリング要求の伝送に対応する第２リソースであることを決定する段階と、ネットワークデバイスが、第１のスケジューリング要求の伝送に対応する第２リソースでアップリンク制御情報を受信する段階とを含み、ネットワークデバイスが伝送リソース及びアップリンク制御情報に基づいてダウンリンクデータの受信状況及びスケジューリング要求伝送状況を決定する段階は、ネットワークデバイスが、第１のスケジューリング要求の伝送に対応する第２リソースに基づいて、ダウンリンクデータの受信状況はＮＡＣＫ／ＤＴＸであり、スケジューリング要求伝送状況は第１の正のスケジューリング要求伝送であることを決定する段階を有するか、又はネットワークデバイスが伝送リソースでアップリンク制御情報を受信する段階は、ネットワークデバイスが、伝送リソースが第２のスケジューリング要求の伝送に対応する第２リソースであることを決定する段階と、ネットワークデバイスが、第２のスケジューリング要求の伝送に対応する第２リソースに対するアップリンク制御情報を受信する段階とを含み、ネットワークデバイスが伝送リソース及びアップリンク制御情報に基づいてダウンリンクデータの受信状況及びスケジューリング要求伝送状況を決定する段階は、ネットワークデバイスが、第２のスケジューリング要求の伝送に対応する第２リソースに基づいて、ダウンリンクデータの受信状況はＮＡＣＫ／ＤＴＸであり、スケジューリング要求伝送状況は第２の正のスケジューリング要求伝送であることを決定する段階を有する。
【００３３】
いくつかの可能な実装において、Ｎが２であり、Ｍが２であり、ダウンリンクデータの２つの受信状況は肯定応答ＡＣＫ及び否定応答ＮＡＣＫを含み、スケジューリング要求は第１のスケジューリング要求及び第２のスケジューリング要求を含み、２つの第２リソースは第１のスケジューリング要求に対応する第２リソース及び第２のスケジューリング要求に対応するスケジューリングリソースを含み、ネットワークデバイスが伝送リソースでアップリンク制御情報を受信する段階は、ネットワークデバイスが、伝送リソースが第１のスケジューリング要求の伝送に対応する第２リソースであるか、又は第２のスケジューリング要求の伝送に対応する第２リソースであることを決定する段階と、ネットワークデバイスが、第１のスケジューリング要求の伝送に対応する第２リソース又は第２のスケジューリング要求の伝送に対応する第２リソースでアップリンク制御情報を受信する段階とを含み、ネットワークデバイスが、伝送リソース及びアップリンク制御情報に基づいてダウンリンクデータの受信状況及びスケジューリング要求伝送状況を決定する段階は、ネットワークデバイスが、第１のスケジューリング要求の伝送に対応する第２リソース又は第２のスケジューリング要求の伝送に対応する第２リソースに基づいて、ダウンリンクデータの受信状況はＡＣＫであり、スケジューリング要求伝送状況は第１の正のスケジューリング要求伝送又は第２の正のスケジューリング要求伝送であることを決定する段階を有するか、又はネットワークデバイスが伝送リソースでアップリンク制御情報を受信する段階は、ネットワークデバイスが、伝送リソースがＮＡＣＫに対応する第１リソースであることを決定する段階と、ネットワークデバイスが、ＮＡＣＫに対応する第１リソースに対するアップリンク制御情報を受信する段階とを含み、ネットワークデバイスが伝送リソース及びアップリンク制御情報に基づいてダウンリンクデータの受信状況及びスケジューリング要求伝送状況を決定する段階は、ネットワークデバイスが、ＮＡＣＫに対応する第１リソースに基づいて、ダウンリンクデータの受信状況はＮＡＣＫであり、スケジューリング要求伝送状況は負のスケジューリング要求伝送であることを決定する段階を有する。
【００３４】
いくつかの可能な実装において、Ｎが２であり、Ｍが２であり、ダウンリンクデータの２つの受信状況は肯定応答ＡＣＫ及び否定応答ＮＡＣＫを含み、スケジューリング要求は第１のスケジューリング要求及び第２のスケジューリング要求を含み、２つの第２リソースは第１のスケジューリング要求に対応する第２リソース及び第２のスケジューリング要求に対応するスケジューリングリソースを含み、ネットワークデバイスが伝送リソースでアップリンク制御情報を受信する段階は、ネットワークデバイスが、伝送リソースがＡＣＫに対応する第１リソースであることを決定する段階と、ネットワークデバイスが、ＡＣＫに対応する第１リソースでアップリンク制御情報を受信する段階とを含み、ネットワークデバイスが伝送リソース及びアップリンク制御情報に基づいてダウンリンクデータの受信状況及びスケジューリング要求伝送状況を決定する段階は、ネットワークデバイスが、ＡＣＫに対応する第１リソースに基づいて、ダウンリンクデータの受信状況はＡＣＫであり、スケジューリング要求伝送状況は負のスケジューリング要求伝送であることを決定する段階を有するか、又はネットワークデバイスが伝送リソースでアップリンク制御情報を受信する段階は、ネットワークデバイスが、伝送リソースが第１のスケジューリング要求の伝送に対応する第２リソースであるか、又は第２のスケジューリング要求の伝送に対応する第２リソースであることを決定する段階と、ネットワークデバイスが、第１のスケジューリング要求の伝送に対応する第２リソース又は第２のスケジューリング要求の伝送に対応する第２リソースに対するアップリンク制御情報を受信する段階とを含み、ネットワークデバイスが伝送リソース及びアップリンク制御情報に基づいてダウンリンクデータの受信状況及びスケジューリング要求伝送状況を決定する段階は、ネットワークデバイスが、第１のスケジューリング要求の伝送に対応する第２リソース又は第２のスケジューリング要求の伝送に対応する第２リソースに基づいて、ダウンリンクデータの受信状況はＮＡＣＫであり、スケジューリング要求伝送状況は第１の正のスケジューリング要求伝送又は第２の正のスケジューリング要求伝送であることを決定する段階を有する。
【００３５】
いくつかの可能な実装において、Ｎが２又は４であり、Ｍが１であり、ダウンリンクデータの２つの受信状況は肯定応答ＡＣＫ及び否定応答ＮＡＣＫを含むか、又はダウンリンクデータの４つの受信状況は（ＡＣＫ、ＡＣＫ）、（ＮＡＣＫ、ＮＡＣＫ）、（ＡＣＫ、ＮＡＣＫ）及び（ＮＡＣＫ、ＡＣＫ）を含み、伝送リソースが１つの第２リソースであり、ネットワークデバイスが１つの第２リソースでアップリンク制御情報を受信する段階は、ネットワークデバイスが、１つの第２リソースで、ｎビットの情報を搬送するために用いられるＰＵＣＣＨ及び当該ＰＵＣＣＨを復調するために用いられる復調基準信号を受信する段階であって、ｎビットの情報はダウンリンクデータの受信状況を示す、受信する段階を含み、ネットワークデバイスが伝送リソース及びアップリンク制御情報に基づいてダウンリンクデータの受信状況及びスケジューリング要求伝送状況を決定する段階は、ネットワークデバイスが、１つの第２リソースに基づいて、スケジューリング要求伝送状況が正のスケジューリング要求伝送であることを決定する段階と、ｎビットの情報に基づいて、ダウンリンクデータの受信状況がダウンリンクデータの２つの受信状況のうち１つであるか、又はダウンリンクデータの４つの受信状況のうち１つであることを決定する段階とを含む。
【００３６】
第２態様の第１から第６の可能な実装のいずれか１つに関連して、第２態様の第７の可能な実装において、第１リソースは巡回シフト、直交シーケンス及びリソースブロックの少なくとも１つによって識別され、及び／又は第２リソースは巡回シフト、直交シーケンス及びリソースブロックの少なくとも１つによって識別される。
【００３７】
本願のこの実施形態における制御情報伝送方法により、ＰＵＣＣＨシンボルの数が１、２又は３個のシンボルに減少した後に、ＳＲをいかに伝送するか、並びに、ＳＲ及びＨＡＲＱ−ＡＣＫ情報をいかに同時に伝送するかについての問題が効率的に解決される。
【００３８】
第３態様によると、端末デバイスが提供される。端末デバイスは、ダウンリンクデータの受信状況及びスケジューリング要求伝送状況に基づいて伝送リソースを決定するように構成されている処理モジュールであって、伝送リソースが、Ｎ個の第１リソースのうち１つ又はＭ個の第２リソースのうち１つであり、Ｎ個の第１リソースはダウンリンクデータのＮ個の受信状況に対応し、Ｍ個の第２リソースはスケジューリング要求を伝送するために用いられ、Ｎが１より大きな正の整数であり、Ｍが正の整数である、処理モジュールと、伝送リソースでアップリンク制御情報を送信するように構成されている送受信モジュールとを含む。
【００３９】
第３態様に関連して、第３態様の第１の可能な実装において、Ｎが２又は４であり、ダウンリンクデータの２つの受信状況は肯定応答ＡＣＫ及び否定応答ＮＡＣＫを含むか、又はダウンリンクデータの４つの受信状況は（ＡＣＫ、ＡＣＫ）、（ＮＡＣＫ、ＮＡＣＫ）、（ＡＣＫ、ＮＡＣＫ）及び（ＮＡＣＫ、ＡＣＫ）を含み、処理モジュールは、スケジューリング要求伝送状況が正のスケジューリング要求伝送である場合、伝送リソースがＭ個の第２リソースのうち１つであることを決定するように具体的に構成されており、アップリンク制御情報はＮ個のデータ受信状況のうち１つ及び正のスケジューリング要求伝送を示す。
【００４０】
第３態様の第１の可能な実装に関連して、第３態様の第２の可能な実装において、Ｍが１であり、処理モジュールは、ダウンリンクデータの受信状況がダウンリンクデータの２つの受信状況のうち１つであるか、又はダウンリンクデータの受信状況がダウンリンクデータの４つの受信状況のうち１つであり、スケジューリング要求伝送状況が正のスケジューリング要求伝送である場合、伝送リソースが１つの第２リソースであることを決定するように具体的に構成されており、アップリンク制御情報はＮＡＣＫ及び正のＳＲ伝送を示すか、又はアップリンク制御情報は（ＮＡＣＫ、ＮＡＣＫ）及び正のＳＲ伝送を示すか、又はアップリンク制御情報はＮＡＣＫ／ＤＴＸ及び正のＳＲ伝送を示すか、又はアップリンク制御情報は（ＮＡＣＫ、ＮＡＣＫ）／（ＤＴＸ、ＤＴＸ）及び正のＳＲ伝送を示す。
【００４１】
第３態様の第１の可能な実装に関連して、第３態様の第３の可能な実装において、処理モジュールは、ダウンリンクデータの受信状況がダウンリンクデータの２つの受信状況のうち１つであるか、又はダウンリンクデータの受信状況がダウンリンクデータの４つの受信状況のうち１つであり、かつ、スケジューリング要求伝送状況が正のスケジューリング要求伝送である場合、伝送リソースが１つの第２リソースであることを決定するように具体的に構成されており、アップリンク制御情報は正のスケジューリング要求伝送及びダウンリンクデータの受信状況を示し、送受信モジュールは、１つの第２リソースで、１ビット又は２ビットの情報を搬送するために用いられるＰＵＣＣＨ、及びＰＵＣＣＨを復調するために用いられる復調基準信号を送信するように具体的に構成されており、１ビット又は２ビットの情報はダウンリンクデータの受信状況を示す。
【００４２】
第３態様の第１の可能な実装に関連して、第３態様の第４の可能な実装において、Ｎが２であり、Ｍが２であり、２つの第２リソースは第１の第２リソース及び第２の第２リソースを含み、処理モジュールは、ダウンリンクデータの受信状況がＡＣＫであり、スケジューリング要求伝送状況が正のスケジューリング要求伝送である場合、伝送リソースが第１の第２リソースであることを決定するように具体的に構成されており、アップリンク制御情報は正のスケジューリング要求伝送及びＡＣＫを示すか、又はダウンリンクデータの受信状況がＮＡＣＫであり、スケジューリング要求伝送状況が正のスケジューリング要求伝送である場合、伝送リソースが第２の第２リソースであることを決定するように具体的に構成されており、アップリンク制御情報は正のスケジューリング要求伝送及びＮＡＣＫを示す。
【００４３】
第３態様の第２から第４の可能な実装に関連して、第３態様の第５の可能な実装において、Ｎが２であり、送受信モジュールはダウンリンクデータを受信するようにさらに構成されており、ダウンリンクデータは２つのトランスポートブロックＴＢを含み、処理モジュールは、ダウンリンクデータの受信状況が２つのＴＢにそれぞれ対応する受信状況の空間バンドリング結果であることを決定するようにさらに構成されている。
【００４４】
第３態様の第２から第５の可能な実装に関連して、第３態様の第６の可能な実装において、処理モジュールは、ダウンリンクデータの受信状況がダウンリンクデータの２つの受信状況のうち１つであるか、又はダウンリンクデータの受信状況がダウンリンクデータの４つの受信状況のうち１つであり、スケジューリング要求伝送状況が負のスケジューリング要求伝送である場合、伝送リソースがＮ個の第１リソースのうち１つであることを決定するように具体的に構成されている。
【００４５】
いくつかの可能な実装において、第１リソースは巡回シフト、直交シーケンス及びリソースブロックの少なくとも１つによって識別され、及び／又は第２リソースは巡回シフト、直交シーケンス及びリソースブロックの少なくとも１つによって識別される。
【００４６】
いくつかの可能な実装において、端末デバイスが第１リソース指示情報を受信し、第１リソース指示情報はＮ個の第１リソースを示す、及び／又は端末デバイスが第２リソース指示情報を受信し、第２リソース指示情報はＭ個の第２リソースを示す。
【００４７】
本願のこの実施形態における端末デバイスにより、ＰＵＣＣＨシンボルの数が１、２又は３個のシンボルに減少した後に、ＳＲをいかに伝送するか、並びに、ＳＲ及びＨＡＲＱ−ＡＣＫ情報をいかに同時に伝送するかについての問題が効率的に解決される。
【００４８】
第４態様によると、ネットワークデバイスが提供される。ネットワークデバイスは、伝送リソースでアップリンク制御情報を受信するように構成されている送受信モジュールであって、伝送リソースがＮ個の第１リソースのうち１つであるか、又はＭ個の第２リソースのうち１つであり、Ｎ個の第１リソースはダウンリンクデータのＮ個の受信状況に対応し、Ｍ個の第２リソースはスケジューリング要求を伝送するために用いられ、Ｎが１より大きな正の整数であり、Ｍが正の整数である、送受信モジュールと、伝送リソース及びアップリンク制御情報に基づいてダウンリンクデータの受信状況及びスケジューリング要求伝送状況を決定するように構成されている処理モジュールとを含む。
【００４９】
第４態様に関連して、第４態様の第１の可能な実装において、Ｎが２又は４であり、ダウンリンクデータの２つの受信状況は肯定応答ＡＣＫ及び否定応答ＮＡＣＫを含むか、又はダウンリンクデータの４つの受信状況は（ＡＣＫ、ＡＣＫ）、（ＮＡＣＫ、ＮＡＣＫ）、（ＡＣＫ、ＮＡＣＫ）及び（ＮＡＣＫ、ＡＣＫ）を含み、処理モジュールは、伝送リソースがＭ個の第２リソースのうち１つであることを決定するように具体的に構成されており、送受信モジュールは、Ｍ個の第２リソースのうち１つに対するアップリンク制御情報を受信するように具体的に構成されており、処理モジュールは、Ｍ個の第２リソースのうち１つ及びアップリンク制御情報に基づいて、ダウンリンクデータの受信状況がＮ個のデータ受信状況のうち１つであり、スケジューリング要求伝送状況が正のスケジューリング要求伝送であることを決定するように具体的に構成されている。
【００５０】
第４態様の第１の可能な実装に関連して、第４態様の第２の可能な実装において、Ｍが１であり、伝送リソースが１つの第２リソースであり、処理モジュールは、１つの第２リソースに基づいて、ダウンリンクデータの受信状況はＮＡＣＫ又は（ＮＡＣＫ、ＮＡＣＫ）であり、スケジューリング要求伝送状況は正のＳＲ伝送であることを決定ように具体的に構成されているか、又はネットワークデバイスによって、１つの第２リソースに基づいて、ダウンリンクデータの受信状況はＮＡＣＫ／ＤＴＸ又は（ＮＡＣＫ、ＮＡＣＫ）／（ＤＴＸ、ＤＴＸ）であり、スケジューリング要求伝送状況は正のＳＲ伝送であることを決定するように具体的に構成されている。
【００５１】
第４態様の第１の可能な実装に関連して、第４態様の第３の可能な実装において、Ｍが１であり、伝送リソースが１つの第２リソースであり、送受信モジュールは、１つの第２リソースで、１ビット又は２ビットの情報を搬送するために用いられるＰＵＣＣＨ、及びＰＵＣＣＨを復調するために用いられる復調基準信号を受信するように具体的に構成されており、１ビット又は２ビットの情報はダウンリンクデータの受信状況を示し、処理モジュールは、１つの第２リソースに基づいて、スケジューリング要求伝送状況が正のスケジューリング要求伝送であることを決定し、１ビット又は２ビットの情報に基づいて、ダウンリンクデータの受信状況がダウンリンクデータの２つの受信状況のうち１つであるか、又はダウンリンクデータの４つの受信状況のうち１つであることを決定するように具体的に構成されている。
【００５２】
第４態様の第１の可能な実装に関連して、第４態様の第４の可能な実装において、Ｎが２であり、Ｍが２であり、２つの第２リソースは第１の第２リソース及び第２の第２リソースを含み、伝送リソースが第１の第２リソース及び第２の第２リソースであり、処理モジュールは、第１の第２リソースに基づいて、ダウンリンクデータの受信状況がＡＣＫであり、スケジューリング要求伝送状況が正のスケジューリング要求伝送であることを決定するか、又は第２の第２リソースに基づいて、ダウンリンクデータの受信状況がＮＡＣＫであり、スケジューリング要求伝送状況が正のスケジューリング要求伝送であることを決定するように具体的に構成されている。
【００５３】
第４態様の第２から第４の可能な実装のいずれか１つに関連して、第４態様の第５の可能な実装において、Ｎが２であり、送受信モジュールは、ダウンリンクデータを送信するように具体的に構成されており、ダウンリンクデータは２つのトランスポートブロックＴＢを含み、ダウンリンクデータの受信状況は当該２つのＴＢにそれぞれ対応する受信状況の空間バンドリング結果である。
【００５４】
第４態様の第２から第５の可能な実装のいずれか１つに関連して、第４態様の第６の可能な実装において、Ｎが２又は４であり、処理モジュールはさらに、伝送リソースがＮ個の第１リソースのうち１つであることを決定するように構成されており、送受信モジュールはさらに、Ｎ個の第１リソースのうち１つに対するアップリンク制御情報を受信するように構成されており、処理モジュールはさらに、Ｎ個の第１リソースのうち１つに基づいて、ダウンリンクデータの受信状況がダウンリンクデータの２つ又は４つの受信状況のうち１つであり、スケジューリング要求伝送状況が負のスケジューリング要求伝送であることを決定するように構成されている。
【００５５】
いくつかの可能な実装において、第１リソースは巡回シフト、直交シーケンス及びリソースブロックの少なくとも１つによって識別され、及び／又は第２リソースは巡回シフト、直交シーケンス及びリソースブロックの少なくとも１つによって識別される。
【００５６】
本願のこの実施形態におけるネットワークデバイスにより、ＰＵＣＣＨシンボルの数が１、２又は３個のシンボルに減少した後に、ＳＲをいかに伝送するか、並びに、ＳＲ及びＨＡＲＱ−ＡＣＫ情報をいかに同時に伝送するかについての問題が効率的に解決される。
【００５７】
第５態様によると、端末デバイスが提供される。端末デバイスは、プロセッサ、メモリ、受信機及び伝送機を含む。メモリは、命令を記憶するように構成される。プロセッサは、メモリに記憶される命令を実行し、受信機を制御して信号を受信し、伝送機を制御して信号を送信するように構成される。
【００５８】
プロセッサは、メモリに記憶される命令を実行し、第１態様のうち何れか１つ又は第１態様の可能な実装に係る方法における演算を実行するように構成される。
【００５９】
第６態様によると、ネットワークデバイスが提供される。ネットワークデバイスは、プロセッサ、メモリ、受信機及び伝送機を含む。メモリは、命令を記憶するように構成される。プロセッサは、メモリに記憶される命令を実行し、受信機を制御して信号を受信し、伝送機を制御して信号を送信するように構成される。
【００６０】
プロセッサは、メモリに記憶される命令を実行し、第２態様のうち１つ又は第２態様の可能な実装に係る方法における演算を実行するように構成される。
【００６１】
第７態様によると、通信システムが提供される。通信システムは、上述の態様に係る端末デバイス及びネットワークデバイスを含む。
【００６２】
第８態様によると、コンピュータ可読記憶媒体が提供される。コンピュータ可読記憶媒体は、命令を記憶する。命令がコンピュータで実行される場合、コンピュータは、上述の態様に係る方法を実行することが可能になる。
【００６３】
第９態様によると、コンピュータプログラム製品が提供される。コンピュータプログラム製品がコンピュータで実行される場合、コンピュータは、上述の態様に係る方法を実行することが可能になる。
【図面の簡単な説明】
【００６４】
【図１】本願の実施形態に係る技術的解決手段の適用シナリオの概略図である。
【００６５】
【図２】本願の実施形態に係る制御情報伝送方法の概略フローチャートである。
【００６６】
【図３】本願の実施形態に係る端末デバイスの概略ブロック図である。
【００６７】
【図４】本願の実施形態に係るネットワークデバイスの概略ブロック図である。
【００６８】
【図５】本願の実施形態に係る端末デバイス別の概略的ブロック図である。
【００６９】
【図６】本願の実施形態に係るネットワークデバイスの別の概略的ブロック図である。
【００７０】
【図７】本願の実施形態に係る端末デバイスのさらに別の概略的ブロック図である。
【００７１】
【図８】本願の実施形態に係るネットワークデバイスのさらに別の概略的ブロック図である。
【００７２】
【図９】本願の実施形態に係る端末デバイスのさらに別の概略的ブロック図である。
【００７３】
【図１０】本願の実施形態に係るネットワークデバイスのさらに別の概略的ブロック図である。
【発明を実施するための形態】
【００７４】
以下、添付の図面を参照して本願の実施形態における技術的解決手段を説明する。
【００７５】
図１は、本願の実施形態に係る技術的解決手段の適用シナリオの概略図である。図１に示されるように、本願のこの実施形態は、端末デバイスとネットワークデバイスとの間でデータ伝送が実行されるシナリオに適用可能である。シナリオは、４．５Ｇ及び５Ｇ通信のような無線通信システムであってよい。しかしながら、本願はこれに限定されるものではない。
【００７６】
本願の実施形態における技術的解決手段は、様々な通信システム、例えば、移動通信のためのグローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎｓ、ＧＳＭ（登録商標））システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、ワイドバンド符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））システム、ロングタームエボリューション（Ｌｏｎｇ  Ｔｅｒｍ  Ｅｖｏｌｕｔｉｏｎ、ＬＴＥ）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）、将来の第５世代（５ｔｈ−Ｇｅｎｅｒａｔｉｏｎ、５Ｇ）通信システム、及びＣＲＡＮのような通信システムに適用されてよいことを理解されたい。
【００７７】
本願の実施形態におけるネットワークデバイスは、端末デバイスと通信するように構成されるデバイスであってよいことをさらに理解されたい。例えば、ネットワークデバイスは、ＧＳＭシステム又はＣＤＭＡシステムにおけるベーストランシーバ基地局（Ｂａｓｅ  Ｔｒａｎｓｃｅｉｖｅｒ  Ｓｔａｔｉｏｎ、ＢＴＳ）と基地局コントローラ（Ｂａｓｅ  Ｓｔａｔｉｏｎ  Ｃｏｎｔｒｏｌｌｅｒ、ＢＳＣ）との組み合わせであってもよく、又はＷＣＤＭＡシステムにおけるノードＢ（ＮｏｄｅＢ、ＮＢ）と無線ネットワークコントローラ（Ｒａｄｉｏ  Ｎｅｔｗｏｒｋ  Ｃｏｎｔｒｏｌｌｅｒ、ＲＮＣ）との組み合わせであってもよく、又はＬＴＥシステムにおける進化型ノードＢ（Ｅｖｏｌｕｔｉｏｎａｌ  Ｎｏｄｅ  Ｂ、ｅＮＢ又はｅＮｏｄｅＢ）であってもよい。代替的に、ネットワークデバイスは、中継局、アクセスポイント、車載デバイス、ウェアラブルデバイス、次世代基地局のような将来の５Ｇネットワークにおけるアクセスネットワークデバイス、又は将来の進化型公衆陸上移動体ネットワーク（Ｐｕｂｌｉｃ  Ｌａｎｄ  Ｍｏｂｉｌｅ  Ｎｅｔｗｏｒｋ、ＰＬＭＮ）におけるアクセスネットワークデバイスであってよい。
【００７８】
本願は、端末デバイスに関連する実施形態を説明する。端末デバイスは、ユーザ機器（Ｕｓｅｒ  Ｅｑｕｉｐｍｅｎｔ、ＵＥ）、アクセスターミナル、加入者ユニット、加入者局、移動局、モバイルコンソール、リモート局、遠隔端末、モバイルデバイス、ユーザ端末、端末、無線通信デバイス、ユーザエージェント、又はユーザ装置などと称されてもよい。アクセスターミナルは、携帯電話、コードレス電話、セッション確立プロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）局、パーソナルデジタルアシスタント（Ｐｅｒｓｏｎａｌ  Ｄｉｇｉｔａｌ  Ａｓｓｉｓｔａｎｔ、ＰＤＡ）、無線通信機能を有するハンドヘルドデバイス、コンピューティングデバイス、又は無線モデムに接続される別の処理デバイス、車載デバイス、ウェアラブルデバイス、将来の５Ｇネットワークにおける端末デバイス、又はＰＬＭＮにおける端末デバイスなどであってよい。
【００７９】
本願の実施形態の説明を容易にするために、いくつかの概念がまず定義される。ＬＴＥシステムは説明のための例として用いられるが、本願の実施形態がＬＴＥシステムのみに適用可能であることは意味しない。実際に、本願の実施形態において提供される解決手段は、スケジューリングを介してデータ伝送が実行されるいかなる無線通信システムにも適用されてよい。
【００８０】
１．伝送時間（Ｔｒａｎｓｍｉｓｓｉｏｎ  Ｄｕｒａｔｉｏｎ）
【００８１】
本願の実施形態において、時間領域リソースは、伝送時間によって識別されてよい。伝送時間は、Ｎが正の整数であるＮ個のシンボル（ｓｙｍｂｏｌ）を含む。伝送時間の時間長は、本願において限定されない。すなわち、Ｎの値は限定されない。例えば、伝送時間は１つのサブフレーム（ｓｕｂｆｒａｍｅ）、１つのタイムスロット（ｓｌｏｔ）、１つのミニタイムスロット（ｍｉｎｉ−ｓｌｏｔ）、短い伝送時間（ＳＴＤ、ｓｈｏｒｔ  Ｔｒａｎｓｍｉｓｓｉｏｎ  Ｄｕｒａｔｉｏｎ）、又は短い伝送時間間隔（ｓＴＴＩ、ｓｈｏｒｔ  Ｔｒａｎｓｍｉｓｓｉｏｎ  Ｔｉｍｅ  Ｉｎｔｅｒｖａｌ）であってよい。
【００８２】
既存のＬＴＥシステムにおいて、標準巡回プレフィクス（Ｎｏｒｍａｌ  ｃｙｃｌｉｃ  ｐｒｅｆｉｘ、ｎｏｒｍａｌ  ＣＰ）の場合、１つのサブフレームは１４個のシンボル（ｓｙｍｂｏｌ）を含み、拡張ＣＰ（Ｅｘｔｅｎｄｅｄ  ｃｙｃｌｉｃ  ｐｒｅｆｉｘ、ｅｘｔｅｎｄｅｄ  ＣＰ）の場合、１つのサブフレームは１２個のシンボル（ｓｙｍｂｏｌ）を含む。将来の進化型システムにおいて、１つのサブフレームは１４個のシンボル又は別の数のシンボルを含んでよい。
【００８３】
既存のＬＴＥシステムにおいて、１個のスロットは７個又は６個のシンボルを含む。将来の進化型システムにおいて、１個のスロットは７個、６個又は１４個のシンボル、又は別の数のシンボルを含んでよい。
【００８４】
ＳＴＤ又はｓＴＴＩは、２個、３個又は７個のシンボルを含んでよい。
【００８５】
１つのシンボルの時間長は、本願において限定されない。例えば、異なるサブキャリア間隔の場合、１つのシンボルの長さは異なってよい。一般性を失うことなく、シンボルはアップリンクシンボル及びダウンリンクシンボルを含む。アップリンクシンボルは、シングルキャリア周波数分割多元接続（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ、ＳＣ−ＦＤＭＡ）シンボル又は直交周波数分割多重（ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ）シンボルと称される。ダウンリンクシンボルは、ＯＦＤＭシンボルと称される。新たなアップリンク多元接続方式又はダウンリンク多元接続方式が後続の技術に導入される場合、用語「シンボル」が依然として用いられてよいことに注意されたい。アップリンク多元接続方式及びダウンリンク多元接続方式は、本願において限定されない。
【００８６】
２．ＨＡＲＱ−ＡＣＫ情報
【００８７】
ＨＡＲＱ−ＡＣＫ情報は、ダウンリンクデータの受信状況を示し、ＨＡＲＱ−ＡＣＫフィードバック情報と称されてもよい。ダウンリンクデータの受信状況は、肯定応答（Ａｃｋｎｏｗｌｅｄｇｅｍｅｎｔ、ＡＣＫ）及び否定応答（Ｎｅｇａｔｉｖｅ  Ａｃｋｎｏｗｌｅｄｇｅｍｅｎｔ、ＮＡＣＫ）を含む。ＡＣＫは、ダウンリンクデータ受信の成功を示し、ＮＡＣＫはダウンリンクデータ受信の失敗を示す。任意選択的に、ダウンリンクデータの受信状況はさらに、不連続伝送（Ｄｉｓｃｏｎｔｉｎｕｏｕｓ  Ｔｒａｎｓｍｉｓｓｉｏｎ、ＤＴＸ）を含む。ＤＴＸは、ダウンリンクデータが受信されていないことを示す。
【００８８】
３．ＳＲ伝送状況
【００８９】
ＳＲ伝送状況は、正のＳＲ伝送（ｐｏｓｉｔｉｖｅ  ＳＲ  ｔｒａｎｓｍｉｓｓｉｏｎ）及び負のＳＲ伝送（ｎｅｇａｔｉｖｅ  ＳＲ  ｔｒａｎｓｍｉｓｓｉｏｎ）を含む。正のＳＲ伝送は、端末デバイスがアップリンクリソース要求を送信する必要があることを意味する。負のＳＲ伝送は、端末デバイスがアップリンクリソース要求を送信する必要がないことを意味する。
【００９０】
後続のさらなる進化を考慮すると、正のＳＲ伝送はより多くの状況を含んでよい。例えば、正のＳＲ伝送は、少なくとも２つのトランスポートブロックサイズ（ＴＢＳ，  ｔｒａｎｓｐｏｒｔ  ｂｌｏｃｋ  ｓｉｚｅ）のスケジューリング要求、及び／又は少なくとも２つの異なるサービス（例えば、拡張モバイルブロードバンド（Ｅｎｈａｎｃｅｄ  Ｍｏｂｉｌｅ  Ｂｒｏａｄｂａｎｄ、ｅＭＢＢ）及び高信頼低遅延通信（ｕｌｔｒａ‐ｒｅｌｉａｂｌｅ  ａｎｄ  ｌｏｗ  ｌａｔｅｎｃｙ  ｃｏｍｍｕｎｉｃａｔｉｏｎｓ、ＵＲＬＬＣ））のスケジューリング要求を含む。この場合、ＳＲ伝送状況は少なくとも２つのタイプの正のＳＲ伝送及び１つのタイプの負のＳＲ伝送を含む。例えば、正のＳＲ伝送は第１の正のＳＲ伝送及び第２の正のＳＲ伝送を含む。第１の正のＳＲ伝送は第１のＴＢＳの正のＳＲ伝送であり、第２の正のＳＲ伝送は第２のＴＢＳの正のＳＲ伝送である。代替的に、第１の正のＳＲ伝送はＵＲＬＬＣの正のＳＲ伝送であり、第２の正のＳＲ伝送はｅＭＢＢの正のＳＲ伝送である。例えば、正のＳＲ伝送は第１の正のＳＲ伝送、第２の正のＳＲ伝送、第３の正のＳＲ伝送及び第４の正のＳＲ伝送を含む。第１の正のＳＲ伝送は第１のＴＢＳ及びＵＲＬＬＣの正のＳＲ伝送であり、第２の正のＳＲ伝送は第２のＴＢＳ及びＵＲＬＬＣの正のＳＲ伝送であり、第３の正のＳＲ伝送は第１のＴＢＳ及びｅＭＢＢの正のＳＲ伝送であり、第４の正のＳＲ伝送は第２のＴＢＳ及びｅＭＢＢの正のＳＲ伝送である。
【００９１】
４．ＰＵＣＣＨフォーマット
【００９２】
本願の実施形態は、ＰＵＣＣＨフォーマットＸ、ＰＵＣＣＨフォーマットＹａ、ＰＵＣＣＨフォーマットＹｂ、ＰＵＣＣＨフォーマットＭ、ＰＵＣＣＨフォーマットＮ、ＰＵＣＣＨフォーマットО及びＰＵＣＣＨフォーマットＰの７個のＰＵＣＣＨフォーマットを含む。Ｘ、Ｙａ、Ｙｂ、Ｍ、Ｎ、О及びＰは説明を容易にするために用いられ、後で任意の参照符号に置換されてよいことを理解されたい。
【００９３】
ＰＵＣＣＨフォーマットＸにおいて、様々なＰＵＣＣＨリソースがダウンリンクデータの様々な受信状況を示すために用いられる。ＰＵＣＣＨリソースは巡回シフト（ＣＳ，  ｃｙｃｌｉｃ  ｓｈｉｆｔ）によって識別される。この場合、ＰＵＣＣＨフォーマットＸにおいて、ダウンリンクデータの様々な受信状況を示すために様々な巡回シフトが用いられる。代替的に、ＰＵＣＣＨリソースはＣＳ及びＲＢの少なくとも１つによって識別される。この場合、ＰＵＣＣＨフォーマットＸにおいて、様々な巡回シフト及び／又は様々なＲＢが、ダウンリンクデータの様々な受信状況を示すために用いられる。代替的に、ＰＵＣＣＨリソースはＣＳ、直交シーケンス（ｏｒｔｈｏｇｏｎａｌ  ｓｅｑｕｅｎｃｅ）及びＲＢの少なくとも１つによって識別される。この場合、ＰＵＣＣＨフォーマットＸにおいて、様々な巡回シフト、様々な直交シーケンス、及び／又は様々なＲＢが、ダウンリンクデータの様々な受信状況を示すために用いられる。リソースを効率的に使用するために、複数の端末デバイスが、同じ１又は複数のリソースブロック（ｒｅｓｏｕｒｃｅ  ｂｌｏｃｋ、略してＲＢ）でそれぞれのＰＵＣＣＨを送信してよいことに注意されたい。言い換えれば、同じ１又は複数のＲＢに複数のＰＵＣＣＨリソースがあってよい。同じ１又は複数のリソースブロック上の複数のＰＵＣＣＨは、直交符号分割多重（ｏｒｔｈｏｇｏｎａｌ  ｃｏｄｅ  ｄｉｖｉｓｉｏｎ  ｍｕｌｔｉｐｌｅｘｉｎｇ、略してＯＣＤＭ）を介して実装されてよい。巡回シフト（ｃｙｃｌｉｃ  ｓｈｉｆｔ）が周波数領域で用いられるか、または直交シーケンス（ｏｒｔｈｏｇｏｎａｌ  ｓｅｑｕｅｎｃｅ）が時間領域で用いられるか、又は巡回シフトが周波数領域で用いられ、直交シーケンスが時間領域で用いられる。ここで、巡回シフトは位相回転（ｐｈａｓｅ  ｒｏｔａｔｉｏｎ）とも称される。当然、様々なＰＵＣＣＨが１又は複数の異なるＲＢで伝送される。すなわち、１又は複数の異なるＲＢは異なるＰＵＣＣＨリソースを表す。ＰＵＣＣＨフォーマットＹａは、１つの明示ビットを伝送するために用いられ、復調基準信号（ＤＭＲＳ、Ｄｅｍｏｄｕｌａｔｉｏｎ  Ｒｅｆｅｒｅｎｃｅ  Ｓｉｇｎａｌ）に基づくＰＵＣＣＨフォーマットである。１つの明示ビットはダウンリンクデータの受信状況を示す。例えば、２進数（ｂｉｎａｒｙ）「１」はＡＣＫを示し、２進数「０」はＮＡＣＫを示す。例えば、１つの明示ビットは１つの複素数値シンボル（ｃｏｍｐｌｅｘ−ｖａｌｕｅｄ  ｓｙｍｂｏｌ）に変調され、１つの複素数値シンボルは、１又は複数の巡回シフトされるシーケンス（ｃｙｃｌｉｃａｌｌｙ  ｓｈｉｆｔｅｄ  ｓｅｑｕｅｎｃｅ）によってさらに乗算され、可能な時間領域拡散スペクトル演算（直交シーケンスを有するブロックワイズ拡散）などを受ける。１つの明示ビットを搬送するＰＵＣＣＨを送信する場合、端末デバイスも、ＤＭＲＳを送信する必要がある。ＤＭＲＳがＰＵＣＣＨを復調するために用いられるので、ネットワークデバイスは、端末デバイスによって伝送されるＤＭＲＳに基づいてＰＵＣＣＨを復調してよい。
【００９４】
ＰＵＣＣＨフォーマットＹｂは、２つの明示ビットを伝送するために用いられ、ＤＭＲＳに基づくＰＵＣＣＨフォーマットである。２つの明示ビットはダウンリンクデータの受信状況を示す。例えば、２進数（ｂｉｎａｒｙ）「１１」は（ＡＣＫ、ＡＣＫ）を示し、２進数「００」は（ＮＡＣＫ、ＮＡＣＫ）を示し、２進数（ｂｉｎａｒｙ）「１０」は（ＡＣＫ、ＮＡＣＫ）を示し、２進数（ｂｉｎａｒｙ）「０１」は（ＮＡＣＫ、ＡＣＫ）を示す。ビットの数が異なることを除いて、他については、ＰＵＣＣＨフォーマットＹａの説明を参照されたい。
【００９５】
ＰＵＣＣＨフォーマットＭが、ＰＵＣＣＨ伝送の有無に基づくＳＲ伝送状況を示す。例えば、ＳＲに割り当てられるＰＵＣＣＨリソースでＰＵＣＣＨ伝送が行われる場合、正のＳＲ伝送を示す。そうでない場合、ＳＲに割り当てられるＰＵＣＣＨリソースでＰＵＣＣＨ伝送が行われない場合、負のＳＲ伝送を示す。
【００９６】
ＰＵＣＣＨフォーマットＮが、ｋ個の明示ビットを伝送するために用いられ、復調基準信号（ＤＭＲＳ、Ｄｅｍｏｄｕｌａｔｉｏｎ  Ｒｅｆｅｒｅｎｃｅ  Ｓｉｇｎａｌ）に基づくＰＵＣＣＨフォーマットであり、ここで、ｋは正の整数である。ｋ個の明示ビットは、少なくとも２つのＳＲ伝送状況を示すか、又はｋ個の明示ビットは少なくとも２つのタイプの正のＳＲ伝送を示す。例えば、ｋ＝１であり、１つの明示ビットは２つのタイプの正のＳＲ伝送（第１の正のＳＲ伝送及び第２の正のＳＲ伝送）を示す。２進数（ｂｉｎａｒｙ）「１」は第１の正のＳＲ伝送を示し、２進数（ｂｉｎａｒｙ）「０」は第２の正のＳＲ伝送を示す。代替的に、２進数「０」は第１の正のＳＲ伝送を示し、２進数「１」は第２の正のＳＲ伝送を示す。例えば、ｋ＝２であり、２つの明示ビットは４つのタイプの正のＳＲ伝送を示す。指示情報が異なることを除いて、他については、ＰＵＣＣＨフォーマットＹａの説明を参照されたい。ＰＵＣＣＨフォーマットОにおいて、様々なＰＵＣＣＨリソースは様々な正のＳＲ伝送状況又はＳＲ伝送状況を示すために用いられる。ＰＵＣＣＨリソースについては、ＰＵＣＣＨフォーマットＸの説明を参照されたい。
【００９７】
ＰＵＣＣＨフォーマットＰは、ｎ個の明示ビットを伝送するために用いられ、ＤＭＲＳに基づくＰＵＣＣＨフォーマットである。ｎ個の明示ビットは、ダウンリンクデータの受信状況及び少なくとも２つのＳＲ伝送状況を示す。ビットの数が異なることを除いて、他については、ＰＵＣＣＨフォーマットＹａの説明を参照されたい。
【００９８】
ＰＵＣＣＨフォーマットＹａ、Ｙｂ、Ｎ又はＰにおいては、ＤＭＲＳ及びＰＵＣＣＨは同じシンボル又は異なるシンボルに位置してよいことに注意されたい。このことは、本願において限定されない。
【００９９】
図２は、本願の実施形態に係る制御情報伝送方法１００の概略フローチャートである。図２に示されるように、ネットワークデバイスは図１におけるネットワークデバイスに対応し、端末デバイスは図１における端末デバイスに対応してよい。方法１００は、以下の段階を有する。
【０１００】
Ｓ１１０．端末デバイスが、ダウンリンクデータの受信状況及びスケジューリング要求伝送状況に基づいて伝送リソースを決定し、伝送リソースが、Ｎ個の第１リソースのうち１つ又はＭ個の第２リソースのうち１つであり、Ｎ個の第１リソースはダウンリンクデータのＮ個の受信状況に対応し、Ｍ個の第２リソースはスケジューリング要求を伝送するために用いられ、Ｎが１より大きな正の整数であり、Ｍが正の整数である。
【０１０１】
Ｓ１２０．端末デバイスが、伝送リソースでアップリンク制御情報を送信する。
【０１０２】
Ｓ１３０．ネットワークデバイスが、伝送リソースでアップリンク制御情報を受信する。
【０１０３】
Ｓ１４０．ネットワークデバイスが、伝送リソース及びアップリンク制御情報に基づいて、ダウンリンクデータの受信状況及びスケジューリング要求伝送状況を決定する。
【０１０４】
具体的に、端末デバイスは、ダウンリンクデータの受信状況及びスケジューリング要求伝送状況に基づいて伝送リソースを決定し、伝送リソースがＮ個の第１リソース及びＭ個の第２リソースのうち１つであり、Ｎ個の第１リソースはダウンリンクデータのＮ個の受信状況に対応し、Ｍ個の第２リソースはスケジューリング要求を伝送するために用いられ、Ｎが１より大きな正の整数であり、Ｍが正の整数であり、端末デバイスは、伝送リソースでネットワークデバイスにＵＣＩを送信し、ネットワークデバイスは、伝送リソース及びＵＣＩに基づいて、ダウンリンクデータの受信状況及びスケジューリング要求伝送の状況を決定する。
【０１０５】
Ｓ１１０におけるダウンリンクデータの受信状況及びＳ１４０におけるダウンリンクデータの受信状況は同じであってもよく、又は異なってもよいことを理解されたい。本願は、このことに限定されるものではない。例えば、以下の解決手段１において、端末デバイスによって決定されるダウンリンクデータの受信状況がＡＣＫであるが、レポートはＮＡＣＫに基づいて実行される。この場合、ネットワークデバイスによって決定されるダウンリンクデータの受信状況はＮＡＣＫである。
【０１０６】
任意選択的に、端末デバイスがダウンリンクデータの受信状況及びスケジューリング要求伝送状況に基づいて伝送リソースを決定する前に、方法１００は以下の段階をさらに含む。
【０１０７】
Ｓ１０１．端末デバイスがダウンリンクデータを受信する。
【０１０８】
ダウンリンクデータを受信した後、端末デバイスはダウンリンクデータの受信状況を決定する必要がある。例えば、ダウンリンクデータはＰＤＳＣＨで搬送されるデータである。ダウンリンクデータは、ネットワークデバイスによって伝送されてよい。
【０１０９】
任意選択的に、ダウンリンクデータが１つのトランスポートブロック（Ｔｒａｎｓｐｏｒｔ  Ｂｌｏｃｋ、ＴＢ）又は１つのＣＷのみを含む場合、ダウンリンクデータの受信状況は１つのＴＢの受信状況であり、ＡＣＫ及びＮＡＣＫを含むか、又はＡＣＫ、ＮＡＣＫ及びＤＴＸを含む。
【０１１０】
任意選択的に、ダウンリンクデータが２つのＴＢを含む場合、ダウンリンクデータの受信状況は２つのＴＢにそれぞれ対応する受信状況の空間バンドリング（ｓｐａｔｉａｌ  ｂｕｎｄｌｉｎｇ）結果であり、ＡＣＫ及びＮＡＣＫを含むか、又はＡＣＫ、ＮＡＣＫ及びＤＴＸを含む。空間バンドリングは、１つのダウンリンクデータの複数の（例えば、２つの）ＴＢ／コードワードの受信状況に対してＡＮＤ論理演算を実行することである。２つのＴＢの受信状況の両方がＡＣＫである場合、空間バンドリング結果はＡＣＫであるか、又はＴＢの少なくとも１つの受信状況がＮＡＣＫである場合、空間バンドリング結果はＮＡＣＫである。任意選択的に、２つのＴＢの受信状況の両方がＤＴＸである場合、空間バンドリング結果はＤＴＸである。
【０１１１】
任意選択的に、ダウンリンクデータが２つのＴＢを含む場合、ダウンリンクデータの受信状況は２つのＴＢにそれぞれ対応する受信状況を含み、（ＡＣＫ、ＡＣＫ）、（ＮＡＣＫ、ＮＡＣＫ）、（ＡＣＫ、ＮＡＣＫ）及び（ＮＡＣＫ、ＡＣＫ）を含む。任意選択的に、ダウンリンクデータの受信状況は（ＤＴＸ、ＤＴＸ）をさらに含む。ダウンリンクデータの受信状況は（Ｘ，Ｙ）の形で表され、Ｘは第１のＴＢの受信状況を示し、Ｙは第２のＴＢの受信状況を示すことに注意されたい。
【０１１２】
Ｎ個の第１リソースは、ＨＡＲＱ−ＡＣＫ情報を伝送するために用いられるＮ個のＰＵＣＣＨリソースであってよく、Ｍ個の第２リソースは、ＳＲ情報を伝送するために用いられるＭ個のＰＵＣＣＨリソースであってよいことを理解されたい。任意選択的に、Ｎが２又は４であり、Ｍが１又は２である。
【０１１３】
Ｎ個の第１リソースは、ダウンリンクデータのＮ個の受信状況に対応する。ダウンリンクデータのＮ個の受信状況は、１つのダウンリンクデータのダウンリンクデータのＮ個の受信状況であり、１つのダウンリンクデータは１つのサブフレーム及び１つのサービングセルにある。
【０１１４】
任意選択的に、Ｎが２であり、２つの第１リソースは、ＡＣＫに割り当てられるＰＵＣＣＨリソース及びＮＡＣＫに割り当てられるＰＵＣＣＨリソースを含む。Ｎが２であることは、ダウンリンクデータの受信状況が１つのＴＢの受信状況である場合、及びダウンリンクデータの受信状況が２つのＴＢにそれぞれ対応する受信状況の空間バンドリング結果である場合に適用可能である。
【０１１５】
任意選択的に、Ｎが４であり、４つの第１リソースは、ダウンリンクデータの４つの受信状況に対応し、（ＡＣＫ、ＡＣＫ）に割り当てられるＰＵＣＣＨリソース、（ＮＡＣＫ、ＮＡＣＫ）に割り当てられるＰＵＣＣＨリソース、（ＡＣＫ、ＮＡＣＫ）に割り当てられるＰＵＣＣＨリソース、及び（ＮＡＣＫ、ＡＣＫ）に割り当てられるＰＵＣＣＨリソースを含む。Ｎが４であることは、ダウンリンクデータの受信状況が、２つのＴＢにそれぞれ対応する受信状況を含む場合に適用可能である。
【０１１６】
任意選択的に、Ｓ１１０の前に、方法１００は、端末デバイスが第１リソース指示情報を受信する段階をさらに含む。
【０１１７】
具体的に、第１リソース指示情報はＮ個の第１リソースを示す。第１リソースはＣＳによって識別される。代替的に、第１リソースはＣＳ及びＲＢの少なくとも１つによって識別される。代替的に、第１リソースはＣＳ、直交シーケンス及びＲＢの少なくとも１つによって識別される。
【０１１８】
例えば、Ｎが２であり、２つの第１リソースは異なるＣＳを有するが同じＲＢを有する。
【０１１９】
別の例の場合、Ｎが２であり、２つの第１リソースは同じＣＳを有するが異なるＲＢを有する。
【０１２０】
さらに別の例の場合、Ｎが２であり、２つの第１リソースは異なるＣＳ及び異なるＲＢを有する。
【０１２１】
ネットワークデバイスは、現在のチャネル条件及び負荷状況に基づいてＮ個の第１リソースを構成してよい。チャネルのマルチパスレイテンシが大きい場合、１つのＲＢに比較的少ない数のＣＳが構成される必要がある。したがって、ネットワークデバイスは少なくとも２つのＲＢにＮ個の第１リソースを構成してよい。
【０１２２】
任意選択的に、Ｓ１１０の前に、方法１００は、端末デバイスが第２リソース指示情報を受信する段階をさらに含む。
【０１２３】
具体的に、第２リソース指示情報はＭ個の第２リソースを示す。
【０１２４】
例えば、Ｍが１であり、１つの第２リソースはＳＲに割り当てられるＰＵＣＣＨリソースである。この場合、ネットワークデバイスは１つの第２リソースのみを構成する。言い換えれば、端末デバイスは１つの第２リソースのみでＳＲを送信する。
【０１２５】
別の例の場合、Ｍが２であり、ネットワークデバイスは２つの第２リソースを構成する。任意選択的に、端末デバイスは１つの第２リソースでＳＲを送信してもよく、又は他の第２リソースでＳＲを送信してもよい。
【０１２６】
本願のこの実施形態において、ダウンリンクデータの受信状況及びＳＲ伝送状況を決定した後、端末デバイスは、ダウンリンクデータの受信状況及びＳＲ伝送状況に基づいて伝送リソースを決定する。
【０１２７】
本願のこの実施形態において、ＳＲ伝送状況が負のＳＲ伝送であり、ダウンリンクデータの受信状況がダウンリンクデータのＮ個の受信状況のうち１つである場合、Ｓ１１０は具体的に、伝送リソースがＮ個の第１リソースのうち１つであることを端末デバイスが決定することである。Ｓ１２０は具体的に、端末デバイスが、ＰＵＣＣＨフォーマットＸに基づいて伝送リソースでアップリンク制御情報を送信することである。この場合、アップリンク制御情報はダウンリンクデータの受信状況及び負のＳＲ伝送を示す。
【０１２８】
ＰＵＣＣＨフォーマットＹａ及びＰＵＣＣＨフォーマットＹｂと比べて、同じシンボルの数のシナリオにおいて、ＰＵＣＣＨフォーマットＸはより良い性能を有する。したがって、ＰＵＣＣＨシンボルの数が１、２又は３個のシンボルに減少した後、ＨＡＲＱ−ＡＣＫ情報を受信する性能を高めるために、シーケンスベースのＰＵＣＣＨフォーマットＸが導入される。
【０１２９】
可能な実装において、ＳＲ伝送状況が負のＳＲ伝送であり、Ｎが２である場合、Ｓ１１０において、伝送リソースが以下の方式で決定されてよい。
【０１３０】
方式１：ダウンリンクデータの受信状況がＡＣＫであり、ＳＲ伝送状況が負のＳＲ伝送である場合、端末デバイスは、伝送リソースがＡＣＫに割り当てられるＰＵＣＣＨリソースであることを決定する。この場合、アップリンク制御情報はＡＣＫ及び負のＳＲ伝送を示す。
【０１３１】
方式２：ダウンリンクデータの受信状況がＮＡＣＫであり、ＳＲ伝送状況が負のＳＲ伝送である場合、端末デバイスは、伝送リソースがＮＡＣＫに割り当てられるＰＵＣＣＨリソースであることを決定する。この場合、アップリンク制御情報はＮＡＣＫ及び負のＳＲ伝送を示す。
【０１３２】
別の可能な実装において、ＳＲ伝送状況が負のＳＲ伝送であり、Ｎが４である場合、Ｓ１１０において、伝送リソースが以下の方式で決定されてよい。
【０１３３】
方式１：ダウンリンクデータの受信状況が（ＡＣＫ、ＡＣＫ）であり、ＳＲ伝送状況が負のＳＲ伝送である場合、端末デバイスは、伝送リソースが（ＡＣＫ、ＡＣＫ）に割り当てられるＰＵＣＣＨリソースであることを決定する。この場合、アップリンク制御情報は（ＡＣＫ、ＡＣＫ）及び負のＳＲ伝送を示す。
【０１３４】
方式２：ダウンリンクデータの受信状況が（ＮＡＣＫ、ＮＡＣＫ）であり、ＳＲ伝送状況が負のＳＲ伝送である場合、端末デバイスは、伝送リソースが（ＮＡＣＫ、ＮＡＣＫ）に割り当てられるＰＵＣＣＨリソースであることを決定する。この場合、アップリンク制御情報は（ＮＡＣＫ、ＮＡＣＫ）及び負のＳＲ伝送を示す。
【０１３５】
方式３：ダウンリンクデータの受信状況が（ＡＣＫ、ＮＡＣＫ）であり、ＳＲ伝送状況が負のＳＲ伝送である場合、端末デバイスは、伝送リソースが（ＡＣＫ、ＮＡＣＫ）に割り当てられるＰＵＣＣＨリソースであることを決定する。この場合、アップリンク制御情報は（ＡＣＫ、ＮＡＣＫ）及び負のＳＲ伝送を示す。
【０１３６】
方式４：ダウンリンクデータの受信状況が（ＮＡＣＫ、ＡＣＫ）であり、ＳＲ伝送状況が負のＳＲ伝送である場合、端末デバイスは、伝送リソースが（ＮＡＣＫ、ＡＣＫ）に割り当てられるＰＵＣＣＨリソースであることを決定する。この場合、アップリンク制御情報は（ＮＡＣＫ、ＡＣＫ）及び負のＳＲ伝送を示す。
【０１３７】
本願のこの実施形態において、Ｎが２又は４であり、Ｍが２であり、ＳＲ伝送状況は正のＳＲ伝送であり、ダウンリンクデータの受信状況はＤＴＸである場合、端末デバイスは、シグナリング又はあらかじめ定義されたルールに基づいて、伝送リソースがＳＲに割り当てられる第１又は第２ＰＵＣＣＨリソースであることを決定する。任意選択的に、シグナリングは上位層シグナリングである。１つの正のＳＲ伝送状況のみが存在するので、ＳＲに割り当てられる２つのＰＵＣＣＨリソースが構成される場合、どちらが用いられているかを決定する必要がある。
【０１３８】
任意選択的に、Ｎが２又は４である。ダウンリンクデータの２つの受信状況は肯定応答ＡＣＫ及び否定応答ＮＡＣＫを含むか、又はダウンリンクデータの４つの受信状況は（ＡＣＫ、ＡＣＫ）、（ＮＡＣＫ、ＮＡＣＫ）、（ＡＣＫ、ＮＡＣＫ）及び（ＮＡＣＫ、ＡＣＫ）を含む。端末デバイスがダウンリンクデータの受信状況及びスケジューリング要求伝送状況に基づいて伝送リソースを決定する段階は、スケジューリング要求伝送状況が正のスケジューリング要求伝送である場合、端末デバイスは、伝送リソースがＭ個の第２リソースのうち１つであることを決定する段階を有する。
【０１３９】
アップリンク制御情報は、Ｎ個のデータ受信状況のうち１つ、及び正のスケジューリング要求伝送を示す。ネットワークデバイスが伝送リソースでアップリンク制御情報を受信する段階は、ネットワークデバイスが、伝送リソースがＭ個の第２リソースのうち１つであることを決定する段階と、ネットワークデバイスが、Ｍ個の第２リソースのうち１つでアップリンク制御情報を受信する段階とを含む。
【０１４０】
ネットワークデバイスが伝送リソース及びアップリンク制御情報に基づいてダウンリンクデータの受信状況及びスケジューリング要求伝送状況を決定する段階は、ネットワークデバイスが、Ｍ個の第２リソースのうち１つ及びアップリンク制御情報に基づいて、ダウンリンクデータの受信状況がＮ個のデータ受信状況のうち１つであり、スケジューリング要求伝送状況が正のスケジューリング要求伝送であることを決定する段階を有する。
【０１４１】
本願のこの実施形態において、ＳＲ伝送状況が正のＳＲ伝送である場合、Ｓ１１０において、伝送リソースが以下の解決手段（アップリンク制御情報はＳ１２０におけるアップリンク制御情報である）を用いて決定されてよい。
【０１４２】
任意選択的に（解決手段１と示される）、Ｍが１であり、端末デバイスがダウンリンクデータの受信状況及びＳＲ伝送状況に基づいて伝送リソースを決定し、当該伝送リソースでアップリンク制御情報を送信する段階は、ダウンリンクデータの受信状況がダウンリンクデータの２つの受信状況うち１つであるか、又はダウンリンクデータの受信状況がダウンリンクデータの４つの受信状況のうち１つであり、ＳＲ伝送状況が正のＳＲ伝送である場合、端末デバイスが、伝送リソースがＳＲに割り当てられるＰＵＣＣＨリソースであることを決定する段階を有する。この場合、アップリンク制御情報はＮＡＣＫ及び正のＳＲ伝送を示すか、又はアップリンク制御情報は（ＮＡＣＫ、ＮＡＣＫ）及び正のＳＲ伝送を示すか、又はアップリンク制御情報はＮＡＣＫ／ＤＴＸ及び正のＳＲ伝送を示すか、又はアップリンク制御情報は（ＮＡＣＫ、ＮＡＣＫ）／（ＤＴＸ、ＤＴＸ）及び正のＳＲ伝送を示す。
【０１４３】
ネットワークデバイスは、１つの第２リソースに基づいて、ダウンリンクデータの受信状況がＮＡＣＫ又は（ＮＡＣＫ、ＮＡＣＫ）であり、スケジューリング要求伝送状況が正のＳＲ伝送であることを決定する。代替的に、ネットワークデバイスは、１つの第２リソースに基づいて、ダウンリンクデータの受信状況がＮＡＣＫ／ＤＴＸ又は（ＮＡＣＫ、ＮＡＣＫ）／（ＤＴＸ、ＤＴＸ）であり、スケジューリング要求伝送状況が正のＳＲ伝送であることを決定する。
【０１４４】
この方式で、１つのみのＰＵＣＣＨリソースがＳＲに割り当てられるので、ＳＲとの衝突が生じるとき、ダウンリンクデータの状況を示すためにＳＲリソースが用いられる必要がある場青、ＡＣＫ及びＮＡＣＫのうち１つのみが選択され得る。ＮＡＣＫがＡＣＫより重要であることを考慮すると、ＡＣＫの優先度はより低い。具体的に、ＡＣＫが正のＳＲ伝送と衝突する場合、ＡＣＫは破棄され示されず、ネットワークデバイスはＡＣＫをＮＡＣＫとして扱う。しかしながら、ＮＡＣＫが正のＳＲ伝送と衝突する場合、ＮＡＣＫ及び正のＳＲ伝送の両方が示される。この解決手段において、ＳＲ伝送が確保され、アップリンクリソース要求レイテンシの増加が回避される。唯一の短所は、ＡＣＫの伝送が遅延し、ダウンリンクデータのレイテンシが影響され得ることである。
【０１４５】
Ｓ１２０は具体的に、端末デバイスが、ＰＵＣＣＨフォーマットＭに基づいて伝送リソースでアップリンク制御情報を送信する段階であることを理解されたい。
【０１４６】
任意選択的に（解決手段２と示される）、Ｎが２であり、Ｍが１であり、端末デバイスがダウンリンクデータの受信状況及びＳＲ伝送状況に基づいて伝送リソースを決定し、伝送リソースでアップリンク制御情報を送信することは、以下の方式を含む。ダウンリンクデータの受信状況がＡＣＫ又はＮＡＣＫであり、ＳＲ伝送状況が正のＳＲ伝送である場合、端末デバイスは、伝送リソースがＳＲに割り当てられるＰＵＣＣＨリソースであることを決定する。
【０１４７】
アップリンク制御情報は、正のスケジューリング要求伝送及びダウンリンクデータの受信状況を示す。端末デバイスが伝送リソースでアップリンク制御情報を送信する段階は、端末デバイスが、１つの第２リソースで、１ビットの情報を搬送するために用いられるＰＵＣＣＨと、当該ＰＵＣＣＨを復調するために用いられる復調基準信号を送信する段階を含み、１ビットの情報はダウンリンクデータの受信状況を示す。
【０１４８】
ネットワークデバイスは、１つの第２リソースで、１ビットの情報を搬送するために用いられるＰＵＣＣＨと、ＰＵＣＣＨを復調するために用いられる復調基準信号とを受信し、１ビットの情報はダウンリンクデータの受信状況を示す。
【０１４９】
ネットワークデバイスは、１つの第２リソースに基づいて、スケジューリング要求伝送状況が正のＳＲ伝送であることを決定し、１ビットの情報に基づいて、ダウンリンクデータの受信状況がダウンリンクデータの２つの受信状況のうち１つであることを決定する。例えば、１ビットの情報が２進数（ｂｉｎａｒｙ）「１」である場合、ネットワークデバイスは、ダウンリンクデータの受信状況がＡＣＫであることを決定し、そうでない場合、１ビットの情報が２進数（ｂｉｎａｒｙ）「０」である場合、ネットワークデバイスは、ダウンリンクデータの受信状況がＮＡＣＫであることを決定する。
【０１５０】
Ｓ１２０は具体的に、端末デバイスが、ＰＵＣＣＨフォーマットＹａに基づいて伝送リソースでアップリンク制御情報を送信する段階であることを理解されたい。
【０１５１】
ＰＵＣＣＨフォーマットＹａの性能は、ＰＵＣＣＨフォーマットＸの性能より劣る。しかしながら、この解決手段において、ＳＲ、ＡＣＫ及びＮＡＣＫが同じ優先度を有するようにするために、ＨＡＲＱ−ＡＣＫ情報がＳＲと衝突する場合、ＨＡＲＱ−ＡＣＫ情報及びＳＲはＰＵＣＣＨフォーマットＹａを用いて伝送される。具体的には、衝突が生じる場合、どの状況も破棄されない。
【０１５２】
任意選択的に（解決手段３と示される）、Ｎが４であり、Ｍが１であり、端末デバイスがダウンリンクデータの受信状況及びＳＲ伝送状況に基づいて伝送リソースを決定し、当該伝送リソースでアップリンク制御情報を送信することは、以下の方式を含む。
【０１５３】
ダウンリンクデータの受信状況が（ＡＣＫ、ＡＣＫ）、（ＮＡＣＫ、ＮＡＣＫ）、（ＡＣＫ、ＮＡＣＫ）又は（ＮＡＣＫ、ＡＣＫ）であり、ＳＲ伝送状況が正のＳＲ伝送である場合、端末デバイスが、伝送リソースがＳＲに割り当てられるＰＵＣＣＨリソースであることを決定する。
【０１５４】
アップリンク制御情報は、正のスケジューリング要求伝送及びダウンリンクデータの受信状況を示す。端末デバイスが伝送リソースでアップリンク制御情報を送信する段階は、端末デバイスが、１つの第２リソースで、２ビットの情報を搬送するために用いられるＰＵＣＣＨと、当該ＰＵＣＣＨを復調するために用いられる復調基準信号とを送信する段階を含み、２ビットの情報はダウンリンクデータの受信状況を示す。
【０１５５】
ネットワークデバイスは、１つの第２リソースで、２ビットの情報を搬送するために用いられるＰＵＣＣＨと、当該ＰＵＣＣＨを復調するために用いられる復調基準信号とを受信し、２ビットの情報はダウンリンクデータの受信状況を示す。
【０１５６】
ネットワークデバイスは、１つの第２リソースに基づいて、スケジューリング要求伝送状況が正のＳＲ伝送であることを決定し、２ビットの情報に基づいて、ダウンリンクデータの受信状況がダウンリンクデータの４つの受信状況のうち１つであることを決定する。
【０１５７】
Ｓ１２０は具体的に、端末デバイスが、ＰＵＣＣＨフォーマットＹｂに基づいて伝送リソースでアップリンク制御情報を送信することである段階を理解されたい。
【０１５８】
ＰＵＣＣＨフォーマットＹｂの性能は、ＰＵＣＣＨフォーマットＸの性能より劣る。しかしながら、この解決手段において、ＳＲ及びＨＡＲＱ−ＡＣＫ情報が同じ優先度を有するようにするために、ＨＡＲＱ−ＡＣＫ情報がＳＲと衝突する場合、ＨＡＲＱ−ＡＣＫ情報及びＳＲはＰＵＣＣＨフォーマットＹｂを用いて伝送される。具体的には、衝突が生じる場合、どの状況も破棄されない。
【０１５９】
任意選択的に（解決手段４と示される）、Ｎが２であり、Ｍが２であり、端末デバイスがダウンリンクデータの受信状況及びスケジューリング要求伝送状況に基づいて伝送リソースを決定し、当該伝送リソースでアップリンク制御情報を送信することは、以下の方式のうち少なくとも１つを含む。
【０１６０】
方式１：ダウンリンクデータの受信状況がＡＣＫであり、ＳＲ伝送状況が正のＳＲ伝送である場合、端末デバイスは、伝送リソースがＳＲに割り当てられる第１ＰＵＣＣＨリソースであることを決定する。この場合、アップリンク制御情報はＡＣＫ及び正のＳＲ伝送を示す。同様に、ネットワークデバイスが伝送リソース及びアップリンク制御情報に基づいてダウンリンクデータの受信状況及びスケジューリング要求伝送状況を決定する段階は、ネットワークデバイスが、第１の第２リソースに基づいて、ダウンリンクデータの受信状況がＡＣＫであり、スケジューリング要求伝送状況が正のＳＲ伝送であることを決定する段階を有する。
【０１６１】
方式２：ダウンリンクデータの受信状況がＮＡＣＫであり、ＳＲ伝送状況が正のＳＲ伝送である場合、端末デバイスは、伝送リソースがＳＲに割り当てられる第２ＰＵＣＣＨリソースであることを決定する。この場合、アップリンク制御情報はＮＡＣＫ及び正のＳＲ伝送を示す。
【０１６２】
同様に、ネットワークデバイスは、第２の第２リソースに基づいて、ダウンリンクデータの受信状況がＮＡＣＫであり、スケジューリング要求伝送状況が正のＳＲ伝送であることを決定する。
【０１６３】
２つの第２リソースは、第１の第２リソース及び第２の第２リソースを含む。第１の第２リソースと第２の第２リソースとの間に段階が存在せず、第１の第２リソース及び第２の第２リソースは２つの第２リソースのうち１つを識別するために用いられるものに過ぎないことを理解されたい。
【０１６４】
１つの正のＳＲ伝送状況のみが存在し、段階１２０は具体的に、端末デバイスが、ＰＵＣＣＨフォーマットＭに基づいて伝送リソースでアップリンク制御情報を送信する段階であることを理解されたい。
【０１６５】
この解決手段において、ＨＡＲＱ−ＡＣＫ情報及びＳＲは同じ優先度を有する。したがって、ＨＡＲＱ−ＡＣＫ情報がＳＲと衝突する場合、ＨＡＲＱ−ＡＣＫ情報及びＳＲの両方が示され得る。唯一の短所は、１つの正のＳＲ伝送状況のみが存在するが、２つのＳＲリソースが確保される必要があり、ＰＵＣＣＨオーバーヘッドが比較的大きいことである。
【０１６６】
任意選択的に（解決手段５と示される）、Ｎが２であり、Ｍが１であり、端末デバイスがダウンリンクデータの受信状況及びスケジューリング要求伝送状況に基づいて伝送リソースを決定し、当該伝送リソースでアップリンク制御情報を送信することは、以下の方式のうち少なくとも１つを含む。
【０１６７】
方式１：ダウンリンクデータの受信状況がＡＣＫであり、ＳＲ伝送状況が正のＳＲ伝送である場合、端末デバイスは、伝送リソースがＳＲに割り当てられるＰＵＣＣＨリソースであることを決定する。この場合、アップリンク制御情報はＡＣＫ及び正のＳＲ伝送を示す。
【０１６８】
同様に、ネットワークデバイスが伝送リソースでアップリンク制御情報を受信する段階は、ネットワークデバイスが、伝送リソースがＳＲに割り当てられるＰＵＣＣＨリソースであることを決定する段階と、ネットワークデバイスが、ＳＲに割り当てられるＰＵＣＣＨリソースでアップリンク制御情報を受信する段階とを含む。
【０１６９】
ネットワークデバイスが伝送リソース及びアップリンク制御情報に基づいてダウンリンクデータの受信状況及びスケジューリング要求伝送状況を決定する段階は、ネットワークデバイスが、ＳＲに割り当てられるＰＵＣＣＨリソースに基づいて、ダウンリンクデータの受信状況がＡＣＫであり、スケジューリング要求伝送状況が正のＳＲ伝送であることを決定する段階を有する。
【０１７０】
方式２：ダウンリンクデータの受信状況がＮＡＣＫであり、ＳＲ伝送状況が正のＳＲ伝送である場合、端末デバイスは、伝送リソースがＮＡＣＫに割り当てられるＰＵＣＣＨリソースであることを決定する。この場合、アップリンク制御情報はＮＡＣＫ及び負のＳＲ伝送を示す。
【０１７１】
同様に、ネットワークデバイスが伝送リソースでアップリンク制御情報を受信する段階は、ネットワークデバイスが、伝送リソースがＮＡＣＫに割り当てられるＰＵＣＣＨリソースであることを決定する段階と、ネットワークデバイスが、ＮＡＣＫに対応する第１リソースでアップリンク制御情報を受信する段階とを含む。
【０１７２】
ネットワークデバイスが伝送リソース及びアップリンク制御情報に基づいてダウンリンクデータの受信状況及びスケジューリング要求伝送状況を決定する段階は、ネットワークデバイスが、ＮＡＣＫに対応する第１リソースに基づいて、ダウンリンクデータの受信状況がＮＡＣＫ及び負のＳＲ伝送であることを決定する段階を有する。
【０１７３】
Ｓ１２０は具体的に、端末デバイスが、ＰＵＣＣＨフォーマットＭに基づいて伝送リソースでアップリンク制御情報を送信する段階であることを理解されたい。
【０１７４】
この解決手段において、ＳＲの優先度はＮＡＣＫの優先度より低い。しかしながら、ＮＡＣＫの発生確率が比較的低いことを考慮すると、ＳＲレイテンシへの影響は比較的少ない。しかしながら、この解決手段において、ダウンリンクデータの受信状況がＤＴＸであり、ＳＲ伝送状況が正のＳＲ伝送である場合、端末デバイスは、ＳＲに割り当てられるリソースでアップリンク制御情報の伝送も行う。したがって、ネットワークデバイスがダウンリンクデータを送信するが端末デバイスがダウンリンクデータの受信状況をＤＴＸとみなし、ネットワークデバイスがＳＲに割り当てられるリソースで伝送されたアップリンク制御情報を受信し、ダウンリンクデータの受信状況をＡＣＫとみなす場合、問題が生じる。したがって、信頼性が比較的低い。
【０１７５】
任意選択的に（解決手段６と示される）、Ｎが２であり、Ｍが１であり、端末デバイスがダウンリンクデータの受信状況及びＳＲ伝送状況に基づいて伝送リソースを決定し、伝送リソースでアップリンク制御情報を送信することは、以下の方式のうち少なくとも１つを含む。
【０１７６】
方式１：ダウンリンクデータの受信状況がＡＣＫであり、ＳＲ伝送状況が正のＳＲ伝送である場合、端末デバイスは、伝送リソースがＡＣＫに割り当てられるＰＵＣＣＨリソースであることを決定する。この場合、アップリンク制御情報はＡＣＫ及び負のＳＲ伝送を示す。
【０１７７】
同様に、ネットワークデバイスが伝送リソースでアップリンク制御情報を受信する段階は、ネットワークデバイスが、伝送リソースがＡＣＫに割り当てられるＰＵＣＣＨリソースであることを決定する段階と、ネットワークデバイスが、ＡＣＫに割り当てられるＰＵＣＣＨリソースでアップリンク制御情報を受信する段階とを含む。
【０１７８】
ネットワークデバイスは、ＡＣＫに割り当てられるＰＵＣＣＨリソースに基づいて、ダウンリンクデータの受信状況がＡＣＫであり、スケジューリング要求伝送状況が負のＳＲ伝送であることを決定する。
【０１７９】
方式２：ダウンリンクデータの受信状況がＮＡＣＫであり、ＳＲ伝送状況が正のＳＲ伝送である場合、端末デバイスは、伝送リソースがＳＲに割り当てられるＰＵＣＣＨリソースであることを決定する。この場合、アップリンク制御情報はＮＡＣＫ及び正のＳＲ伝送を示す。
【０１８０】
同様に、ネットワークデバイスが伝送リソースでアップリンク制御情報を受信する段階は、ネットワークデバイスが、伝送リソースがＳＲに割り当てられるＰＵＣＣＨリソースであることを決定する段階と、ネットワークデバイスが、ＳＲに割り当てられるＰＵＣＣＨリソースでアップリンク制御情報を受信する段階とを含む。
【０１８１】
ネットワークデバイスは、ＳＲに割り当てられるＰＵＣＣＨリソースに基づいて、ダウンリンクデータの受信状況がＮＡＣＫであり、スケジューリング要求伝送状況が正のＳＲ伝送であることを決定する。
【０１８２】
Ｓ１２０は具体的に、端末デバイスが、ＰＵＣＣＨフォーマットＭに基づいて伝送リソースでアップリンク制御情報を送信する段階であることを理解されたい。
【０１８３】
この解決手段において、上述の解決手段におけるＤＴＸとＡＣＫとの間の誤認識が回避され、受信性能が安定する。しかしながら、ＳＲの優先度はＡＣＫの優先度より低い。ＡＣＫの発生確率が比較的高いことを考慮すると、ＳＲレイテンシへの影響は比較的大きくなり得る。
【０１８４】
任意選択的に（解決手段７と示される）、Ｎが２であり、Ｍが２であり、端末デバイスがダウンリンクデータの受信状況及びＳＲ伝送状況に基づいて伝送リソースを決定し、伝送リソースでアップリンク制御情報を送信することは、以下の方式のうち少なくとも１つを含む。
【０１８５】
方式１：ダウンリンクデータの受信状況がＮＡＣＫ又はＡＣＫであり、ＳＲ伝送状況が第１の正のＳＲ伝送である場合、端末デバイスは、伝送リソースが第１の正のＳＲ伝送に割り当てられるＰＵＣＣＨリソースであることを決定する。この場合、アップリンク制御情報はＮＡＣＫ及び第１の正のＳＲ伝送を示すか、又はアップリンク制御情報はＮＡＣＫ／ＤＴＸ及び第１の正のＳＲ伝送を示す。
【０１８６】
同様に、ネットワークデバイスが伝送リソースでアップリンク制御情報を受信する段階は、ネットワークデバイスが、伝送リソースが第１の正のＳＲ伝送に割り当てられるＰＵＣＣＨリソースであることを決定する段階と、ネットワークデバイスが、第１の正のＳＲ伝送に割り当てられるＰＵＣＣＨリソースでアップリンク制御情報を受信する段階とを含む。
【０１８７】
ネットワークデバイスは、第１の正のＳＲ伝送に割り当てられるＰＵＣＣＨリソースに基づいて、ダウンリンクデータの受信状況がＮＡＣＫ／ＤＴＸ及び第１の正のＳＲ伝送であることを決定する。
【０１８８】
方式２：ダウンリンクデータの受信状況がＮＡＣＫ又はＡＣＫであり、ＳＲ伝送状況が第２の正のＳＲ伝送である場合、端末デバイスは、伝送リソースが第２の正のＳＲ伝送に割り当てられるＰＵＣＣＨリソースであることを決定する。この場合、アップリンク制御情報はＮＡＣＫ及び第２の正のＳＲ伝送を示すか、又はアップリンク制御情報はＮＡＣＫ／ＤＴＸ及び第２の正のＳＲ伝送のＰＵＣＣＨリソースを示す。
【０１８９】
同様に、ネットワークデバイスが伝送リソースでアップリンク制御情報を受信する段階は、ネットワークデバイスが、伝送リソースが第２の正のＳＲ伝送のＰＵＣＣＨリソースであることを決定する段階と、ネットワークデバイスが、第２の正のＳＲ伝送のＰＵＣＣＨリソースでアップリンク制御情報を受信する段階とを含む。
【０１９０】
ネットワークデバイスは、第２の正のＳＲ伝送のＰＵＣＣＨリソースに基づいて、ダウンリンクデータの受信状況がＮＡＣＫ／ＤＴＸであり、第２の正のＳＲ伝送のＰＵＣＣＨリソースであることを決定する。
【０１９１】
２つの正のＳＲ伝送状況がある場合、段階１２０は具体的に、端末デバイスが、ＰＵＣＣＨフォーマットОに基づいて伝送リソースでアップリンク制御情報を送信する段階であることを理解されたい。
【０１９２】
この解決手段において、ダウンリンクデータの状況を示すためにＳＲリソースが用いられる必要がある場合、ＡＣＫ及びＮＡＣＫのうち１つのみが選択され得る。ＮＡＣＫがＡＣＫより重要であることを考慮すると、ＡＣＫの優先度はより低い。この解決手段において、ＳＲ伝送が確保され、アップリンクリソース要求レイテンシの増加が回避される。唯一の短所は、ＡＣＫの伝送が遅延し、ダウンリンクデータのレイテンシが影響され得ることである。
【０１９３】
任意選択的に（解決手段８と示される）、Ｎが２であり、Ｍが２であり、端末デバイスがダウンリンクデータの受信状況及びスケジューリング要求伝送状況に基づいて伝送リソースを決定し、当該伝送リソースでアップリンク制御情報を送信することは、以下の方式のうち少なくとも１つを含む。
【０１９４】
方式１：ダウンリンクデータの受信状況がＡＣＫであり、ＳＲ伝送状況が第１又は第２の正のＳＲ伝送である場合、端末デバイスは、伝送リソースが第１又は第２の正のＳＲ伝送に割り当てられるＰＵＣＣＨリソースであることを決定する。この場合、アップリンク制御情報はＡＣＫ及び第１又は第２の正のＳＲ伝送を示す。
【０１９５】
同様に、ネットワークデバイスが伝送リソースでアップリンク制御情報を受信する段階は、ネットワークデバイスが、伝送リソースが第１又は第２の正のＳＲ伝送に割り当てられるＰＵＣＣＨリソースであることを決定する段階と、ネットワークデバイスが、第１又は第２の正のＳＲ伝送に割り当てられるＰＵＣＣＨリソースでアップリンク制御情報を受信する段階とを含む。
【０１９６】
ネットワークデバイスは、第１又は第２の正のＳＲ伝送に割り当てられるＰＵＣＣＨリソースに基づいて、ダウンリンクデータの受信状況がＡＣＫであり、スケジューリング要求伝送状況が第１又は第２の正のＳＲ伝送であることを決定する。
【０１９７】
方式２：ダウンリンクデータの受信状況がＮＡＣＫであり、ＳＲ伝送状況が第１又は第２の正のＳＲ伝送である場合、端末デバイスは、伝送リソースがＮＡＣＫに割り当てられるＰＵＣＣＨリソースであることを決定する。この場合、アップリンク制御情報はＮＡＣＫ及び負のＳＲ伝送を示す。
【０１９８】
同様に、ネットワークデバイスが伝送リソースでアップリンク制御情報を受信する段階は、ネットワークデバイスが、伝送リソースがＮＡＣＫに割り当てられるＰＵＣＣＨリソースであることを決定する段階と、ネットワークデバイスが、ＮＡＣＫに割り当てられるＰＵＣＣＨリソースでアップリンク制御情報を受信する段階とを含む。
【０１９９】
ネットワークデバイスは、ＮＡＣＫに割り当てられるＰＵＣＣＨリソースに基づいて、ダウンリンクデータの受信状況がＮＡＣＫ及び負のＳＲ伝送であることを決定する。
【０２００】
２つの正のＳＲ伝送状況がある場合、段階１２０は具体的に、端末デバイスが、ＰＵＣＣＨフォーマットОに基づいて伝送リソースでアップリンク制御情報を送信する段階であることを理解されたい。
【０２０１】
この解決手段において、ＳＲの優先度はＮＡＣＫの優先度より低い。しかしながら、ＮＡＣＫの発生確率が比較的低いことを考慮すると、ＳＲレイテンシへの影響は比較的少ない。
【０２０２】
任意選択的に（解決手段９と示される）、Ｎが２であり、Ｍが２であり、端末デバイスがダウンリンクデータの受信状況及びスケジューリング要求伝送状況に基づいて伝送リソースを決定し、伝送リソースでアップリンク制御情報を送信することは、以下の決定方式の少なくとも１つを含む。
【０２０３】
方式１：ダウンリンクデータの受信状況がＡＣＫであり、ＳＲ伝送状況が第１又は第２の正のＳＲ伝送である場合、端末デバイスは、伝送リソースがＡＣＫに割り当てられるＰＵＣＣＨリソースであることを決定する。この場合、アップリンク制御情報はＡＣＫ及び負のＳＲ伝送を示す。
【０２０４】
同様に、ネットワークデバイスが伝送リソースでアップリンク制御情報を受信する段階は、ネットワークデバイスが、伝送リソースがＡＣＫに割り当てられるＰＵＣＣＨリソースであることを決定する段階と、ネットワークデバイスが、ＡＣＫに割り当てられるＰＵＣＣＨリソースでアップリンク制御情報を受信する段階とを含む。
【０２０５】
ネットワークデバイスは、ＡＣＫに割り当てられるＰＵＣＣＨリソースに基づいて、ダウンリンクデータの受信状況がＡＣＫであり、スケジューリング要求伝送状況が負のＳＲ伝送であることを決定する。
【０２０６】
方式２：ダウンリンクデータの受信状況がＮＡＣＫであり、ＳＲ伝送状況が第１又は第２の正のＳＲ伝送である場合、端末デバイスは、伝送リソースが第１又は第２の正のＳＲ伝送に割り当てられるＰＵＣＣＨリソースであることを決定する。この場合、アップリンク制御情報はＮＡＣＫ及び第１又は第２の正のＳＲ伝送を示す。
【０２０７】
同様に、ネットワークデバイスが伝送リソースでアップリンク制御情報を受信する段階は、ネットワークデバイスが、伝送リソースが第１又は第２の正のＳＲ伝送に割り当てられるＰＵＣＣＨリソースであることを決定する段階と、ネットワークデバイスが、第１又は第２の正のＳＲ伝送に割り当てられるＰＵＣＣＨリソースでアップリンク制御情報を受信する段階とを含む。
【０２０８】
ネットワークデバイスは、第１又は第２の正のＳＲ伝送に割り当てられるＰＵＣＣＨリソースに基づいて、ダウンリンクデータの受信状況がＮＡＣＫ及び第１又は第２の正のＳＲ伝送であることを決定する。
【０２０９】
２つの正のＳＲ伝送状況がある場合、段階１２０は具体的に、端末デバイスが、ＰＵＣＣＨフォーマットОに基づいて伝送リソースでアップリンク制御情報を送信する段階であることを理解されたい。
【０２１０】
この解決手段において、ＤＴＸとＡＣＫとの間の誤認識が回避され、受信性能が安定する。しかしながら、ＳＲの優先度はＡＣＫの優先度より低い。ＡＣＫの発生確率が比較的高いことを考慮すると、ＳＲレイテンシへの影響は比較的大きくなり得る。
【０２１１】
任意選択的に（解決手段１０と示される）、Ｎが２又は４であり、Ｍが１であり、端末デバイスがダウンリンクデータの受信状況及びスケジューリング要求伝送状況に基づいて伝送リソースを決定し、当該伝送リソースでアップリンク制御情報を送信することは、以下の決定方式の少なくとも１つを含む。
【０２１２】
ダウンリンクデータの受信状況が２つ又は４つの状況のうちいずれか１つであり、ＳＲ伝送状況が少なくとも２つのタイプの正のＳＲ伝送のうち１つである場合、端末デバイスは、伝送リソースがＳＲに割り当てられるＰＵＣＣＨリソースであることを決定し、端末デバイスは、１つの第２リソースで、ｎビットの情報を搬送するために用いられるＰＵＣＣＨと、当該ＰＵＣＣＨを復調するために用いられる復調基準信号とを送信し、ｎビットの情報はダウンリンクデータの受信状況及びＳＲ伝送状況を示し、ネットワークデバイスは、ＳＲに割り当てられるＰＵＣＣＨリソースで、ｎビットの情報を搬送するために用いられるＰＵＣＣＨと、当該ＰＵＣＣＨを復調するために用いられる復調基準信号とを受信し、ｎビットの情報はダウンリンクデータの受信状況及びＳＲ伝送状況を示し、ネットワークデバイスは、ＳＲに割り当てられるＰＵＣＣＨリソース、及びｎビットの情報に基づいて、ダウンリンクデータの受信状況がダウンリンクデータの２つの受信状況のうち１つであるか、又はダウンリンクデータの４つの受信状況のうち１つであり、ＳＲ伝送状況が少なくとも２つのタイプの正のＳＲ伝送のうち１つであることを決定する。
【０２１３】
少なくとも２つの正のＳＲ伝送状況がある場合、段階１２０は具体的に、端末デバイスが、ＰＵＣＣＨフォーマットＰに基づいて伝送リソースでアップリンク制御情報を送信する段階であることを理解されたい。
【０２１４】
この解決手段において、ＳＲ及びＨＡＲＱ−ＡＣＫ情報は同様に重要であり、すなわち、同じ優先度を有する。
【０２１５】
任意選択的に、端末デバイスがダウンリンクデータの受信状況及びスケジューリング要求伝送状況に基づいて伝送リソースを決定する前に、方法１００は以下の段階をさらに含む。
【０２１６】
Ｓ１０２．端末デバイスはシグナリングを受信し、シグナリングは、上述の制御情報伝送ソリューションのうち１つを用いて伝送リソースを決定し、伝送リソースでアップリンク制御情報を送信するように、端末デバイスに命令する。
【０２１７】
同様に、端末デバイスがシグナリングを受信する前に、方法はさらに、ネットワークデバイスがシグナリングを送信する段階であって、シグナリングは、上述の制御情報伝送ソリューションのうち１つを用いて伝送リソースを決定し、伝送リソースでアップリンク制御情報を送信するように端末デバイスに命令する、送信する段階を有する。
【０２１８】
任意選択的に、シグナリングは上位層シグナリングである。上位層シグナリング（Ｈｉｇｈｅｒ  Ｌａｙｅｒ  Ｓｉｇｎａｌｉｎｇ）は物理層シグナリングに関連し、上位層（ｌａｙｅｒ）から来るシグナリングであり、より低い伝送周波数を有し、無線リソース制御（ＲＲＣ、Ｒａｄｉｏ  Ｒｅｓｏｕｒｃｅ  Ｃｏｎｔｒｏｌ）シグナリング及びメディアアクセス制御（ＭＡＣ、Ｍｅｄｉａ  Ａｃｃｅｓｓ  Ｃｏｎｔｒｏｌ）シグナリングを含む。
【０２１９】
本願のこの実施形態における制御情報伝送方法により、ＰＵＣＣＨシンボルの数が１、２又は３個のシンボルに減少した後に、ＳＲをいかに伝送するか、並びに、ＳＲ及びＨＡＲＱ−ＡＣＫ情報をいかに同時に伝送するかについての問題が効率的に解決される。
【０２２０】
本願の実施形態はさらに、制御情報伝送方法を提供する。方法は、端末デバイスが、伝送リソースがＳＲに割り当てられるＰＵＣＣＨリソースであることを決定する段階と、端末デバイスが、伝送リソースでアップリンク制御情報を送信する段階であって、アップリンク制御情報は１ビット又は２ビットのＨＡＲＱ−ＡＣＫ情報及び少なくとも２ビットのＳＲ伝送状況指示情報を含む、送信する段階と、ネットワークデバイスが、ＳＲに割り当てられるＰＵＣＣＨリソースでアップリンク制御情報を受信する段階と、ネットワークデバイスが、伝送リソース及びアップリンク制御情報に基づいてダウンリンクデータの受信状況及びスケジューリング要求伝送状況を決定する段階とを含む。
【０２２１】
具体的に、ダウンリンクデータが端末デバイスによって受信される場合、端末デバイスは、ダウンリンクデータの受信状況がＤＴＸでないことを決定する。端末デバイスは、ＳＲ伝送状況が正のＳＲ伝送であることを決定する。この場合、端末デバイスは伝送リソースがＳＲに割り当てられるＰＵＣＣＨリソースであることを決定する。アップリンク制御情報は、１ビット又は２ビットのＨＡＲＱ−ＡＣＫ情報及び少なくとも２ビットのＳＲ伝送状況指示情報を含む。具体的に、端末デバイスはＰＵＣＣＨフォーマットＰに基づいてアップリンク制御情報を送信する。
【０２２２】
端末デバイスが、ＳＲ伝送状況が負のＳＲ伝送であることを決定するならば、この場合、端末デバイスは、伝送リソースがＨＡＲＱ−ＡＣＫ情報に割り当てられるＰＵＣＣＨリソースであることを決定する。端末デバイスはＰＵＣＣＨフォーマットＹａ又はＹｂに基づいてアップリンク制御情報を送信する。
【０２２３】
この方法は、制御情報伝送方法１００と無関係であることに注意されたい。
【０２２４】
本願のこの実施形態における制御情報伝送方法により、ＰＵＣＣＨシンボルの数が１、２又は３個のシンボルに減少した後に、ＳＲをいかに伝送するか、並びに、ＳＲ及びＨＡＲＱ−ＡＣＫ情報をいかに同時に伝送するかについての問題が効率的に解決される。
【０２２５】
上述の内容は、図２を参照して本願の実施形態に係る制御情報伝送方法１００を詳細に説明する。以下は、図３から図６を参照して本願の実施形態に係る端末デバイス及びネットワークデバイスを詳細に説明する。端末デバイス及びネットワークデバイスは、上述の実施形態における方法を実行し得ることに注意されたい。したがって、具体的な詳細については、上述の実施形態における説明を参照されたい。簡潔にするため、詳細についてはここで改めて説明しない。
【０２２６】
図３は、本願の実施形態に係る端末デバイス２００の概略ブロック図である。図３に示されるように、端末デバイス２００は、ダウンリンクデータの受信状況及びスケジューリング要求伝送状況に基づいて伝送リソースを決定するように構成されている処理モジュール２１０であって、伝送リソースが、Ｎ個の第１リソースのうち１つ又はＭ個の第２リソースのうち１つであり、Ｎ個の第１リソースはダウンリンクデータのＮ個の受信状況に対応し、Ｍ個の第２リソースはスケジューリング要求を伝送するために用いられ、Ｎが１より大きな正の整数であり、Ｍが正の整数である、処理モジュール２１０と、伝送リソースでアップリンク制御情報を送信するように構成されている送受信モジュール２２０とを含む。任意選択的に、送受信モジュール２２０は、ダウンリンクデータを受信するようにさらに構成される。
【０２２７】
送受信モジュール２２０がダウンリンクデータを受信した後、処理モジュール２１０はダウンリンクデータの受信状況を決定する必要がある。例えば、ダウンリンクデータはＰＤＳＣＨで搬送されるデータである。ダウンリンクデータは、ネットワークデバイスによって伝送されてよい。
【０２２８】
ダウンリンクデータ、ダウンリンクデータの受信状況、Ｎ個の第１リソース及びＭ個の第２リソースなどの説明については、制御情報伝送方法１００における説明を特に参照し得ることに注意されたい。簡潔にするために、詳細についてはここで改めて説明しない。
【０２２９】
任意選択的に、送受信モジュール２２０は、第１リソース指示情報を受信するようにさらに構成されており、第１リソース指示情報はＮ個の第１リソースを示す。任意選択的に、送受信モジュール２２０は、第２リソース指示情報を受信するようにさらに構成されており、第２リソース指示情報はＭ個の第２リソースを示す。
【０２３０】
第１リソース指示情報及び第２リソース指示情報の説明については、制御情報伝送方法１００における説明が特に参照し得ることに注意されたい。簡潔にするために、詳細についてはここで改めて説明しない。
【０２３１】
本願のこの実施形態において、ダウンリンクデータの受信状況及びＳＲ伝送状況を決定した後、端末デバイスは、ダウンリンクデータの受信状況及びＳＲ伝送状況に基づいて伝送リソースを決定する。
【０２３２】
任意選択的に、Ｎが２又は４であり、処理モジュール２１０は、スケジューリング要求伝送状況が正のスケジューリング要求伝送である場合、伝送リソースがＭ個の第２リソースのうち１つであることを決定するように具体的に構成されており、アップリンク制御情報はＮ個のデータ受信状況のうち１つ及び正のスケジューリング要求伝送を示す。
【０２３３】
任意選択的に、Ｍが１であり、処理モジュール２１０は、ダウンリンクデータの受信状況がダウンリンクデータの２つの受信状況のうち１つであるか、又はダウンリンクデータの受信状況がダウンリンクデータの４つの受信状況のうち１つであり、スケジューリング要求伝送状況が正のスケジューリング要求伝送である場合、伝送リソースが１つの第２リソースであることを決定するように具体的に構成されており、アップリンク制御情報はＮＡＣＫ及び正のＳＲ伝送を示すか、又はアップリンク制御情報は（ＮＡＣＫ、ＮＡＣＫ）及び正のＳＲ伝送を示すか、又はアップリンク制御情報はＮＡＣＫ／ＤＴＸ及び正のＳＲ伝送を示すか、又はアップリンク制御情報は（ＮＡＣＫ、ＮＡＣＫ）／（ＤＴＸ、ＤＴＸ）及び正のＳＲ伝送を示す。
【０２３４】
本願のこの実施形態における端末デバイスによれば、１つのみのＰＵＣＣＨリソースがＳＲに割り当てられるので、ＳＲ衝突が生じるとき、ダウンリンクデータの状況を示すためにＳＲリソースが用いられる必要がある場合、ＡＣＫ及びＮＡＣＫのうち１つのみが選択され得る。ＮＡＣＫがＡＣＫより重要であることを考慮すると、ＡＣＫの優先度はより低い。具体的に、ＡＣＫが正のＳＲ伝送と衝突する場合、ＡＣＫは破棄され示されず、ネットワークデバイスはＡＣＫをＮＡＣＫとして扱う。しかしながら、ＮＡＣＫが正のＳＲ伝送と衝突する場合、ＮＡＣＫ及び正のＳＲ伝送の両方が示される。当該端末デバイスによれば、ＳＲ伝送が確保され、アップリンクリソース要求レイテンシの増加が回避される。唯一の短所は、ＡＣＫの伝送が遅延し、ダウンリンクデータのレイテンシが影響され得ることである。
【０２３５】
任意選択的に、Ｍが１であり、処理モジュール２１０は、ダウンリンクデータの受信状況がダウンリンクデータの２つの受信状況のうち１つであるか、又はダウンリンクデータの受信状況がダウンリンクデータの４つの受信状況のうち１つであり、かつ、スケジューリング要求伝送状況が正のスケジューリング要求伝送である場合、伝送リソースが１つの第２リソースであることを決定するように具体的に構成されており、アップリンク制御情報は正のスケジューリング要求伝送及びダウンリンクデータの受信状況を示し、送受信モジュールは、１つの第２リソースで、１ビット又は２ビットの情報を搬送するために用いられるＰＵＣＣＨと、当該ＰＵＣＣＨを復調するために用いられる復調基準信号とを送信するように具体的に構成されており、１ビット又は２ビットの情報はダウンリンクデータの受信状況を示す。
【０２３６】
送受信モジュール２２０が、ＰＵＣＣＨフォーマットＹａ又はＹｂに基づいて伝送リソースでアップリンク制御情報を送信することを理解されたい。
【０２３７】
本願のこの実施形態における端末デバイスによれば、ＰＵＣＣＨフォーマットＹａ又はＹｂの性能はＰＵＣＣＨフォーマットＸの性能より劣る。しかしながら、端末デバイスによれば、ＳＲ、ＡＣＫ及びＮＡＣＫが同じ優先度を有するようにするために、ＨＡＲＱ−ＡＣＫ情報がＳＲと衝突する場合、ＨＡＲＱ−ＡＣＫ情報及びＳＲはＰＵＣＣＨフォーマットＹａを用いて伝送される。具体的には、衝突が生じる場合、どの状況も破棄されない。
【０２３８】
任意選択的に、Ｎが２であり、Ｍが２であり、２つの第２リソースは第１の第２リソース及び第２の第２リソースを含み、処理モジュール２１０は、ダウンリンクデータの受信状況がＡＣＫであり、スケジューリング要求伝送状況が正のスケジューリング要求伝送である場合、伝送リソースが第１の第２リソースであることを決定するように具体的に構成されており、アップリンク制御情報は正のスケジューリング要求伝送及びＡＣＫを示すか、又はダウンリンクデータの受信状況がＮＡＣＫであり、スケジューリング要求伝送状況が正のスケジューリング要求伝送である場合、伝送リソースが第２の第２リソースであることを決定するように具体的に構成されており、アップリンク制御情報は正のスケジューリング要求伝送及びＮＡＣＫを示す。
【０２３９】
２つの第２リソースは、第１の第２リソース及び第２の第２リソースを含む。第１の第２リソースと第２の第２リソースとの間に段階が存在せず、第１の第２リソース及び第２の第２リソースは２つの第２リソースのうち１つを識別するために用いられるものに過ぎないことを理解されたい。
【０２４０】
１つの正のＳＲ伝送状況のみが存在し、送受信モジュール２２０がＰＵＣＣＨフォーマットＭに基づいて伝送リソースでアップリンク制御情報を送信することを理解されたい。
【０２４１】
端末デバイスによれば、本願のこの実施形態において、ＨＡＲＱ−ＡＣＫ情報及びＳＲは同じ優先度を有する。したがって、ＨＡＲＱ−ＡＣＫ情報がＳＲと衝突する場合、ＨＡＲＱ−ＡＣＫ情報及びＳＲの両方が示され得る。唯一の短所は、１つの正のＳＲ伝送状況のみが存在するが、２つのＳＲリソースが確保される必要があり、ＰＵＣＣＨオーバーヘッドが比較的大きいことである。
【０２４２】
任意選択的に、Ｎが２であり、送受信モジュール２２０はダウンリンクデータを受信するようにさらに構成されており、ダウンリンクデータは２つのトランスポートブロックＴＢを含み、処理モジュール２１０は、ダウンリンクデータの受信状況が２つのＴＢにそれぞれ対応する受信状況の空間バンドリング結果であることを決定するようにさらに構成されている。
【０２４３】
任意選択的に、処理モジュール２１０は、ダウンリンクデータの受信状況がダウンリンクデータの２つの受信状況のうち１つであるか、又はダウンリンクデータの受信状況がダウンリンクデータの４つの受信状況のうち１つであり、スケジューリング要求伝送状況が負のスケジューリング要求伝送である場合、伝送リソースがＮ個の第１リソースのうち１つであることを決定するように具体的に構成されている。
【０２４４】
任意選択的に、Ｎが２であり、Ｍが１であり、ダウンリンクデータの２つの受信状況が肯定応答ＡＣＫ及び否定応答ＮＡＣＫを含み、処理モジュール２１０は、ダウンリンクデータの受信状況がＡＣＫであり、スケジューリング要求伝送状況が正のスケジューリング要求伝送である場合、伝送リソースが１つの第２リソースであることを決定するように具体的に構成されており、アップリンク制御情報はＡＣＫ及び正のスケジューリング要求伝送を示すか、又はダウンリンクデータの受信状況がＮＡＣＫであり、スケジューリング要求伝送状況が正のスケジューリング要求伝送である場合、伝送リソースがＮＡＣＫに対応する第１リソースであることを決定するように具体的に構成されており、アップリンク制御情報はＮＡＣＫ及び負のスケジューリング要求伝送を示す。
【０２４５】
本願のこの実施形態における端末デバイスによれば、ＳＲの優先度はＮＡＣＫの優先度より低い。しかしながら、ＮＡＣＫの発生確率が比較的低いことを考慮すると、ＳＲレイテンシへの影響は比較的少ない。ダウンリンクデータの受信状況がＤＴＸであり、ＳＲ伝送状況が正のＳＲ伝送である場合、端末デバイスは、ＳＲに割り当てられるリソースでアップリンク制御情報の伝送も行う。したがって、ネットワークデバイスはダウンリンクデータを送信するが端末デバイスはダウンリンクデータの受信状況をＤＴＸとみなし、ネットワークデバイスはＳＲに割り当てられるリソースで伝送されるアップリンク制御情報を受信してダウンリンクデータの受信状況をＡＣＫとみなす場合、問題が生じる。したがって、信頼性が比較的低い。
【０２４６】
任意選択的に、Ｎが２であり、Ｍが１であり、ダウンリンクデータの２つの受信状況が肯定応答ＡＣＫ及び否定応答ＮＡＣＫを含み、処理モジュール２１０は、ダウンリンクデータの受信状況がＡＣＫであり、スケジューリング要求伝送状況が正のスケジューリング要求伝送である場合、伝送リソースがＡＣＫに対応する第１リソースであることを決定するように具体的に構成されており、アップリンク制御情報はＡＣＫ及び負のスケジューリング要求伝送を示すか、又はダウンリンクデータの受信状況がＮＡＣＫであり、スケジューリング要求伝送状況が正のスケジューリング要求伝送である場合、端末デバイスが、伝送リソースが１つの第２リソースであることを決定するように具体的に構成されており、アップリンク制御情報はＮＡＣＫ及び正のスケジューリング要求伝送を示す。
【０２４７】
本願のこの実施形態における端末デバイスによれば、上述の端末デバイスに係るＤＴＸとＡＣＫとの間の誤認識は回避され、受信性能が安定する。しかしながら、ＳＲの優先度はＡＣＫの優先度より低い。ＡＣＫの発生確率が比較的高いことを考慮すると、ＳＲレイテンシへの影響は比較的大きくなり得る。
【０２４８】
任意選択的に、Ｎが２であり、Ｍが２であり、ダウンリンクデータの２つの受信状況が肯定応答ＡＣＫ及び否定応答ＮＡＣＫを含み、スケジューリング要求は第１のスケジューリング要求及び第２のスケジューリング要求を含み、２つの第２リソースは第１のスケジューリング要求に対応する第２リソース及び第２のスケジューリング要求に対応するスケジューリングリソースを含み、処理モジュール２１０は、ダウンリンクデータの受信状況がＡＣＫ又はＮＡＣＫであり、スケジューリング要求伝送状況が第１の正のスケジューリング要求伝送である場合、伝送リソースが第１のスケジューリング要求の伝送に対応する第２リソースであることを決定するように具体的に構成されており、アップリンク制御情報はＮＡＣＫ／ＤＴＸ及び第１の正のスケジューリング要求伝送を示するか、又はダウンリンクデータの受信状況がＡＣＫ又はＮＡＣＫであり、スケジューリング要求伝送状況が第２の正のスケジューリング要求伝送である場合、伝送リソースが第２のスケジューリング要求の伝送に対応する第２リソースであることを決定するように具体的に構成されており、アップリンク制御情報はＮＡＣＫ／ＤＴＸ及び第２の正のスケジューリング要求伝送を示す。
【０２４９】
本願のこの実施形態における端末デバイスによれば、ダウンリンクデータの状況を示すためにＳＲリソースが用いられる必要がある場合、ＡＣＫ及びＮＡＣＫのうち１つのみが選択され得る。ＮＡＣＫがＡＣＫより重要であることを考慮すると、ＡＣＫの優先度はより低い。端末デバイスによれば、ＳＲ伝送が確保され、アップリンクリソース要求レイテンシの増加が回避される。唯一の短所は、ＡＣＫの伝送が遅延し、ダウンリンクデータのレイテンシが影響され得ることである。
【０２５０】
任意選択的に、Ｎが２であり、Ｍが２であり、ダウンリンクデータの２つの受信状況が肯定応答ＡＣＫ及び否定応答ＮＡＣＫを含み、スケジューリング要求は第１のスケジューリング要求及び第２のスケジューリング要求を含み、２つの第２リソースは第１のスケジューリング要求に対応する第２リソース及び第２のスケジューリング要求に対応するスケジューリングリソースを含み、処理モジュール２１０は、ダウンリンクデータの受信状況がＡＣＫであり、スケジューリング要求伝送状況が第１の正のスケジューリング要求伝送であるか、又は第２の正のスケジューリング要求伝送である場合、端末デバイスが、伝送リソースが第１のスケジューリング要求の伝送に対応する第２リソースであるか、又は第２のスケジューリング要求の伝送に対応する第２リソースであることを決定するように具体的に構成されており、アップリンク制御情報はＡＣＫ及び第１の正のスケジューリング要求伝送又は第２の正のスケジューリング要求伝送を示すか、又はダウンリンクデータの受信状況がＮＡＣＫであり、スケジューリング要求伝送状況が第１の正のスケジューリング要求伝送又は第２の正のスケジューリング要求伝送である場合、端末デバイスが、伝送リソースがＮＡＣＫに対応する第１リソースであることを決定するように具体的に構成されており、アップリンク制御情報はＮＡＣＫ及び負のスケジューリング要求伝送を示す。
【０２５１】
本願のこの実施形態における端末デバイスによれば、ＳＲの優先度はＮＡＣＫの優先度より低い。しかしながら、ＮＡＣＫの発生確率が比較的低いことを考慮すると、ＳＲレイテンシへの影響は比較的少ない。
【０２５２】
任意選択的に、Ｎが２であり、Ｍが２であり、ダウンリンクデータの２つの受信状況が肯定応答ＡＣＫ及び否定応答ＮＡＣＫを含み、スケジューリング要求は第１のスケジューリング要求及び第２のスケジューリング要求を含み、２つの第２リソースは第１のスケジューリング要求に対応する第２リソース及び第２のスケジューリング要求に対応するスケジューリングリソースを含み、処理モジュール２１０は、ダウンリンクデータの受信状況がＡＣＫであり、スケジューリング要求伝送状況が第１の正のスケジューリング要求伝送又は第２の正のスケジューリング要求伝送である場合、伝送リソースがＡＣＫに対応する第１リソースであることを決定するように具体的に構成されており、アップリンク制御情報はＡＣＫ及び負のスケジューリング要求伝送を示すか、又はダウンリンクデータの受信状況がＮＡＣＫであり、スケジューリング要求伝送状況が第１の正のスケジューリング要求伝送又は第２の正のスケジューリング要求伝送である場合、伝送リソースが第１のスケジューリング要求の伝送に対応する第２リソースであるか、又は第２のスケジューリング要求の伝送に対応する第２リソースであることを決定するように具体的に構成されており、アップリンク制御情報はＮＡＣＫ及び第１の正のスケジューリング要求伝送又は第２の正のスケジューリング要求伝送を示す。
【０２５３】
本願のこの実施形態における端末デバイスによれば、ＤＴＸとＡＣＫとの間の誤認識は回避され、受信性能が安定する。しかしながら、ＳＲの優先度はＡＣＫの優先度より低い。ＡＣＫの発生確率が比較的高いことを考慮すると、ＳＲレイテンシへの影響は比較的大きくなり得る。
【０２５４】
任意選択的に、Ｎが２又は４であり、Ｍが１であり、ダウンリンクデータの２つの受信状況が肯定応答ＡＣＫ及び否定応答ＮＡＣＫを含むか、又はダウンリンクデータの４つの受信状況が（ＡＣＫ、ＡＣＫ）、（ＮＡＣＫ、ＮＡＣＫ）、（ＡＣＫ、ＮＡＣＫ）及び（ＮＡＣＫ、ＡＣＫ）を含み、処理モジュール２１０は、ダウンリンクデータの受信状況がダウンリンクデータの２つの受信状況のうち１つであるか、又はダウンリンクデータの受信状況がダウンリンクデータの４つの受信状況のうち１つであり、スケジューリング要求伝送状況が少なくとも２つのタイプの正のＳＲ伝送のうち１つである場合、伝送リソースが１つの第２リソースであることを決定するように具体的に構成されており、アップリンク制御情報は正のスケジューリング要求伝送及びダウンリンクデータの受信状況を示し、送受信モジュール２２０は、１つの第２リソースで、ｎビットの情報を搬送するために用いられるＰＵＣＣＨ、及びＰＵＣＣＨを復調するために用いられる復調基準信号を送信するように具体的に構成されており、ｎビットの情報はダウンリンクデータの受信状況及びＳＲ伝送状況を示す。
【０２５５】
少なくとも２つの正のＳＲ伝送状況が行われ、送受信モジュール２２０がＰＵＣＣＨフォーマットＰに基づいて伝送リソースでアップリンク制御情報を送信することを理解されたい。
【０２５６】
端末デバイスによれば、本願のこの実施形態において、ＳＲ及びＨＡＲＱ−ＡＣＫ情報は同様に重要であり、すなわち、同じ優先度を有する。
【０２５７】
任意選択的に、第１リソースは巡回シフト、直交シーケンス及びリソースブロックの少なくとも１つによって識別され、及び／又は第２リソースは巡回シフト、直交シーケンス及びリソースブロックの少なくとも１つによって識別される。
【０２５８】
任意選択的に、送受信モジュール２２０はシグナリングを受信するようにさらに構成されており、シグナリングは、上述の制御情報伝送ソリューションのうち１つを用いて伝送リソースを決定し、伝送リソースでアップリンク制御情報を送信するように命令する。
【０２５９】
任意選択的に、シグナリングは上位層シグナリングである。
【０２６０】
本願のこの実施形態における制御情報伝送のための端末デバイスによれば、ＰＵＣＣＨシンボルの数が１、２又は３個のシンボルに減少した後に、ＳＲをいかに伝送するか、並びに、ＳＲ及びＨＡＲＱ−ＡＣＫ情報をいかに同時に伝送するかについての問題が効率的に解決される。
【０２６１】
図４は、本願の実施形態に係るネットワークデバイス３００の概略ブロック図である。図４に示されるように、ネットワークデバイス３００は、伝送リソースでアップリンク制御情報を受信するように構成されている送受信モジュール３１０であって、伝送リソースがＮ個の第１リソースのうち１つであるか、又はＭ個の第２リソースのうち１つであり、Ｎ個の第１リソースはダウンリンクデータのＮ個の受信状況に対応し、Ｍ個の第２リソースはスケジューリング要求を伝送するために用いられ、Ｎが１より大きな正の整数であり、Ｍが正の整数である、送受信モジュールと、伝送リソース及びアップリンク制御情報に基づいてダウンリンクデータの受信状況及びスケジューリング要求伝送状況を決定するように構成されている処理モジュール３２０とを含む。
【０２６２】
任意選択的に、送受信モジュール３１０は、ダウンリンクデータを送信するようにさらに構成される。
【０２６３】
任意選択的に、Ｎが２又は４であり、ダウンリンクデータの２つの受信状況が肯定応答ＡＣＫ及び否定応答ＮＡＣＫを含むか、又はダウンリンクデータの４つの受信状況が（ＡＣＫ、ＡＣＫ）、（ＮＡＣＫ、ＮＡＣＫ）、（ＡＣＫ、ＮＡＣＫ）及び（ＮＡＣＫ、ＡＣＫ）を含み、処理モジュール３２０は、伝送リソースがＭ個の第２リソースのうち１つであることを決定するように具体的に構成されており、送受信モジュール３１０は、Ｍ個の第２リソースのうち１つに対するアップリンク制御情報を受信するように具体的に構成されており、処理モジュール３２０は、Ｍ個の第２リソースのうち１つ及びアップリンク制御情報に基づいて、ダウンリンクデータの受信状況がＮ個のデータ受信状況のうち１つであり、スケジューリング要求伝送状況が正のスケジューリング要求伝送であることを決定するように具体的に構成されている。
【０２６４】
任意選択的に、Ｍが１であり、伝送リソースが１つの第２リソースであり、処理モジュール３２０は、１つの第２リソースに基づいて、ダウンリンクデータの受信状況がＮＡＣＫ又は（ＮＡＣＫ、ＮＡＣＫ）であり、スケジューリング要求伝送状況が正のＳＲ伝送であることを決定ように具体的に構成されているか、又は１つの第２リソースに基づいて、ダウンリンクデータの受信状況がＮＡＣＫ／ＤＴＸ又は（ＮＡＣＫ、ＮＡＣＫ）／（ＤＴＸ、ＤＴＸ）であり、スケジューリング要求伝送状況が正のＳＲ伝送であることを決定するように具体的に構成されている。
【０２６５】
本願のこの実施形態におけるネットワークデバイスによれば、１つのみのＰＵＣＣＨリソースがＳＲに割り当てられるので、ＳＲ衝突が生じる場合、ダウンリンクデータの状況を示すためにＳＲリソースが用いられる必要があるとき、ＡＣＫ及びＮＡＣＫのうち１つのみが選択され得る。ＮＡＣＫがＡＣＫより重要であることを考慮すると、ＡＣＫの優先度はより低い。具体的に、ＡＣＫが正のＳＲ伝送と衝突する場合、ＡＣＫは破棄され示されず、ネットワークデバイスはＡＣＫをＮＡＣＫとして扱う。しかしながら、ＮＡＣＫが正のＳＲ伝送と衝突する場合、ＮＡＣＫ及び正のＳＲ伝送の両方が示される。ネットワークデバイスによれば、ＳＲ伝送が確保され、アップリンクリソース要求レイテンシの増加が回避される。唯一の短所は、ＡＣＫの伝送が遅延し、ダウンリンクデータのレイテンシが影響され得ることである。
【０２６６】
任意選択的に、Ｍが１であり、伝送リソースが１つの第２リソースであり、送受信モジュール３１０は、１つの第２リソースで、１ビット又は２ビットの情報を搬送するために用いられるＰＵＣＣＨ、及びＰＵＣＣＨを復調するために用いられる復調基準信号を受信するように具体的に構成されており、１ビット又は２ビットの情報はダウンリンクデータの受信状況を示し、処理モジュール３２０は、１つの第２リソースに基づいて、スケジューリング要求伝送状況が正のスケジューリング要求伝送であることを決定し、１ビット又は２ビットの情報に基づいて、ダウンリンクデータの受信状況がダウンリンクデータの２つの受信状況のうち１つであるか、又はダウンリンクデータの４つの受信状況のうち１つであることを決定するように具体的に構成されている。
【０２６７】
本願のこの実施形態におけるネットワークデバイスによれば、ＰＵＣＣＨフォーマットＹａ又はＹｂの性能はＰＵＣＣＨフォーマットＸの性能より劣る。しかしながら、ネットワークデバイスによれば、ＳＲ、ＡＣＫ及びＮＡＣＫが同じ優先度を有するようにするために、ＨＡＲＱ−ＡＣＫ情報がＳＲと衝突する場合、ＨＡＲＱ−ＡＣＫ情報及びＳＲはＰＵＣＣＨフォーマットＹａを用いて伝送される。具体的には、衝突が生じる場合、どの状況も破棄されない。
【０２６８】
任意選択的に、Ｎが２であり、Ｍが２であり、２つの第２リソースは第１の第２リソース及び第２の第２リソースを含み、伝送リソースが第１の第２リソース及び第２の第２リソースであり、処理モジュール３２０は、第１の第２リソースに基づいて、ダウンリンクデータの受信状況がＡＣＫであり、スケジューリング要求伝送状況が正のスケジューリング要求伝送であることを決定するか、又は第２の第２リソースに基づいて、ダウンリンクデータの受信状況がＮＡＣＫであり、スケジューリング要求伝送状況が正のスケジューリング要求伝送であることを決定するように具体的に構成されている。
【０２６９】
ネットワークデバイスによれば、本願のこの実施形態において、ＨＡＲＱ−ＡＣＫ情報及びＳＲは同じ優先度を有する。したがって、ＨＡＲＱ−ＡＣＫ情報がＳＲと衝突する場合、ＨＡＲＱ−ＡＣＫ情報及びＳＲの両方が示され得る。唯一の短所は、１つの正のＳＲ伝送状況のみが存在するが、２つのＳＲリソースが確保される必要があり、ＰＵＣＣＨオーバーヘッドが比較的大きいことである。
【０２７０】
任意選択的に、Ｎが２であり、送受信モジュール３１０はダウンリンクデータを送信するように具体的に構成されており、ダウンリンクデータは２つのトランスポートブロックＴＢを含み、ダウンリンクデータの受信状況が２つのＴＢにそれぞれ対応する受信状況の空間バンドリング結果である。
【０２７１】
任意選択的に、Ｎが２又は４であり、処理モジュール３２０は、伝送リソースがＮ個の第１リソースのうち１つであることを決定するように具体的に構成されており、送受信モジュール３１０は、Ｎ個の第１リソースのうち１つでアップリンク制御情報を受信するように具体的に構成されており、処理モジュール３２０は、Ｎ個の第１リソースのうち１つに基づいて、ダウンリンクデータの受信状況がダウンリンクデータの２つ又は４つの受信状況のうち１つであり、スケジューリング要求伝送状況が負のスケジューリング要求伝送であることを決定するように具体的に構成されている。
【０２７２】
任意選択的に、Ｎが２であり、Ｍが１であり、ダウンリンクデータの２つの受信状況が肯定応答ＡＣＫ及び否定応答ＮＡＣＫを含み、伝送リソースが１つの第２リソースであり、処理モジュール３２０は、伝送リソースが１つの第２リソースであることを決定するように具体的に構成されており、送受信モジュール３１０は、１つの第２リソースでアップリンク制御情報を受信するように具体的に構成されており、ここで、処理モジュール３２０は、１つの第２リソースに基づいて、ダウンリンクデータの受信状況がＡＣＫであり、スケジューリング要求伝送状況が正のスケジューリング要求伝送であることを決定するように具体的に構成されているか、又は処理モジュール３２０は、伝送リソースがＮＡＣＫに対応する第１リソースであることを決定するように具体的に構成されており、送受信モジュール３１０は、ＮＡＣＫに対応する第１リソースでアップリンク制御情報を受信するように具体的に構成されており、ここで、処理モジュール３２０は、ＮＡＣＫに対応する第１リソースに基づいて、ダウンリンクデータの受信状況がＮＡＣＫであり、スケジューリング要求伝送状況が負のスケジューリング要求伝送であることを決定するように具体的に構成されている。
【０２７３】
本願のこの実施形態におけるネットワークデバイスによれば、ＳＲの優先度はＮＡＣＫの優先度より低い。しかしながら、ＮＡＣＫの発生確率が比較的低いことを考慮すると、ＳＲレイテンシへの影響は比較的少ない。ダウンリンクデータの受信状況がＤＴＸであり、ＳＲ伝送状況が正のＳＲ伝送である場合、端末デバイスは、ＳＲに割り当てられるリソースでアップリンク制御情報の伝送も行う。したがって、ネットワークデバイスはダウンリンクデータを送信するが端末デバイスはダウンリンクデータの受信状況をＤＴＸとみなし、ネットワークデバイスはＳＲに割り当てられるリソースで伝送されるアップリンク制御情報を受信してダウンリンクデータの受信状況をＡＣＫとみなす場合、問題が生じる。したがって、信頼性が比較的低い。
【０２７４】
任意選択的に、Ｎが２であり、Ｍが１であり、ダウンリンクデータの２つの受信状況が肯定応答ＡＣＫ及び否定応答ＮＡＣＫを含み、処理モジュール３２０は、ネットワークデバイスが、伝送リソースがＡＣＫに対応する第１リソースであることを決定するように具体的に構成されており、送受信モジュール３１０は、ＡＣＫに対応する第１リソースでアップリンク制御情報を受信するように具体的に構成されており、ここで、処理モジュール３２０は、ＡＣＫに対応する第１リソースに基づいて、ダウンリンクデータの受信状況がＡＣＫであり、スケジューリング要求伝送状況が負のスケジューリング要求伝送であることを決定するように具体的に構成されているか、又は処理モジュール３２０は、伝送リソースが１つの第２リソースであることを決定するように具体的に構成されており、送受信モジュール３１０は、１つの第２リソースでアップリンク制御情報を受信するように具体的に構成されており、ここで、処理モジュール３２０は、１つの第２リソースに基づいて、ダウンリンクデータの受信状況がＮＡＣＫであり、スケジューリング要求伝送状況が正のスケジューリング要求伝送であることを決定するように具体的に構成されている。
【０２７５】
本願のこの実施形態におけるネットワークデバイスによれば、ＤＴＸとＡＣＫとの間の誤認識は回避され、受信性能が安定する。しかしながら、ＳＲの優先度はＡＣＫの優先度より低い。ＡＣＫの発生確率が比較的高いことを考慮すると、ＳＲレイテンシへの影響は比較的大きくなり得る。
【０２７６】
任意選択的に、Ｎが２であり、Ｍが２であり、ダウンリンクデータの２つの受信状況が肯定応答ＡＣＫ及び否定応答ＮＡＣＫを含み、スケジューリング要求は第１のスケジューリング要求及び第２のスケジューリング要求を含み、２つの第２リソースは、第１のスケジューリング要求に対応する第２リソース及び第２のスケジューリング要求に対応するスケジューリングリソースを含み、処理モジュール３２０は、伝送リソースが第１のスケジューリング要求の伝送に対応する第２リソースであることを決定するように具体的に構成されており、送受信モジュール３１０は、第１のスケジューリング要求の伝送に対応する第２リソースでアップリンク制御情報を受信するように具体的に構成されており、ここで、処理モジュール３２０は、第１のスケジューリング要求の伝送に対応する第２リソースに基づいて、ダウンリンクデータの受信状況がＮＡＣＫであり、スケジューリング要求伝送状況が第１の正のスケジューリング要求伝送であることを決定するように具体的に構成されているか、又は処理モジュール３２０は、伝送リソースが第２のスケジューリング要求の伝送に対応する第２リソースであることを決定するように具体的に構成されており、送受信モジュール３１０は、第２のスケジューリング要求の伝送に対応する第２リソースでアップリンク制御情報を受信するように具体的に構成されており、ここで、処理モジュール３２０は、第２のスケジューリング要求の伝送に対応する第２リソースに基づいて、ダウンリンクデータの受信状況がＮＡＣＫであり、スケジューリング要求伝送状況が第２の正のスケジューリング要求伝送であることを決定するように具体的に構成されている。
【０２７７】
本願のこの実施形態におけるネットワークデバイスによれば、ダウンリンクデータの状況を示すためにＳＲリソースが用いられる必要がある場合、ＡＣＫ及びＮＡＣＫのうち１つのみが選択され得る。ＮＡＣＫがＡＣＫより重要であることを考慮すると、ＡＣＫの優先度はより低い。ネットワークデバイスによれば、ＳＲ伝送が確保され、アップリンクリソース要求レイテンシの増加が回避される。唯一の短所は、ＡＣＫの伝送が遅延し、ダウンリンクデータのレイテンシが影響され得ることである。
【０２７８】
任意選択的に、Ｎが２であり、Ｍが２であり、ダウンリンクデータの２つの受信状況が肯定応答ＡＣＫ及び否定応答ＮＡＣＫを含み、スケジューリング要求は第１のスケジューリング要求及び第２のスケジューリング要求を含み、２つの第２リソースは、第１のスケジューリング要求に対応する第２リソース及び第２のスケジューリング要求に対応するスケジューリングリソースを含み、処理モジュール３２０は、伝送リソースが第１のスケジューリング要求の伝送に対応する第２リソース又は第２のスケジューリング要求の伝送に対応する第２リソースであることを決定するように具体的に構成されており、送受信モジュール３１０は、第１のスケジューリング要求の伝送に対応する第２リソース又は第２のスケジューリング要求の伝送に対応する第２リソースでアップリンク制御情報を受信するように具体的に構成されており、ここで、処理モジュール３２０は、第１のスケジューリング要求の伝送に対応する第２リソース又は第２のスケジューリング要求の伝送に対応する第２リソースに基づいて、ダウンリンクデータの受信状況がＡＣＫであり、スケジューリング要求伝送状況が第１の正のスケジューリング要求伝送又は第２の正のスケジューリング要求伝送であることを決定するように具体的に構成されているか、又は処理モジュール３２０は、伝送リソースがＮＡＣＫに対応する第１リソースであることを決定するように具体的に構成されており、送受信モジュール３１０は、ＮＡＣＫに対応する第１リソースでアップリンク制御情報を受信するように具体的に構成されており、ここで、処理モジュール３２０は、ＮＡＣＫに対応する第１リソースに基づいて、ダウンリンクデータの受信状況がＮＡＣＫであり、スケジューリング要求伝送状況が負のスケジューリング要求伝送であることを決定するように具体的に構成されている。
【０２７９】
本願のこの実施形態におけるネットワークデバイスによれば、ＳＲの優先度はＮＡＣＫの優先度より低い。しかしながら、ＮＡＣＫの発生確率が比較的低いことを考慮すると、ＳＲレイテンシへの影響は比較的少ない。
【０２８０】
任意選択的に、Ｎが２であり、Ｍが２であり、ダウンリンクデータの２つの受信状況が肯定応答ＡＣＫ及び否定応答ＮＡＣＫを含み、スケジューリング要求は第１のスケジューリング要求及び第２のスケジューリング要求を含み、２つの第２リソースは、第１のスケジューリング要求に対応する第２リソース及び第２のスケジューリング要求に対応するスケジューリングリソースを含み、処理モジュール３２０は、伝送リソースがＡＣＫに対応する第１リソースであることを決定するように具体的に構成されており、送受信モジュール３１０は、ＡＣＫに対応する第１リソースでアップリンク制御情報を受信するように具体的に構成されており、ここで、処理モジュール３２０は、ＡＣＫに対応する第１リソースに基づいて、ダウンリンクデータの受信状況がＡＣＫであり、スケジューリング要求伝送状況が負のスケジューリング要求伝送であることを決定するように具体的に構成されているか、又は処理モジュール３２０は、伝送リソースが第１のスケジューリング要求の伝送に対応する第２リソース又は第２のスケジューリング要求の伝送に対応する第２リソースであることを決定するように具体的に構成されており、送受信モジュール３１０は、第１のスケジューリング要求の伝送に対応する第２リソース又は第２のスケジューリング要求の伝送に対応する第２リソースでアップリンク制御情報を受信するように具体的に構成されており、ここで、処理モジュール３２０はさらに、第１のスケジューリング要求の伝送に対応する第２リソース又は第２のスケジューリング要求の伝送に対応する第２リソースに基づいて、ダウンリンクデータの受信状況がＮＡＣＫであり、スケジューリング要求伝送状況が第１の正のスケジューリング要求伝送又は第２の正のスケジューリング要求伝送であることを決定するように構成されている。
【０２８１】
本願のこの実施形態におけるネットワークデバイスによれば、ＤＴＸとＡＣＫとの間の誤認識は回避され、受信性能が安定する。しかしながら、ＳＲの優先度はＡＣＫの優先度より低い。ＡＣＫの発生確率が比較的高いことを考慮すると、ＳＲレイテンシへの影響は比較的大きくなり得る。
【０２８２】
任意選択的に、Ｎが２又は４であり、Ｍが１であり、ダウンリンクデータの２つの受信状況が肯定応答ＡＣＫ及び否定応答ＮＡＣＫを含むか、又はダウンリンクデータの４つの受信状況が（ＡＣＫ、ＡＣＫ）、（ＮＡＣＫ、ＮＡＣＫ）、（ＡＣＫ、ＮＡＣＫ）及び（ＮＡＣＫ、ＡＣＫ）を含み、伝送リソースが１つの第２リソースであり、送受信モジュール３１０は、１つの第２リソースで、ｎビットの情報を搬送するために用いられるＰＵＣＣＨ、及びＰＵＣＣＨを復調するために用いられる復調基準信号を受信するように具体的に構成されており、ここで、ｎビットの情報はダウンリンクデータの受信状況及びＳＲ伝送状況を示し、処理モジュール３２０は、ＳＲに割り当てられるＰＵＣＣＨリソース、及びｎビットの情報に基づいて、ダウンリンクデータの受信状況がダウンリンクデータの２つの受信状況のうち１つであるか、又はダウンリンクデータの４つの受信状況のうち１つであり、ＳＲ伝送状況が正のＳＲ伝送の少なくとも２つのタイプのうち１つであることを決定するように具体的に構成されている。
【０２８３】
ネットワークデバイスによれば、本願のこの実施形態において、ＳＲ及びＨＡＲＱ−ＡＣＫ情報は同様に重要であり、すなわち、同じ優先度を有する。
【０２８４】
任意選択的に、第１リソースは巡回シフト、直交シーケンス及びリソースブロックの少なくとも１つによって識別され、及び／又は第２リソースは巡回シフト、直交シーケンス及びリソースブロックの少なくとも１つによって識別される。
【０２８５】
任意選択的に、送受信モジュール３１０はシグナリングを送信するようにさらに構成されており、シグナリングは、上述の制御情報伝送ソリューションのうち１つを用いて伝送リソースを決定し、伝送リソースでアップリンク制御情報を送信するように、端末デバイスに命令する。
【０２８６】
任意選択的に、シグナリングは上位層シグナリングである。上位層シグナリング（Ｈｉｇｈｅｒ  Ｌａｙｅｒ  Ｓｉｇｎａｌｉｎｇ）は物理層シグナリングに関連し、上位層（ｌａｙｅｒ）から来るシグナリングであり、より低い伝送周波数を有し、無線リソース制御（ＲＲＣ、Ｒａｄｉｏ  Ｒｅｓｏｕｒｃｅ  Ｃｏｎｔｒｏｌ）シグナリング及びメディアアクセス制御（ＭＡＣ、Ｍｅｄｉａ  Ａｃｃｅｓｓ  Ｃｏｎｔｒｏｌ）シグナリングを含む。
【０２８７】
本願のこの実施形態における制御情報伝送のためのネットワークデバイスによれば、ＰＵＣＣＨシンボルの数が１、２又は３個のシンボルに減少した後に、ＳＲをいかに伝送するか、並びに、ＳＲ及びＨＡＲＱ−ＡＣＫ情報をいかに同時に伝送するかについての問題が効率的に解決される。
【０２８８】
図５は、本願の実施形態に係る端末デバイス４００の概略ブロック図である。図５に示されるように、端末デバイス４００は、伝送リソースがＳＲに割り当てられるＰＵＣＣＨリソースであることを決定するように構成されている処理モジュール４１０、及び伝送リソースでアップリンク制御情報を送信するように構成されている送受信モジュール４２０であって、アップリンク制御情報は１ビット又は２ビットのＨＡＲＱ−ＡＣＫ情報、及び少なくとも２ビットのＳＲ伝送状況指示情報を含む、送受信モジュール４２０を含む。
【０２８９】
具体的に、ダウンリンクデータが送受信モジュール４２０によって受信される場合、処理モジュール４１０は、ダウンリンクデータの受信状況がＤＴＸでないことを決定する。処理モジュール４１０は、ＳＲ伝送状況が正のＳＲ伝送であることを決定する。この場合、処理モジュール４１０は伝送リソースがＳＲに割り当てられるＰＵＣＣＨリソースであることを決定する。アップリンク制御情報は、１ビット又は２ビットのＨＡＲＱ−ＡＣＫ情報及び少なくとも２ビットのＳＲ伝送状況指示情報を含む。具体的に、送受信モジュール４２０はＰＵＣＣＨフォーマットＰに基づいてアップリンク制御情報を送信する。
【０２９０】
本願のこの実施形態における端末デバイスにより、ＰＵＣＣＨシンボルの数が１、２又は３個のシンボルに減少した後に、ＳＲをいかに伝送するか、並びに、ＳＲ及びＨＡＲＱ−ＡＣＫ情報をいかに同時に伝送するかについての問題が効率的に解決される。
【０２９１】
図６は、本願の実施形態に係るネットワークデバイス５００の概略ブロック図である。図６に示されるように、ネットワークデバイス５００は、ＳＲに割り当てられるＰＵＣＣＨリソースでアップリンク制御情報を受信するように構成されている送受信モジュール５１０、及び伝送リソース及びアップリンク制御情報に基づいてダウンリンクデータの受信状況及びスケジューリング要求伝送状況を決定するように構成されている処理モジュール５２０を含む。
【０２９２】
具体的には、処理モジュール５２０は、伝送リソースがＳＲに割り当てられるＰＵＣＣＨリソースであることを決定するように具体的に構成されており、送受信モジュール５１０は、ＳＲに割り当てられるＰＵＣＣＨリソースで、少なくとも２ビットのＳＲ伝送状況指示情報、及び１ビット又は２ビットの情報を含むＨＡＲＱ−ＡＣＫ情報を受信するように具体的に構成されており、処理モジュール５２０は、ＳＲに割り当てられるＰＵＣＣＨリソース、１ビット又は２ビットの情報を含むＨＡＲＱ−ＡＣＫ情報及び少なくとも２ビットのＳＲ伝送状況指示情報に基づいて、ダウンリンクデータの受信状況が、ダウンリンクデータの２つの受信状況のうち１つであるか、又はダウンリンクデータの４つの受信状況のうち１つであり、ＳＲ伝送状況が正のＳＲ伝送の少なくとも２つのタイプのうち１つであることを決定する。
【０２９３】
本願のこの実施形態における制御情報伝送のためのネットワークデバイスによれば、ＰＵＣＣＨシンボルの数が１、２又は３個のシンボルに減少した後に、ＳＲをいかに伝送するか、並びに、ＳＲ及びＨＡＲＱ−ＡＣＫ情報をいかに同時に伝送するかについての問題が効率的に解決される。
【０２９４】
図７は、本願の実施形態に係る端末デバイス６００の模式的構造図である。図７に示されるように、端末デバイス６００は、プロセッサ６０１、メモリ６０２、受信機６０３及び伝送機６０４を含む。これらのコンポーネントは通信接続されている。メモリ６０２は、命令を記憶するように構成される。プロセッサ６０１は、メモリ６０２に記憶される命令を実行し、受信機６０３を制御して情報を受信し、伝送機６０４を制御して情報を送信するように構成される。
【０２９５】
プロセッサ６０１は、メモリ６０２に記憶される命令を実行するように構成されている。プロセッサ６０１は、端末デバイス２００における処理モジュール２１０に対応する演算及び／又は機能を実行するように構成され得る。受信機６０３及び伝送機６０４は、端末デバイス２００において送受信モジュール２２０に対応する演算及び／又は機能を実行するように構成され得る。簡潔にするため、詳細についてはここで改めて説明しない。
【０２９６】
図８は、本願の実施形態に係るネットワークデバイス７００の模式的構造図である。図８に示されるように、ネットワークデバイス７００は、プロセッサ７０１、メモリ７０２、受信機７０３及び伝送機７０４を含む。これらのコンポーネントは通信接続されている。メモリ７０２は、命令を記憶するように構成される。プロセッサ７０１は、メモリ７０２に記憶される命令を実行し、受信機７０３を制御して情報を受信し、伝送機７０４を制御して情報を送信するように構成される。
【０２９７】
プロセッサ７０１は、メモリ７０２に記憶される命令を実行するように構成されている。プロセッサ７０１は、ネットワークデバイス３００における処理モジュール３２０に対応する演算及び／又は機能を実行するように構成され得る。受信機７０３及び伝送機７０４は、ネットワークデバイス３００において送受信モジュール３１０に対応する演算及び／又は機能を実行するように構成され得る。簡潔にするため、詳細についてはここで改めて説明しない。
【０２９８】
図９は、本願の実施形態に係る端末デバイス８００の模式的構造図である。図９に示されるように、端末デバイス８００は、プロセッサ８０１、メモリ８０２、受信機８０３及び伝送機８０４を含む。これらのコンポーネントは通信接続されている。メモリ８０２は、命令を記憶するように構成される。プロセッサ８０１は、メモリ８０２に記憶される命令を実行し、受信機８０３を制御して情報を受信し、伝送機８０４を制御して情報を送信するように構成される。
【０２９９】
プロセッサ８０１は、メモリ８０２に記憶される命令を実行するように構成されている。プロセッサ８０１は、端末デバイス４００における処理モジュール４１０に対応する演算及び／又は機能を実行するように構成され得る。受信機８０３及び伝送機８０４は、端末デバイス４００において送受信モジュール４２０に対応する演算及び／又は機能を実行するように構成され得る。簡潔にするため、詳細についてはここで改めて説明しない。
【０３００】
図１０は、本願の実施形態に係るネットワークデバイス９００の模式的構造図である。図１０に示されるように、ネットワークデバイス９００は、プロセッサ９０１、メモリ９０２、受信機９０３及び伝送機９０４を含む。これらのコンポーネントは通信接続されている。メモリ９０２は、命令を記憶するように構成される。プロセッサ９０１は、メモリ９０２に記憶される命令を実行し、受信機９０３を制御して情報を受信し、伝送機９０４を制御して情報を送信するように構成される。
【０３０１】
プロセッサ９０１は、メモリ９０２に記憶される命令を実行するように構成されている。プロセッサ９０１は、ネットワークデバイス５００における処理モジュール５２０に対応する演算及び／又は機能を実行するように構成され得る。受信機９０３及び伝送機９０４は、ネットワークデバイス５００において送受信モジュール５１０に対応する演算及び／又は機能を実行するように構成され得る。簡潔にするため、詳細についてはここで改めて説明しない。
【０３０２】
本願の実施形態は、通信システムをさらに提供する。通信システムは、上述の態様に係る端末デバイス及びネットワークデバイスを含む。
【０３０３】
本願の実施形態は、コンピュータプログラム製品をさらに提供する。コンピュータプログラム製品がコンピュータで実行される場合、コンピュータは、上述の制御情報伝送方法を実行することが可能になる。
【０３０４】
コンピュータプログラム製品はソフトウェアであってもよく、又は別のタイプのコンピュータプログラム製品であってもよいことを理解されたい。本願はこれに限定されるものではない。
【０３０５】
本願の実施形態において、本願の実施形態の上述の方法の実施形態は、プロセッサに適用されてもよく、又はプロセッサによって実装されてもよいことに注意されたい。プロセッサは、集積回路チップであってよく、信号処理機能を有する。実装プロセスにおいて、上述の方法の実施形態における段階は、プロセッサにおけるハードウェア集積論理回路を用いて、又はソフトウェアの形の命令を用いて実装され得る。プロセッサは、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）又は別のプログラマブル論理デバイス、個別ゲートもしくはトランジスタ論理デバイス、又は個別ハードウェアコンポーネントであってよい。プロセッサは、本願の実施形態において開示されている方法、段階及び論理ブロック図を実装又は実行してよい。汎用プロセッサは、マイクロプロセッサであってもよく、又はプロセッサは任意の従来のプロセッサなどであってよい。本願の実施形態と関連して開示される方法の段階は、ハードウェアデコードプロセッサを用いてすぐに実行及び完了されてもよく、又はデコードプロセッサにおけるハードウェア及びソフトウェアモジュールの組み合わせを用いて実行及び完了されてもよい。ソフトウェアモジュールが、ランダムアクセスメモリ、フラッシュメモリ、リードオンリメモリ、プログラマブルリードオンリメモリ、電気的消去可能プログラマブルメモリ、又はレジスタなど、当技術分野の成熟した記憶媒体に位置してよい。記憶媒体はメモリに位置し、プロセッサはメモリにおける情報を読み取り、プロセッサのハードウェアと組み合わせて上述の方法における段階を実行する。
【０３０６】
本願の実施形態におけるメモリは、揮発性メモリ又は不揮発性メモリであり得る、又は、揮発性メモリ及び不揮発性メモリを含み得ることを理解され得る。不揮発性メモリは、リードオンリメモリ（Ｒｅａｄ−Ｏｎｌｙ  Ｍｅｍｏｒｙ、ＲＯＭ）、プログラマブルリードオンリメモリ（Ｐｒｏｇｒａｍｍａｂｌｅ  ＲＯＭ、ＰＲＯＭ）、消去可能プログラマブルリードオンリメモリ（Ｅｒａｓａｂｌｅ  ＰＲＯＭ、ＥＰＲＯＭ）、電気的消去可能プログラマブルリードオンリメモリ（Ｅｌｅｃｔｒｉｃａｌｌｙ  ＥＰＲＯＭ、ＥＥＰＲＯＭ）、又はフラッシュメモリであってよい。揮発性メモリは、ランダムアクセスメモリ（Ｒａｎｄｏｍ  Ａｃｃｅｓｓ  Ｍｅｍｏｒｙ、ＲＡＭ）であってよく、外部キャッシュとして用いられる。限定的説明ではない例を用いて、例えば、スタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、シンクロナスダイナミックランダムアクセスメモリ（Ｓｙｎｃｈｒｏｎｏｕｓ  ＤＲＡＭ、ＳＤＲＡＭ）、ダブルデータレートシンクロナスダイナミックランダムアクセスメモリ（Ｄｏｕｂｌｅ  Ｄａｔａ  Ｒａｔｅ  ＳＤＲＡＭ、ＤＤＲ  ＳＤＲＡＭ）、拡張シンクロナスダイナミックランダムアクセスメモリ（Ｅｎｈａｎｃｅｄ  ＳＤＲＡＭ、ＥＳＤＲＡＭ）、シンクロナスリンクダイナミックランダムアクセスメモリ（Ｓｙｎｃｈｌｉｎｋ  ＤＲＡＭ、ＳＬＤＲＡＭ）、及びダイレクトランバスダイナミックランダムアクセスメモリ（Ｄｉｒｅｃｔ  Ｒａｍｂｕｓ  ＲＡＭ、ＤＲ  ＲＡＭ）などの多くの形態のＲＡＭが用いられ得る。本明細書において説明されるシステム及び方法のメモリには、限定されないが、これらのメモリ及び別の適当なタイプの任意のメモリが含まれることに留意されたい。
【０３０７】
明細書の全体において記載されている「実施形態」は、本願の少なくとも１つの実施形態に含まれる実施形態に関する特定の機能、構造、又は特性を意味することを理解されたい。したがって、明細書の至る所に現れる「実施形態において」又は「実施形態おける」は、必ずしも同じ実施形態を指すものではない。加えて、これらの特定の機能、構造、又は特性は、任意の適宜な方式で１又は複数の実施形態に組み合わされてよい。上述のプロセスのシーケンス番号は、様々な本願の実施形態における実行順序を意味するものでないことが理解されたい。プロセスの実行順序は、プロセスの機能及び内部論理に基づいて決定されるべきであり、本願の実施形態の実装プロセスに対するいかなる限定とも解釈されるべきではない。
【０３０８】
加えて、「システム」及び「ネットワーク」という用語は、本明細書では互換的に使用されてよい。本明細書における「及び／又は」という用語は、関連する対象を説明するための関連関係のみを説明し、３つの関係が存在し得ることを表す。例えば、Ａ及び／又はＢは、Ａのみが存在すること、Ａ及びＢの両方が存在すること、ならびに、Ｂのみが存在すること、の３つの場合を表し得る。加えて、本明細書における記号「／」は通常、関連する物体間の「又は」関係を示す。
【０３０９】
本願の実施形態において、「Ａに対応するＢ」とは、ＢがＡと関連付けられており、ＢがＡに基づいて決定されてよいことを示していることを理解されたい。しかしながら、Ａに基づいてＢを決定することは、ＢがＡのみに基づいて決定されることを意味するものではなく、ＢはＡ及び／又は他の情報に基づいて代替的に決定されてよいことをさらに理解されたい。
【０３１０】
上述の実施形態の全部又は一部は、ソフトウェア、ハードウェア、ファームウェア、又はこれらの任意の組み合わせを用いて実装されてよい。実施形態を実装するのにソフトウェアが用いられる場合、これらの実施形態の全部又は一部が、コンピュータプログラム製品の形態で実装されてよい。コンピュータプログラム製品は、１又は複数のコンピュータ命令を含んでよい。コンピュータプログラム命令がロードされ、コンピュータで実行される場合、本願の実施形態に係る手順又は機能の全部又は一部が生成される。コンピュータは、汎用コンピュータ、専用コンピュータ、コンピュータネットワーク、又は別のプログラマブル装置であってよい。コンピュータ命令は、コンピュータ可読記憶媒体に記憶され得る、又は、コンピュータ可読記憶媒体から別のコンピュータ可読記憶媒体へ伝送され得る。例えば、コンピュータ命令は、ウェブサイト、コンピュータ、サーバ又はデータセンタから、別のウェブサイト、コンピュータ、サーバ又はデータセンタへ、有線（例えば、同軸ケーブル、光ファイバ、又は、デジタル加入者線（ＤＳＬ））又は無線（例えば、赤外線、無線、又は、マイクロ波）方式で伝送され得る。コンピュータ可読記憶媒体は、コンピュータによってアクセス可能な任意の使用可能な媒体であってもよく、又は、１又は複数の使用可能な媒体を含むサーバ又はデータセンタのようなデータ記憶デバイスであってもよい。使用可能な媒体は、磁気媒体（例えば、フロッピーディスク、ハードディスク、又は磁気ディスク）、光媒体（例えば、ＤＶＤ）、又は半導体媒体（例えば、ソリッドステートディスク（Ｓｏｌｉｄ  Ｓｔａｔｅ  Ｄｉｓｋ、ＳＳＤ））などであってよい。
【０３１１】
当業者であれば、本明細書において開示された実施形態で説明された例と組み合わせて、各ユニット及び各アルゴリズムステップが、電子ハードウェア又はコンピュータソフトウェアと電子ハードウェアとの組み合わせによって実装され得ることを認識するであろう。機能がハードウェアによって行われるか、ソフトウェアによって行われるかは、技術的解決手段の特定の適用例及び設計制約条件で決まる。当業者であれば、それぞれの特定の適用例に対して説明された機能を実装すべく異なる方法を使用してよいが、その実装が本願の範囲を超えるものとみなされるべきではない。
【０３１２】
簡便かつ簡潔な説明のために、上述のシステム、機器、及びユニットの詳細な動作プロセスについては、上述した方法の実施形態における対応するプロセスが参照されてよく、詳細はここで改めて説明しないことを当業者は明確に理解するであろう。
【０３１３】
本願において提供したいくつかの実施形態では、開示されているシステム、装置及び方法が他の方式で実装され得ることを理解されたい。例えば、説明されている装置の実施形態は一例に過ぎない。例えば、ユニットの分割は論理機能の分割に過ぎず、実際の実装においては他の分割であってよい。例えば、複数のユニット又はコンポーネントが別のシステムに組み合わされ又は統合されてもよく、あるいはいくつかの特徴が無視されてもよい、又は実行されなくてもよい。加えて、示されたか、又は論じられた相互結合もしくは直接結合又は通信接続は、いくつかのインタフェースを用いて実装されてよい。装置間又はユニット間の間接的結合又は通信接続は、電気的形態、機械的形態、又は他の形態で実装されてよい。
【０３１４】
別の部分として説明されているユニットは物理的に離れていてもよく、又は離れていなくてもよく、ユニットとして示される部分は、物理的ユニットであってもよく、又は物理的ユニットでなくてもよく、１か所に位置してもよく、又は複数のネットワークユニットに割り当てられてもよい。ユニットの一部又は全部は、実施形態の解決手段の目的を達成するための実際の要件に応じて選択され得る。
【０３１５】
加えて、本願の実施形態における機能ユニットが１つの処理ユニットに統合されてもよいし、当該ユニットの各々が物理的に単独で存在してもよいし、２つ又はそれより多くのユニットが１つのユニットに統合されてもよい。
【０３１６】
機能がソフトウェア機能ユニットの形態で実装され、個別の製品として販売されるか又は用いられる場合、これらの機能はコンピュータ可読記憶媒体に記憶されてよい。そのような理解に基づいて、基本的に本願の技術的解決手段又は従来技術に対して貢献する部分又は技術的解決手段のいくつかが、ソフトウェア製品の形式で実装されてよい。コンピュータソフトウェアの製品は、記憶媒体に記憶され、本願の実施形態において説明される方法の段階の全部又は一部かを実行するようコンピュータデバイス（パーソナルコンピュータ、サーバ、又はネットワークデバイスなどであり得る）に命令するためのいくつかの命令を含む。上述の記憶媒体は、ＵＳＢフラッシュドライブ、リムーバブルハードディスク、リードオンリメモリ、ランダムアクセスメモリ、磁気ディスク、又は光ディスクのようなプログラムコードを記憶し得る任意の媒体を含む。
【０３１７】
上述の説明は、本願の特定の実装に過ぎず、本願の保護範囲を限定することを意図するものではない。本願の保護範囲には、本願において開示した技術的範囲内で当業者により容易に考案される任意の変形又は置換が含まれるものとする。したがって、本願の保護範囲は、特許請求の範囲の保護範囲に従うものとする。
（項目１）
制御情報伝送方法であって、
端末デバイスが、ダウンリンクデータの受信状況及びスケジューリング要求伝送状況に基づいて伝送リソースを決定する段階であって、上記伝送リソースが、Ｎ個の第１リソースのうち１つ又はＭ個の第２リソースのうち１つであり、上記Ｎ個の第１リソースは上記ダウンリンクデータのＮ個の受信状況に対応し、上記Ｍ個の第２リソースはスケジューリング要求を伝送するために用いられ、Ｎが１より大きな正の整数であり、Ｍが正の整数である、決定する段階と、
上記端末デバイスが、上記伝送リソースでアップリンク制御情報を送信する段階と
を備える、
方法。
（項目２）
Ｎが２又は４であり、上記ダウンリンクデータの上記２つの受信状況が肯定応答ＡＣＫ及び否定応答ＮＡＣＫを含むか、又は上記ダウンリンクデータの上記４つの受信状況が（ＡＣＫ、ＡＣＫ）、（ＮＡＣＫ、ＮＡＣＫ）、（ＡＣＫ、ＮＡＣＫ）及び（ＮＡＣＫ、ＡＣＫ）を含み、
端末デバイスがダウンリンクデータの受信状況及びスケジューリング要求伝送状況に基づいて伝送リソースを決定する上記段階は、
上記スケジューリング要求伝送状況が正のスケジューリング要求伝送である場合、上記端末デバイスが、上記伝送リソースが上記Ｍ個の第２リソースのうち１つであることを決定する段階であって、上記アップリンク制御情報はデータの上記Ｎ個の受信状況のうち１つ及び上記正のスケジューリング要求伝送を示す、決定する段階を有する、
項目１に記載の方法。
（項目３）
Ｍが１であり、端末デバイスがダウンリンクデータの受信状況及びスケジューリング要求伝送状況に基づいて伝送リソースを決定する上記段階は、
上記ダウンリンクデータの上記受信状況が上記ダウンリンクデータの上記２つの受信状況のうち１つであるか、又は上記ダウンリンクデータの受信状況が上記ダウンリンクデータの上記４つの受信状況のうち１つであり、上記スケジューリング要求伝送状況が上記正のスケジューリング要求伝送である場合、上記端末デバイスが、上記伝送リソースが上記１つの第２リソースであることを決定する段階であって、上記アップリンク制御情報は、上記正のスケジューリング要求伝送、及び上記ＮＡＣＫ又は上記（ＮＡＣＫ、ＮＡＣＫ）を示す、決定する段階を有する、
項目２に記載の方法。
（項目４）
Ｍが１である方法であり、端末デバイスがダウンリンクデータの受信状況及びスケジューリング要求伝送状況に基づいて伝送リソースを決定する上記段階は、
上記ダウンリンクデータの上記受信状況が上記ダウンリンクデータの上記２つの受信状況のうち１つであるか、又は上記ダウンリンクデータの受信状況が上記ダウンリンクデータの上記４つの受信状況のうち１つであり、かつ、上記スケジューリング要求伝送状況が上記正のスケジューリング要求伝送である場合、上記端末デバイスが、上記伝送リソースが上記１つの第２リソースであることを決定する段階を有し、
上記アップリンク制御情報は、上記正のスケジューリング要求伝送、及び上記ダウンリンクデータの受信状況を示し、上記端末デバイスが、上記伝送リソースでアップリンク制御情報を送信する上記段階は、
上記端末デバイスが、上記１つの第２リソースで、１ビット又は２ビットの情報を搬送するために用いられるＰＵＣＣＨと、上記ＰＵＣＣＨを復調するために用いられる復調基準信号とを送信する段階であって、上記１ビット又は２ビットの情報は、上記ダウンリンクデータの受信状況を示す、送信する段階を有する、
項目２に記載の方法。
（項目５）
Ｎが２であり、Ｍが２であり、上記２つの第２リソースは第１の第２リソース及び第２の第２リソースを含み、
端末デバイスがダウンリンクデータの受信状況及びスケジューリング要求伝送状況に基づいて伝送リソースを決定する上記段階は、
上記ダウンリンクデータの上記受信状況が上記ＡＣＫであり、上記スケジューリング要求伝送状況が上記正のスケジューリング要求伝送である場合、上記端末デバイスが、上記伝送リソースが上記第１の第２リソースであることを決定する段階であって、上記アップリンク制御情報は上記正のスケジューリング要求伝送及び上記ＡＣＫを示す、決定する段階、又は
上記ダウンリンクデータの上記受信状況が上記ＮＡＣＫであり、上記スケジューリング要求伝送状況が上記正のスケジューリング要求伝送である場合、上記端末デバイスが、上記伝送リソースが上記第２の第２リソースであることを決定する段階であって、上記アップリンク制御情報は上記正のスケジューリング要求伝送及び上記ＮＡＣＫを示す、決定する段階
を有する、
項目２に記載の方法。
（項目６）
Ｎが２であり、
端末デバイスがダウンリンクデータの受信状況及びスケジューリング要求伝送状況に基づいて伝送リソースを決定する上記段階の前に、上記方法はさらに、
上記端末デバイスが上記ダウンリンクデータを受信する段階であって、上記ダウンリンクデータは２つのトランスポートブロックＴＢを含む、受信する段階と、
上記端末デバイスが、上記ダウンリンクデータの上記受信状況が上記２つのＴＢにそれぞれ対応する受信状況の空間バンドリング結果であることを決定する段階と
を備える、
項目３から５の何れか一項に記載の方法。
（項目７）
端末デバイスがダウンリンクデータの受信状況及びスケジューリング要求伝送状況に基づいて伝送リソースを決定する上記段階はさらに、
上記ダウンリンクデータの受信状況が上記ダウンリンクデータの上記２つの受信状況のうち１つであるか、又は上記ダウンリンクデータの受信状況が上記ダウンリンクデータの上記４つの受信状況のうち１つであり、上記スケジューリング要求伝送状況が負のスケジューリング要求伝送である場合、上記端末デバイスが、上記伝送リソースが上記Ｎ個の第１リソースのうち１つであることを決定する段階
を備える、
項目３から６の何れか一項に記載の方法。
（項目８）
上記第１リソースは巡回シフト、直交シーケンス及びリソースブロックの少なくとも１つによって識別され、及び／又は
上記第２リソースは巡回シフト、直交シーケンス及びリソースブロックの少なくとも１つによって識別される、項目１から７の何れか一項に記載の方法。
（項目９）
制御情報伝送方法であって、
ネットワークデバイスが伝送リソースでアップリンク制御情報を受信する段階であって、上記伝送リソースがＮ個の第１リソースのうち１つであるか、又はＭ個の第２リソースのうち１つであり、上記Ｎ個の第１リソースはダウンリンクデータのＮ個の受信状況に対応し、上記Ｍ個の第２リソースはスケジューリング要求を伝送するために用いられ、Ｎが１より大きな正の整数であり、Ｍが正の整数である、受信する段階と、
上記ネットワークデバイスが、上記伝送リソース及び上記アップリンク制御情報に基づいてダウンリンクデータの受信状況及びスケジューリング要求伝送状況を決定する段階と
を備える、
方法。
（項目１０）
Ｎが２又は４であり、上記ダウンリンクデータの上記２つの受信状況が肯定応答ＡＣＫ及び否定応答ＮＡＣＫを含むか、又は上記ダウンリンクデータの上記４つの受信状況が（ＡＣＫ、ＡＣＫ）、（ＮＡＣＫ、ＮＡＣＫ）、（ＡＣＫ、ＮＡＣＫ）及び（ＮＡＣＫ、ＡＣＫ）を含み、ネットワークデバイスが伝送リソースでアップリンク制御情報を受信する上記段階は、
上記ネットワークデバイスが、上記伝送リソースが上記Ｍ個の第２リソースのうち１つであることを決定する段階と、
上記ネットワークデバイスが、上記Ｍ個の第２リソースのうち上記１つで上記アップリンク制御情報を受信する段階と
を有し、
上記ネットワークデバイスが上記伝送リソース及び上記アップリンク制御情報に基づいてダウンリンクデータの受信状況及びスケジューリング要求伝送状況を決定する上記段階は、
上記ネットワークデバイスが、上記Ｍ個の第２リソースのうち上記１つ及び上記アップリンク制御情報に基づいて、ダウンリンクデータの上記受信状況が上記Ｎ個のデータ受信状況のうち１つであり、上記スケジューリング要求伝送状況が正のスケジューリング要求伝送であることを決定する段階を有する、
項目９に記載の方法。
（項目１１）
Ｍが１であり、上記伝送リソースが上記１つの第２リソースであり、上記ネットワークデバイスが上記伝送リソース及び上記アップリンク制御情報に基づいてダウンリンクデータの受信状況及びスケジューリング要求伝送状況を決定する上記段階は、
上記ネットワークデバイスが、上記１つの第２リソースに基づいて、上記ダウンリンクデータの上記受信状況が上記ＮＡＣＫ又は上記（ＮＡＣＫ、ＮＡＣＫ）であり、上記スケジューリング要求伝送状況が上記正のスケジューリング要求伝送であることを決定する段階と
を含む、
項目１０に記載の方法。
（項目１２）
Ｍが１であり、上記伝送リソースが上記１つの第２リソースである方法であり、上記ネットワークデバイスが上記Ｍ個の第２リソースのうち上記１つで上記アップリンク制御情報を受信する上記段階は、
上記ネットワークデバイスが、上記１つの第２リソースで、１ビット又は２ビットの情報を搬送するために用いられるＰＵＣＣＨと、上記ＰＵＣＣＨを復調するために用いられる復調基準信号とを受信する段階であって、上記１ビット又は２ビットの情報は上記ダウンリンクデータの受信状況を示す、受信する段階を含み、
上記ネットワークデバイスが上記伝送リソース及び上記アップリンク制御情報に基づいてダウンリンクデータの受信状況及びスケジューリング要求伝送状況を決定する上記段階は、
上記ネットワークデバイスが、上記１つの第２リソースに基づいて、上記スケジューリング要求伝送状況が上記正のスケジューリング要求伝送であることを決定する段階と、
上記１ビット又は２ビットの情報に基づいて、上記ダウンリンクデータの受信状況が上記ダウンリンクデータの上記２つの受信状況のうち１であるか、又は上記ダウンリンクデータの上記４つの受信状況のうち１つであることを決定する段階と
を含む、
項目１０に記載の方法。
（項目１３）
Ｎが２であり、Ｍが２であり、上記２つの第２リソースは第１の第２リソース及び第２の第２リソースを含み、上記伝送リソースが上記第１の第２リソース及び上記第２の第２リソースであり、
上記ネットワークデバイスが上記伝送リソース及び上記アップリンク制御情報に基づいてダウンリンクデータの受信状況及びスケジューリング要求伝送状況を決定する上記段階は、
上記ネットワークデバイスが、上記第１の第２リソースに基づいて、上記ダウンリンクデータの上記受信状況が上記ＡＣＫであり、上記スケジューリング要求伝送状況が上記正のスケジューリング要求伝送であることを決定する段階、又は
上記ネットワークデバイスが、上記第２の第２リソースに基づいて、上記ダウンリンクデータの上記受信状況が上記ＮＡＣＫであり、上記スケジューリング要求伝送状況が上記正のスケジューリング要求伝送であることを決定する段階
を有する、
項目１０に記載の方法。
（項目１４）
Ｎが２であり、上記方法はさらに、
上記ネットワークデバイスが、上記ダウンリンクデータを送信する段階であって、上記ダウンリンクデータは２つのトランスポートブロックＴＢを有する、送信する段階を含み、
上記ダウンリンクデータの上記受信状況が、上記２つのＴＢにそれぞれ対応する受信状況の空間バンドリング結果である、
項目１１から１３の何れか一項に記載の方法。
（項目１５）
Ｎが２又は４であり、ネットワークデバイスが伝送リソースでアップリンク制御情報を受信する上記段階は、
上記ネットワークデバイスが、上記伝送リソースが上記Ｎ個の第１リソースのうち１つであることを決定する段階と、
上記ネットワークデバイスが、上記Ｎ個の第１リソースのうち上記１つで上記アップリンク制御情報を受信する段階と
を含み、
上記ネットワークデバイスが上記伝送リソース及び上記アップリンク制御情報に基づいてダウンリンクデータの受信状況及びスケジューリング要求伝送状況を決定する上記段階は、
上記ネットワークデバイスが、上記Ｎ個の第１リソースのうち上記１つに基づいて、上記ダウンリンクデータの受信状況が上記ダウンリンクデータの上記２つ又は４つの受信状況のうち１つであり、上記スケジューリング要求伝送状況が負のスケジューリング要求伝送であることを決定する段階
を含む、
項目１１から１４の何れか一項に記載の方法。
（項目１６）
上記第１リソースは巡回シフト、直交シーケンス及びリソースブロックの少なくとも１つによって識別され、及び／又は
上記第２リソースは巡回シフト、直交シーケンス及びリソースブロックの少なくとも１つによって識別される、
項目９から１５の何れか一項に記載の方法。
（項目１７）
ダウンリンクデータの受信状況及びスケジューリング要求伝送状況に基づいて伝送リソースを決定するように構成されている処理モジュールであって、上記伝送リソースが、Ｎ個の第１リソースのうち１つ又はＭ個の第２リソースのうち１つであり、上記Ｎ個の第１リソースは上記ダウンリンクデータのＮ個の受信状況に対応し、上記Ｍ個の第２リソースはスケジューリング要求を伝送するために用いられ、Ｎが１より大きな正の整数であり、Ｍが正の整数である、処理モジュールと、
上記伝送リソースでアップリンク制御情報を送信するように構成されている送受信モジュールと
を備える、
端末デバイス。
（項目１８）
Ｎが２又は４であり、上記ダウンリンクデータの上記２つの受信状況が肯定応答ＡＣＫ及び否定応答ＮＡＣＫを含むか、又は上記ダウンリンクデータの上記４つの受信状況が（ＡＣＫ、ＡＣＫ）、（ＮＡＣＫ、ＮＡＣＫ）、（ＡＣＫ、ＮＡＣＫ）及び（ＮＡＣＫ、ＡＣＫ）を含み、
上記処理モジュールは、
上記スケジューリング要求伝送状況が正のスケジューリング要求伝送である場合、上記伝送リソースが上記Ｍ個の第２リソースのうち１つであることを決定するように具体的に構成されており、上記アップリンク制御情報はデータの上記Ｎ個の受信状況のうち１つ及び上記正のスケジューリング要求伝送を示す、
項目１７に記載の端末デバイス。
（項目１９）
Ｍが１であり、上記処理モジュールは、
上記ダウンリンクデータの受信状況が上記ダウンリンクデータの上記２つの受信状況のうち１つであるか、又は上記ダウンリンクデータの受信状況が上記ダウンリンクデータの上記４つの受信状況のうち１つであり、上記スケジューリング要求伝送状況が上記正のスケジューリング要求伝送である場合、上記伝送リソースが上記１つの第２リソースであることを決定するように具体的に構成されており、
上記アップリンク制御情報は、上記正のスケジューリング要求伝送、及び上記ＮＡＣＫ又は上記（ＮＡＣＫ、ＮＡＣＫ）を示す、
項目１８に記載の端末デバイス。
（項目２０）
Ｍが１であり、上記処理モジュールは、
上記ダウンリンクデータの受信状況が上記ダウンリンクデータの上記２つの受信状況のうち１つであるか、又は上記ダウンリンクデータの受信状況が上記ダウンリンクデータの上記４つの受信状況のうち１つであり、上記スケジューリング要求伝送状況が上記正のスケジューリング要求伝送である場合、上記伝送リソースが上記１つの第２リソースであることを決定するように具体的に構成されており、
上記アップリンク制御情報は上記正のスケジューリング要求伝送及び上記ダウンリンクデータの受信状況を示し、上記送受信モジュールは、  上記１つの第２リソースで、１ビット又は２ビットの情報を搬送するために用いられるＰＵＣＣＨと、上記ＰＵＣＣＨを復調するために用いられる復調基準信号とを送信するように具体的に構成されており、上記１ビット又は２ビットの情報は上記ダウンリンクデータの受信状況を示す、
項目１８に記載の端末デバイス。
（項目２１）
Ｎが２であり、Ｍが２であり、上記２つの第２リソースは第１の第２リソース及び第２の第２リソースを含み、上記処理モジュールは、
上記ダウンリンクデータの上記受信状況が上記ＡＣＫであり、上記スケジューリング要求伝送状況が上記正のスケジューリング要求伝送である場合、上記伝送リソースが上記第１の第２リソースであることを決定するように具体的に構成されており、上記アップリンク制御情報は上記正のスケジューリング要求伝送及び上記ＡＣＫを示すか、又は
上記ダウンリンクデータの上記受信状況が上記ＮＡＣＫであり、上記スケジューリング要求伝送状況が上記正のスケジューリング要求伝送である場合、上記伝送リソースが上記第２の第２リソースであることを決定するように具体的に構成されており、上記アップリンク制御情報は上記正のスケジューリング要求伝送及び上記ＮＡＣＫを示す、
項目１８に記載の端末デバイス。
（項目２２）
Ｎが２であり、上記送受信モジュールは上記ダウンリンクデータを受信するようにさらに構成されており、上記ダウンリンクデータは２つのトランスポートブロックＴＢを含み、
上記処理モジュールは、上記ダウンリンクデータの上記受信状況が上記２つのＴＢにそれぞれ対応する受信状況の空間バンドリング結果であることを決定するようにさらに構成されている、
項目１９から２１のいずれか一項に記載の端末デバイス。
（項目２３）
上記処理モジュールは、
上記ダウンリンクデータの受信状況が上記ダウンリンクデータの上記２つの受信状況のうち１つであるか、又は上記ダウンリンクデータの受信状況が上記ダウンリンクデータの上記４つの受信状況のうち１つであり、上記スケジューリング要求伝送状況が負のスケジューリング要求伝送である場合、上記伝送リソースが上記Ｎ個の第１リソースのうち１つであることを決定するように具体的に構成されている、項目１９から２２のいずれか一項に記載の端末デバイス。
（項目２４）
伝送リソースでアップリンク制御情報を受信するように構成されている送受信モジュールであって、上記伝送リソースがＮ個の第１リソースのうち１つであるか、又はＭ個の第２リソースのうち１つであり、上記Ｎ個の第１リソースは上記ダウンリンクデータのＮ個の受信状況に対応し、上記Ｍ個の第２リソースはスケジューリング要求を伝送するために用いられ、Ｎが１より大きな正の整数であり、Ｍが正の整数である、送受信モジュールと、
上記伝送リソース及び上記アップリンク制御情報に基づいてダウンリンクデータの受信状況及びスケジューリング要求伝送状況を決定するように構成されている処理モジュールと  を備える、
ネットワークデバイス。
（項目２５）
Ｎが２又は４であり、上記ダウンリンクデータの上記２つの受信状況が肯定応答ＡＣＫ及び否定応答ＮＡＣＫを含むか、又は上記ダウンリンクデータの上記４つの受信状況が（ＡＣＫ、ＡＣＫ）、（ＮＡＣＫ、ＮＡＣＫ）、（ＡＣＫ、ＮＡＣＫ）及び（ＮＡＣＫ、ＡＣＫ）を含み、上記処理モジュールは、上記伝送リソースが上記Ｍ個の第２リソースのうち１つであることを決定するように具体的に構成されており、
上記送受信モジュールは、上記Ｍ個の第２リソースのうち上記１つで上記アップリンク制御情報を受信するように具体的に構成されており、
上記処理モジュールは、上記Ｍ個の第２リソースのうち上記１つ及び上記アップリンク制御情報に基づいて、上記ダウンリンクデータの受信状況が上記Ｎ個のデータ受信状況のうち１つであり、上記スケジューリング要求伝送状況が正のスケジューリング要求伝送であることを決定するように具体的に構成されている、
項目２４に記載のネットワークデバイス。
（項目２６）
Ｍが１である、であり、上記伝送リソースが上記１つの第２リソースであり、
上記処理モジュールは、上記１つの第２リソースに基づいて、上記ダウンリンクデータの上記受信状況が上記ＮＡＣＫ又は上記（ＮＡＣＫ、ＮＡＣＫ）であり、上記スケジューリング要求伝送状況が上記正のスケジューリング要求伝送であることを決定するように具体的に構成されている、項目２５に記載のネットワークデバイス。
（項目２７）
Ｍが１であり、上記伝送リソースが上記１つの第２リソースであり、
上記送受信モジュールは、上記１つの第２リソースで、１ビット又は２ビットの情報を搬送するために用いられるＰＵＣＣＨと、上記ＰＵＣＣＨを復調するために用いられる復調基準信号とを受信するように具体的に構成されており、上記１ビット又は２ビットの情報は上記ダウンリンクデータの受信状況を示し、
上記処理モジュールは、上記１つの第２リソースに基づいて、上記スケジューリング要求伝送状況が上記正のスケジューリング要求伝送であることを決定し、上記１ビット又は２ビットの情報に基づいて、上記ダウンリンクデータの受信状況が上記ダウンリンクデータの上記２つの受信状況のうち１つであるか、又は上記ダウンリンクデータの上記４つの受信状況のうち１つであることを決定するように具体的に構成されている、項目２５に記載のネットワークデバイス。
（項目２８）
Ｎが２であり、Ｍが２であり、上記２つの第２リソースは第１の第２リソース及び第２の第２リソースを含み、上記伝送リソースが上記第１の第２リソース及び上記第２の第２リソースであり、
上記処理モジュールは、
上記第１の第２リソースに基づいて、上記ダウンリンクデータの上記受信状況が上記ＡＣＫであり、上記スケジューリング要求伝送状況が上記正のスケジューリング要求伝送であることを決定するか、又は
上記第２の第２リソースに基づいて、上記ダウンリンクデータの上記受信状況が上記ＮＡＣＫであり、上記スケジューリング要求伝送状況が上記正のスケジューリング要求伝送であることを決定する
ように具体的に構成されている、項目２５に記載のネットワークデバイス。
（項目２９）
Ｎが２であり、上記送受信モジュールは、上記ダウンリンクデータを送信することであって、上記ダウンリンクデータは２つのトランスポートブロックＴＢを有する、送信することを行うように具体的に構成されており、
上記ダウンリンクデータの上記受信状況が、上記２つのＴＢにそれぞれ対応する受信状況の空間バンドリング結果である、項目２６から２８の何れか一項に記載のネットワークデバイス。
（項目３０）
Ｎが２又は４であり、上記処理モジュールは、上記伝送リソースが上記Ｎ個の第１リソースのうち１つであることを決定するようにさらに構成されており、
上記送受信モジュールは、上記Ｎ個の第１リソースのうち上記１つで上記アップリンク制御情報を受信するようにさらに構成されており、
上記処理モジュールは、上記Ｎ個の第１リソースのうち上記１つに基づいて、上記ダウンリンクデータの受信状況が上記ダウンリンクデータの上記２つ又は４つの受信状況のうち１つであり、上記スケジューリング要求伝送状況が負のスケジューリング要求伝送であることを決定するようにさらに構成されている、
項目２６から２９の何れか一項に記載のネットワークデバイス。
【国際調査報告】
2020519084.tif 000013
2020519084.tif 000014
2020519084.tif 000015
2020519084.tif 000016